(57)【特許請求の範囲】
【請求項１】
遊技球が発射される遊技盤と、
前記遊技盤に設けられ、遊技球が入球可能な始動口と、
遊技球が前記始動口に入球した場合に遊技映像が表示される表示器と、
カウンタの値を更新するカウンタ更新手段と、
遊技球が前記始動口に入球する毎にカウンタの値の更新結果を検出するカウンタ検出手段と、
カウンタの値の検出結果が記録される保留メモリと、
カウンタの値の更新結果が検出される毎に当該カウンタの値の検出結果を前記保留メモリに記録するカウンタ記録手段と、
前記保留メモリにカウンタの値が記録されている場合に前記保留メモリから最も古い１つのカウンタの値を検出するカウンタ検出手段と、
前記保留メモリから１つのカウンタの値が検出された場合に当該１つのカウンタの値の検出結果および当該１つのカウンタの値に比べて時間的に後に前記保留メモリに記録されたカウンタの値の数の双方に応じて前記表示器に遊技映像を表示するための表示情報を設定する情報設定手段と、
表示情報が設定された場合に前記表示器に遊技映像を表示情報の設定結果で表示する映像表示手段と、
表示情報が設定される毎に前記保留メモリから前記１つのカウンタの値を消去するカウンタ消去手段と、
カウンタの値の更新結果が検出される毎に当該カウンタの値の検出結果を通知するための先読み情報を送信する先読み情報送信手段と、
先読み情報が記録される先読みメモリと、
先読み情報が送信される毎に先読み情報を受信して前記先読みメモリに記録する先読み情報記録手段と、
前記保留メモリから前記１つのカウンタの値が消去される毎に前記先読みメモリから最も古い１つの先読み情報を消去する先読み情報消去手段と、
前記先読みメモリに先読み情報が記録される毎に前記先読みメモリの全ての先読み情報に対して次の１）先読み処理を行い、前記先読みメモリに１）先読み処理での先読み結果を記録する先読み手段と、
１）前記情報設定手段が先読み情報に対応するカウンタの値に応じてどのような表示情報を設定するかを当該先読み情報および当該先読み情報に比べて時間的に後に前記先読みメモリに記録された先読み情報の数の双方に応じて判定することで先読み結果を得る先読み処理
前記先読みメモリに特定の表示情報に相当する特定の先読み結果が記録されている場合に前記先読みメモリに先読み情報が追加されても当該特定の先読み結果が記録されることとなるか否かを判定する手段と、
前記先読みメモリに先読み情報が追加されても特定の先読み結果が記録されることとなると判定された場合に特定の表示情報に応じた特定の遊技映像が表示されることを当該遊技映像が表示開始される前に遊技者に報知する予告演出を行う予告演出手段を備えたことを特徴とするパチンコ遊技機。
【請求項２】
遊技球が発射される遊技盤と、
前記遊技盤に設けられ、遊技球が入球可能な始動口と、
遊技球が前記始動口に入球した場合に遊技映像が表示される表示器と、
カウンタの値を更新するカウンタ更新手段と、
遊技球が前記始動口に入球する毎にカウンタの値の更新結果を検出するカウンタ検出手段と、
カウンタの値の検出結果が記録される保留メモリと、
カウンタの値の更新結果が検出される毎に当該カウンタの値の検出結果を前記保留メモリに記録するカウンタ記録手段と、
前記保留メモリにカウンタの値が記録されている場合に前記保留メモリから最も古い１つのカウンタの値を検出するカウンタ検出手段と、
前記保留メモリから１つのカウンタの値が検出された場合に当該１つのカウンタの値の検出結果および当該１つのカウンタの値に比べて時間的に後に前記保留メモリに記録されたカウンタの値の数の双方に応じて前記表示器に遊技映像を表示するための表示情報を設定する情報設定手段と、
表示情報が設定された場合に前記表示器に遊技映像を表示情報の設定結果で表示する映像表示手段と、
表示情報が設定される毎に前記保留メモリから前記１つのカウンタの値を消去するカウンタ消去手段と、
カウンタの値の更新結果が検出される毎に当該カウンタの値の検出結果を通知するための先読み情報を送信する先読み情報送信手段と、
先読み情報が記録される先読みメモリと、
先読み情報が送信される毎に先読み情報を受信して前記先読みメモリに記録する先読み情報記録手段と、
前記保留メモリから前記１つのカウンタの値が消去される毎に前記先読みメモリから最も古い１つの先読み情報を消去する先読み情報消去手段と、
前記先読みメモリに先読み情報が記録される毎に前記先読みメモリの全ての先読み情報に対して次の１）先読み処理を行い、前記先読みメモリに１）先読み処理での先読み結果を記録する先読み手段と、
１）前記情報設定手段が先読み情報に対応するカウンタの値に応じてどのような表示情報を設定するかを当該先読み情報および当該先読み情報に比べて時間的に後に前記先読みメモリに記録された先読み情報の数の双方に応じて判定することで先読み結果を得る先読み処理
前記始動口に遊技球が入球不能な期間として予め決められた特定期間であるか否かを判断し、特定期間であると判断した場合には前記先読みメモリに次の２）特定の先読み結果が記録されているか否かを判断する手段と、
２）特定の遊技映像を表示するための特定の表示情報に相当するものであって、特定期間内に特定の遊技映像が表示開始されることとなる特定の先読み結果
前記先読みメモリに特定の先読み結果が記録されていると判断された場合に特定の遊技映像が表示されることを当該遊技映像が表示開始される前に遊技者に報知する予告演出を行う予告演出手段を備えたことを特徴とするパチンコ遊技機。
【請求項３】
遊技球が発射される遊技盤と、
前記遊技盤に設けられ、遊技球の左打ち状態で遊技球が入球可能な始動口と、
遊技球が前記始動口に入球した場合に遊技映像が表示される表示器と、
カウンタの値を更新するカウンタ更新手段と、
遊技球が前記始動口に入球する毎にカウンタの値の更新結果を検出するカウンタ検出手段と、
カウンタの値の検出結果が記録される保留メモリと、
カウンタの値の更新結果が検出される毎に当該カウンタの値の検出結果を前記保留メモリに記録するカウンタ記録手段と、
前記保留メモリにカウンタの値が記録されている場合に前記保留メモリから最も古い１つのカウンタの値を検出するカウンタ検出手段と、
前記保留メモリから１つのカウンタの値が検出された場合に当該１つのカウンタの値の検出結果および当該１つのカウンタの値に比べて時間的に後に前記保留メモリに記録されたカウンタの値の数の双方に応じて前記表示器に遊技映像を表示するための表示情報を設定する情報設定手段と、
表示情報が設定された場合に前記表示器に遊技映像を表示情報の設定結果で表示する映像表示手段と、
表示情報が設定される毎に前記保留メモリから前記１つのカウンタの値を消去するカウンタ消去手段と、
カウンタの値の更新結果が検出される毎に当該カウンタの値の検出結果を通知するための先読み情報を送信する先読み情報送信手段と、
先読み情報が記録される先読みメモリと、
先読み情報が送信される毎に先読み情報を受信して前記先読みメモリに記録する先読み情報記録手段と、
前記保留メモリから前記１つのカウンタの値が消去される毎に前記先読みメモリから最も古い１つの先読み情報を消去する先読み情報消去手段と、
前記先読みメモリに先読み情報が記録される毎に前記先読みメモリの全ての先読み情報に対して次の１）先読み処理を行い、前記先読みメモリに１）先読み処理での先読み結果を記録する先読み手段と、
１）前記情報設定手段が先読み情報に対応するカウンタの値に応じてどのような表示情報を設定するかを当該先読み情報および当該先読み情報に比べて時間的に後に前記先読みメモリに記録された先読み情報の数の双方に応じて判定することで先読み結果を得る先読み処理
電チューサポートモードをオフ状態およびオン状態間で切換える手段と、
前記遊技盤に遊技球の右打ち状態で遊技球が入球可能に設けられ、遊技球が入球容易な状態および入球困難な状態間で制御されるものであって電チューサポートモードのオン状態ではオフ状態に比べて遊技者に有利な態様で制御される可変始動口と、
遊技球が前記可変始動口に入球した場合に前記表示器に遊技映像を表示する手段と、
電チューサポートモードがオフ状態からオン状態に切換えられた場合に前記先読みメモリに特定の表示情報に相当する特定の先読み結果が記録されているか否かを判断する手段と、
前記先読みメモリに特定の先読み結果が記録されていると判断された場合に特定の表示情報に応じた特定の遊技映像が表示されることを当該遊技映像が表示開始される前に遊技者に報知する予告演出を行う予告演出手段を備えたことを特徴とするパチンコ遊技機。
【発明の詳細な説明】
【技術分野】
【０００１】
本発明は遊技球が始動口に入球することで表示器に遊技映像を表示する構成のパチンコ遊技機に関する。
【背景技術】
【０００２】
パチンコ遊技機には遊技球が始動口に入球した場合に表示情報カウンタの値の更新結果を検出し、表示情報カウンタの値の検出結果を保留メモリに記録する構成のものがある。この構成の場合には保留メモリから最も古い１つの表示情報カウンタの値が検出され、保留メモリから最も古い１つの表示情報カウンタの値が検出された場合には表示情報が設定され、表示情報が設定された場合には保留メモリから最も古い１つの表示情報カウンタの値が消去される。この表示情報は表示情報カウンタの値の検出結果に応じて設定されるものであり、表示情報が設定された場合には表示器に遊技映像が表示情報の設定結果で表示される。
【０００３】
パチンコ遊技機には表示情報カウンタの値の更新結果が検出された場合に先読み情報を送信する構成のものがある。この先読み情報は表示情報カウンタの値の検出結果を通知するものであり、先読み情報が送信された場合には先読み処理が行われる。この先読み処理は先読み情報に対応する表示情報カウンタの値に応じてどのような表示情報が設定されるかを先読み情報に応じて判定するものであり、先読み処理で特定の表示情報に相当する特定の先読み結果が得られた場合には予告演出が行われることで特定の表示情報に応じた特定の遊技映像が表示されることが特定の遊技映像の表示前に遊技者に報知される。
【先行技術文献】
【特許文献】
【０００４】
【特許文献１】特開２０１０−３５６２８号公報
【発明の概要】
【発明が解決しようとする課題】
【０００５】
従来のパチンコ遊技機には表示情報カウンタの値に加えて表示情報カウンタの値が処理される時点での保留メモリの表示情報カウンタの値の総数に応じて表示情報を設定する構成のものがある。この構成の場合には表示情報カウンタの値が実際に処理されるまでどのような表示情報が設定されるかが決まらない。このため、先読み情報の送信結果に応じて特定の先読み結果であると判定されたにも拘らず特定の表示情報が設定されないケースが頻発するので、遊技者の目線で予告演出が発生したにも拘らず特定の遊技映像が発生しない矛盾が数多く発生する。
【課題を解決するための手段】
【０００６】
１．請求項１に記載のパチンコ遊技機について
請求項１に記載のパチンコ遊技機は次の［１］遊技盤〜［１８］予告演出手段を備えたところに特徴を有するものであり、実施例１にサポートされている。
［１］遊技盤は遊技球が発射されるものであり、図２の符号１８は遊技盤に相当する。
［２］始動口は遊技盤に設けられたものであり、遊技球が入球可能なものである。図２の第１特別図柄始動口２８および第２特別図柄始動口３０のそれぞれは始動口に相当する。
［３］表示器は遊技球が始動口に入球した場合に遊技映像が表示されるものである。図２の装飾図柄表示器４５は表示器に相当し、装飾図柄遊技の映像は遊技映像に相当する。
［４］カウンタ更新手段はカウンタの値を更新するものである。図４５のステップＳ４はカウンタ更新手段に相当し、カウンタＭＲ４はカウンタに相当する。
［５］カウンタ検出手段は遊技球が始動口に入球する毎にカウンタの値の更新結果を検出するものであり、ステップＳ４２（図４８／図１４３／図１６６）およびステップＳ６２（図９５）のそれぞれはカウンタ検出手段に相当する。
［６］保留メモリはカウンタの値の検出結果が記録されるものであり、図２１の第１特図保留データ格納部１１７は保留メモリに相当する。
［７］カウンタ記録手段はカウンタの値の更新結果が検出される毎にカウンタの値の検出結果を保留メモリに記録するものであり、図４８のステップＳ４８および図４９のステップＳ６８はカウンタ記録手段に相当する。
［８］カウンタ検出手段は保留メモリにカウンタの値が記録されている場合に保留メモリから最も古い１つのカウンタの値を検出するものであり、ステップＳ１９７（図５８）およびステップＳ１９８（図５８）のそれぞれはカウンタ検出手段に相当する。
［９］情報設定手段は保留メモリから１つのカウンタの値が検出された場合に１つのカウンタの値の検出結果および１つのカウンタの値が検出された時点での保留メモリのカウンタの値の数の双方に応じて表示器に遊技映像を表示するための表示情報を設定するものである。図５９のステップＳ２２２は情報設定手段に相当し、外れリーチおよび完全外れのそれぞれは表示情報に相当する。
［１０］映像表示手段は表示情報が設定された場合に表示器に遊技映像を表示情報の設定結果で表示するものであり、図３の表示制御回路８０は映像表示手段に相当する。
［１１］カウンタ消去手段は表示情報が設定される毎に保留メモリから１つのカウンタの値を消去するものであり、図５９のステップＳ２３６および図５９のステップＳ２３７のそれぞれはカウンタ消去手段に相当する。
［１２］先読み情報送信手段はカウンタの値の更新結果が検出される毎にカウンタの値の検出結果を通知するための先読み情報を送信するものである。図４８のステップＳ５６は先読み情報送信手段に相当し、図１０の外れリーチ先読みコマンドは先読み情報に相当する。
［１３］先読みメモリは先読み情報が記録されるものであり、図２９の外れリーチ先読みコマンド格納部１２７は先読みメモリに相当する。
［１４］先読み情報記録手段は先読み情報が送信される毎に先読み情報を受信して先読みメモリに記録するものであり、図７０のステップＳ４９９は先読み情報記録手段に相当する。
［１５］先読み情報消去手段は保留メモリから１つのカウンタの値が消去される毎に先読みメモリから最も古い１つの先読み情報を消去するものであり、図８３のステップＳ７０１は先読み情報消去手段に相当する。
［１６］先読み手段は先読みメモリに先読み情報が記録される毎に先読みメモリの全ての先読み情報に対して「１）情報設定手段が先読み情報に対応するカウンタの値に応じてどのような表示情報を設定するかを当該先読み情報および当該先読み情報に比べて時間的に後に先読みメモリに記録された先読み情報の数の双方に応じて判定することで先読み結果を得る先読み処理」を行い、先読みメモリに１）先読み処理での先読み結果を記録するものであり、図６５のステップＳ４１５は先読み手段に相当する。
［１７］先読みメモリに特定の表示情報に相当する特定の先読み結果が記録されている場合に先読みメモリに先読み情報が追加されても特定の先読み結果が記録されることとなるか否かを判定する手段。図６９のステップＳ４９０は当該手段に相当し、リーチの先読み結果は特定の先読み結果に相当し、外れリーチの判定結果は特定の表示情報に相当する。
［１８］予告演出手段は先読みメモリに先読み情報が追加されても特定の先読み結果が記録されることとなると判定された場合に特定の表示情報に応じた特定の遊技映像が表示されることを当該遊技映像が表示開始される前に遊技者に報知する予告演出を行うものである。図３の表示制御回路８０は予告演出手段に相当し、装飾図柄がリーチの組合せとなる装飾図柄遊技の映像は特定の遊技映像に相当し、予告絵柄１の表示と予告絵柄２の表示のそれぞれは予告演出に相当する。
２．請求項２に記載のパチンコ遊技機について
請求項２に記載のパチンコ遊技機は［１７］および［１８］の両手段に換えて次の［２１］および［２２］の両手段を有する点で請求項１に記載のパチンコ遊技機に対して相違するものであり、実施例２と実施例３と実施例４のそれぞれにサポートされている。
［２１］始動口に遊技球が入球不能な期間として予め決められた特定期間であるか否かを判断し、特定期間であると判断した場合には先読みメモリに「特定の遊技映像を表示するための特定の表示情報に相当するものであって特定期間内に特定の遊技映像が表示開始されることとなる特定の先読み結果」が記録されているか否かを判断する手段。実施例２の当り遊技のインターバル期間（［０２８６］参照）は特定期間に相当し、図１３１のリーチ確定処理は当該手段に相当する。実施例３の入賞待ち期間（［０４１２］参照）も特定期間に相当し、図１５８のリーチ確定処理も当該手段に相当する。実施例４の始動口到達期間（［０４５６］参照）も特定期間に相当し、図１６３のリーチ確定処理も当該手段に相当する。
［２２］先読みメモリに特定の先読み結果が記録されていると判断された場合に特定の遊技映像が表示されることを当該遊技映像が表示開始される前に遊技者に報知する予告演出を行う予告演出手段。
３．請求項３に記載のパチンコ遊技機について
請求項３に記載のパチンコ遊技機は［２］始動口に換えて次の［３１］始動口を有すると共に［１７］および［１８］の両手段に換えて次の［３２］〜［３６］の手段を有する点で請求項１に記載のパチンコ遊技機に対して相違するものであり、実施例５にサポートされている。
［３１］遊技盤に設けられ、遊技球の左打ち状態で遊技球が入球可能な始動口。図２の第１特別図柄始動口２８は始動口に相当する。
［３２］電チューサポートモードをオフ状態およびオン状態間で切換える手段。図６２のステップＳ３０２および図６３のステップＳ３２５は当該手段に相当する。
［３３］遊技盤に遊技球の右打ち状態で遊技球が入球可能に設けられ、遊技球が入球容易な状態および入球困難な状態間で制御されるものであって電チューサポートモードのオン状態ではオフ状態に比べて遊技者に有利な態様で制御される可変始動口。図２の第２特別図柄始動口３０は可変始動口に相当する。
［３４］遊技球が可変始動口に入球した場合に表示器に遊技映像を表示する手段。図３の表示制御回路８０は当該手段に相当する。
［３５］電チューサポートモードがオフ状態からオン状態に切換えられた場合に先読みメモリに特定の表示情報に相当する特定の先読み結果が記録されているか否かを判断する手段。図１７７のステップＳ１５５１とＳ１５５３とＳ１５５５とＳ１５５７とＳ１５５９は当該手段に相当する。
［３６］先読みメモリに特定の先読み結果が記録されていると判断された場合に特定の表示情報に応じた特定の遊技映像が表示されることを当該遊技映像が表示開始される前に遊技者に報知する予告演出を行う予告演出手段。
【発明の効果】
【０００７】
遊技球が始動口に入球したことでカウンタの値の更新結果が検出された場合には先読み情報が送信され、先読みメモリに先読み情報が記録される。この先読み情報はカウンタの値の検出結果を通知するものであり、保留メモリから最も古い１つのカウンタの値が消去された場合には先読みメモリから最も古い１つの先読み情報が消去される。この先読みメモリに先読み情報が記録された場合には先読みメモリの全ての先読み情報に対して表示情報の先読み処理が行われ、先読み処理での先読み結果が先読みメモリに記録される。この先読み処理は先読み情報に対応するカウンタの値に応じてどのような表示情報が設定されるかを表示情報が設定されるより前に判定することで先読み結果を得るものであり、先読み結果は先読み情報および当該先読み情報に比べて時間的に後に先読みメモリに記録された先読み情報の数の双方に応じて判定される。この先読みメモリに特定の先読み結果が記録されている場合には特定の先読み結果が確定したものであるか否かが判定され、特定の先読み結果が確定したものであると判定された場合には予告演出が行われることで特定の遊技映像が表示されることが遊技者に予告される。即ち、保留メモリにカウンタの値が追加されることで保留メモリのカウンタの値の数が変動する毎に変動後のカウンタの値の数に応じて先読み処理が繰返され、先読みメモリに先読み結果が記録される。この先読みメモリに特定の先読み結果が記録されている場合には特定の先読み結果が確定したものであるか否かが判定され、特定の先読み結果が確定したものであると判定された場合に予告演出が行われる。このため、表示情報の先読み結果が実際の設定結果に高い確率で整合するようになるので、遊技者の目線で予告演出が発生したにも拘らず特定の遊技映像が発生しない矛盾が発生する頻度が低く抑えられる。
【図面の簡単な説明】
【０００８】
【図１】実施例１を示す図（パチンコ遊技機の外観を斜め前方から示す図）
【図２】遊技盤の外観を前方から示す図
【図３】電気的な構成を示す図
【図４】特別図柄遊技の停止図柄の一覧を示す図
【図５】装飾図柄の組合せを示す図
【図６】図柄要素の配列を示す図
【図７】ステップアップ予告を説明するための図
【図８】装飾図柄遊技の背景映像を説明するための図
【図９】メイン制御回路から演出制御回路に送信される制御コマンドの一覧を示す図
【図１０】（ａ）はメイン制御回路の変数の一覧を示す図、（ｂ）は大当り先読みコマンドの一覧を示す図、（ｃ）は外れリーチ先読みコマンドの一覧を示す図
【図１１】（ａ）は普通図保留コマンドテーブルを示す図、（ｂ）は第１特図保留コマンドテーブルを示す図、（ｃ）は第２特図保留コマンドテーブルを示す図
【図１２】大当り判定テーブルを示す図
【図１３】当り判定テーブルを示す図
【図１４】特別図柄選択テーブルを示す図
【図１５】図柄情報コマンドテーブルを示す図
【図１６】外れリーチ判定テーブルを示す図（第１特別図柄始動口）
【図１７】外れリーチ判定テーブルを示す図（第２特別図柄始動口）
【図１８】特図変動開始コマンドテーブルを示す図
【図１９】特図変動表示時間テーブルを示す図
【図２０】普通図変動表示時間テーブルを示す図
【図２１】メイン制御回路のワークエリアを示す図
【図２２】プロセスデータテーブルを示す図
【図２３】プロセスデータを示す図
【図２４】ビデオコマンドテーブルを示す図
【図２５】ビデオデータの一覧を示す図
【図２６】演出制御回路の変数の一覧を示す図
【図２７】図柄テーブルを示す図
【図２８】大当り先読みテーブルを示す図
【図２９】演出制御回路のワークエリアを示す図
【図３０】予告判定テーブルを示す図
【図３１】外れリーチ先読みテーブルを示す図
【図３２】外れリーチ先読みテーブル０の適用例を説明するための図
【図３３】外れリーチ先読みテーブル０の適用例を説明するための図
【図３４】外れリーチ先読みテーブル１の適用例を説明するための図
【図３５】外れリーチ先読みテーブル１の適用例を説明するための図
【図３６】外れリーチ先読みテーブル２の適用例を説明するための図
【図３７】外れリーチ先読みテーブル３の適用例を説明するための図
【図３８】外れリーチ先読みテーブル４の適用例を説明するための図
【図３９】リーチ確定データ格納部の記録内容を説明するための図
【図４０】リーチ確定データ格納部の記録内容を説明するための図
【図４１】リーチ確定データ格納部の記録内容を説明するための図
【図４２】リーチ確定データ格納部の記録内容を説明するための図
【図４３】リーチ確定データ格納部の記録内容を説明するための図
【図４４】リーチ確定データ格納部の記録内容を説明するための図
【図４５】メイン制御回路のメイン処理を示すフローチャート
【図４６】メイン制御回路のタイマ割込み処理を示すフローチャート
【図４７】メイン制御回路の普通図データ取得処理を示すフローチャート
【図４８】メイン制御回路の第１特図データ取得処理を示すフローチャート
【図４９】メイン制御回路の第２特図データ取得処理を示すフローチャート
【図５０】メイン制御回路の普通図柄プロセス処理を示すフローチャート
【図５１】メイン制御回路のインターバル処理を示すフローチャート
【図５２】メイン制御回路の当り判定処理を示すフローチャート
【図５３】メイン制御回路の普通図保留データ処理を示すフローチャート
【図５４】メイン制御回路の普通図柄遊技処理を示すフローチャート
【図５５】メイン制御回路の当り遊技処理を示すフローチャート
【図５６】メイン制御回路の特別図柄プロセス処理を示すフローチャート
【図５７】メイン制御回路のインターバル処理を示すフローチャート
【図５８】メイン制御回路の大当り判定処理を示すフローチャート
【図５９】メイン制御回路の大当り判定処理を示すフローチャート
【図６０】メイン制御回路の第１特図保留データ処理を示すフローチャート
【図６１】メイン制御回路の第２特図保留データ処理を示すフローチャート
【図６２】メイン制御回路の特別図柄遊技処理を示すフローチャート
【図６３】メイン制御回路の大当り遊技処理を示すフローチャート
【図６４】演出制御回路のメイン処理を示すフローチャート
【図６５】演出制御回路のタイマ割込み処理を示すフローチャート
【図６６】演出制御回路の遊技モード処理を示すフローチャート
【図６７】演出制御回路の普通図保留処理を示すフローチャート
【図６８】演出制御回路の特図保留処理を示すフローチャート
【図６９】演出制御回路の先読み処理を示すフローチャート
【図７０】演出制御回路の外れリーチ先読み処理を示すフローチャート
【図７１】演出制御回路の先読み結果確認処理１を示すフローチャート
【図７２】演出制御回路の先読み結果確認処理２を示すフローチャート
【図７３】演出制御回路の先読み結果確認処理３を示すフローチャート
【図７４】演出制御回路の先読み結果確認処理４を示すフローチャート
【図７５】演出制御回路のリーチ確定処理を示すフローチャート
【図７６】演出制御回路の保留０処理を示すフローチャート
【図７７】演出制御回路の保留１処理を示すフローチャート
【図７８】演出制御回路の保留２処理を示すフローチャート
【図７９】演出制御回路の保留３処理を示すフローチャート
【図８０】演出制御回路の保留４処理を示すフローチャート
【図８１】演出制御回路の装飾図柄遊技処理を示すフローチャート
【図８２】演出制御回路のステップアップ予告処理を示すフローチャート
【図８３】演出制御回路の先読みデータ処理を示すフローチャート
【図８４】演出制御回路の特図変動開始コマンド処理を示すフローチャート
【図８５】演出制御回路の装飾図柄設定処理を示すフローチャート
【図８６】演出制御回路の大当り図柄設定処理１を示すフローチャート
【図８７】演出制御回路の大当り図柄設定処理２を示すフローチャート
【図８８】演出制御回路の完全外れ図柄設定処理を示すフローチャート
【図８９】演出制御回路の外れリーチ図柄設定処理を示すフローチャート
【図９０】装飾図柄遊技の映像を示す図
【図９１】演出制御回路の予告演出処理を示すフローチャート
【図９２】演出制御回路の大当り遊技演出処理を示すフローチャート
【図９３】実施例２を示す図９相当図
【図９４】特図変動表示時間先読みコマンドの一覧を示す図
【図９５】図４９相当図
【図９６】図５４相当図
【図９７】図５５相当図
【図９８】図５９相当図
【図９９】図２９相当図
【図１００】図３２相当図
【図１０１】図３３相当図
【図１０２】図３４相当図
【図１０３】図３５相当図
【図１０４】図３６相当図
【図１０５】図３７相当図
【図１０６】図３８相当図
【図１０７】図３９相当図
【図１０８】図４０相当図
【図１０９】図４１相当図
【図１１０】図４２相当図
【図１１１】図４３相当図
【図１１２】図４４相当図
【図１１３】演出制御回路の特図変動表示時間先読みコマンドテーブルを示す図
【図１１４】図６５相当図
【図１１５】図６７相当図
【図１１６】図６６相当図
【図１１７】図６８相当図
【図１１８】図６９相当図
【図１１９】図７０相当図
【図１２０】演出制御回路の特図変動表示時間先読み処理を示すフローチャート
【図１２１】図７１相当図
【図１２２】演出制御回路の特図変動表示時間確認処理０を示すフローチャート
【図１２３】図７２相当図
【図１２４】演出制御回路の特図変動表示時間確認処理１を示すフローチャート
【図１２５】図７３相当図
【図１２６】演出制御回路の特図変動表示時間確認処理２を示すフローチャート
【図１２７】図７４相当図
【図１２８】図７４相当図
【図１２９】演出制御回路の特図変動表示時間確認処理３を示すフローチャート
【図１３０】図８１相当図
【図１３１】図７５相当図
【図１３２】図７７相当図
【図１３３】保留１処理の原理を説明するための図
【図１３４】図７８相当図
【図１３５】保留２処理の原理を説明するための図
【図１３６】図７９相当図
【図１３７】保留３処理の原理を説明するための図
【図１３８】図８０相当図
【図１３９】保留４処理の原理を説明するための図
【図１４０】図８２相当図
【図１４１】図８３相当図
【図１４２】実施例３を示す図９相当図
【図１４３】図４８相当図
【図１４４】図２９相当図
【図１４５】図６９相当図
【図１４６】図１２０相当図
【図１４７】図１２１相当図
【図１４８】図１２２相当図
【図１４９】図１２３相当図
【図１５０】図１２４相当図
【図１５１】図１２５相当図
【図１５２】図１２６相当図
【図１５３】図１２７相当図
【図１５４】図１２８相当図
【図１５５】図１２９相当図
【図１５６】図８１相当図
【図１５７】図８３相当図
【図１５８】メイン制御回路のリーチ確定処理を示すフローチャート
【図１５９】リーチ確定データの記録タイミングを説明するための図
【図１６０】メイン制御回路の予告演出処理を示すフローチャート
【図１６１】実施例４を示す図（演出制御回路の発射状態検出処理を示すフローチャート）
【図１６２】演出制御回路のタイマ減算処理を示すフローチャート
【図１６３】図１５８相当図
【図１６４】図１５９相当図
【図１６５】実施例５を示す図（演出制御回路の使用順序格納部を示す図）
【図１６６】図４８相当図
【図１６７】使用順序テーブルを示す図
【図１６８】図４９相当図
【図１６９】使用順序テーブルを示す図
【図１７０】図５７相当図
【図１７１】図５９相当図
【図１７２】電チューサポートモードのオフ状態でのメイン制御回路のワークエリアを示す図
【図１７３】電チューサポートモードのオン状態でのメイン制御回路のワークエリアを示す図
【図１７４】電チューサポートモードがオフ状態からオン状態に設定された直後のメイン制御回路のワークエリアを示す図
【図１７５】図６６相当図
【図１７６】リーチ確定処理の実行タイミングを説明するための図
【図１７７】演出制御回路のリーチ確定処理を示すフローチャート
【図１７８】図６９相当図
【図１７９】図８１相当図
【発明を実施するための形態】
【０００９】
【実施例１】
【００１０】
パチンコホールの台島には、図１に示すように、外枠１が設置されている。この外枠１は前面および後面のそれぞれが開口する四角筒状をなすものであり、外枠１には外枠１の前方に位置して内枠２が装着されている。この内枠２には横長な長方形状の上皿板３が装着されており、上皿板３には上皿４が固定されている。この上皿４は賞品として払出された遊技球を受けるものであり、上面が開口する容器状をなしている。内枠２には上皿板３の下方に位置して横長な長方形状の下皿板５が装着されており、下皿板５には下皿６が固定されている。この下皿６は上皿４内から溢れた遊技球を受けるものであり、上面が開口する容器状をなしている。
【００１１】
内枠２には、図１に示すように、上皿４の後方に位置して発射ソレノイド７が固定されている。この発射ソレノイド７はリターンスプリングを内蔵するロータリーソレノイドからなるものであり、前後方向へ指向する出力軸８を有している。この発射ソレノイド７の出力軸８には打球槌９が固定されており、打球槌９は原点位置および原点位置に比べて反時計回り方向の限度位置相互間で出力軸８と共に回転可能にされている。この発射ソレノイド７はパチンコホールの電源設備から電源回路を通して駆動電源が与えられるものであり、打球槌９は発射ソレノイド７に駆動電源が与えられることで往復動を繰返す。この往動とは原点位置から限度位置に駆動電源の大きさに応じた勢いで回転する動作を称し、復動とは限度位置から原点位置にリターンスプリングのばね力で復帰する動作を称する。
【００１２】
下皿板５の右端部には、図１に示すように、ハンドル台１０が固定されており、ハンドル台１０には発射ハンドル１１が装着されている。この発射ハンドル１１は遊技者が前方から右の手指で操作するものであり、前後方向へ指向する軸を中心に発射停止位置および発射停止位置に比べて時計回り方向の発射限度位置相互間で回転可能にされている。ハンドル台１０の内部には回転量センサが収納されている。この回転量センサは発射ハンドル１１の発射停止位置を基準とする時計回り方向への操作量に応じた大きさの電気信号を出力するものであり、発射ソレノイド７の電源回路は駆動電源の大きさを回転量センサからの電気信号の大きさに応じて調整する。この電源回路は駆動電源を発射ハンドル１１の時計回り方向への操作量が大きくなることに応じて大きく調整するものであり、打球槌９が原点位置から限度位置に向けて回転する勢いは発射ハンドル１１の時計回り方向への操作量が大きくなることに応じて強くなる。
【００１３】
打球槌９は原点位置から限度位置に回転する途中で上皿４内から１個の遊技球が供給されるものである。この打球槌９は上皿４内から遊技球が供給された場合に遊技球を叩くことで右から左に向けて転動させるものであり、打球槌９が遊技球を叩く打力は発射ハンドル１１の時計回り方向への操作量が大きくなることに応じて強くなる。即ち、遊技球は発射ハンドル１１の時計回り方向への操作量に応じて右から左に向けて転動する勢いが調整されるものであり、発射ソレノイド７と打球槌９と発射ハンドル１１と回転量センサ１２は遊技球を可変的な勢いで発射する発射装置に相当する。
【００１４】
内枠２には、図１に示すように、上皿板３の上方に位置して前枠１２が装着されている。この前枠１２は内枠２の前方に配置されたものであり、前枠１２には透明なガラス窓１３が固定されている。この前枠１２の左上隅部および右上隅部のそれぞれにはスピーカカバー１４が固定されている。これら両スピーカカバー１４のそれぞれは網状をなすものであり、両スピーカカバー１４のそれぞれの後方にはスピーカ１５が配置されている。これら両スピーカ１５のそれぞれは前枠１２に固定されたものであり、両スピーカ１５のそれぞれが再生する効果音は前方のスピーカカバー１４を通して放出される。前枠１２には両スピーカカバー１４のそれぞれの下方に位置して２個のランプカバー１６が固定されている。これら合計４個のランプカバー１６のそれぞれは有色透明なものであり、４個のランプカバー１６のそれぞれの後方には複数の電飾ＬＥＤ１７（図３参照）が配置されている。これら複数の電飾ＬＥＤ１７のそれぞれは前枠１２に固定されたものであり、４個のランプカバー１６のそれぞれは後方の電飾ＬＥＤ１７が点灯することで照明される。
【００１５】
内枠２には、図２に示すように、垂直な板状の遊技盤１８が装着されている。この遊技盤１８は前枠１２の後方に配置されたものであり、前枠１２のガラス窓１３は遊技盤１８を前方から視覚的に認識可能に覆っている。この遊技盤１８には外レール１９と内レール２０と球止めゴム２１が固定されている。これら外レール１９〜球止めゴム２１のそれぞれは遊技盤１８の前方に配置されたものであり、外レール１９および内レール２０のそれぞれは円弧状の金属板から構成され、球止めゴム２１は外レール１９および内レール２０相互間の隙間を塞ぐゴムから構成されている。
【００１６】
遊技盤１８には、図２に示すように、発射通路２２および遊技領域２３が形成されている。発射通路２２は外レール１９および内レール２０相互間に位置する円弧状の隙間を称するものであり、打球槌９が原点位置から限度位置に回転する途中で叩いた遊技球は発射通路２２内に発射通路２２の下端部の入口から進入し、発射通路２２内に進入した遊技球は発射通路２２に沿って下から上に向けて転動する。遊技領域２３は外レール１９と内レール２０と球止めゴム２１で囲まれた領域のうち発射通路２２を除く残りの円形状の領域を称するものであり、発射通路２２内を下から上に向けて転動する遊技球は発射通路２２の上端部の出口から遊技領域２３内に放出される。この遊技領域２３内には複数の障害釘２４が固定されており、発射通路２２の出口から遊技領域２３内に放出された遊技球は障害釘２４に当りながら遊技領域２３内を落下する。
【００１７】
遊技盤１８には、図２に示すように、表示台枠２５が固定されている。この表示台枠２５は遊技盤１８の前面から前方へ突出するものであり、遊技領域２３内に左打ち領域と右打ち領域と左右打ち領域のそれぞれを形成している。左打ち領域は表示台枠２５に比べて左方の領域であり、右打ち領域は表示台枠２５に比べて右方の領域であり、発射通路２２の出口から左打ち領域内に放出された遊技球は左打ち領域内を落下し、発射通路２２の出口から右打ち領域内に放出された遊技球は右打ち領域内を落下する。左右打ち領域は表示台枠２５に比べて下方の領域であり、左打ち領域内を落下する遊技球および右打ち領域内を落下する遊技球のそれぞれは障害釘２４に衝突することで向きを変え、左右打ち領域内を落下する。
【００１８】
遊技盤１８には、図２に示すように、普通図柄始動口２６が固定されている。この普通図柄始動口２６は遊技盤１８の前面から前方へ突出するものであり、遊技盤１８の右打ち領域内に配置されている。この普通図柄始動口２６は上面および下面のそれぞれが開口するコ字枠状をなすものであり、遊技球が上から下に向けて通過可能にされている。この普通図柄始動口２６内には普通図柄始動口センサ２７（図３参照）が固定されている。この普通図柄始動口センサ２７は検出領域内に金属物が進入することで発振状態が変化する近接スイッチからなるものであり、遊技球が普通図柄始動口２６内を通過した場合には普通図柄始動口センサ２７の発振状態が変化することで普通図柄始動口センサ２７から普通図柄始動信号が出力される。この普通図柄始動口２６は遊技球が左打ち領域内に発射されるように発射ハンドル１１の時計回り方向への操作量が調整されている状態で通過不能になり、遊技球が右打ち領域内に発射されるように発射ハンドル１１の時計回り方向への操作量が調整されている状態で通過可能になるものであり、遊技球が左打ち領域内に発射されている状態を左打ち状態と称し、遊技球が右打ち領域内に発射されている状態を右打ち状態と称する。
【００１９】
遊技盤１８には、図２に示すように、第１特別図柄始動口２８が固定されている。この第１特別図柄始動口２８は遊技盤１８の前面から前方へ突出するものであり、上面が開口するポケット状をなしている。この第１特別図柄始動口２８は遊技盤１８の左打ち領域内に配置されたものであり、遊技球は遊技球が左打ち状態で発射されている場合に第１特別図柄始動口２８内に上面から入賞可能となる。この第１特別図柄始動口２８内には近接スイッチからなる第１特別図柄始動口センサ２９（図３参照）が固定されており、遊技球が第１特別図柄始動口２８内に入賞した場合には第１特別図柄始動口センサ２９から第１特別図柄始動信号が出力される。
【００２０】
遊技盤１８には、図２に示すように、右打ち領域内に位置して第２特別図柄始動口３０が固定されている。この第２特別図柄始動口３０は上面が開口するポケット状をなすものであり、普通図柄始動口２６の下方に配置されている。この第２特別図柄始動口３０には２枚の羽根板３１が装着されている。これら両羽根板３１のそれぞれは垂直な閉鎖状態（実線参照）および水平な開放状態（二点鎖線参照）相互間で前後方向へ指向する軸３２を中心に回動可能にされたものであり、両羽根板３１のそれぞれの開放状態では遊技球が両羽根板３１のそれぞれに乗って第２特別図柄始動口３０内に入賞可能となる。この第２特別図柄始動口３０内には近接スイッチからなる第２特別図柄始動口センサ３３（図３参照）が固定されており、遊技球が第２特別図柄始動口３０内に入賞した場合には第２特別図柄始動口センサ３３から第２特別図柄始動信号が出力される。
【００２１】
遊技盤１８には、図２に示すように、第２特別図柄始動口３０の上方に位置して３本の障害釘２４が固定されている。これら３本の障害釘２４は両羽根板３１のそれぞれの閉鎖状態で両羽根板３１相互間の隙間を上方から塞ぐものであり、両羽根板３１のそれぞれの閉鎖状態で遊技球が第２特別図柄始動口３０内に入賞することを禁止する。即ち、第２特別図柄始動口３０は遊技球の右打ち状態で両羽根板３１のそれぞれが開放状態になることで遊技球が入賞可能となるものであり、遊技球の右打ち状態であっても両羽根板３１のそれぞれの閉鎖状態では遊技球が入賞不能となり、遊技球の左打ち状態では両羽根板３１のそれぞれの閉鎖状態および開放状態で遊技球が入賞不能となる。これら両羽根板３１のそれぞれは共通の特別図柄始動口ソレノイド３４（図３参照）の出力軸に連結されている。この特別図柄始動口ソレノイド３４は電気的なオフ状態で両羽根板３１のそれぞれを閉鎖状態に静止させるものであり、両羽根板３１のそれぞれは特別図柄始動口ソレノイド３４の電気的なオン状態で開放状態になる。
【００２２】
遊技盤１８には、図２に示すように、特別入賞口３５が固定されている。この特別入賞口３５は前面が開口する箱状をなすものであり、特別入賞口３５内には特別入賞口センサ３６（図３参照）が固定されている。この特別入賞口センサ３６は近接スイッチからなるものであり、遊技球が特別入賞口３５内に入賞した場合には特別入賞口センサ３６から特別入賞信号が出力される。この特別入賞口３５には扉３７が左右方向へ指向する軸３８を中心に回動可能に装着されている。この扉３７は特別入賞口ソレノイド３９（図３参照）の出力軸に連結されており、特別入賞口ソレノイド３９の電気的なオフ状態で垂直な閉鎖状態になることで特別入賞口３５の前面を遊技球が入賞不能に閉鎖する。この扉３７は特別入賞口ソレノイド３９の電気的なオン状態で閉鎖状態から前方へ倒れた水平な開放状態になるものであり、扉３７の開放状態では遊技球が扉３７に乗って特別入賞口３５内に入賞可能となる。この特別入賞口３５は遊技盤１８の左右打ち領域内に配置されたものであり、特別入賞口３５の開放状態では遊技球が左打ち状態で発射されている場合および右打ち状態で発射されている場合のそれぞれで特別入賞口３５内に入賞可能となる。
【００２３】
遊技盤１８の後方には、図２に示すように、賞球払出し装置４０が固定されている。この賞球払出し装置４０はパルスモータからなる払出モータ４１（図３参照）を有するものであり、上皿４内には払出モータ４１の回転軸が単位量ΔＰだけ回転する毎に賞球払出し装置４０から１個の遊技球が賞品として払出される。この払出しモータ４１の回転量は遊技球が第１特別図柄始動口２８内に入賞した場合および第２特別図柄始動口３０内に入賞した場合のそれぞれが（３×ΔＰ）に設定され、遊技球が特別入賞口３５内に入賞した場合が（１５×ΔＰ）に設定されるものであり、遊技球が第１特別図柄始動口２８内に入賞した場合および第２特別図柄始動口３０内に入賞した場合のそれぞれには上皿４内に３個の遊技球が賞品として払出され、遊技球が特別入賞口３５内に入賞した場合には上皿４内に１５個の遊技球が賞品として払出される。
【００２４】
表示台枠２５には、図２に示すように、普通図柄表示器４２が固定されている。この普通図柄表示器４２はＬＥＤ表示器から構成されたものであり、遊技球が普通図柄始動口２６内を通過した場合には当りであるか否かが判定され、当りであるか否かが判定された場合には普通図柄表示器４２に普通図柄遊技の映像が表示される。この普通図柄遊技の映像は普通図柄（○）および普通図柄（×）を交互に表示するものであり、当りであると判定された場合には普通図柄遊技の映像が普通図柄（○）で停止し、当りでない外れであると判定された場合には普通図柄遊技の映像が普通図柄（×）で停止する。この普通図柄（○）を当り図柄と称し、普通図柄（×）を外れ図柄と称する。この普通図柄遊技の映像で当り図柄（○）が停止表示された場合には当り遊技が開始される。この当り遊技は第２特別図柄始動口３０を開放状態とするものであり、第２特別図柄始動口３０は第２特別図柄始動口３０の開放時間が限度時間に到達することで開放状態から閉鎖状態に戻される。
【００２５】
表示台枠２５には、図２に示すように、第１特別図柄表示器４３および第２特別図柄表示器４４が固定されている。これら第１特別図柄表示器４３および第２特別図柄表示器４４のそれぞれはＬＥＤ表示器からなるものであり、遊技球が第１特別図柄始動口２８内に入賞した場合および第２特別図柄始動口３０内に入賞した場合のそれぞれには大当りであるか否かが判定され、遊技球が第１特別図柄始動口２８内に入賞することで大当りであるか否かが判定された場合には第１特別図柄表示器４３に特別図柄遊技の映像が表示され、遊技球が第２特別図柄始動口３０内に入賞することで大当りであるか否かが判定された場合には第２特別図柄表示器４４に特別図柄遊技の映像が表示される。これら両特別図柄遊技の映像のそれぞれは特別図柄（１）（２）（３）の３種類を予め決められた順序（１）→（２）→（３）・・・で循環的に変化させるものであり、特別図柄（１）を外れ図柄と称し、特別図柄（２）を通常大当り図柄と称し、特別図柄（３）を確変大当り図柄と称する。
【００２６】
第１特別図柄表示器４３に特別図柄遊技の映像で通常大当り図柄が停止表示された場合と第２特別図柄表示器４４に特別図柄遊技の映像で通常大当り図柄が停止表示された場合と第１特別図柄表示器４３に特別図柄遊技の映像で確変大当り図柄が停止表示された場合と第２特別図柄表示器４４に特別図柄遊技の映像で確変大当り図柄が停止表示された場合のそれぞれには大当り遊技が行われる。この大当り遊技は複数回の大当りラウンドを含むものである。これら複数回の大当りラウンドのそれぞれは特別入賞口３５を開放状態にすることで遊技球が特別入賞口３５内に入賞することを許容するものであり、特別入賞口３５は特別入賞口３５内に限度個数の遊技球が入賞または特別入賞口３４の開放時間が限度時間に到達することで開放状態から閉鎖状態に戻される。
【００２７】
第１特別図柄表示器４３に特別図柄遊技の映像で確変大当り図柄が停止表示された場合および第２特別図柄表示器４４に特別図柄遊技の映像で確変大当り図柄が停止表示された場合のそれぞれには、図４に示すように、確率変動モードがオン状態に設定され、第１特別図柄表示器４３に特別図柄遊技の映像で通常大当り図柄が停止表示された場合および第２特別図柄表示器４４に特別図柄遊技の映像で通常大当り図柄が停止表示された場合のそれぞれには確率変動モードがオフ状態に設定される。この確率変動モードは遊技球が第１特別図柄始動口２８内に入賞した場合および第２特別図柄始動口３０内に入賞した場合のそれぞれに大当りであると一定の高確率で判定するモードであり、確率変動モードのオフ状態では遊技球が第１特別図柄始動口２８内に入賞した場合および第２特別図柄始動口３０内に入賞した場合のそれぞれに大当りであると高確率に比べて低い一定の通常確率で判定される。
【００２８】
第１特別図柄表示器４３に特別図柄遊技の映像で確変大当り図柄が停止表示された場合および第２特別図柄表示器４４に特別図柄遊技の映像で確変大当り図柄が停止表示された場合のそれぞれには、図４に示すように、電チューサポートモードがオン状態に設定され、第１特別図柄表示器４３に特別図柄遊技の映像で通常大当り図柄が停止表示された場合および第２特別図柄表示器４４に特別図柄遊技の映像で通常大当り図柄が停止表示された場合のそれぞれには電チューサポートモードがオフ状態に設定される。この電チューサポートモードは遊技球が普通図柄始動口２６内を通過した場合に当りであると一定の高確率で判定するモードであり、電チューサポートモードのオフ状態では遊技球が普通図柄始動口２６内を通過した場合に当りであると高確率に比べて低い一定の通常確率で判定される。この電チューサポートモードは普通図柄遊技の所要時間を短時間に設定するモードでもあり、電チューサポートモードのオフ状態では普通図柄遊技の所要時間が電チューサポートモードのオン状態に比べて長い長時間に設定される。
【００２９】
表示台枠２５には、図２に示すように、装飾図柄表示器４５が固定されている。この装飾図柄表示器４５はカラー液晶表示器からなるものであり、装飾図柄表示器４５には大当り遊技演出の映像が表示される。この大当り遊技演出の映像は大当り遊技を視覚的に演出するものであり、大当り遊技の開始に時間的に同期して始まり、大当り遊技の終了に時間的に同期して終わる。
【００３０】
装飾図柄表示器４５の表示領域内には、図２に示すように、普通図保留領域４６が設定されており、遊技球が普通図柄始動口２６内を通過した場合には普通図柄遊技の保留回数に一定値が加算され、普通図保留領域４６内に普通図柄遊技の保留回数の加算結果に応じた個数の普通図保留絵柄４７が表示されることで遊技者に普通図柄遊技の保留回数が報知される。装飾図柄表示器４５の表示領域内には特図保留領域４８が設定されており、遊技球が第１特別図柄始動口２８内に入賞した場合および第２特別図柄始動口３０内に入賞した場合のそれぞれには特別図柄遊技の保留回数に一定値が加算され、特図保留領域４８内に特別図柄遊技の保留回数の加算結果に応じた個数の特図保留絵柄４９が表示されることで遊技者に特別図柄遊技の保留回数が報知される。
【００３１】
装飾図柄表示器４５には装飾図柄遊技の映像が表示される。この装飾図柄遊技の映像の表示中には両スピーカ１５のそれぞれから装飾図柄遊技の映像に応じて効果音が出力され、複数の電飾ＬＥＤ１７のそれぞれが装飾図柄遊技の映像に応じて点滅し、装飾図柄遊技の映像が音および光の双方によって演出される。この装飾図柄遊技の映像は、図５に示すように、左変動領域Ｌ内と中変動領域Ｃ内と右変動領域Ｒ内のそれぞれに図柄要素を変動状態および変動停止状態で順に表示するものであり、装飾図柄遊技の背景映像の前方に重ねて表示される。
【００３２】
図６の（ａ）は装飾図柄遊技の映像で左変動領域Ｌ内に表示される左列の図柄要素であり、図６の（ｂ）は中変動領域Ｃ内に表示される中列の図柄要素であり、図６の（ｃ）は右変動領域Ｒ内に表示される右列の図柄要素である。これら左列の図柄要素〜右列の図柄要素のそれぞれには（１）（２）（３）（４）（５）（６）（７）（８）の８種類が共通に設定されており、左列の図柄要素〜右列の図柄要素のそれぞれの変動表示は図柄要素を予め決められた順序（１）→（２）→（３）→（４）→（５）→（６）→（７）→（８）→（１）・・・で循環的に変化させることで行われる。これら左列の図柄要素〜右列の図柄要素のそれぞれは第１特別図柄表示器４３に特別図柄遊技の映像が表示される場合および第２特別図柄表示器４４に特別図柄遊技の映像が表示される場合のいずれであっても特別図柄が変動開始することに時間的に同期して変動開始するものであり、左列の図柄要素は１番目に（１）〜（８）のいずれかで変動停止し、右列の図柄要素は２番目に（１）〜（８）のいずれかで変動停止し、中列の図柄要素は３番目に（１）〜（８）のいずれかで変動停止する。
【００３３】
左列の図柄要素と中列の図柄要素と右列の図柄要素は装飾図柄を構成するものであり、装飾図柄の組合せには大当りの組合せと外れリーチの組合せと完全外れの組合せの３種類が設定されている。大当りの組合せは、図５の（ａ）に示すように、左列の図柄要素と中列の図柄要素と右列の図柄要素が相互に同一な組合せであり、大当りの組合せには（１１１）（２２２）（３３３）（４４４）（５５５）（６６６）（７７７）（８８８）の８種類が設定されている。この装飾図柄は第１特別図柄表示器４３に特別図柄遊技の映像で通常大当り図柄が停止表示される場合および第２特別図柄表示器４４に特別図柄遊技の映像で通常大当り図柄が停止表示される場合のそれぞれに（２２２）（４４４）（６６６）（８８８）の４種類のいずれかの偶数の組合せとなるものであり、第１特別図柄表示器４３に特別図柄遊技の映像で確変大当り図柄が停止表示される場合および第２特別図柄表示器４４に特別図柄遊技の映像で確変大当り図柄が停止表示される場合のそれぞれには（１１１）（３３３）（５５５）（７７７）のいずれかの奇数の組合せとなる。外れリーチの組合せは、図５の（ｂ）に示すように、左列の図柄要素および右列の図柄要素が相互に同一で中列の図柄要素が左列の図柄要素および右列の図柄要素のそれぞれに対して異なる組合せであり、完全外れの組合せは、図５の（ｃ）に示すように、左列の図柄要素および右列の図柄要素が相互に異なる組合せであり、第１特別図柄表示器４３に特別図柄遊技の映像で外れ図柄が停止表示される場合および第２特別図柄表示器４４に特別図柄遊技の映像で外れ図柄が停止表示される場合のそれぞれには装飾図柄が外れリーチの組合せおよび完全外れの組合せのいずれかになる。
【００３４】
装飾図柄遊技の映像の表示中にはステップアップ予告が行われる。このステップアップ予告は遊技者に信頼度の高さを伝えるものであり、信頼度とは装飾図柄遊技の映像で装飾図柄が大当りの組合せとなる確率を遊技者の目線で示すものである。このステップアップ予告には、図７に示すように、１段階と２段階と３段階の３種類が設定されている。１段階のステップアップ予告は今回の装飾図柄遊技の映像で予告絵柄３を表示してステップアップ予告を終えるものであり、１段階のステップアップ予告には信頼度として（低）が設定されている。２段階のステップアップ予告は今回の装飾図柄遊技の映像で予告絵柄２を表示し、次回の装飾図柄遊技の映像で予告絵柄３を表示してステップアップ予告を終えるものであり、２段階のステップアップ予告には信頼度として（中）が設定されている。３段階のステップアップ予告は今回の装飾図柄遊技の映像で予告絵柄１を表示し、次回の装飾図柄遊技の映像で予告絵柄２を表示し、次々回の装飾図柄遊技の映像で予告絵柄３を表示してステップアップ予告を終えるものであり、３段階のステップアップ予告には信頼度として（高）が設定されている。これら１段階〜３段階のそれぞれのステップアップ予告は電チューサポートモードのオフ状態で行われるものであり、電チューサポートモードのオン状態では行われない。
【００３５】
図８は装飾図柄遊技の背景映像である。この背景映像は戦闘機が空を飛んでいる通常映像（ａ参照）で始まるものであり、通常映像は予め決められた確率で爆弾投下映像（ｂ参照）に発展する。この爆弾投下映像は戦闘機が敵機を発見して敵機に爆弾を投下する内容のものであり、爆弾投下映像は爆弾が敵機に命中して敵機が爆破される敵機爆破映像（ｃ参照）の結末および爆弾が敵機に命中せずに敵機を通過する爆弾通過映像（ｄ参照）の結末のいずれかで終了する。この爆弾通過映像は予め決められた確率で爆弾着地映像（ｅ参照）に発展する。この爆弾着地映像は爆弾が地面に着地する内容のものであり、爆弾が爆発しない爆弾不発映像（ｆ参照）の結末および爆弾が爆発する爆弾爆発映像（ｇ参照）の結末のいずれかで終了する。
【００３６】
図３のメイン制御回路５０は普通図柄遊技と当り遊技と特別図柄遊技と大当り遊技のそれぞれの遊技内容を制御するものであり、ＣＰＵ５１とＲＯＭ５２とＲＡＭ５３を有している。このメイン制御回路５０のＲＯＭ５２には制御プログラムおよび制御データのそれぞれが予め記録されており、ＣＰＵ５１はＲＡＭ５３をワークエリアとしてＲＯＭ５２の制御プログラムおよびＲＯＭ５２の制御データのそれぞれに基づいて処理動作を実行する。センサ回路５４は普通図柄始動口センサ２７から出力される普通図柄始動信号と第１特別図柄始動口センサ２９から出力される第１特別図柄始動信号と第２特別図柄始動口センサ３３から出力される第２特別図柄始動信号と特別入賞口センサ３６から出力される特別入賞信号のそれぞれをメイン制御回路５０に送信するものであり、メイン制御回路５０はセンサ回路５４を介して普通図柄始動信号を検出した場合には制御コマンドを設定し、第１特別図柄始動信号を検出した場合および第２特別図柄始動信号を検出した場合のそれぞれには制御コマンドおよび賞球コマンド１を設定し、特別入賞信号を検出した場合には賞球コマンド２を設定する。
【００３７】
図３のソレノイド回路５５は特別図柄始動口ソレノイド３４を電気的にオンオフするものであり、メイン制御回路５０はソレノイド回路５５を電気的に制御することで第２特別図柄始動口３０を開閉する。ソレノイド回路５６は特別入賞口ソレノイド３９を電気的にオンオフするものであり、メイン制御回路５０はソレノイド回路５６を電気的に制御することで特別入賞口３５を開閉する。ＬＥＤ回路５７は普通図柄表示器４２の複数のＬＥＤのそれぞれを電気的にオンオフするものであり、メイン制御回路５０はＬＥＤ回路５７を電気的に制御することで普通図柄表示器４２に普通図柄遊技の映像を表示する。ＬＥＤ回路５８は第１特別図柄表示器４３の複数のＬＥＤのそれぞれを電気的にオンオフするものであり、メイン制御回路５０はＬＥＤ回路５８を電気的に制御することで第１特別図柄表示器４３に特別図柄遊技の映像を表示する。ＬＥＤ回路５９は第２特別図柄表示器４４の複数のＬＥＤのそれぞれを電気的にオンオフするものであり、メイン制御回路５０はＬＥＤ回路５９を電気的に制御することで第２特別図柄表示器４４に特別図柄遊技の映像を表示する。
【００３８】
図３の払出制御回路６０はＣＰＵとＲＯＭとＲＡＭを有するものである。この払出制御回路６０のＲＯＭには制御プログラムおよび制御データのそれぞれが予め記録されており、ＣＰＵはＲＡＭをワークエリアとしてＲＯＭの制御プログラムおよびＲＯＭの制御データのそれぞれに基づいて処理動作を実行する。この払出制御回路６０はメイン制御回路５０から賞球コマンド１および賞球コマンド２のそれぞれが送信されるものであり、賞球コマンド１を受信した場合には駆動信号１を設定し、賞球コマンド２を受信した場合には駆動信号２を設定する。モータ回路６１は払出制御回路６０から駆動信号の設定結果が与えられるものであり、駆動信号１が与えられた場合には払出モータ４１の回転軸を（３×ΔＰ）だけ回転操作することで上皿４内に３個の遊技球を払出し、駆動信号２が与えられた場合には払出モータ４１の回転軸を（１５×ΔＰ）だけ回転操作することで上皿４内に１５個の遊技球を払出す。
【００３９】
図３の演出制御回路７０はメイン制御回路５０から制御コマンドの設定結果が送信されるものであり、ＣＰＵ７１とＲＯＭ７２とＲＡＭ７３を有している。この演出制御回路７０のＲＯＭ７２には制御プログラムおよび制御データのそれぞれが予め記録されており、ＣＰＵ７１は制御コマンドの設定結果を受信した場合にはＲＡＭ７３をワークエリアとしてＲＯＭ７２の制御プログラムおよびＲＯＭ７２の制御データのそれぞれに基づいて演出制御コマンドを設定する。
【００４０】
図３の表示制御回路８０は演出制御回路７０から演出制御コマンドの設定結果が送信されるものである。この表示制御回路８０は演出制御コマンドの設定結果を受信した場合に演出制御コマンドの受信結果に応じた装飾図柄遊技の映像を装飾図柄表示器４５に表示するものであり、ＶＤＰとＶＲＯＭとＶＲＡＭを有している。ＶＲＯＭは普通図保留絵柄４７を表示するための画像データと特図保留絵柄４９を表示するための画像データと図柄要素（１）〜（８）のそれぞれを表示するための画像データと予告絵柄１〜３のそれぞれを表示するための画像データと装飾図柄遊技の背景映像を表示するためのビデオデータと大当り遊技演出の映像を表示するためのビデオデータが予め記録されたものであり、ＶＤＰはＶＲＯＭから検出した画像データおよびビデオデータのそれぞれをＶＲＡＭに展開し、装飾図柄表示器４５にＲ・Ｇ・Ｂの各信号を出力することで映像をカラーで表示する。
【００４１】
図３の音制御回路９０は演出制御回路７０から演出制御コマンドの設定結果が送信されるものである。この音制御回路９０は演出制御コマンドの設定結果を受信することで演出制御コマンドの受信結果に応じた音信号を設定するものであり、両スピーカ１５のそれぞれを音信号の設定結果で駆動することで両スピーカ１５のそれぞれから演出制御コマンドの受信結果に応じた効果音を出力する。電飾制御回路１００は演出制御回路７０から演出制御コマンドの設定結果が送信されるものである。この電飾制御回路１００は演出制御コマンドの設定結果を受信することで演出制御コマンドの受信結果に応じた電飾信号を設定するものであり、複数の電飾ＬＥＤ１７のそれぞれを電飾信号の設定結果で駆動することで演出制御コマンドに応じたパターンで点滅させる。
【００４２】
図９はメイン制御回路５０から演出制御回路７０に送信される制御コマンドの一覧である。特図変動開始コマンドは特別図柄遊技を開始することを演出制御回路７０に通知するものであり、特図変動停止コマンドは特別図柄遊技が停止することを演出制御回路７０に通知するものである。普通図変動開始コマンドは普通図柄遊技を開始することを演出制御回路７０に通知するものであり、普通図変動停止コマンドは普通図柄遊技が停止することを演出制御回路７０に通知するものである。第１特図遊技コマンドは遊技球が第１特別図柄始動口２８内に入賞したことで特別図柄遊技を開始することを演出制御回路７０に通知するものであり、図柄情報コマンドは特別図柄遊技の映像で停止表示する特別図柄の種類を演出制御回路７０に通知するものであり、普通図保留コマンドは遊技球が普通図柄始動口２６内を通過することで保留した普通図柄遊技の保留回数を演出制御回路７０に通知するものである。第１特図保留コマンドは遊技球が第１特別図柄始動口２８内に入賞することで保留した特別図柄遊技の保留回数を演出制御回路７０に通知するものであり、第２特図保留コマンドは遊技球が第２特別図柄始動口３０内に入賞することで保留した特別図柄遊技の保留回数を演出制御回路７０に通知するものである。
【００４３】
大当り遊技開始コマンドは大当り遊技を開始することを演出制御回路７０に通知するものであり、大当り遊技停止コマンドは大当り遊技を停止することを演出制御回路７０に通知するものである。大当り先読みコマンドは遊技球が第１特別図柄始動口２８内に入賞したことで特別図柄遊技を保留した場合に大当りであるか否かを判定するための情報を演出制御回路７０に通知するものであり、外れリーチ先読みコマンドは遊技球が第１特別図柄始動口２８内に入賞したことで特別図柄遊技を保留した場合に外れリーチであるか否かを判定するための情報を演出制御回路７０に通知するものである。電チューサポート開始コマンドは電チューサポートモードをオン状態に設定したことを演出制御回路７０に通知するものであり、電チューサポート停止コマンドは電チューサポートモードをオフ状態に設定したことを演出制御回路７０に通知するものである。
【００４４】
図１０の（ａ）はメイン制御回路５０のＲＡＭ５３の変数の一覧である。カウンタＭＲ１は遊技球が第１特別図柄始動口２８内に入賞した場合および第２特別図柄始動口３０内に入賞した場合のそれぞれに大当りであるか否かを判定するためのものであり、遊技球が第１特別図柄始動口２８内に入賞した場合にはカウンタＭＲ１の値の更新結果が検出され、演出制御回路７０にカウンタＭＲ１の値の検出結果が大当り先読みコマンドとして送信される。図１０の（ｂ）はカウンタＭＲ１の値に応じて設定される大当り先読みコマンドの一覧であり、カウンタＭＲ１の下限値は（０）に設定され、カウンタＭＲ１の上限値は（３００）に設定されている。カウンタＭＲ２は遊技球が普通図柄始動口２６内を通過した場合に当りであるか否かを判定するためのものであり、カウンタＭＲ２の下限値は（０）に設定され、カウンタＭＲ２の上限値は（３２）に設定されている。カウンタＭＲ３は遊技球が第１特別図柄始動口２８内に入賞することで大当りであると判定された場合および第２特別図柄始動口３０内に入賞することで大当りであると判定された場合のそれぞれに特別図柄を選択するためのものであり、カウンタＭＲ３の下限値は（０）に設定され、カウンタＭＲ３の上限値は（１９）に設定されている。
【００４５】
カウンタＭＲ４は遊技球が第１特別図柄始動口２８内に入賞したことで外れであると判定された場合および第２特別図柄始動口３０内に入賞したことで外れであると判定された場合のそれぞれに装飾図柄を外れリーチの組合せにするか否かを判定するためのものであり、遊技球が第１特別図柄始動口２８内に入賞した場合にはカウンタＭＲ４の値の更新結果が検出され、演出制御回路７０にカウンタＭＲ４の値の検出結果が外れリーチ先読みコマンドとして送信される。図１０の（ｃ）はカウンタＭＲ４の値に応じて設定される外れリーチ先読みコマンドの一覧であり、カウンタＭＲ４の下限値は（０）に設定され、カウンタＭＲ４の上限値は（１０）に設定されている。カウンタＭＲ５は特図変動開始コマンドを選択するためのものである。この特図変動開始コマンドは装飾図柄遊技の映像および装飾図柄遊技の背景映像のそれぞれを設定するためのものであり、カウンタＭＲ５の下限値は（０）に設定され、カウンタＭＲ５の上限値は（１００）に設定されている。
【００４６】
カウンタＭＮ１は大当りラウンドの継続回数を計測するためのものであり、カウンタＭＮ２は大当りラウンドで特別入賞口３５に対する遊技球の入賞個数を計測するためのものである。カウンタＭＮ３は遊技球が普通図柄始動口２６内を通過したことで保留した普通図柄遊技の保留回数を計測するためのものである。このカウンタＭＮ３の値は遊技球が普通図柄始動口２６内を通過することで更新されるものであり、カウンタＭＮ３の下限値は（０）に設定され、カウンタＭＮ３の上限値は（４）に設定されている。カウンタＭＮ４は遊技球が第１特別図柄始動口２８内に入賞したことで保留した特別図柄遊技の保留回数を計測するためのものである。このカウンタＭＮ４の値は遊技球が第１特別図柄始動口２８内に入賞することで更新されるものであり、カウンタＭＮ４の下限値は（０）に設定され、カウンタＭＮ４の上限値は（４）に設定されている。カウンタＭＮ５は遊技球が第２特別図柄始動口３０内に入賞したことで保留した特別図柄遊技の保留回数を計測するためのものである。このカウンタＭＮ５の値は遊技球が第２特別図柄始動口３０内に入賞することで更新されるものであり、カウンタＭＮ５の下限値は（０）に設定され、カウンタＭＮ５の上限値は（４）に設定されている。タイマＭＴ１は特別図柄遊技および大当り遊技のそれぞれで時間を計測するためのものであり、タイマＭＴ２は普通図柄遊技および当り遊技のそれぞれで時間を計測するためのものである。
【００４７】
図１１の（ａ）はメイン制御回路５０のＲＯＭ５２に予め記録された普通図保留コマンドテーブルである。この普通図保留コマンドテーブルはカウンタＭＮ３の値（０）〜（４）のそれぞれに普通図保留コマンドを割付けたものであり、遊技球が普通図柄始動口２６内を通過することでカウンタＭＮ３の値が更新された場合には普通図保留コマンドテーブルからカウンタＭＮ３の値の更新結果に応じた１つの普通図保留コマンドが選択され、演出制御回路７０に普通図保留コマンドの選択結果が送信される。
【００４８】
図１１の（ｂ）はメイン制御回路５０のＲＯＭ５２に予め記録された第１特図保留コマンドテーブルである。この第１特図保留コマンドテーブルはカウンタＭＮ４の値（０）〜（４）のそれぞれに第１特図保留コマンドを割付けたものであり、遊技球が第１特別図柄始動口２８内に入賞することでカウンタＭＮ４の値が更新された場合には第１特図保留コマンドテーブルからカウンタＭＮ４の値の更新結果に応じた１つの第１特図保留コマンドが選択され、演出制御回路７０に第１特図保留コマンドの選択結果が送信される。
【００４９】
図１１の（ｃ）はメイン制御回路５０のＲＯＭ５２に予め記録された第２特図保留コマンドテーブルである。この第２特図保留コマンドテーブルはカウンタＭＮ５の値（０）〜（４）のそれぞれに第２特図保留コマンドを割付けたものであり、遊技球が第２特別図柄始動口３０内に入賞することでカウンタＭＮ５の値が更新された場合には第２特図保留コマンドテーブルからカウンタＭＮ５の値の更新結果に応じた１つの第２特図保留コマンドが選択され、演出制御回路７０に第２特図保留コマンドの選択結果が送信される。
【００５０】
図１２の（ａ）はメイン制御回路５０のＲＯＭ５２に予め記録された大当り判定テーブル１である。この大当り判定テーブル１はカウンタＭＲ１の更新範囲内の１１個の値のそれぞれに大当りの判定結果を割付け、カウンタＭＲ１の更新範囲内の残りの２９０個の値のそれぞれに外れの判定結果を割付けたものであり、確率変動モードのオン状態で遊技球が第１特別図柄始動口２８内に入賞した場合および第２特別図柄始動口３０内に入賞した場合のそれぞれには大当り判定テーブル１からカウンタＭＲ１の値の更新結果に応じた１つの判定結果が選択されることで大当りであるか否かが判定される。即ち、確率変動モードのオン状態では遊技球が第１特別図柄始動口２８内に入賞した場合および第２特別図柄始動口３０内に入賞した場合のいずれであっても大当りであると一定の高確率（１１／３０１）で判定される。
【００５１】
図１２の（ｂ）はメイン制御回路５０のＲＯＭ５２に予め記録された大当り判定テーブル２である。この大当り判定テーブル２はカウンタＭＲ１の更新範囲内の１個の値に大当りの判定結果を割付け、カウンタＭＲ１の更新範囲内の残りの３００個の値のそれぞれに外れの判定結果を割付けたものであり、確率変動モードのオフ状態で遊技球が第１特別図柄始動口２８内に入賞した場合および第２特別図柄始動口３０内に入賞した場合のそれぞれには大当り判定テーブル２からカウンタＭＲ１の値の更新結果に応じた１つの判定結果が選択されることで大当りであるか否かが判定される。即ち、確率変動モードのオフ状態では遊技球が第１特別図柄始動口２８内に入賞した場合および第２特別図柄始動口３０内に入賞した場合のいずれであっても大当りであると一定の通常確率（１／３０１）で判定される。
【００５２】
図１３の（ａ）はメイン制御回路５０のＲＯＭ５２に予め記録された当り判定テーブル１である。この当り判定テーブル１はカウンタＭＲ２の更新範囲内の全ての値に当りの判定結果を割付けたものであり、電チューサポートモードのオン状態で遊技球が普通図柄始動口２６内を通過した場合には当り判定テーブル１からカウンタＭＲ２の値の更新結果に応じた１つの判定結果が選択されることで当りであるか否かが判定される。即ち、電チューサポートモードのオン状態で遊技球が普通図柄始動口２６内を通過した場合には当りであると一定の高確率（３３／３３）で判定される。
【００５３】
図１３の（ｂ）はメイン制御回路５０のＲＯＭ５２に予め記録された当り判定テーブル２である。この当り判定テーブル２はカウンタＭＲ２の更新範囲内の全ての値に外れの判定結果を割付けたものであり、電チューサポートモードのオフ状態で遊技球が普通図柄始動口２６内を通過した場合には当り判定テーブル２からカウンタＭＲ２の値の更新結果に応じた１つの判定結果が選択されることで当りであるか否かが判定される。即ち、電チューサポートモードのオフ状態で遊技球が普通図柄始動口２６内を通過した場合には当りであると一定の通常確率（０／３３）で判定される。
【００５４】
図１４はメイン制御回路５０のＲＯＭ５２に予め記録された特別図柄選択テーブルである。この特別図柄選択テーブルは通常大当り図柄および確変大当り図柄のそれぞれにカウンタＭＲ３の更新範囲内の複数の値を割付けたものであり、遊技球が第１特別図柄始動口２８内に入賞することで大当りであると判定された場合および遊技球が第２特別図柄始動口３０内に入賞することで大当りであると判定された場合のそれぞれには特別図柄選択テーブルからカウンタＭＲ３の値の更新結果に応じた１つの特別図柄が選択される。この特別図柄選択テーブルには通常大当り図柄に対して１０個の値が割付けられ、確変大当り図柄に対して別の１０個の値が割付けられており、遊技球が第１特別図柄始動口２８内に入賞することで大当りであると判定された場合および遊技球が第２特別図柄始動口３０内に入賞することで大当りであると判定された場合のそれぞれには通常大当り図柄が（１０／２０）の確率で選択され、確変大当り図柄が（１０／２０）の確率で選択される。即ち、遊技球が第１特別図柄始動口２８内に入賞することで大当りであると判定された場合および遊技球が第２特別図柄始動口３０内に入賞することで大当りであると判定された場合のそれぞれには確率変動モードが電チューサポートモードと共に（１０／２０）の確率でオン状態に設定される。
【００５５】
図１５はメイン制御回路５０のＲＯＭ５２に予め記録された図柄情報コマンドテーブルである。この図柄情報コマンドテーブルは外れ図柄と通常大当り図柄と確変大当り図柄のそれぞれに図柄情報コマンドを割付けたものであり、特別図柄が選択された場合には図柄情報コマンドテーブルから特別図柄の選択結果に応じた１つの図柄情報コマンドが選択される。
【００５６】
図１６の（ａ）はメイン制御回路５０のＲＯＭ５２に予め記録された外れリーチ判定テーブル１−０である。この外れリーチ判定テーブル１−０はカウンタＭＲ４の更新範囲内の１個の値に外れリーチの判定結果を割付け、カウンタＭＲ４の更新範囲内の残りの１０個の値のそれぞれに完全外れの判定結果を割付けたものである。この外れリーチ判定テーブル１−０にはカウンタＭＮ４の値として（０）が割付けられており、遊技球が第１特別図柄始動口２８内に入賞することで外れであると判定された状態ではカウンタＭＮ４の値が（０）である場合に外れリーチ判定テーブル１−０からカウンタＭＲ４の値の更新結果に応じた１つの判定結果が選択されることで外れリーチおよび完全外れのいずれであるかが判定される。このカウンタＭＮ４の値は第１特図保留回数を計測するものであり、第１特図保留回数が０回である場合に（０）に設定され、第１特図保留回数が１回である場合に（１）に設定され、第１特図保留回数が２回である場合に（２）に設定され、第１特図保留回数が３回である場合に（３）に設定され、第１特図保留回数が最大の４回である場合に（４）に設定される。この第１特図保留回数は遊技球が第１特別図柄始動口２８内に入賞することで保留された特別図柄遊技の保留回数であり、外れリーチ判定テーブル１−０は第１特図保留回数が０回である場合に使用される。
【００５７】
図１６の（ｂ）はメイン制御回路５０のＲＯＭ５２に予め記録された外れリーチ判定テーブル１−１である。この外れリーチ判定テーブル１−１はカウンタＭＲ４の更新範囲内の２個の値のそれぞれに外れリーチの判定結果を割付け、カウンタＭＲ４の更新範囲内の残りの９個の値のそれぞれに完全外れの判定結果を割付けたものである。この外れリーチ判定テーブル１−１にはカウンタＭＮ４の値として（１）が割付けられており、遊技球が第１特別図柄始動口２８内に入賞することで外れであると判定された状態では第１特図保留回数が１回である場合に外れリーチ判定テーブル１−１からカウンタＭＲ４の値の更新結果に応じた１つの判定結果が選択されることで外れリーチおよび完全外れのいずれであるかが判定される。
【００５８】
図１６の（ｃ）はメイン制御回路５０のＲＯＭ５２に予め記録された外れリーチ判定テーブル１−２である。この外れリーチ判定テーブル１−２はカウンタＭＲ４の更新範囲内の３個の値のそれぞれに外れリーチの判定結果を割付け、カウンタＭＲ４の更新範囲内の残りの８個の値のそれぞれに完全外れの判定結果を割付けたものである。この外れリーチ判定テーブル１−２にはカウンタＭＮ４の値として（２）が割付けられており、遊技球が第１特別図柄始動口２８内に入賞することで外れであると判定された状態では第１特図保留回数が２回である場合に外れリーチ判定テーブル１−２からカウンタＭＲ４の値の更新結果に応じた１つの判定結果が選択されることで外れリーチおよび完全外れのいずれであるかが判定される。
【００５９】
図１６の（ｄ）はメイン制御回路５０のＲＯＭ５２に予め記録された外れリーチ判定テーブル１−３である。この外れリーチ判定テーブル１−３はカウンタＭＲ４の更新範囲内の４個の値のそれぞれに外れリーチの判定結果を割付け、カウンタＭＲ４の更新範囲内の残りの７個の値のそれぞれに完全外れの判定結果を割付けたものである。この外れリーチ判定テーブル１−３にはカウンタＭＮ４の値として（３）が割付けられており、遊技球が第１特別図柄始動口２８内に入賞することで外れであると判定された状態では第１特図保留回数が３回である場合に外れリーチ判定テーブル１−３からカウンタＭＲ４の値の更新結果に応じた１つの判定結果が選択されることで外れリーチおよび完全外れのいずれであるかが判定される。
【００６０】
図１６の（ｅ）はメイン制御回路５０のＲＯＭ５２に予め記録された外れリーチ判定テーブル１−４である。この外れリーチ判定テーブル１−４はカウンタＭＲ４の更新範囲内の５個の値のそれぞれに外れリーチの判定結果を割付け、カウンタＭＲ４の更新範囲内の残りの６個の値のそれぞれに完全外れの判定結果を割付けたものである。この外れリーチ判定テーブル１−４にはカウンタＭＮ４の値として（４）が割付けられており、遊技球が第１特別図柄始動口２８内に入賞することで外れであると判定された状態では第１特図保留回数が最大の４回である場合に外れリーチ判定テーブル１−４からカウンタＭＲ４の値の更新結果に応じた１つの判定結果が選択されることで外れリーチおよび完全外れのいずれであるかが判定される。即ち、遊技球が第１特別図柄始動口２８内に入賞することで外れであると判定された場合には第１特図保留回数が多いことに応じて外れリーチであると高い確率で判定される。
【００６１】
図１７の（ａ）はメイン制御回路５０のＲＯＭ５２に予め記録された外れリーチ判定テーブル２−０である。この外れリーチ判定テーブル２−０はカウンタＭＲ４の更新範囲内の５個の値のそれぞれに外れリーチの判定結果を割付け、カウンタＭＲ４の更新範囲内の残りの６個の値のそれぞれに完全外れの判定結果を割付けたものである。この外れリーチ判定テーブル２−０にはカウンタＭＮ５の値として（０）が割付けられており、遊技球が第２特別図柄始動口３０内に入賞することで外れであると判定された状態ではカウンタＭＮ５の値が（０）である場合に外れリーチ判定テーブル２−０からカウンタＭＲ４の値の更新結果に応じた１つの判定結果が選択されることで外れリーチおよび完全外れのいずれであるかが判定される。このカウンタＭＮ５の値は第２特図保留回数を計測するものであり、第２特図保留回数が０回である場合に（０）に設定され、第２特図保留回数が１回である場合に（１）に設定され、第２特図保留回数が２回である場合に（２）に設定され、第２特図保留回数が３回である場合に（３）に設定され、第２特図保留回数が最大の４回である場合に（４）に設定される。この第２特図保留回数は遊技球が第２特別図柄始動口３０内に入賞することで保留された特別図柄遊技の保留回数であり、外れリーチ判定テーブル２−０は第２特図保留回数が０回である場合に使用される。
【００６２】
図１７の（ｂ）はメイン制御回路５０のＲＯＭ５２に予め記録された外れリーチ判定テーブル２−１である。この外れリーチ判定テーブル２−１はカウンタＭＲ４の更新範囲内の４個の値のそれぞれに外れリーチの判定結果を割付け、カウンタＭＲ４の更新範囲内の残りの７個の値のそれぞれに完全外れの判定結果を割付けたものである。この外れリーチ判定テーブル２−１にはカウンタＭＮ５の値として（１）が割付けられており、遊技球が第２特別図柄始動口３０内に入賞することで外れであると判定された状態では第２特図保留回数が１回である場合に外れリーチ判定テーブル２−１からカウンタＭＲ４の値の更新結果に応じた１つの判定結果が選択されることで外れリーチおよび完全外れのいずれであるかが判定される。
【００６３】
図１７の（ｃ）はメイン制御回路５０のＲＯＭ５２に予め記録された外れリーチ判定テーブル２−２である。この外れリーチ判定テーブル２−２はカウンタＭＲ４の更新範囲内の３個の値のそれぞれに外れリーチの判定結果を割付け、カウンタＭＲ４の更新範囲内の残りの８個の値のそれぞれに完全外れの判定結果を割付けたものである。この外れリーチ判定テーブル２−２にはカウンタＭＮ５の値として（２）が割付けられており、遊技球が第２特別図柄始動口３０内に入賞することで外れであると判定された状態では第２特図保留回数が２回である場合に外れリーチ判定テーブル２−２からカウンタＭＲ４の値の更新結果に応じた１つの判定結果が選択されることで外れリーチおよび完全外れのいずれであるかが判定される。
【００６４】
図１７の（ｄ）はメイン制御回路５０のＲＯＭ５２に予め記録された外れリーチ判定テーブル２−３である。この外れリーチ判定テーブル２−３はカウンタＭＲ４の更新範囲内の２個の値のそれぞれに外れリーチの判定結果を割付け、カウンタＭＲ４の更新範囲内の残りの９個の値のそれぞれに完全外れの判定結果を割付けたものである。この外れリーチ判定テーブル２−３にはカウンタＭＮ５の値として（３）が割付けられており、遊技球が第２特別図柄始動口３０内に入賞することで外れであると判定された状態では第２特図保留回数が３回である場合に外れリーチ判定テーブル２−３からカウンタＭＲ４の値の更新結果に応じた１つの判定結果が選択されることで外れリーチおよび完全外れのいずれであるかが判定される。
【００６５】
図１７の（ｅ）はメイン制御回路５０のＲＯＭ５２に予め記録された外れリーチ判定テーブル２−４である。この外れリーチ判定テーブル２−４はカウンタＭＲ４の更新範囲内の１個の値に外れリーチの判定結果を割付け、カウンタＭＲ４の更新範囲内の残りの１０個の値のそれぞれに完全外れの判定結果を割付けたものである。この外れリーチ判定テーブル２−４にはカウンタＭＮ５の値として（４）が割付けられており、遊技球が第２特別図柄始動口３０内に入賞することで外れであると判定された状態では第２特図保留回数が最大の４回である場合に外れリーチ判定テーブル２−４からカウンタＭＲ４の値の更新結果に応じた１つの判定結果が選択されることで外れリーチおよび完全外れのいずれであるかが判定される。即ち、遊技球が第２特別図柄始動口３０内に入賞することで外れであると判定された場合には第２特図保留回数が少ないことに応じて外れリーチであると高い確率で判定される。
【００６６】
図１８の（ａ）はメイン制御回路５０のＲＯＭ５２に予め記録された特図変動開始コマンドテーブル１である。この特図変動開始コマンドテーブル１は特図変動開始コマンド０１および０２のそれぞれにカウンタＭＲ５の更新範囲内の複数の値を割付けたものであり、遊技球が第１特別図柄始動口２８内に入賞することで大当りの判定結果が選択された場合および遊技球が第２特別図柄始動口３０内に入賞することで大当りの判定結果が選択された場合のそれぞれには特図変動開始コマンドテーブル１からカウンタＭＲ５の値の更新結果に応じた１つの特図変動開始コマンドが選択される。特図変動開始コマンド０１は装飾図柄遊技の背景映像として通常映像と爆弾投下映像と敵機爆破映像のそれぞれを順に表示するためのものであり、特図変動開始コマンド０２は装飾図柄遊技の背景映像として通常映像と爆弾投下映像と爆弾通過映像と爆弾着地映像と爆弾爆発映像のそれぞれを順に表示するためのものである。
【００６７】
図１８の（ｂ）はメイン制御回路５０のＲＯＭ５２に予め記録された特図変動開始コマンドテーブル２である。この特図変動開始コマンドテーブル２は特図変動開始コマンド１１および１２のそれぞれにカウンタＭＲ５の更新範囲内の複数の値を割付けたものであり、遊技球が第１特別図柄始動口２８内に入賞することで外れリーチの判定結果が選択された場合および遊技球が第２特別図柄始動口３０内に入賞することで外れリーチの判定結果が選択された場合のそれぞれには特図変動開始コマンドテーブル２からカウンタＭＲ５の値の更新結果に応じた１つの特図変動開始コマンドが選択される。特図変動開始コマンド１１は装飾図柄遊技の背景映像として通常映像と爆弾投下映像と爆弾通過映像のそれぞれを順に表示するためのものであり、特図変動開始コマンド１２は装飾図柄遊技の背景映像として通常映像と爆弾投下映像と爆弾通過映像と爆弾着地映像と爆弾不発映像のそれぞれを順に表示するためのものである。
【００６８】
図１８の（ｃ）はメイン制御回路５０のＲＯＭ５２に予め記録された特図変動開始コマンドテーブル３である。この特図変動開始コマンドテーブル３は特図変動開始コマンド１０にカウンタＭＲ５の更新範囲内の全ての値を割付けたものであり、遊技球が第１特別図柄始動口２８内に入賞することで完全外れの判定結果が選択された場合および遊技球が第２特別図柄始動口３０内に入賞することで完全外れの判定結果が選択された場合のそれぞれには特図変動開始コマンドテーブル３から特図変動開始コマンド１０が選択される。この特図変動開始コマンド１０は装飾図柄遊技の背景映像として通常映像を表示するためのものである。
【００６９】
図１９はメイン制御回路５０のＲＯＭ５２に予め記録された特図変動表示時間テーブルである。この特図変動表示時間テーブルは特図変動開始コマンド０１〜１２の５個のそれぞれに特図変動表示時間を割付けたものであり、特図変動開始コマンドが選択された場合には特図変動表示時間テーブルから特図変動開始コマンドの選択結果に応じた１つの特図変動表示時間が選択される。
【００７０】
図２０はメイン制御回路５０のＲＯＭ５２に予め記録された普通図変動表示時間テーブルである。この普通図変動表示時間テーブルは電チューサポートモードのオン状態に普通図変動表示時間（１×１０００ｍｓｅｃ）を割付け、電チューサポートモードのオフ状態に普通図変動表示時間（４×１０００ｍｓｅｃ）を割付けたものであり、普通図柄遊技の映像を表示開始する場合には普通図変動表示時間テーブルから電チューサポートモードの設定状態に応じた１つの普通図変動表示時間が選択される。
【００７１】
図２１の（ａ）はメイン制御回路５０のＲＡＭ５３に設定された特図データ格納部１１０である。普通図柄格納部１１１は今回の普通図柄遊技の映像で停止表示する普通図柄の選択結果が記録される領域であり、特別図柄格納部１１２は今回の特別図柄遊技の映像で停止表示する特別図柄の選択結果が記録される領域である。フラグ格納部１１３は当りフラグと普通図柄プロセスフラグと大当りフラグと確変フラグと電チューサポートフラグと第１特別図柄遊技フラグと第２特別図柄遊技フラグと特別図柄プロセスフラグのそれぞれが記録される領域である。カウンタ格納部１１４はカウンタＭＲ１とＭＲ２とＭＲ３とＭＲ４とＭＲ５とＭＮ１とＭＮ２とＭＮ３とＭＮ４とＭＮ５のそれぞれの値が記録される領域であり、タイマ格納部１１５はタイマＭＴ１およびＭＴ２のそれぞれの値が記録される領域である。
【００７２】
当りフラグは当りであると判定されたか否かを示すものであり、普通図柄プロセスフラグは図５０の普通図柄プロセス処理でステップＳ８１のインターバル処理〜ステップＳ８４の当り遊技処理のいずれを実行するかを示すものである。大当りフラグは大当りであると判定されたか否かを示すものであり、確変フラグは確率変動モードがオン状態に設定されているか否かを示すものである。電チューサポートフラグは電チューサポートモードがオン状態に設定されているか否かを示すものであり、特別図柄プロセスフラグは図５６の特別図柄プロセス処理でステップＳ１７１のインターバル処理〜ステップＳ１７４の大当り遊技処理のいずれを実行するかを示すものである。第１特別図柄遊技フラグは遊技球が第１特別図柄始動口２８内に入賞したことに応じて処理が進められているか否かを示すものであり、第２特別図柄遊技フラグは遊技球が第２特別図柄始動口３０内に入賞したことに応じて処理が進められているか否かを示すものである。これら当りフラグと大当りフラグと確変フラグと電チューサポートフラグと第１特別図柄遊技フラグと第２特別図柄遊技フラグのそれぞれはＲＯＭ５２に予め記録された値（１）が投入されることでオン状態に設定されるものであり、ＲＯＭ５２に予め記録された値（０）が投入されることでオフ状態に設定される。
【００７３】
図２１の（ｂ）はメイン制御回路５０のＲＡＭ５３に設定された普通図保留データ格納部１１６である。この普通図保留データ格納部１１６はカウンタＭＲ２の値の検出結果が記録される領域であり、遊技球が普通図柄始動口２６内を通過した場合にはカウンタＭＲ２の値の更新結果が検出され、カウンタＭＲ２の値の検出結果が普通図保留データ格納部１１６に記録される。この普通図保留データ格納部１１６には保留番号０と保留番号１と保留番号２と保留番号３と保留番号４の５つの領域が設定されており、カウンタＭＲ２の値の検出結果は普通図保留データ格納部１１６の保留番号０〜保留番号４のいずれか１つの領域に記録される。カウンタＭＮ３の値は普通図保留データ格納部１１６の記録状態を示すものであり、普通図保留データ格納部１１６のうち保留番号０の１つにカウンタＭＲ２の値が記録されている場合に（０）に設定され、保留番号０〜１の２つに記録されている場合に（１）に設定され、保留番号０〜２の３つに記録されている場合に（２）に設定され、保留番号０〜３の４つに記録されている場合に（３）に設定され、保留番号０〜４の５つに記録されている場合に（４）に設定される。
【００７４】
図２１の（ｃ）はメイン制御回路５０のＲＡＭ５３に設定された第１特図保留データ格納部１１７である。この第１特図保留データ格納部１１７はカウンタＭＲ１とＭＲ３とＭＲ４とＭＲ５のそれぞれの値の検出結果が記録される領域であり、遊技球が第１特別図柄始動口２８内に入賞した場合にはカウンタＭＲ１〜ＭＲ５の４つのそれぞれの値の更新結果が検出され、カウンタＭＲ１〜ＭＲ５の４つのそれぞれの値の検出結果が第１特図保留データ格納部１１７に記録される。この第１特図保留データ格納部１１７には保留番号０と保留番号１と保留番号２と保留番号３と保留番号４の５つの領域が設定されており、カウンタＭＲ１〜ＭＲ５の４つのそれぞれの値の検出結果は第１特図保留データ格納部１１７の保留番号０〜保留番号４のいずれか１つの領域に記録される。カウンタＭＮ４の値は第１特図保留データ格納部１１７の記録状態を示すものであり、第１特図保留データ格納部１１７のうち保留番号０の１つにカウンタＭＲ１〜ＭＲ５の値が記録されている場合に（０）に設定され、保留番号０〜１の２つに記録されている場合に（１）に設定され、保留番号０〜２の３つに記録されている場合に（２）に設定され、保留番号０〜３の４つに記録されている場合に（３）に設定され、保留番号０〜４の５つに記録されている場合に（４）に設定される。
【００７５】
図２１の（ｄ）はメイン制御回路５０のＲＡＭ５３に設定された第２特図保留データ格納部１１８である。この第２特図保留データ格納部１１８はカウンタＭＲ１とＭＲ３とＭＲ４とＭＲ５のそれぞれの値の検出結果が記録される領域であり、遊技球が第２特別図柄始動口３０内に入賞した場合にはカウンタＭＲ１〜ＭＲ５の４つのそれぞれの値の更新結果が検出され、カウンタＭＲ１〜ＭＲ５の４つのそれぞれの値の検出結果が第２特図保留データ格納部１１８に記録される。この第２特図保留データ格納部１１８には保留番号０と保留番号１と保留番号２と保留番号３と保留番号４の５つの領域が設定されており、カウンタＭＲ１〜ＭＲ５の４つのそれぞれの値の検出結果は第２特図保留データ格納部１１８の保留番号０〜保留番号４のいずれか１つの領域に記録される。カウンタＭＮ５の値は第２特図保留データ格納部１１８の記録状態を示すものであり、第２特図保留データ格納部１１８のうち保留番号０の１つにカウンタＭＲ１〜ＭＲ５の値が記録されている場合に（０）に設定され、保留番号０〜１の２つに記録されている場合に（１）に設定され、保留番号０〜２の３つに記録されている場合に（２）に設定され、保留番号０〜３の４つに記録されている場合に（３）に設定され、保留番号０〜４の５つに記録されている場合に（４）に設定される。
【００７６】
図２２は演出制御回路７０のＲＯＭ７２に予め記録されたプロセスデータテーブルである。このプロセスデータテーブルは特図変動開始コマンド０１〜１２の５つのそれぞれにプロセスデータを割付けたものであり、特図変動開始コマンドが選択された場合にはプロセスデータテーブルから特図変動開始コマンドの選択結果に応じた１つのプロセスデータが選択される。このプロセスデータは表示制御コマンドと音制御コマンドと電飾制御コマンドのそれぞれにタイマ設定値を割付けたものであり、演出制御回路７０のＲＯＭ７２に予め記録されている。表示制御コマンドは装飾図柄遊技の映像の演出内容を表示制御回路８０に通知するものであり、音制御コマンドは効果音の演出内容を音制御回路９０に通知するものであり、電飾制御コマンドは電飾の演出内容を電飾制御回路１００に通知するものであり、タイマ設定値は表示制御コマンドと音制御コマンドと電飾制御コマンドのそれぞれを送信する時間的なタイミングを装飾図柄遊技の映像の開始時を基準に示すものである。
【００７７】
図２３の（ａ）はプロセスデータ０１であり、図２３の（ｂ）はプロセスデータ０２であり、図２３の（ｃ）はプロセスデータ０３であり、プロセスデータ０１〜０３のそれぞれには表示制御コマンドとして全図変動開始コマンドと左列の変動停止コマンドと右列の変動停止コマンドと中列の変動停止コマンドが設定されている。全図変動開始コマンドは装飾図柄表示器４５の左変動領域Ｌ内と中変動領域Ｃ内と右変動領域Ｒ内のそれぞれに図柄要素を変動状態で表示開始することを通知するものであり、左列の変動停止コマンドは左変動領域Ｌ内の図柄要素を変動状態から変動停止状態にすることを通知するものであり、右列の変動停止コマンドは右変動領域Ｒ内の図柄要素を変動状態から変動停止状態にすることを通知するものである。中列の変動停止コマンドは中変動領域Ｃ内の図柄要素を変動状態から変動停止状態にすることを通知するものであり、プロセスデータ０１の最終の中列の変動停止コマンドには特図変動開始コマンド１０に応じた変動表示時間（４×１０００ｍｓｅｃ）と同一のタイマ設定値０３が設定され、プロセスデータ０２の最終の中列の変動停止コマンドには特図変動開始コマンド０１および１１のそれぞれに応じた変動表示時間（８×１０００ｍｓｅｃ）と同一のタイマ設定値０４が設定され、プロセスデータ０３の最終の中列の変動停止コマンドには特図変動開始コマンド０２および１２のそれぞれに応じた変動表示時間（１０×１０００ｍｓｅｃ）と同一のタイマ設定値０５が設定されている。
【００７８】
図２４は演出制御回路７０のＲＯＭ７２に予め記録されたビデオコマンドテーブルである。このビデオコマンドテーブルは特図変動開始コマンド０１〜１２の５つのそれぞれにビデオコマンドを割付けたものであり、特図変動開始コマンドが選択された場合にはビデオコマンドテーブルから特図変動開始コマンドの選択結果に応じた１つのビデオコマンドが選択される。図２５は表示制御回路８０のＶＲＯＭに予め記録されたビデオデータの一覧である。これらビデオデータ０１〜１２の５つのそれぞれにはビデオコマンドが割付けられており、ビデオコマンドが選択された場合にはビデオデータ０１〜１２の５つのうちからビデオコマンドの選択結果に応じた１つが選択される。これらビデオデータ０１〜１２の５つのそれぞれは装飾図柄遊技の背景映像を表示するためのものであり、左列の図柄要素と中列の図柄要素と右列の図柄要素は装飾図柄遊技の背景映像の前方に重ねて変動状態および変動停止状態で順に表示される。
【００７９】
ビデオデータ１０は装飾図柄遊技の背景映像として通常映像のみを表示するためのものであり、特図変動開始コマンド１０が選択された場合にはプロセスデータ０１およびビデオコマンド１０のそれぞれが選択され、ビデオコマンド１０が選択された場合にはビデオデータ１０が選択される。このビデオデータ１０の再生時間は特図変動開始コマンド１０の特図変動表示時間（４×１０００ｍｓｅｃ）と同一値に設定されており、特図変動開始コマンド１０が選択された場合にはプロセスデータ０１で最終の中列の変動停止コマンドが送信されることで装飾図柄の組合せが映像上で決まると同時にビデオデータ１０が終了する。
【００８０】
ビデオデータ０１は装飾図柄遊技の背景映像として通常映像と爆弾投下映像と敵機爆破映像のそれぞれを順に表示するためのものであり、特図変動開始コマンド０１が選択された場合にはプロセスデータ０２およびビデオコマンド０１のそれぞれが選択され、ビデオコマンド０１が選択された場合にはビデオデータ０１が選択される。このビデオデータ０１の再生時間は特図変動開始コマンド０１の特図変動表示時間（８×１０００ｍｓｅｃ）と同一値に設定されており、特図変動開始コマンド０１が選択された場合にはプロセスデータ０２で最終の中列の変動停止コマンドが送信されることで装飾図柄の組合せが映像上で決まると同時にビデオデータ０１が終了する。
【００８１】
ビデオデータ０２は装飾図柄遊技の背景映像として通常映像と爆弾投下映像と爆弾通過映像と爆弾着地映像と爆弾爆発映像のそれぞれを順に表示するためのものであり、特図変動開始コマンド０２が選択された場合にはプロセスデータ０３およびビデオコマンド０２のそれぞれが選択され、ビデオコマンド０２が選択された場合にはビデオデータ０２が選択される。このビデオデータ０２の再生時間は特図変動開始コマンド０２の特図変動表示時間（１０×１０００ｍｓｅｃ）と同一値に設定されており、特図変動開始コマンド０２が選択された場合にはプロセスデータ０３で最終の中列の変動停止コマンドが送信されることで装飾図柄の組合せが映像上で決まると同時にビデオデータ０２が終了する。
【００８２】
ビデオデータ１１は装飾図柄遊技の背景映像として通常映像と爆弾投下映像と爆弾通過映像のそれぞれを順に表示するためのものであり、特図変動開始コマンド１１が選択された場合にはプロセスデータ０２およびビデオコマンド１１のそれぞれが選択され、ビデオコマンド１１が選択された場合にはビデオデータ１１が選択される。このビデオデータ１１の再生時間は特図変動開始コマンド１１の特図変動表示時間（８×１０００ｍｓｅｃ）と同一値に設定されており、特図変動開始コマンド１１が選択された場合にはプロセスデータ０２で最終の中列の変動停止コマンドが送信されることで装飾図柄の組合せが映像上で決まると同時にビデオデータ１１が終了する。
【００８３】
ビデオデータ１２は装飾図柄遊技の背景映像として通常映像と爆弾投下映像と爆弾通過映像と爆弾着地映像と爆弾不発映像のそれぞれを順に表示するためのものであり、特図変動開始コマンド１２が選択された場合にはプロセスデータ０３およびビデオコマンド１２のそれぞれが選択され、ビデオコマンド１２が選択された場合にはビデオデータ１２が選択される。このビデオデータ１２の再生時間は特図変動開始コマンド１２の特図変動表示時間（１０×１０００ｍｓｅｃ）と同一値に設定されており、特図変動開始コマンド１２が選択された場合にはプロセスデータ０３で最終の中列の変動停止コマンドが送信されることで装飾図柄の組合せが映像上で決まると同時にビデオデータ１２が終了する。
【００８４】
図２６は演出制御回路７０のＲＡＭ７３の変数の一覧である。タイマＳＴ１は装飾図柄遊技で時間を計測するためのものであり、カウンタＳＲ１とカウンタＳＲ２とカウンタＳＲ３のそれぞれは図柄要素を選択するためのものである。これらカウンタＳＲ１〜ＳＲ３のそれぞれの下限値は（０）に設定され、カウンタＳＲ１の上限値は（２４９）に設定され、カウンタＳＲ２の上限値は（１６２）に設定され、カウンタＳＲ３の上限値は（７２）に設定されている。カウンタＳＲ４はステップアップ予告を行うか否かを判定するためのものであり、カウンタＳＲ４の下限値は（０）に設定され、カウンタＳＲ４の上限値は（３２）に設定されている。
【００８５】
カウンタＳＮ１は第１特図保留回数を記録するためのものであり、第１特図保留回数が０回である場合に（０）に設定され、第１特図保留回数が１回である場合に（１）に設定され、第１特図保留回数が２回である場合に（２）に設定され、第１特図保留回数が３回である場合に（３）に設定され、第１特図保留回数が最大の４回である場合に（４）に設定される。カウンタＳＮ２は第２特図保留回数を記録するためのものであり、第２特図保留回数が０回である場合に（０）に設定され、第２特図保留回数が１回である場合に（１）に設定され、第２特図保留回数が２回である場合に（２）に設定され、第２特図保留回数が３回である場合に（３）に設定され、第２特図保留回数が最大の４回である場合に（４）に設定される。カウンタＳＮ３は第１特図保留回数および第２特図保留回数の合計値を計測するためのものであり、カウンタＳＮ４はステップアップ予告の残り回数を計測するためのものである。
【００８６】
図２７の（ａ）は演出制御回路７０のＲＯＭ７２に予め記録された図柄テーブル１であり、図２７の（ｂ）は演出制御回路７０のＲＯＭ７２に予め記録された図柄テーブル２であり、図２７の（ｃ）は演出制御回路７０のＲＯＭ７２に予め記録された図柄テーブル３であり、図２７の（ｄ）は演出制御回路７０のＲＯＭ７２に予め記録された図柄テーブル４である。これら図柄テーブル１〜４のそれぞれは装飾図柄の組合せを設定する場合に使用されるものであり、図柄テーブル１では（２）（４）（６）（８）の４種類の偶数の図柄要素のそれぞれにカウンタＳＲ１の更新範囲内の複数の値が割付けられ、図柄テーブル２では（１）（３）（５）（７）の４種類の奇数の図柄要素のそれぞれにカウンタＳＲ１の更新範囲内の複数の値が割付けられ、図柄テーブル３では（１）〜（８）の８種類の図柄要素のそれぞれにカウンタＳＲ２の更新範囲内の複数の値が割付けられ、図柄テーブル４では（１）〜（８）の８種類の図柄要素のそれぞれにカウンタＳＲ３の更新範囲内の複数の値が割付けられている。
【００８７】
図２８は演出制御回路７０のＲＯＭ７２に予め記録された大当り先読みテーブルである。この大当り先読みテーブルは大当り判定テーブル２と同一の１個の値（大当り先読みコマンド０）に大当りの先読み結果を割付け、大当り判定テーブル２と同一の３００個の値（大当り先読みコマンド１〜３００）のそれぞれに外れの先読み結果を割付けたものであり、メイン制御回路５０から大当り先読みコマンドが送信された場合には大当り先読みテーブルから大当り先読みコマンドの送信結果に応じた１つの先読み結果が選択されることで大当りであるか否かが先読みされる。
【００８８】
図２９の（ａ）は演出制御回路７０のＲＡＭ７３に設定された演出データ格納部１２０である。コマンド格納部１２１はメイン制御回路５０から送信される図９の特図変動開始コマンド〜電チューサポート停止コマンドのそれぞれが記録される領域である。カウンタ格納部１２２はカウンタＳＲ１とＳＲ２とＳＲ３とＳＲ４とＳＮ１とＳＮ２とＳＮ３とＳＮ４のそれぞれの値が記録される領域であり、タイマ格納部１２３はタイマＳＴ１の値が記録される領域である。フラグ格納部１２４は予告禁止フラグと装飾図柄遊技フラグとステップアップ予告フラグのそれぞれが記録される領域であり、確定図柄格納部１２５は装飾図柄遊技の映像で停止表示する装飾図柄の組合せが記録される領域である。予告禁止フラグは電チューサポートモードがオン状態に設定されているか否かを示すものであり、装飾図柄遊技フラグは装飾図柄表示器４５に装飾図柄遊技の映像が表示されているか否かを示すものであり、ステップアップ予告フラグはステップアップ予告を行うと判定されたか否かを示すものである。
【００８９】
図２９の（ｂ）は演出制御回路７０のＲＡＭ７３に設定された大当り先読み結果格納部１２６であり、メイン制御回路５０から大当り先読みコマンドが送信された場合には大当り先読みコマンドの送信結果に基づいて大当りであるか否かが先読みされ、大当りであるか否かの先読み結果が大当り先読み結果格納部１２６に記録される。この大当り先読み結果格納部１２６には保留番号０と保留番号１と保留番号２と保留番号３と保留番号４の５つの領域が設定されており、大当りの先読み結果は保留番号０〜保留番号４のいずれか１つの大当り先読み結果格納部１２６に記録される。
【００９０】
図２９の（ｃ）は演出制御回路７０のＲＡＭ７３に設定された外れリーチ先読みコマンド格納部１２７である。この外れリーチ先読みコマンド格納部１２７には保留番号０と保留番号１と保留番号２と保留番号３と保留番号４の５つの領域が設定されており、メイン制御回路５０から外れリーチ先読みコマンドが送信された場合には外れリーチ先読みコマンドの送信結果が保留番号０〜保留番号４のいずれか１つの外れリーチ先読みコマンド格納部１２７に記録される。
【００９１】
図２９の（ｄ）は演出制御回路７０のＲＡＭ７３に設定されたリーチ先読み結果格納部１２８であり、メイン制御回路５０から大当り先読みコマンドが送信された場合には大当り先読みコマンドの送信結果に基づいてリーチであるか否かが先読みされ、メイン制御回路５０から外れリーチ先読みコマンドが送信された場合には外れリーチ先読みコマンドの送信結果に基づいてリーチであるか否かが先読みされる。このリーチとは左列の図柄要素および右列の図柄要素が相互に同一な状態であり、リーチであるか否かの先読み結果はリーチ先読み結果格納部１２８に記録される。このリーチ先読み結果格納部１２８には保留番号０と保留番号１と保留番号２と保留番号３と保留番号４の５つの領域が設定されており、リーチであるか否かの先読み結果は保留番号０〜保留番号４のいずれか１つのリーチ先読み結果格納部１２８に記録される。
【００９２】
図２９の（ｅ）は演出制御回路７０のＲＡＭ７３に設定されたリーチ確定データ格納部１２９である。このリーチ確定データ格納部１２９には保留番号０〜保留番号４の５つの領域が設定されており、装飾図柄遊技の映像で装飾図柄がリーチの組合せになることが確定したと先読みされた場合には保留番号０〜４のいずれかのリーチ確定データ格納部１２９にリーチ確定のリーチ確定データが記録される。
【００９３】
図３０の（ａ）は演出制御回路７０のＲＯＭ７２に予め記録された予告判定テーブル０−１であり、図３０の（ｂ）は演出制御回路７０のＲＯＭ７２に予め記録された予告判定テーブル０−２である。これら予告判定テーブル０−１および予告判定テーブル０−２はいずれもカウンタＳＲ４の更新範囲内の複数の値のそれぞれに予告有りの判定結果を割付け、カウンタＳＲ４の更新範囲内の残りの複数の値のそれぞれに予告無しの判定結果を割付けたものであり、電チューサポートモードのオフ状態で保留番号０の大当り先読み結果格納部１２６に大当りの先読み結果が記録され且つ保留番号０のリーチ先読み結果格納部１２６にリーチの先読み結果が記録され且つ保留番号０のリーチ確定データ格納部１２９にリーチ確定データが記録された場合には予告判定テーブル０−１からカウンタＳＲ４の値の更新結果に応じた１つの判定結果が選択されることで１段階のステップアップ予告を発生させるか否かが判定され、電チューサポートモードのオフ状態で保留番号０の大当り先読み結果格納部１２６に外れの先読み結果が記録され且つ保留番号０のリーチ先読み結果格納部１２８にリーチの先読み結果が記録され且つ保留番号０のリーチ確定データ記録部１２９にリーチ確定データが記録された場合には予告判定テーブル０−２からカウンタＳＲ４の値の更新結果に応じた１つの判定結果が選択されることで１段階のステップアップ予告を発生させるか否かが判定される。
【００９４】
図３０の（ｃ）は演出制御回路７０のＲＯＭ７２に予め記録された予告判定テーブル１−１であり、図３０の（ｄ）は演出制御回路７０のＲＯＭ７２に予め記録された予告判定テーブル１−２である。これら予告判定テーブル１−１および予告判定テーブル１−２はいずれもカウンタＳＲ４の更新範囲内の複数の値のそれぞれに予告有りの判定結果を割付け、カウンタＳＲ４の更新範囲内の残りの複数の値のそれぞれに予告無しの判定結果を割付けたものであり、電チューサポートモードのオフ状態で保留番号１の大当り先読み結果格納部１２６に大当りの先読み結果が記録され且つ保留番号１のリーチ先読み結果格納部１２８にリーチの先読み結果が記録され且つ保留番号１のリーチ確定データ記録部１２９にリーチ確定データが記録された場合には予告判定テーブル１−１からカウンタＳＲ４の値の更新結果に応じた１つの判定結果が選択されることで２段階のステップアップ予告を発生させるか否かが判定され、電チューサポートモードのオフ状態で保留番号１の大当り先読み結果格納部１２６に外れの先読み結果が記録され且つ保留番号１のリーチ先読み結果格納部１２８にリーチの先読み結果が記録され且つ保留番号１のリーチ確定データ格納部１２９にリーチ確定データが記録された場合には予告判定テーブル１−２からカウンタＳＲ４の値の更新結果に応じた１つの判定結果が選択されることで２段階のステップアップ予告を発生させるか否かが判定される。
【００９５】
図３０の（ｅ）は演出制御回路７０のＲＯＭ７２に予め記録された予告判定テーブル２−１であり、図３０の（ｆ）は演出制御回路７０のＲＯＭ７２に予め記録された予告判定テーブル２−２である。これら予告判定テーブル２−１および予告判定テーブル２−２はいずれもカウンタＳＲ４の更新範囲内の複数の値のそれぞれに予告有りの判定結果を割付け、カウンタＳＲ４の更新範囲内の残りの複数の値のそれぞれに予告無しの判定結果を割付けたものであり、電チューサポートモードのオフ状態で保留番号２の大当り先読み結果格納部１２６に大当りの先読み結果が記録され且つ保留番号２のリーチ先読み結果格納部１２８にリーチの先読み結果が記録され且つ保留番号２のリーチ確定データ格納部１２９にリーチ確定データが記録された場合には予告判定テーブル２−１からカウンタＳＲ４の値の更新結果に応じた１つの判定結果が選択されることで３段階のステップアップ予告を発生させるか否かが判定され、電チューサポートモードのオフ状態で保留番号２の大当り先読み結果格納部１２６に外れの先読み結果が記録され且つ保留番号２のリーチ先読み結果格納部１２８にリーチの先読み結果が記録され且つ保留番号２のリーチ確定データ格納部１２９にリーチ確定データが記録された場合には予告判定テーブル２−２からカウンタＳＲ４の値の更新結果に応じた１つの判定結果が選択されることで３段階のステップアップ予告を発生させるか否かが判定される。
【００９６】
大当り用の予告判定テーブル０−１は１段階のステップアップ予告を（２／３３）の確率で発生させると判定するものであり、外れリーチ用の予告判定テーブル０−１は１段階のステップアップ予告を（３／３３）の確率で発生させると判定するものであり、１段階のステップアップ予告の信頼度は１段階のステップアップ予告〜３段階のステップアップ予告のうちで最低（２／２＋３）に設定されている。大当り用の予告判定テーブル１−１は２段階のステップアップ予告を（４／３３）の確率で発生させると判定するものであり、外れリーチ用の予告判定テーブル１−１は２段階のステップアップ予告を（４／３３）の確率で発生させると判定するものであり、２段階のステップアップ予告が発生した場合の信頼度は１段階のステップアップ予告〜３段階のステップアップ予告のうちで中（４／４＋４）に設定されている。大当り用の予告判定テーブル２−１は３段階のステップアップ予告を（６／３３）の確率で発生させると判定するものであり、外れリーチ用の予告判定テーブル２−１は３段階のステップアップ予告を（２／３３）の確率で発生させると判定するものであり、３段階のステップアップ予告が発生した場合の信頼度は１段階のステップアップ予告〜３段階のステップアップ予告のうちで最高（６／６＋２）に設定されている。
【００９７】
図３１の（ａ）は演出制御回路７０のＲＯＭ７２に予め記録された外れリーチ先読みテーブル０であり、外れリーチ先読みテーブル０には外れリーチ判定テーブル１−０と同一の１個の値（外れリーチ先読みコマンド０）に外れリーチの先読み結果が割付けられ、外れリーチ判定テーブル１−０と同一の１０個の値（外れリーチ先読みコマンド１〜１０）のそれぞれに完全外れの先読み結果が割付けられている。この外れリーチ先読みテーブル０は外れリーチ先読みコマンド格納部１２７の外れリーチ先読みコマンドに応じてリーチであるか否かを先読みするためのものである。
【００９８】
図３２および図３３のそれぞれは外れリーチ先読みテーブル０の適用例である。保留番号０の１つの外れリーチ先読みコマンド格納部１２７に外れリーチ先読みコマンドが記録されている場合には外れリーチ先読みテーブル０から保留番号０の外れリーチ先読みコマンドに応じた１つの先読み結果が選択されることで保留番号０の第１特図保留データ格納部１１７のカウンタＭＲ４の値に応じて外れリーチが判定されるか否かが先読みされ、外れリーチが判定されるか否かの先読み結果が保留番号０のリーチ先読み結果格納部１２８に記録される（図３２のａ参照）。
【００９９】
保留番号０〜１の２つの外れリーチ先読みコマンド格納部１２７に外れリーチ先読みコマンドが記録されている場合には外れリーチ先読みテーブル０から保留番号１の外れリーチ先読みコマンドに応じた１つの先読み結果が選択されることで保留番号１の第１特図保留データ格納部１１７のカウンタＭＲ４の値に応じて外れリーチが判定されるか否かが先読みされ、外れリーチが判定されるか否かの先読み結果が保留番号１のリーチ先読み結果格納部１２８に記録される（図３２のｂ参照）。
【０１００】
保留番号０〜２の３つの外れリーチ先読みコマンド格納部１２７に外れリーチ先読みコマンドが記録されている場合には外れリーチ先読みテーブル０から保留番号２の外れリーチ先読みコマンドに応じた１つの先読み結果が選択されることで保留番号２の第１特図保留データ格納部１１７のカウンタＭＲ４の値に応じて外れリーチが判定されるか否かが先読みされ、外れリーチが判定されるか否かの先読み結果が保留番号２のリーチ先読み結果格納部１２８に記録される（図３２のｃ参照）。
【０１０１】
保留番号０〜３の４つの外れリーチ先読みコマンド格納部１２７に外れリーチ先読みコマンドが記録されている場合には外れリーチ先読みテーブル０から保留番号３の外れリーチ先読みコマンドに応じた１つの先読み結果が選択されることで保留番号３の第１特図保留データ格納部１１７のカウンタＭＲ４の値に応じて外れリーチが判定されるか否かが先読みされ、外れリーチが判定されるか否かの先読み結果が保留番号３のリーチ先読み結果格納部１２８に記録される（図３３のａ参照）。
【０１０２】
保留番号０〜４の５つの外れリーチ先読みコマンド格納部１２７に外れリーチ先読みコマンドが記録されている場合には外れリーチ先読みテーブル０から保留番号４の外れリーチ先読みコマンドに応じた１つの先読み結果が選択されることで保留番号４の第１特図保留データ格納部１１７のカウンタＭＲ４の値に応じて外れリーチが判定されるか否かが先読みされ、外れリーチが判定されるか否かの先読み結果が保留番号４のリーチ先読み結果格納部１２８に記録される（図３３のｂ参照）。
【０１０３】
図３１の（ｂ）は演出制御回路７０のＲＯＭ７２に予め記録された外れリーチ先読みテーブル１であり、外れリーチ先読みテーブル１には外れリーチ判定テーブル１−１と同一の２個の値（外れリーチ先読みコマンド０〜１）のそれぞれに外れリーチの先読み結果が割付けられ、外れリーチ判定テーブル１−１と同一の９個（外れリーチ先読みコマンド２〜１０）の値のそれぞれに完全外れの先読み結果が割付けられている。この外れリーチ先読みテーブル１は外れリーチ先読みコマンド格納部１２７の外れリーチ先読みコマンドに応じて外れリーチであるか否かを先読みするためのものである。
【０１０４】
図３４および図３５のそれぞれは外れリーチ先読みテーブル１の適用例であり、保留番号０〜１の２つの外れリーチ先読みコマンド格納部１２７に外れリーチ先読みコマンドが記録されている場合には外れリーチ先読みテーブル１から保留番号０の外れリーチ先読みコマンドに応じた１つの先読み結果が選択されることで保留番号０の第１特図保留データ格納部１１７のカウンタＭＲ４の値に応じて外れリーチが判定されるか否かが先読みされ、外れリーチが判定されるか否かの先読み結果が保留番号０のリーチ先読み結果格納部１２８に記録される（図３４のａ参照）。
【０１０５】
保留番号０〜２の３つの外れリーチ先読みコマンド格納部１２７に外れリーチ先読みコマンドが記録されている場合には外れリーチ先読みテーブル１から保留番号１の外れリーチ先読みコマンドに応じた１つの先読み結果が選択されることで保留番号１の第１特図保留データ格納部１１７のカウンタＭＲ４の値に応じて外れリーチが判定されるか否かが先読みされ、外れリーチが判定されるか否かの先読み結果が保留番号１のリーチ先読み結果格納部１２８に記録される（図３４のｂ参照）。
【０１０６】
保留番号０〜３の４つの外れリーチ先読みコマンド格納部１２７に外れリーチ先読みコマンドが記録されている場合には外れリーチ先読みテーブル１から保留番号２の外れリーチ先読みコマンドに応じた１つの先読み結果が選択されることで保留番号２の第１特図保留データ格納部１１７のカウンタＭＲ４の値に応じて外れリーチが判定されるか否かが先読みされ、外れリーチが判定されるか否かの先読み結果が保留番号２のリーチ先読み結果格納部１２８に記録される（図３５のａ参照）。
【０１０７】
保留番号０〜４の５つの外れリーチ先読みコマンド格納部１２７に外れリーチ先読みコマンドが記録されている場合には外れリーチ先読みテーブル１から保留番号３の外れリーチ先読みコマンドに応じた１つの先読み結果が選択されることで保留番号３の第１特図保留データ格納部１１７のカウンタＭＲ４の値に応じて外れリーチが判定されるか否かが先読みされ、外れリーチが判定されるか否かの先読み結果が保留番号３のリーチ先読み結果格納部１２８に記録される（図３５のｂ参照）。
【０１０８】
図３１の（ｃ）は演出制御回路７０のＲＯＭ７２に予め記録された外れリーチ先読みテーブル２であり、外れリーチ先読みテーブル２には外れリーチ判定テーブル１−２と同一の３個の値（外れリーチ先読みコマンド０〜２）のそれぞれに外れリーチの先読み結果が割付けられ、外れリーチ判定テーブル１−２と同一の８個の値（外れリーチ先読みコマンド３〜１０）のそれぞれに完全外れの先読み結果が割付けられている。この外れリーチ先読みテーブル２は外れリーチ先読みコマンド格納部１２７の外れリーチ先読みコマンドに応じて外れリーチであるか否かを先読みするためのものである。
【０１０９】
図３６は外れリーチ先読みテーブル２の適用例であり、保留番号０〜２の３つの外れリーチ先読みコマンド格納部１２７に外れリーチ先読みコマンドが記録されている場合には外れリーチ先読みテーブル２から保留番号０の外れリーチ先読みコマンドに応じた１つの先読み結果が選択されることで保留番号０の第１特図保留データ格納部１１７のカウンタＭＲ４の値に応じて外れリーチが判定されるか否かが先読みされ、外れリーチが判定されるか否かの先読み結果が保留番号０のリーチ先読み結果格納部１２８に記録される（図３６のａ参照）。
【０１１０】
保留番号０〜３の４つの外れリーチ先読みコマンド格納部１２７に外れリーチ先読みコマンドが記録されている場合には外れリーチ先読みテーブル２から保留番号１の外れリーチ先読みコマンドに応じた１つの先読み結果が選択されることで保留番号１の第１特図保留データ格納部１１７のカウンタＭＲ４の値に応じて外れリーチが判定されるか否かが先読みされ、外れリーチが判定されるか否かの先読み結果が保留番号１のリーチ先読み結果格納部１２８に記録される（図３６のｂ参照）。
【０１１１】
保留番号０〜４の５つの外れリーチ先読みコマンド格納部１２７に外れリーチ先読みコマンドが記録されている場合には外れリーチ先読みテーブル２から保留番号２の外れリーチ先読みコマンドに応じた１つの先読み結果が選択されることで保留番号２の第１特図保留データ格納部１１７のカウンタＭＲ４の値に応じて外れリーチが判定されるか否かが先読みされ、外れリーチが判定されるか否かの先読み結果が保留番号２のリーチ先読み結果格納部１２８に記録される（図３６のｃ参照）。
【０１１２】
図３１の（ｄ）は演出制御回路７０のＲＯＭ７２に予め記録された外れリーチ先読みテーブル３であり、外れリーチ先読みテーブル３には外れリーチ判定テーブル１−３と同一の４個の値（外れリーチ先読みコマンド０〜３）のそれぞれに外れリーチの先読み結果が割付けられ、外れリーチ判定テーブル１−３と同一の７個の値（外れリーチ先読みコマンド４〜１０）のそれぞれに完全外れの先読み結果が割付けられている。この外れリーチ先読みテーブル３は外れリーチ先読みコマンド格納部１２７の外れリーチ先読みコマンドに応じて外れリーチであるか否かを先読みするためのものである。
【０１１３】
図３７は外れリーチ先読みテーブル３の適用例であり、保留番号０〜３の４つの外れリーチ先読みコマンド格納部１２７に外れリーチ先読みコマンドが記録されている場合には外れリーチ先読みテーブル３から保留番号０の外れリーチ先読みコマンドに応じた１つの先読み結果が選択されることで保留番号０の第１特図保留データ格納部１１７のカウンタＭＲ４の値に応じて外れリーチが判定されるか否かが先読みされ、外れリーチが判定されるか否かの先読み結果が保留番号０のリーチ先読み結果格納部１２８に記録される（図３７のａ参照）。
【０１１４】
保留番号０〜４の５つの外れリーチ先読みコマンド格納部１２７に外れリーチ先読みコマンドが記録されている場合には外れリーチ先読みテーブル３から保留番号１の外れリーチ先読みコマンドに応じた１つの先読み結果が選択されることで保留番号１の第１特図保留データ格納部１１７のカウンタＭＲ４の値に応じて外れリーチが判定されるか否かが先読みされ、外れリーチが判定されるか否かの先読み結果が保留番号１のリーチ先読み結果格納部１２８に記録される（図３７のｂ参照）。
【０１１５】
図３１の（ｅ）は演出制御回路７０のＲＯＭ７２に予め記録された外れリーチ先読みテーブル４であり、外れリーチ先読みテーブル４には外れリーチ判定テーブル１−４と同一の５個の値（外れリーチ先読みコマンド０〜４）のそれぞれに外れリーチの先読み結果が割付けられ、外れリーチ判定テーブル１−４と同一の６個の値（外れリーチ先読みコマンド５〜１０）のそれぞれに完全外れの先読み結果が割付けられている。この外れリーチ先読みテーブル４は外れリーチ先読みコマンド格納部１２７の外れリーチ先読みコマンドに応じて外れリーチであるか否かを先読みするためのものである。
【０１１６】
図３８は外れリーチ先読みテーブル４の適用例であり、保留番号０〜４の５つの外れリーチ先読みコマンド格納部１２７に外れリーチ先読みコマンドが記録されている場合には外れリーチ先読みテーブル４から保留番号０の外れリーチ先読みコマンドに応じた１つの先読み結果が選択されることで保留番号０の第１特図保留データ格納部１１７のカウンタＭＲ４の値に応じて外れリーチが判定されるか否かが先読みされ、外れリーチが判定されるか否かの先読み結果が保留番号０のリーチ先読み結果格納部１２８に記録される。
【０１１７】
図３９は大当り先読み結果格納部１２６に大当りの先読み結果が記録されている場合のリーチ確定データ格納部１２９の記録内容を説明するものであり、保留番号０の大当り先読み結果格納部１２６に大当りの先読み結果が記録されている場合には保留番号０のリーチ確定データ格納部１２９にリーチ確定データが記録され、保留番号１の大当り先読み結果格納部１２６に大当りの先読み結果が記録されている場合には保留番号１のリーチ確定データ格納部１２９にリーチ確定データが記録され、保留番号２の大当り先読み結果格納部１２６に大当りの先読み結果が記録されている場合には保留番号２のリーチ確定データ格納部１２９にリーチ確定データが記録され、保留番号３の大当り先読み結果格納部１２６に大当りの先読み結果が記録されている場合には保留番号３のリーチ確定データ格納部１２９にリーチ確定データが記録され、保留番号４の大当り先読み結果格納部１２６に大当りの先読み結果が記録されている場合には保留番号４のリーチ確定データ格納部１２９にリーチ確定データが記録される。
【０１１８】
図４０の（ａ）〜（ｅ）のそれぞれは外れリーチ先読みコマンド格納部１２７に外れリーチ先読みコマンド０が記録されている場合のリーチ確定データ格納部１２９の記録内容を説明するものである。この外れリーチ先読みコマンド０はカウンタＭＲ４の値として（０）が選択された場合に送信されるものであり（図１０のｃ参照）、カウンタＭＲ４の値（０）は第１特図保留回数が０回〜４回のいずれであっても外れリーチであると判定されるものである。図４０の（ａ）は保留番号０の外れリーチ先読みコマンド格納部１２７に外れリーチ先読みコマンド０が記録されている場合であり、保留番号０のリーチ確定データ格納部１２９には保留番号１〜４の外れリーチ先読みコマンド格納部１２７のそれぞれに外れリーチ先読みコマンドが記録されているか否かに拘らずリーチ確定データが記録される。図４０の（ｂ）は保留番号１の外れリーチ先読みコマンド格納部１２７に外れリーチ先読みコマンド０が記録されている場合であり、保留番号１のリーチ確定データ格納部１２９には保留番号２〜４のそれぞれの外れリーチ先読みコマンド格納部１２７に外れリーチ先読みコマンドが記録されているか否かに拘らずリーチ確定データが記録される。図４０の（ｃ）は保留番号２の外れリーチ先読みコマンド格納部１２７に外れリーチ先読みコマンド０が記録されている場合であり、保留番号２のリーチ確定データ格納部１２９には保留番号３〜４のそれぞれの外れリーチ先読みコマンド格納部１２７に外れリーチ先読みコマンドが記録されているか否かに拘らずリーチ確定データが記録される。図４０の（ｄ）は保留番号３の外れリーチ先読みコマンド格納部１２７に外れリーチ先読みコマンド０が記録されている場合であり、保留番号３のリーチ確定データ格納部１２９には保留番号４の外れリーチ先読みコマンド格納部１２７に外れリーチ先読みコマンドが記録されているか否かに拘らずリーチ確定データが記録される。図４０の（ｅ）は保留番号４の外れリーチ先読みコマンド格納部１２７に外れリーチ先読みコマンド０が記録されている場合であり、保留番号４のリーチ確定データ格納部１２９にはリーチ確定データが記録される。
【０１１９】
図４１の（ａ）〜（ｄ）のそれぞれは外れリーチ先読みコマンド格納部１２７に外れリーチ先読みコマンド１が記録されている場合のリーチ確定データ格納部１２９の記録内容を説明するものである。この外れリーチ先読みコマンド１はカウンタＭＲ４の値として（１）が選択された場合に送信されるものであり（図１０のｃ参照）、カウンタＭＲ４の値（１）は第１特図保留回数が１回と２回と３回と４回のいずれかである場合に外れリーチであると判定されるものである。図４１の（ａ）は保留番号０の外れリーチ先読みコマンド格納部１２７に外れリーチ先読みコマンド１が記録されている場合であり、保留番号０のリーチ確定データ格納部１２９には保留番号２〜４のそれぞれの外れリーチ先読みコマンド格納部１２７に外れリーチ先読みコマンドが記録されているか否かに拘らず保留番号１の外れリーチ先読みコマンド格納部１２７に外れリーチ先読みコマンドが記録されている場合にリーチ確定データが記録される。図４１の（ｂ）は保留番号１の外れリーチ先読みコマンド格納部１２７に外れリーチ先読みコマンド１が記録されている場合であり、保留番号１のリーチ確定データ格納部１２９には保留番号３〜４のそれぞれの外れリーチ先読みコマンド格納部１２７に外れリーチ先読みコマンドが記録されているか否かに拘らず保留番号２の外れリーチ先読みコマンド格納部１２７に外れリーチ先読みコマンドが記録されている場合にリーチ確定データが記録される。図４１の（ｃ）は保留番号２の外れリーチ先読みコマンド格納部１２７に外れリーチ先読みコマンド１が記録されている場合であり、保留番号２のリーチ確定データ格納部１２９には保留番号４の外れリーチ先読みコマンド格納部１２７に外れリーチ先読みコマンドが記録されているか否かに拘らず保留番号３の外れリーチ先読みコマンド格納部１２７に外れリーチ先読みコマンドが記録されている場合にリーチ確定データが記録される。図４１の（ｄ）は保留番号３の外れリーチ先読みコマンド格納部１２７に外れリーチ先読みコマンド１が記録されている場合であり、保留番号３のリーチ確定データ格納部１２９には保留番号４の外れリーチ先読みコマンド格納部１２７に外れリーチ先読みコマンドが記録されている場合にリーチ確定データが記録される。
【０１２０】
図４２の（ａ）〜（ｃ）のそれぞれは外れリーチ先読みコマンド格納部１２７に外れリーチ先読みコマンド２が記録されている場合のリーチ確定データ格納部１２９の記録内容を説明するものである。この外れリーチ先読みコマンド２はカウンタＭＲ４の値として（２）が選択された場合に送信されるものであり（図１０のｃ参照）、カウンタＭＲ４の値（２）は第１特図保留回数が２回と３回と４回のいずれかである場合に外れリーチであると判定されるものである。図４２の（ａ）は保留番号０の外れリーチ先読みコマンド格納部１２７に外れリーチ先読みコマンド２が記録されている場合であり、保留番号０のリーチ確定データ格納部１２９には保留番号３〜４のそれぞれの外れリーチ先読みコマンド格納部１２７に外れリーチ先読みコマンドが記録されているか否かに拘らず保留番号１〜２のそれぞれの外れリーチ先読みコマンド格納部１２７に外れリーチ先読みコマンドが記録されている場合にリーチ確定データが記録される。図４２の（ｂ）は保留番号１の外れリーチ先読みコマンド格納部１２７に外れリーチ先読みコマンド２が記録されている場合であり、保留番号２のリーチ確定データ格納部１２９には保留番号４の外れリーチ先読みコマンド格納部１２７に外れリーチ先読みコマンドが記録されているか否かに拘らず保留番号２〜３のそれぞれの外れリーチ先読みコマンド格納部１２７に外れリーチ先読みコマンドが記録されている場合にリーチ確定データが記録される。図４２の（ｃ）は保留番号２の外れリーチ先読みコマンド格納部１２７に外れリーチ先読みコマンド２が記録されている場合であり、保留番号２のリーチ確定データ格納部１２９には保留番号３〜４のそれぞれの外れリーチ先読みコマンド格納部１２７に外れリーチ先読みコマンドが記録されている場合にリーチ確定データが記録される。
【０１２１】
図４３の（ａ）〜（ｂ）のそれぞれは外れリーチ先読みコマンド格納部１２７に外れリーチ先読みコマンド３が記録されている場合のリーチ確定データ格納部１２９の記録内容を説明するものである。この外れリーチ先読みコマンド３はカウンタＭＲ４の値として（３）が選択された場合に送信されるものであり（図１０のｃ参照）、カウンタＭＲ４の値（３）は第１特図保留回数が３回および４回のいずれかである場合に外れリーチであると判定されるものである。図４３の（ａ）は保留番号０の外れリーチ先読みコマンド格納部１２７に外れリーチ先読みコマンド３が記録されている場合であり、保留番号０のリーチ確定データ格納部１２９には保留番号４の外れリーチ先読みコマンド格納部１２７に外れリーチ先読みコマンドが記録されているか否かに拘らず保留番号１〜３のそれぞれの外れリーチ先読みコマンド格納部１２７に外れリーチ先読みコマンドが記録されている場合にリーチ確定データが記録される。図４３の（ｂ）は保留番号１の外れリーチ先読みコマンド格納部１２７に外れリーチ先読みコマンド３が記録されている場合であり、保留番号１のリーチ確定データ格納部１２９には保留番号２〜４のそれぞれの外れリーチ先読みコマンド格納部１２７に外れリーチ先読みコマンドが記録されている場合にリーチ確定データが記録される。
【０１２２】
図４４は外れリーチ先読みコマンド格納部１２７に外れリーチ先読みコマンド４が記録されている場合のリーチ確定データ格納部１２９の記録内容を説明するものである。この外れリーチ先読みコマンド４はカウンタＭＲ４の値として（４）が選択された場合に送信されるものであり（図１０のｃ参照）、カウンタＭＲ４の値（４）は第１特図保留回数が４回である場合に外れリーチであると判定されるものである。図４４は保留番号０の外れリーチ先読みコマンド格納部１２７に外れリーチ先読みコマンド４が記録されている場合であり、保留番号０のリーチ確定データ格納部１２９には保留番号１〜４のそれぞれの外れリーチ先読みコマンド格納部１２７に外れリーチ先読みコマンドが記録されている場合にリーチ確定データが記録される。
［１］メイン処理
図４５はメイン制御回路５０のＣＰＵ５１が実行するメイン処理であり、ＣＰＵ５１は電源が投入された場合にはステップＳ１でレジスタおよびＰＩＯ（パラレル入出力ポート）のそれぞれを初期設定する。そして、ステップＳ２でＲＡＭ５３の普通図柄格納部１１１と特別図柄格納部１１２とフラグ格納部１１３とカウンタ格納部１１４とタイマ格納部１１５と保留番号０〜４のそれぞれの普通図保留データ格納部１１６と保留番号０〜４のそれぞれの第１特図保留データ格納部１１７と保留番号０〜４のそれぞれの第２特図保留データ格納部１１８の全てを初期設定し、ステップＳ３で４ｍｓｅｃ毎にタイマ割込みが発生するようにＣＴＣ（カウンタ／タイマ）を初期設定する。
【０１２３】
ＣＰＵ５１はステップＳ３でＣＴＣを初期設定すると、ステップＳ４のカウンタ更新処理１を繰返す。このカウンタ更新処理１はカウンタ格納部１１４のカウンタＭＲ４の値およびＭＲ５の値のそれぞれにＲＯＭ５２に予め記録された一定値（１）を加算するものである。これらカウンタＭＲ４の値およびＭＲ５の値のそれぞれはステップＳ２で下限値（０）に初期設定されるものであり、カウンタＭＲ４の値はステップＳ４で下限値（０）から上限値（１０）に加算された後に下限値（０）に戻して循環的に加算され、カウンタＭＲ５の値はステップＳ４で下限値（０）から上限値（１００）に加算された後に下限値（０）に戻して循環的に加算される。これら下限値（０）と上限値（１０）と上限値（１００）のそれぞれはＲＯＭ５２に予め記録されたものである。
［２］タイマ割込み処理
図４６はＣＰＵ５１がタイマ割込みの発生する４ｍｓｅｃ毎に実行するタイマ割込み処理であり、ＣＰＵ５１はタイマ割込みが発生する毎にステップＳ１１のカウンタ更新処理２とステップＳ１２の普通図データ取得処理とステップＳ１３の第１特図データ取得処理とステップＳ１４の第２特図データ取得処理とステップＳ１５の普通図柄プロセス処理とステップＳ１６の特別図柄プロセス処理を順に実行する。
［２−１］カウンタ更新処理２
図４６のステップＳ１１のカウンタ更新処理２はＲＯＭ５２に予め記録された一定値（１）をカウンタ格納部１１４のカウンタＭＲ１の値とカウンタＭＲ２の値とカウンタＭＲ３の値のそれぞれに加算するものである。このカウンタ格納部１１４のカウンタＭＲ１の値〜カウンタＭＲ３の値のそれぞれはステップＳ２で下限値（０）に初期設定されるものであり、カウンタＭＲ１の値はステップＳ１１で下限値（０）から上限値（３００）に加算された後に下限値（０）に戻して循環的に加算され、カウンタＭＲ２の値はステップＳ１１で下限値（０）から上限値（３２）に加算された後に下限値（０）に戻して循環的に加算され、カウンタＭＲ３の値はステップＳ１１で下限値（０）から上限値（１９）に加算された後に下限値（０）に戻して循環的に加算される。これら下限値（０）と上限値（３００）と上限値（３２）と上限値（１９）のそれぞれはＲＯＭ５２に予め記録されたものである。
［２−２］普通図データ取得処理
図４７はステップＳ１２の普通図データ取得処理であり、ＣＰＵ５１はステップＳ２１でセンサ回路５４から普通図柄始動信号が出力されているか否かを判断する。ここでセンサ回路５４から普通図柄始動信号が出力されていると判断した場合にはステップＳ２２でカウンタ格納部１１４からカウンタＭＲ２の値の更新結果を検出し、ステップＳ２３でカウンタ格納部１１４のカウンタＭＮ３の値が初期値に設定されているか否かを判断する。このカウンタ格納部１１４のカウンタＭＮ３の値はステップＳ２で（０）（１）（２）（３）（４）のいずれとも異なる初期値に設定されるものであり、ＣＰＵ５１はステップＳ２３でカウンタ格納部１１４のカウンタＭＮ３の値が初期値に設定されていると判断した場合にはステップＳ２４でカウンタ格納部１１４のカウンタＭＮ３の値に（０）を設定する。
【０１２４】
ＣＰＵ５１はステップＳ２３でカウンタ格納部１１４のカウンタＭＮ３の値が初期値に設定されていないと判断すると、ステップＳ２５でカウンタ格納部１１４のカウンタＭＮ３の値がＲＯＭ５２に予め記録された上限値（４）に比べて小さいか否かを判断する。ここでカウンタ格納部１１４のカウンタＭＮ３の値が上限値（４）に到達していると判断した判断にはステップＳ２６でカウンタＭＲ２の値の検出結果をクリアし、カウンタ格納部１１４のカウンタＭＮ３の値が上限値（４）に比べて小さいと判断した場合にはステップＳ２７でカウンタ格納部１１４のカウンタＭＮ３の値に一定値（１）を加算する。
【０１２５】
ＣＰＵ５１はステップＳ２４またはステップＳ２７でカウンタ格納部１１４のカウンタＭＮ３の値を更新すると、ステップＳ２８でカウンタＭＲ２の値の検出結果を普通図保留データ格納部１１６に記録する。この処理はカウンタＭＮ３の値の更新結果に応じて行われるものであり、ＣＰＵ５１はカウンタＭＮ３の値の更新結果が（０）である場合にはカウンタＭＲ２の値の検出結果を保留番号０の普通図保留データ格納部１１６に記録し、カウンタＭＮ３の値の更新結果が（１）である場合には保留番号１の普通図保留データ格納部１１６に記録し、カウンタＭＮ３の値の更新結果が（２）である場合には保留番号２の普通図保留データ格納部１１６に記録し、カウンタＭＮ３の値の更新結果が（３）である場合には保留番号３の普通図保留データ格納部１１６に記録し、カウンタＭＮ３の値の更新結果が（４）である場合には保留番号４の普通図保留データ格納部１１６に記録する。即ち、普通図柄遊技の保留回数には上限値（４回）が設定されており、４回の普通図柄遊技が保留されている状態で遊技球が普通図柄始動口２６内を通過した場合にはカウンタＭＲ２の値の記録処理が行われない。
【０１２６】
ＣＰＵ５１はステップＳ２８でカウンタＭＲ２の値の検出結果を普通図保留データ格納部１１６に記録すると、ステップＳ２９でＲＯＭ５２から図１１の（ａ）の普通図保留コマンドテーブルを検出する。そして、ステップＳ３０で普通図保留コマンドテーブルからカウンタＭＮ３の値の更新結果に応じた１つの普通図保留コマンドを選択し、ステップＳ３１で演出制御回路７０に普通図保留コマンドの選択結果を送信する。
［２−３］第１特図データ取得処理
図４８はステップＳ１３の第１特図データ取得処理であり、ＣＰＵ５１はステップＳ４１でセンサ回路５４から第１特別図柄始動信号が出力されているか否かを判断する。ここでセンサ回路５４から第１特別図柄始動信号が出力されていると判断した場合にはステップＳ４２でカウンタ格納部１１４からカウンタＭＲ１の値の更新結果とカウンタＭＲ３の値の更新結果とカウンタＭＲ４の値の更新結果とカウンタＭＲ５の値の更新結果のそれぞれを検出し、ステップＳ４３でカウンタ格納部１１４のカウンタＭＮ４の値が初期値に設定されているか否かを判断する。このカウンタ格納部１１４のカウンタＭＮ４の値はステップＳ２で（０）（１）（２）（３）（４）のいずれとも異なる初期値に設定されるものであり、ＣＰＵ５１はステップＳ４３でカウンタ格納部１１４のカウンタＭＮ４の値が初期値に設定されていると判断した場合にはステップＳ４４でカウンタ格納部１１４のカウンタＭＮ４の値に（０）を設定する。
【０１２７】
ＣＰＵ５１はステップＳ４３でカウンタ格納部１１４のカウンタＭＮ４の値が初期値に設定されていないと判断すると、ステップＳ４５でカウンタ格納部１１４のカウンタＭＮ４の値が上限値（４）に比べて小さいか否かを判断する。ここでカウンタ格納部１１４のカウンタＭＮ４の値が上限値（４）に到達していると判断した判断にはステップＳ４６でカウンタＭＲ１の値の検出結果とカウンタＭＲ３の値の検出結果とカウンタＭＲ４の値の検出結果とカウンタＭＲ５の値の検出結果のそれぞれをクリアし、カウンタ格納部１１４のカウンタＭＮ４の値が上限値（４）に比べて小さいと判断した場合にはステップＳ４７でカウンタ格納部１１４のカウンタＭＮ４の値に一定値（１）を加算する。
【０１２８】
ＣＰＵ５１はステップＳ４４またはステップＳ４７でカウンタ格納部１１４のカウンタＭＮ４の値を更新すると、ステップＳ４８でカウンタＭＲ１の値の検出結果とカウンタＭＲ３の値の検出結果とカウンタＭＲ４の値の検出結果とカウンタＭＲ５の値の検出結果のそれぞれを第１特図保留データ格納部１１７に記録する。この処理はカウンタＭＮ４の値の更新結果に応じて行われるものであり、ＣＰＵ５１はカウンタＭＮ４の値の更新結果が（０）である場合にはカウンタＭＲ１の値の検出結果とカウンタＭＲ３の値の検出結果とカウンタＭＲ４の値の検出結果とカウンタＭＲ５の値の検出結果のそれぞれを保留番号０の第１特図保留データ格納部１１７に記録し、カウンタＭＮ４の値の更新結果が（１）である場合には保留番号１の第１特図保留データ格納部１１７に記録し、カウンタＭＮ４の値の更新結果が（２）である場合には保留番号２の第１特図保留データ格納部１１７に記録し、カウンタＭＮ４の値の更新結果が（３）である場合には保留番号３の第１特図保留データ格納部１１７に記録し、カウンタＭＮ４の値の更新結果が（４）である場合には保留番号４の第１特図保留データ格納部１１７に記録する。即ち、第１特図保留回数には上限値（４回）が設定されており、第１特図保留回数が上限値に到達している状態で遊技球が第１特別図柄始動口２８内に入賞した場合にはカウンタＭＲ１の値〜ＭＲ５の値のそれぞれの記録処理が行われない。
【０１２９】
ＣＰＵ５１はステップＳ４８でカウンタＭＲ１の値の検出結果〜カウンタＭＲ５の値の検出結果のそれぞれを第１特図保留データ格納部１１７に記録すると、ステップＳ４９でＲＯＭ５２から図１１の（ｂ）の第１特図保留コマンドテーブルを検出する。そして、ステップＳ５０で第１特図保留コマンドテーブルからカウンタＭＮ４の値の更新結果に応じた１つの第１特図保留コマンドを選択し、ステップＳ５１で演出制御回路７０に第１特図保留コマンドの選択結果を送信する。
【０１３０】
ＣＰＵ５１はステップＳ５１で演出制御回路７０に第１特図保留コマンドの選択結果を送信すると、ステップＳ５２で第１特図保留データ格納部１１７からカウンタＭＲ１の値およびカウンタＭＲ４の値のそれぞれを検出する。この処理はカウンタＭＮ４の値の更新結果に応じて行われるものであり、ＣＰＵ５１はカウンタＭＮ４の値の更新結果が（０）である場合にはカウンタＭＲ１の値およびカウンタＭＲ４の値のそれぞれを保留番号０の第１特図保留データ格納部１１７から検出し、カウンタＭＮ４の値の更新結果が（１）である場合には保留番号１の第１特図保留データ格納部１１７から検出し、カウンタＭＮ４の値の更新結果が（２）である場合には保留番号２の第１特図保留データ格納部１１７から検出し、カウンタＭＮ４の値の更新結果が（３）である場合には保留番号３の第１特図保留データ格納部１１７から検出し、カウンタＭＮ４の値の更新結果が（４）である場合には保留番号４の第１特図保留データ格納部１１７から検出する。
【０１３１】
ＣＰＵ５１はステップＳ５２で第１特図保留データ格納部１１７からカウンタＭＲ１の値およびカウンタＭＲ４の値のそれぞれを検出すると、ステップＳ５３で大当り先読みコマンドを設定し、ステップＳ５４で大当り先読みコマンドの設定結果を演出制御回路７０に送信する。この大当り先読みコマンドはカウンタＭＲ１の値の検出結果を演出制御回路７０に通知するものであり、図１０の（ｂ）に示すように、カウンタＭＲ１の値の検出結果に応じて設定される。
【０１３２】
ＣＰＵ５１はステップＳ５４で大当り先読みコマンドの設定結果を演出制御回路７０に送信すると、ステップＳ５５で外れリーチ先読みコマンドを設定し、ステップＳ５６で外れリーチ先読みコマンドの設定結果を演出制御回路７０に送信する。この外れリーチ先読みコマンドはカウンタＭＲ４の値の検出結果を演出制御回路７０に通知するものであり、図１０の（ｃ）に示すように、カウンタＭＲ４の値の検出結果に応じて設定される。
［２−４］第２特図データ取得処理
図４９はステップＳ１４の第２特図データ取得処理であり、ＣＰＵ５１はステップＳ６１でセンサ回路５４から第２特別図柄始動信号が出力されているか否かを判断する。ここでセンサ回路５４から第２特別図柄始動信号が出力されていると判断した場合にはステップＳ６２でカウンタ格納部１１４からカウンタＭＲ１の値の更新結果とカウンタＭＲ３の値の更新結果とカウンタＭＲ４の値の更新結果とカウンタＭＲ５の値の更新結果のそれぞれを検出し、ステップＳ６３でカウンタ格納部１１４のカウンタＭＮ５の値が初期値に設定されているか否かを判断する。このカウンタ格納部１１４のカウンタＭＮ５の値はステップＳ２で（０）（１）（２）（３）（４）のいずれとも異なる初期値に設定されるものであり、ＣＰＵ５１はステップＳ６３でカウンタ格納部１１４のカウンタＭＮ５の値が初期値に設定されていると判断した場合にはステップＳ６４でカウンタ格納部１１４のカウンタＭＮ５の値に（０）を設定する。
【０１３３】
ＣＰＵ５１はステップＳ６３でカウンタ格納部１１４のカウンタＭＮ５の値が初期値に設定されていないと判断すると、ステップＳ６５でカウンタ格納部１１４のカウンタＭＮ５の値が上限値（４）に比べて小さいか否かを判断する。ここでカウンタ格納部１１４のカウンタＭＮ５の値が上限値（４）に到達していると判断した判断にはステップＳ６６でカウンタＭＲ１の値の検出結果とカウンタＭＲ３の値の検出結果とカウンタＭＲ４の値の検出結果とカウンタＭＲ５の値の検出結果のそれぞれをクリアし、カウンタ格納部１１４のカウンタＭＮ５の値が上限値（４）に比べて小さいと判断した場合にはステップＳ６７でカウンタ格納部１１４のカウンタＭＮ５の値に一定値（１）を加算する。
【０１３４】
ＣＰＵ５１はステップＳ６４またはステップＳ６７でカウンタ格納部１１４のカウンタＭＮ５の値を更新すると、ステップＳ６８でカウンタＭＲ１の値の検出結果とカウンタＭＲ３の値の検出結果とカウンタＭＲ４の値の検出結果とカウンタＭＲ５の値の検出結果のそれぞれを第２特図保留データ格納部１１８に記録する。この処理はカウンタＭＮ５の値の更新結果に応じて行われるものであり、ＣＰＵ５１はカウンタＭＮ５の値の更新結果が（０）である場合にはカウンタＭＲ１の値の検出結果とカウンタＭＲ３の値の検出結果とカウンタＭＲ４の値の検出結果とカウンタＭＲ５の値の検出結果のそれぞれを保留番号０の第２特図保留データ格納部１１８に記録し、カウンタＭＮ５の値の更新結果が（１）である場合には保留番号１の第２特図保留データ格納部１１８に記録し、カウンタＭＮ５の値の更新結果が（２）である場合には保留番号２の第２特図保留データ格納部１１８に記録し、カウンタＭＮ５の値の更新結果が（３）である場合には保留番号３の第２特図保留データ格納部１１８に記録し、カウンタＭＮ５の値の更新結果が（４）である場合には保留番号４の第２特図保留データ格納部１１８に記録する。即ち、第２特図保留回数には上限値（４回）が設定されており、第２特図保留回数が上限値に到達している状態で遊技球が第２特別図柄始動口３０内に入賞した場合にはカウンタＭＲ１の値〜ＭＲ５の値のそれぞれの記録処理が行われない。
【０１３５】
ＣＰＵ５１はステップＳ６８でカウンタＭＲ１の値の検出結果〜カウンタＭＲ５の値の検出結果のそれぞれを第２特図保留データ格納部１１８に記録すると、ステップＳ６９でＲＯＭ５２から図１１の（ｃ）の第２特図保留コマンドテーブルを検出する。そして、ステップＳ７０で第２特図保留コマンドテーブルからカウンタＭＮ５の値の更新結果に応じた１つの第２特図保留コマンドを選択し、ステップＳ７１で演出制御回路７０に第２特図保留コマンドの選択結果を送信する。
［２−５］普通図柄プロセス処理
図５０はステップＳ１５の普通図柄プロセス処理である。この普通図柄プロセス処理はステップＳ８１のインターバル処理とステップＳ８２の当り判定処理とステップＳ８３の普通図柄遊技処理とステップＳ８４の当り遊技処理からなるものであり、ステップＳ８１のインターバル処理〜ステップＳ８４の当り遊技処理のそれぞれはフラグ格納部１１３の普通図柄プロセスフラグの設定状態に応じて択一的に行われる。
［２−５−１］インターバル処理
図５１はステップＳ８１のインターバル処理である。このインターバル処理はフラグ格納部１１３の普通図柄プロセスフラグの値が（０）に設定されている場合に実行されるものであり、フラグ格納部１１３の普通図柄プロセスフラグの値はステップＳ２で（０）に初期設定される。
【０１３６】
ＣＰＵ５１はステップＳ９１でカウンタ格納部１１４のカウンタＭＮ３の値が（０）以上であるか否かを判断する。例えば保留番号０の普通図保留データ格納部１１６にカウンタＭＲ２の値が記録されている場合にはステップＳ９１でカウンタ格納部１１４のカウンタＭＮ３の値が（０）以上であると判断し、ステップＳ９２でタイマ格納部１１５のタイマＭＴ２の値にＲＯＭ５２に予め記録された普通図インターバル時間（２０×１０００ｍｓｅｃ）を設定し、ステップＳ９３でフラグ格納部１１３の普通図柄プロセスフラグの値に（１）を設定する。
［２−５−２］当り判定処理
図５２はステップＳ８２の当り判定処理である。この当り判定処理はフラグ格納部１１３の普通図柄プロセスフラグの値が（１）に設定されている場合に実行されるものであり、ＣＰＵ５１はステップＳ１０１でタイマ格納部１１５のタイマＭＴ２の値からＲＯＭ５２に予め記録された一定値（４ｍｓｅｃ）を減算し、ステップＳ１０２でタイマＭＴ２の値の減算結果がＲＯＭ５２に予め記録された限度値（０）に到達したか否かを判断する。ここでタイマＭＴ２の値の減算結果が限度値（０）に到達したと判断した場合にはステップＳ１０３へ移行し、保留番号０の普通図保留データ格納部１１６からカウンタＭＲ２の値を検出する。
【０１３７】
ＣＰＵ５１はステップＳ１０３でカウンタＭＲ２の値を検出すると、ステップＳ１０４でフラグ格納部１１３の電チューサポートフラグがオン状態に設定されているか否かを判断する。このフラグ格納部１１３の電チューサポートフラグはステップＳ２でオフ状態に初期設定されるものであり、ＣＰＵ５１はステップＳ１０４でフラグ格納部１１３の電チューサポートフラグがオン状態に設定されていると判断した場合にはステップＳ１０５でＲＯＭ５２から図１３の（ａ）の当り判定テーブル１を検出し、フラグ格納部１１３の電チューサポートフラグがオフ状態に設定されていると判断した場合にはステップＳ１０６でＲＯＭ５２から図１３の（ｂ）の当り判定テーブル２を検出する。
【０１３８】
ＣＰＵ５１は当り判定テーブル１または当り判定テーブル２を検出すると、ステップＳ１０７で当り判定テーブルの検出結果からカウンタＭＲ２の値の検出結果に応じた１つの判定結果を選択し、ステップＳ１０８で判定結果が当りであるか否かを判断する。当り判定テーブル１にはカウンタＭＲ２の更新範囲内の全ての値に当りの判定結果が割付けられ、当り判定テーブル２にはカウンタＭＲ２の更新範囲内の全ての値に外れの判定結果が割付けられており、電チューサポートフラグのオン状態ではステップＳ１０７で当りの判定結果が１００％の確率で選択され、電チューサポートフラグのオフ状態ではステップＳ１０７で外れの判定結果が１００％の確率で選択される。
【０１３９】
ＣＰＵ５１はステップＳ１０８で判定結果が当りであると判断すると、ステップＳ１０９でフラグ格納部１１３の当りフラグをオン状態に設定する。そして、ステップＳ１１０でＲＯＭ５２から当り図柄（○）を選択し、ステップＳ１１３で普通図柄格納部１１１に当り図柄（○）を記録する。このフラグ格納部１１３の当りフラグはステップＳ２でオフ状態に初期設定されるものであり、ＣＰＵ５１はステップＳ１０８で判定結果が外れであると判断した場合にはステップＳ１１１でフラグ格納部１１３の当りフラグをオフ状態に設定し、ステップＳ１１２でＲＯＭ５２から外れ図柄（×）を選択し、ステップＳ１１３で普通図柄格納部１１１に外れ図柄（×）を記録する。
【０１４０】
ＣＰＵ５１はステップＳ１１３で普通図柄格納部１１１を設定すると、ステップＳ１１４でＲＯＭ５２から図２０の普通図変動表示時間テーブルを検出し、ステップＳ１１５で普通図変動表示時間テーブルからフラグ格納部１１３の電チューサポートフラグの設定結果に応じた普通図変動表示時間を選択し、ステップＳ１１６でタイマ格納部１１５のタイマＭＴ２の値に普通図変動表示時間の選択結果を設定する。この普通図変動表示時間テーブルには電チューサポートフラグのオン状態に対して普通図変動表示時間（１×１０００ｍｓｅｃ）が割付けられ、電チューサポートフラグのオフ状態に対して普通図変動表示時間（４×１０００ｍｓｅｃ）が割付けられており、電チューサポートフラグのオン状態ではタイマＭＴ２の値に普通図変動表示時間（１×１０００ｍｓｅｃ）が設定され、電チューサポートフラグのオフ状態ではタイマＭＴ２の値に普通図変動表示時間（４×１０００ｍｓｅｃ）が設定される。
【０１４１】
ＣＰＵ５１はステップＳ１１６でタイマＭＴ２の値を設定すると、ステップＳ１１７の普通図保留データ処理へ移行する。このステップＳ１１７の普通図保留データ処理を終えた場合にはステップＳ１１８で演出制御回路７０に普通図変動開始コマンドを送信することで普通図柄遊技が始まることを通知し、ステップＳ１１９でフラグ格納部１１３の普通図柄プロセスフラグの値に（２）を設定する。
【０１４２】
図５３はステップＳ１１７の普通図保留データ処理であり、ＣＰＵ５１はステップＳ１２１で保留番号０の普通図保留データ格納部１１６からカウンタＭＲ２の値を消去し、ステップＳ１２２でカウンタ格納部１１４のカウンタＭＮ３の値が（４）であるか否かを判断する。ここでカウンタ格納部１１４のカウンタＭＮ３の値が（４）であると判断した場合にはステップＳ１２３で保留番号１の普通図保留データ格納部１１６のカウンタＭＲ２の値を保留番号０の普通図保留データ格納部１１６にシフトし、ステップＳ１２４で保留番号２の普通図保留データ格納部１１６のカウンタＭＲ２の値を保留番号１の普通図保留データ格納部１１６にシフトし、ステップＳ１２５で保留番号３の普通図保留データ格納部１１６のカウンタＭＲ２の値を保留番号２の普通図保留データ格納部１１６にシフトし、ステップＳ１２６で保留番号４の普通図保留データ格納部１１６のカウンタＭＲ２の値を保留番号３の普通図保留データ格納部１１６にシフトし、ステップＳ１３６へ移行する。
【０１４３】
ＣＰＵ５１はステップＳ１２２でカウンタ格納部１１４のカウンタＭＮ３の値が（４）でないと判断すると、ステップＳ１２７でカウンタ格納部１１４のカウンタＭＮ３の値が（３）であるか否かを判断する。ここでカウンタ格納部１１４のカウンタＭＮ３の値が（３）であると判断した場合にはステップＳ１２８で保留番号１の普通図保留データ格納部１１６のカウンタＭＲ２の値を保留番号０の普通図保留データ格納部１１６にシフトし、ステップＳ１２９で保留番号２の普通図保留データ格納部１１６のカウンタＭＲ２の値を保留番号１の普通図保留データ格納部１１６にシフトし、ステップＳ１３０で保留番号３の普通図保留データ格納部１１６のカウンタＭＲ２の値を保留番号２の普通図保留データ格納部１１６にシフトし、ステップＳ１３６へ移行する。
【０１４４】
ＣＰＵ５１はステップＳ１２７でカウンタ格納部１１４のカウンタＭＮ３の値が（３）でないと判断すると、ステップＳ１３１でカウンタ格納部１１４のカウンタＭＮ３の値が（２）であるか否かを判断する。ここでカウンタ格納部１１４のカウンタＭＮ３の値が（２）であると判断した場合にはステップＳ１３２で保留番号１の普通図保留データ格納部１１６のカウンタＭＲ２の値を保留番号０の普通図保留データ格納部１１６にシフトし、ステップＳ１３３で保留番号２の普通図保留データ格納部１１６のカウンタＭＲ２の値を保留番号１の普通図保留データ格納部１１６にシフトし、ステップＳ１３６へ移行する。
【０１４５】
ＣＰＵ５１はステップＳ１３１でカウンタ格納部１１４のカウンタＭＮ３の値が（２）でないと判断すると、ステップＳ１３４でカウンタ格納部１１４のカウンタＭＮ３の値が（１）であるか否かを判断する。ここでカウンタ格納部１１４のカウンタＭＮ３の値が（１）でないと判断した場合にはステップＳ１３６へ移行し、カウンタ格納部１１４のカウンタＭＮ３の値が（１）であると判断した場合にはステップＳ１３５へ移行する。ここで保留番号１の普通図保留データ格納部１１６のカウンタＭＲ２の値を保留番号０の普通図保留データ格納部１１６にシフトし、ステップＳ１３６へ移行する。
【０１４６】
ＣＰＵ５１はステップＳ１３６へ移行すると、カウンタ格納部１１４のカウンタＭＮ３の値が（０）であるか否かを判断する。ここでカウンタ格納部１１４のカウンタＭＮ３の値が（０）であると判断した場合にはステップＳ１３７でカウンタ格納部１１４のカウンタＭＮ３の値にステップＳ２と同一の初期値を設定し、カウンタ格納部１１４のカウンタＭＮ３の値が（０）でないと判断した場合にはステップＳ１３８でカウンタ格納部１１４のカウンタＭＮ３の値から一定値（１）を減算する。
［２−５−３］普通図柄遊技処理
図５４はステップＳ８３の普通図柄遊技処理である。この普通図柄遊技処理はフラグ格納部１１３の普通図柄プロセスフラグの値が（２）に設定されている場合に実行されるものであり、ＣＰＵ５１はステップＳ１４１で普通図柄表示器４２の複数のＬＥＤのそれぞれを電気的に制御することで普通図柄表示器４２に当り図柄（○）および外れ図柄（×）を交互に表示する。そして、ステップＳ１４２でタイマ格納部１１５のタイマＭＴ２の値から一定値（４ｍｓｅｃ）を減算し、ステップＳ１４３でタイマ格納部１１５のタイマＭＴ２の値の減算結果が限度値（０）に到達したか否かを判断する。
【０１４７】
ＣＰＵ５１はステップＳ１４３でタイマＭＴ２の値の減算結果が限度値（０）に到達したと判断すると、ステップＳ１４４で演出制御回路７０に普通図変動停止コマンドを送信することで普通図柄遊技が停止することを通知する。そして、ステップＳ１４５の変動停止処理で普通図柄格納部１１１から普通図柄を検出し、普通図柄表示器４２の普通図柄の変動表示を普通図柄の検出結果で停止する。即ち、当りであると判定された場合には普通図柄の変動表示が当り図柄（○）で停止し、外れであると判定された場合には普通図柄の変動表示が外れ図柄（×）で停止する。
【０１４８】
ＣＰＵ５１はステップＳ１４５で普通図柄の変動表示を停止すると、ステップＳ１４６で普通図柄格納部１１１から普通図柄を消去し、ステップＳ１４７でフラグ格納部１１３の当りフラグがオン状態に設定されているか否かを判断する。ここでフラグ格納部１１３の当りフラグがオフ状態に設定されていると判断した場合にはステップＳ１４８へ移行し、フラグ格納部１１３の普通図柄プロセスフラグの値に（０）を設定する。この普通図柄プロセスフラグの値に（０）を設定した場合には次回の普通図柄プロセス処理で図５１のステップＳ９１へ移行し、保留番号０の普通図保留データ格納部１１６にカウンタＭＲ２の値が記録されているか否かを判断する。
【０１４９】
ＣＰＵ５１はステップＳ１４７でフラグ格納部１１３の当りフラグがオン状態に設定されていると判断すると、ステップＳ１４９でフラグ格納部１１３の当りフラグをオフ状態に設定し、ステップＳ１５０でタイマ格納部１１５のタイマＭＴ２の値に当り遊技時間（４×１０００ｍｓｅｃ）を設定する。この当り遊技時間はＲＯＭ５２に予め記録されたものであり、ＣＰＵ５１はステップＳ１５０でタイマＭＴ２の値を設定した場合にはステップＳ１５１で特別図柄始動口ソレノイド３４をオフ状態からオン状態に切換えることで第２特別図柄始動口３０を閉鎖状態から開放状態に切換え、ステップＳ１５２でフラグ格納部１１３の普通図柄プロセスフラグの値に（３）を設定する。
［２−５−４］当り遊技処理
図５５はステップＳ８４の当り遊技処理である。この当り遊技処理はフラグ格納部１１３の普通図柄プロセスフラグの値が（３）に設定されている場合に実行されるものであり、ＣＰＵ５１はステップＳ１６１でタイマ格納部１１５のタイマＭＴ２の値から一定値（４ｍｓｅｃ）を減算し、ステップＳ１６２でタイマＭＴ２の値の減算結果が限度値（０）に到達したか否かを判断する。ここでタイマＭＴ２の値の減算結果が限度値（０）に到達したと判断した場合にはステップＳ１６３で特別図柄始動口ソレノイド３４をオン状態からオフ状態に切換えることで第２特別図柄始動口３０を開放状態から閉鎖状態に戻し、ステップＳ１６４でフラグ格納部１１３の普通図柄プロセスフラグの値に（０）を設定する。この普通図柄プロセスフラグの値に（０）を設定した場合には次回の普通図柄プロセス処理で図５１のステップＳ９１へ移行し、保留番号０の普通図保留データ格納部１１６にカウンタＭＲ２の値が記録されているか否かを判断する。
［２−６］特別図柄プロセス処理
図５６はステップＳ１６の特別図柄プロセス処理である。この特別図柄プロセス処理はステップＳ１７１のインターバル処理とステップＳ１７２の大当り判定処理とステップＳ１７３の特別図柄遊技処理とステップＳ１７４の大当り遊技処理からなるものであり、ステップＳ１７１のインターバル処理〜ステップＳ１７４の大当り遊技処理はフラグ格納部１１３の特別図柄プロセスフラグの値に応じて択一的に行われる。
［２−６−１］インターバル処理
図５７はステップＳ１７１のインターバル処理である。このインターバル処理はフラグ格納部１１３の特別図柄プロセスフラグの値が（０）に設定されている場合に実行されるものであり、フラグ格納部１１３の特別図柄プロセスフラグの値はステップＳ２で（０）に初期設定される。
【０１５０】
ＣＰＵ５１はステップＳ１８１でカウンタ格納部１１４のカウンタＭＮ５の値が（０）以上であるか否かを判断する。例えば保留番号０の第２特図保留データ格納部１１８にカウンタＭＲ１とＭＲ３とＭＲ４とＭＲ５のそれぞれの値が記録されている場合にはステップＳ１８１でカウンタ格納部１１４のカウンタＭＮ５の値が（０）以上であると判断し、ステップＳ１８２でフラグ格納部１１３の第２特別図柄遊技フラグをオン状態に設定し、ステップＳ１８３でフラグ格納部１１３の第１特別図柄遊技フラグをオフ状態に設定する。このフラグ格納部１１３の第１特別図柄遊技フラグおよび第２特別図柄遊技フラグのそれぞれはステップＳ２でオフ状態に初期設定されるものであり、ＣＰＵ５１はステップＳ１８３でフラグ格納部１１３の第１特別図柄遊技フラグをオフ状態に設定した場合にはステップＳ１８７でタイマ格納部１１５のタイマＭＴ１の値にＲＯＭ５２に予め記録された特図インターバル時間（１×１０００ｍｓｅｃ）を設定し、ステップＳ１８８でフラグ格納部１１３の特別図柄プロセスフラグの値に（１）を設定する。
【０１５１】
ＣＰＵ５１はカウンタ格納部１１４のカウンタＭＮ５の値が初期値に設定されている場合にはステップＳ１８１からステップＳ１８４へ移行し、カウンタ格納部１１４のカウンタＭＮ４の値が（０）以上であるか否かを判断する。例えば保留番号０の第１特図保留データ格納部１１７にカウンタＭＲ１とＭＲ３とＭＲ４とＭＲ５のそれぞれの値が記録されている場合にはステップＳ１８５でフラグ格納部１１３の第１特別図柄遊技フラグをオン状態に設定し、ステップＳ１８６でフラグ格納部１１３の第２特別図柄遊技フラグをオフ状態に設定する。そして、ステップＳ１８７でタイマ格納部１１５のタイマＭＴ１の値に特図インターバル時間（１×１０００ｍｓｅｃ）を設定し、ステップＳ１８８でフラグ格納部１１３の特別図柄プロセスフラグの値に（１）を設定する。即ち、第１特図保留データ格納部１１７および第２特図保留データ格納部１１８の双方にカウンタＭＲ１〜ＭＲ５の値が記録されている場合には第２特図保留データ格納部１１８のカウンタＭＲ１〜ＭＲ５の値が第１特図保留データ格納部１１７のカウンタＭＲ１〜ＭＲ５の値に比べて優先的に処理される。
［２−６−２］大当り判定処理
図５８および図５９はステップＳ１７２の大当り判定処理である。この大当り判定処理はフラグ格納部１１３の特別図柄プロセスフラグの値が（１）に設定されている場合に実行されるものであり、ＣＰＵ５１はステップＳ１９１でタイマ格納部１１５のタイマＭＴ１の値から一定値（４ｍｓｅｃ）を減算し、ステップＳ１９２でタイマＭＴ１の値の減算結果が限度値（０）に到達したか否かを判断する。ここでタイマＭＴ１の値の減算結果が限度値（０）に到達したと判断した場合にはステップＳ１９３へ移行し、フラグ格納部１１３の確変フラグがオン状態に設定されているか否かを判断する。このフラグ格納部１１３の確変フラグはステップＳ２でオフ状態に初期設定されるものであり、ＣＰＵ５１はステップＳ１９３でフラグ格納部１１３の確変フラグがオン状態に設定されていると判断した場合にはステップＳ１９４でＲＯＭ５２から図１２の（ａ）の大当り判定テーブル１を検出し、ステップＳ１９３でフラグ格納部１１３の確変フラグがオフ状態に設定されていると判断した場合にはステップＳ１９５でＲＯＭ５２から図１２の（ｂ）の大当り判定テーブル２を検出する。
【０１５２】
ＣＰＵ５１はステップＳ１９４で大当り判定テーブル１を検出またはステップＳ１９５で大当り判定テーブル２を検出すると、ステップＳ１９６でフラグ格納部１１３の第１特別図柄遊技フラグがオン状態に設定されているか否かを判断する。ここでフラグ格納部１１３の第１特別図柄遊技フラグがオン状態に設定されていると判断した場合にはステップＳ１９７で保留番号０の第１特図保留データ格納部１１７からカウンタＭＲ１とＭＲ３とＭＲ４とＭＲ５のそれぞれの値を検出し、フラグ格納部１１３の第１特別図柄遊技フラグがオフ状態に設定されていると判断した場合にはステップＳ１９８で保留番号０の第２特図保留データ格納部１１８からカウンタＭＲ１とＭＲ３とＭＲ４とＭＲ５のそれぞれの値を検出する。
【０１５３】
ＣＰＵ５１はステップＳ１９７またはＳ１９８でカウンタＭＲ１〜ＭＲ５のそれぞれの値を検出すると、ステップＳ１９９で大当り判定テーブルの検出結果からカウンタＭＲ１の値の検出結果に応じた１つの判定結果を選択し、ステップＳ２００で判定結果が大当りであるか否かを判断する。ここで判定結果が大当りであると判断した場合にはステップＳ２０１へ移行し、フラグ格納部１１３の大当りフラグをオン状態に設定する。このフラグ格納部１１３の大当りフラグはステップＳ２でオフ状態に初期設定されるものであり、ＣＰＵ５１はステップＳ２０１でフラグ格納部１１３の大当りフラグをオン状態に設定した場合にはステップＳ２０３へ移行し、ＲＯＭ５２から図１４のの特別図柄選択テーブルを検出する。
【０１５４】
ＣＰＵ５１はステップＳ２０３で特別図柄選択テーブルを検出すると、ステップＳ２０５で特別図柄選択テーブルからカウンタＭＲ３の値の検出結果に応じた１つの特別図柄を選択し、ステップＳ２０６で特別図柄の選択結果を特別図柄格納部１１２に記録する。そして、ステップＳ２０７でＲＯＭ５２から図１５の図柄情報コマンドテーブルを検出し、ステップＳ２０８で図柄情報コマンドテーブルから特別図柄の選択結果に応じた１つの図柄情報コマンドを選択する。
【０１５５】
ＣＰＵ５１はステップＳ２０８で図柄情報コマンドを選択すると、ステップＳ２０９でＲＯＭ５２から図１８の（ａ）の特図変動開始コマンドテーブル１を検出し、ステップＳ２１０で特図変動開始コマンドテーブル１からカウンタＭＲ５の値の検出結果に応じた１つの特図変動開始コマンドを選択する。そして、ステップＳ２１１でＲＯＭ５２から図１９の特図変動表示時間テーブルを検出し、ステップＳ２１２で特図変動表示時間テーブルから特図変動開始コマンドの選択結果に応じた１つの特図変動表示時間を選択する。次にステップＳ２１３でタイマ格納部１１５のタイマＭＴ１の値に特図変動表示時間の選択結果を設定し、図５９のステップＳ２３０へ移行する。
【０１５６】
ＣＰＵ５１はステップＳ２００で判定結果が外れであると判断すると、図５９のステップＳ２１４でフラグ格納部１１３の大当りフラグをオフ状態に設定する。そして、ステップＳ２１５でＲＯＭ５２から特別図柄として外れ図柄（１）を選択し、ステップＳ２１６で特別図柄格納部１１２に外れ図柄を記録する。次にステップＳ２１７でＲＯＭ５２から図１５の図柄情報コマンドテーブルを検出し、ステップＳ２１８で図柄情報コマンドテーブルから特別図柄の選択結果に応じた１つの図柄情報コマンドを選択する。
【０１５７】
ＣＰＵ５１はステップＳ２１８で図柄情報コマンドを選択すると、ステップＳ２１９でフラグ格納部１１３の第１特別図柄遊技フラグがオン状態に設定されているか否かを判断する。ここでフラグ格納部１１３の第１特別図柄遊技フラグがオン状態に設定されていると判断した場合にはステップＳ２２０でＲＯＭ５２の外れリーチ判定テーブル１−０〜１−４（図１６参照）の５つのうちからカウンタ格納部１１４のカウンタＭＮ４の値に応じた１つを検出し、フラグ格納部１１３の第１特別図柄遊技フラグがオフ状態に設定されていると判断した場合にはステップＳ２２１でＲＯＭ５２の外れリーチ判定テーブル２−０〜２−４（図１７参照）の５つのうちからカウンタ格納部１１４のカウンタＭＮ５の値に応じた１つを検出する。
【０１５８】
ＣＰＵ５１はステップＳ２２０で外れリーチ判定テーブル１−０〜１−４のうちから１つを検出またはステップＳ２２１で外れリーチ判定テーブル２−０〜２−４のうちから１つを検出すると、ステップＳ２２２で外れリーチ判定テーブルの検出結果からカウンタＭＲ４の値の検出結果に応じた１つの判定結果を選択し、ステップＳ２２３で判定結果が外れリーチであるか否かを判断する。ここで判定結果が外れリーチであると判断した場合にはステップＳ２２４でＲＯＭ５２から図１８の（ｂ）の特図変動開始コマンドテーブル２を検出し、判定結果が完全外れであると判断した場合にはステップＳ２２５でＲＯＭ５２から図１８の（ｃ）の特図変動開始コマンドテーブル３を検出する。
【０１５９】
ＣＰＵ５１はステップＳ２２４で特図変動開始コマンドテーブル２を検出またはステップＳ２２５で特図変動開始コマンドテーブル３を検出すると、ステップＳ２２６で特図変動開始コマンドテーブルの検出結果からカウンタＭＲ５の値の検出結果に応じた１つの特図変動開始コマンドを選択する。そして、ステップＳ２２７でＲＯＭ５２から図１９の特図変動表示時間テーブルを検出し、ステップＳ２２８で特図変動表示時間テーブルから特図変動開始コマンドの選択結果に応じた１つの特図変動表示時間を選択する。次にステップＳ２２９でタイマ格納部１１５のタイマＭＴ１の値に特図変動表示時間の選択結果を設定し、ステップＳ２３０へ移行する。
【０１６０】
ＣＰＵ５１はステップＳ２３０へ移行すると、演出制御回路７０に特図変動開始コマンドの選択結果を送信する。そして、ステップＳ２３１で演出制御回路７０に図柄情報コマンドの選択結果を送信し、ステップＳ２３２でフラグ格納部１１３の第１特別図柄遊技フラグがオン状態に設定されているか否かを判断する。ここでフラグ格納部１１３の第１特別図柄遊技フラグがオフ状態に設定されていると判断した場合にはステップＳ２３４でフラグ格納部１１３の特別図柄プロセスフラグの値に（２）を設定し、ステップＳ２３２でフラグ格納部１１３の第１特別図柄遊技フラグがオン状態に設定されていると判断した場合にはステップＳ２３３へ移行する。ここで演出制御回路７０に第１特図遊技コマンドを送信することで第１特図保留データ格納部１１７のデータに応じて特別図柄遊技を開始することを通知し、ステップＳ２３４でフラグ格納部１１３の特別図柄プロセスフラグの値に（２）を設定する。
【０１６１】
ＣＰＵ５１はステップＳ２３４で特別図柄プロセスフラグの値を設定すると、ステップＳ２３５でフラグ格納部１１３の第１特別図柄遊技フラグがオン状態に設定されているか否かを判断する。ここでフラグ格納部１１３の第１特別図柄遊技フラグがオン状態に設定されていると判断した場合にはステップＳ２３６の第１特図保留データ処理へ移行し、フラグ格納部１１３の第１特別図柄遊技フラグがオフ状態に設定されていると判断した場合にはステップＳ２３７の第２特図保留データ処理へ移行する。
【０１６２】
図６０はステップＳ２３６の第１特図保留データ処理であり、ＣＰＵ５１はステップＳ２４１で保留番号０の第１特図保留データ格納部１１７からカウンタＭＲ１とＭＲ３とＭＲ４とＭＲ５のそれぞれの値を消去し、ステップＳ２４２でカウンタ格納部１１４のカウンタＭＮ４の値が（４）であるか否かを判断する。ここでカウンタ格納部１１４のカウンタＭＮ４の値が（４）であると判断した場合にはステップＳ２４３で保留番号１の第１特図保留データ格納部１１７のカウンタＭＲ１とＭＲ３とＭＲ４とＭＲ５のそれぞれの値を保留番号０の第１特図保留データ格納部１１７にシフトし、ステップＳ２４４で保留番号２の第１特図保留データ格納部１１７のカウンタＭＲ１とＭＲ３とＭＲ４とＭＲ５のそれぞれの値を保留番号１の第１特図保留データ格納部１１７にシフトし、ステップＳ２４５で保留番号３の第１特図保留データ格納部１１７のカウンタＭＲ１とＭＲ３とＭＲ４とＭＲ５のそれぞれの値を保留番号２の第１特図保留データ格納部１１７にシフトし、ステップＳ２４６で保留番号４の第１特図保留データ格納部１１７のカウンタＭＲ１とＭＲ３とＭＲ４とＭＲ５のそれぞれの値を保留番号３の第１特図保留データ格納部１１７にシフトし、ステップＳ２５６へ移行する。
【０１６３】
ＣＰＵ５１はステップＳ２４２でカウンタ格納部１１４のカウンタＭＮ４の値が（４）でないと判断すると、ステップＳ２４７でカウンタ格納部１１４のカウンタＭＮ４の値が（３）であるか否かを判断する。ここでカウンタ格納部１１４のカウンタＭＮ４の値が（３）であると判断した場合にはステップＳ２４８で保留番号１の第１特図保留データ格納部１１７のカウンタＭＲ１とＭＲ３とＭＲ４とＭＲ５のそれぞれの値を保留番号０の第１特図保留データ格納部１１７にシフトし、ステップＳ２４９で保留番号２の第１特図保留データ格納部１１７のカウンタＭＲ１とＭＲ３とＭＲ４とＭＲ５のそれぞれの値を保留番号１の第１特図保留データ格納部１１７にシフトし、ステップＳ２５０で保留番号３の第１特図保留データ格納部１１７のカウンタＭＲ１とＭＲ３とＭＲ４とＭＲ５のそれぞれの値を保留番号２の第１特図保留データ格納部１１７にシフトし、ステップＳ２５６へ移行する。
【０１６４】
ＣＰＵ５１はステップＳ２４７でカウンタ格納部１１４のカウンタＭＮ４の値が（３）でないと判断すると、ステップＳ２５１でカウンタ格納部１１４のカウンタＭＮ４の値が（２）であるか否かを判断する。ここでカウンタ格納部１１４のカウンタＭＮ４の値が（２）であると判断した場合にはステップＳ２５２で保留番号１の第１特図保留データ格納部１１７のカウンタＭＲ１とＭＲ３とＭＲ４とＭＲ５のそれぞれの値を保留番号０の第１特図保留データ格納部１１７にシフトし、ステップＳ２５３で保留番号２の第１特図保留データ格納部１１７のカウンタＭＲ１とＭＲ３とＭＲ４とＭＲ５のそれぞれの値を保留番号１の第１特図保留データ格納部１１７にシフトし、ステップＳ２５６へ移行する。
【０１６５】
ＣＰＵ５１はステップＳ２５１でカウンタ格納部１１４のカウンタＭＮ４の値が（２）でないと判断すると、ステップＳ２５４でカウンタ格納部１１４のカウンタＭＮ４の値が（１）であるか否かを判断する。ここでカウンタ格納部１１４のカウンタＭＮ４の値が（１）でないと判断した場合にはステップＳ２５６へ移行し、カウンタ格納部１１４のカウンタＭＮ４の値が（１）であると判断した場合にはステップＳ２５５へ移行する。ここで保留番号１の第１特図保留データ格納部１１７のカウンタＭＲ１とＭＲ３とＭＲ４とＭＲ５のそれぞれの値を保留番号０の第１特図保留データ格納部１１７にシフトし、ステップＳ２５６へ移行する。
【０１６６】
ＣＰＵ５１はステップＳ２５６へ移行すると、カウンタ格納部１１４のカウンタＭＮ４の値が（０）であるか否かを判断する。ここでカウンタ格納部１１４のカウンタＭＮ４の値が（０）であると判断した場合にはステップＳ２５７でカウンタ格納部１１４のカウンタＭＮ４の値にステップＳ２と同一の初期値を設定し、カウンタ格納部１１４のカウンタＭＮ４の値が（０）でないと判断した場合にはステップＳ２５８でカウンタ格納部１１４のカウンタＭＮ４の値から一定値（１）を減算する。
【０１６７】
図６１はステップＳ２３７の第２特図保留データ処理であり、ＣＰＵ５１はステップＳ２６１で保留番号０の第２特図保留データ格納部１１８からカウンタＭＲ１とＭＲ３とＭＲ４とＭＲ５のそれぞれの値を消去し、ステップＳ２６２でカウンタ格納部１１４のカウンタＭＮ５の値が（４）であるか否かを判断する。ここでカウンタ格納部１１４のカウンタＭＮ５の値が（４）であると判断した場合にはステップＳ２６３で保留番号１の第２特図保留データ格納部１１８のカウンタＭＲ１とＭＲ３とＭＲ４とＭＲ５のそれぞれの値を保留番号０の第２特図保留データ格納部１１８にシフトし、ステップＳ２６４で保留番号２の第２特図保留データ格納部１１８のカウンタＭＲ１とＭＲ３とＭＲ４とＭＲ５のそれぞれの値を保留番号１の第２特図保留データ格納部１１８にシフトし、ステップＳ２６５で保留番号３の第２特図保留データ格納部１１８のカウンタＭＲ１とＭＲ３とＭＲ４とＭＲ５のそれぞれの値を保留番号２の第２特図保留データ格納部１１８にシフトし、ステップＳ２６６で保留番号４の第２特図保留データ格納部１１８のカウンタＭＲ１とＭＲ３とＭＲ４とＭＲ５のそれぞれの値を保留番号３の第２特図保留データ格納部１１８にシフトし、ステップＳ２７６へ移行する。
【０１６８】
ＣＰＵ５１はステップＳ２６２でカウンタ格納部１１４のカウンタＭＮ５の値が（４）でないと判断すると、ステップＳ２６７でカウンタ格納部１１４のカウンタＭＮ５の値が（３）であるか否かを判断する。ここでカウンタ格納部１１４のカウンタＭＮ５の値が（３）であると判断した場合にはステップＳ２６８で保留番号１の第２特図保留データ格納部１１８のカウンタＭＲ１とＭＲ３とＭＲ４とＭＲ５のそれぞれの値を保留番号０の第２特図保留データ格納部１１８にシフトし、ステップＳ２６９で保留番号２の第２特図保留データ格納部１１８のカウンタＭＲ１とＭＲ３とＭＲ４とＭＲ５のそれぞれの値を保留番号１の第２特図保留データ格納部１１８にシフトし、ステップＳ２７０で保留番号３の第２特図保留データ格納部１１８のカウンタＭＲ１とＭＲ３とＭＲ４とＭＲ５のそれぞれの値を保留番号２の第２特図保留データ格納部１１８にシフトし、ステップＳ２７６へ移行する。
【０１６９】
ＣＰＵ５１はステップＳ２６７でカウンタ格納部１１４のカウンタＭＮ５の値が（３）でないと判断すると、ステップＳ２７１でカウンタ格納部１１４のカウンタＭＮ５の値が（２）であるか否かを判断する。ここでカウンタ格納部１１４のカウンタＭＮ５の値が（２）であると判断した場合にはステップＳ２７２で保留番号１の第２特図保留データ格納部１１８のカウンタＭＲ１とＭＲ３とＭＲ４とＭＲ５のそれぞれの値を保留番号０の第２特図保留データ格納部１１８にシフトし、ステップＳ２７３で保留番号２の第２特図保留データ格納部１１８のカウンタＭＲ１とＭＲ３とＭＲ４とＭＲ５のそれぞれの値を保留番号１の第２特図保留データ格納部１１８にシフトし、ステップＳ２７６へ移行する。
【０１７０】
ＣＰＵ５１はステップＳ２７１でカウンタ格納部１１４のカウンタＭＮ５の値が（２）でないと判断すると、ステップＳ２７４でカウンタ格納部１１４のカウンタＭＮ５の値が（１）であるか否かを判断する。ここでカウンタ格納部１１４のカウンタＭＮ５の値が（１）でないと判断した場合にはステップＳ２７６へ移行し、カウンタ格納部１１４のカウンタＭＮ５の値が（１）であると判断した場合にはステップＳ２７５へ移行する。ここで保留番号１の第２特図保留データ格納部１１８のカウンタＭＲ１とＭＲ３とＭＲ４とＭＲ５のそれぞれの値を保留番号０の第２特図保留データ格納部１１８にシフトし、ステップＳ２７６へ移行する。
【０１７１】
ＣＰＵ５１はステップＳ２７６へ移行すると、カウンタ格納部１１４のカウンタＭＮ５の値が（０）であるか否かを判断する。ここでカウンタ格納部１１４のカウンタＭＮ５の値が（０）であると判断した場合にはステップＳ２７７でカウンタ格納部１１４のカウンタＭＮ５の値にステップＳ２と同一の初期値を設定し、カウンタ格納部１１４のカウンタＭＮ５の値が（０）でないと判断した場合にはステップＳ２７８でカウンタ格納部１１４のカウンタＭＮ５の値から一定値（１）を減算する。
［２−６−３］特別図柄遊技処理
図６２はステップＳ１７３の特別図柄遊技処理である。この特別図柄遊技処理はフラグ格納部１１３の特別図柄プロセスフラグの値が（２）に設定されている場合に実行されるものであり、ＣＰＵ５１はステップＳ２８１でフラグ格納部１１３の第１特別図柄遊技フラグがオン状態に設定されているか否かを判断する。ここでフラグ格納部１１３の第１特別図柄遊技フラグがオン状態に設定されていると判断した場合にはステップＳ２８２の変動表示処理１へ移行し、第１特別図柄表示器４３の複数のＬＥＤのそれぞれを点滅制御することで第１特別図柄表示器４３に特別図柄を変動状態で表示する。
【０１７２】
ＣＰＵ５１はステップＳ２８１でフラグ格納部１１３の第１特別図柄遊技フラグがオフ状態に設定されていると判断すると、ステップＳ２８３でフラグ格納部１１３の第２特別図柄遊技フラグがオン状態に設定されているか否かを判断する。ここでフラグ格納部１１３の第２特別図柄遊技フラグがオン状態に設定されていると判断した場合にはステップＳ２８４の変動表示処理２へ移行し、第２特別図柄表示器４４の複数のＬＥＤのそれぞれを点滅制御することで第２特別図柄表示器４４に特別図柄を変動状態で表示する。即ち、特別図柄遊技の映像は保留番号０の第１特図保留データ格納部１１７のデータに応じて処理が行われる場合に第１特別図柄表示器４３に表示されるものであり、保留番号０の第２特図保留データ格納部１１８のデータに応じて処理が行われる場合には第２特別図柄表示器４４に表示される。
【０１７３】
ＣＰＵ５１はステップＳ２８２またはステップＳ２８４で特別図柄遊技の映像を表示すると、ステップＳ２８５でタイマ格納部１１５のタイマＭＴ１の値から一定値（４ｍｓｅｃ）を減算し、ステップＳ２８６でタイマＭＴ１の値の減算結果が限度値（０）に到達したか否かを判断する。ここでタイマＭＴ１の値の減算結果が限度値（０）に到達したと判断した場合にはステップＳ２８７で演出制御回路７０に特図変動停止コマンドを送信することで特別図柄遊技が停止することを通知し、ステップＳ２８８でフラグ格納部１１３の第１特別図柄遊技フラグがオン状態に設定されているか否かを判断する。ここでフラグ格納部１１３の第１特別図柄遊技フラグがオン状態に設定されていると判断した場合にはステップＳ２８９の変動停止処理１で特別図柄格納部１１２から特別図柄の選択結果を検出し、第１特別図柄表示器４３の特別図柄の変動表示を特別図柄の検出結果で停止する。
【０１７４】
ＣＰＵ５１はステップＳ２８８でフラグ格納部１１３の第１特別図柄遊技フラグがオフ状態に設定されていると判断すると、ステップＳ２９０でフラグ格納部１１３の第２特別図柄遊技フラグがオン状態に設定されているか否かを判断する。ここでフラグ格納部１１３の第２特別図柄遊技フラグがオン状態に設定されていると判断した場合にはステップＳ２９１の変動停止処理２で特別図柄格納部１１２から特別図柄の選択結果を検出し、第２特別図柄表示器４４の特別図柄の変動表示を特別図柄の検出結果で停止する。
【０１７５】
ＣＰＵ５１はステップＳ２８９またはステップＳ２９１で特別図柄の変動表示を停止すると、ステップＳ２９２でフラグ格納部１１３の第１特別図柄遊技フラグをオフ状態に設定する。そして、ステップＳ２９３でフラグ格納部１１３の第２特別図柄遊技フラグをオフ状態に設定し、ステップＳ２９４でフラグ格納部１１３の大当りフラグがオン状態に設定されているか否かを判断する。ここでフラグ格納部１１３の大当りフラグがオフ状態に設定されていると判断した場合にはステップＳ２９５で特別図柄格納部１１２から特別図柄の選択結果を消去し、ステップＳ２９６でフラグ格納部１１３の特別図柄プロセスフラグの値に（０）を設定する。この特別図柄プロセスフラグの値に（０）を設定した場合には次回の特別図柄プロセス処理で図５７のステップＳ１８１へ移行し、保留番号０の第２特図保留データ格納部１１８を保留番号０の第１特図保留データ格納部１１７に比べて優先的に処理する。
【０１７６】
ＣＰＵ５１はステップＳ２９４でフラグ格納部１１３の大当りフラグがオン状態に設定されていると判断すると、ステップＳ２９７でフラグ格納部１１３の大当りフラグをオフ状態に設定する。そして、ステップＳ２９８でカウンタ格納部１１４のカウンタＭＮ１の値にＲＯＭ５２に予め記録された継続回数（１５回）を設定し、ステップＳ２９９でカウンタ格納部１１４のカウンタＭＮ２の値にＲＯＭ５２に予め記録された限度個数（１０個）を設定し、ステップＳ３００でタイマ格納部１１５のタイマＭＴ１の値にＲＯＭ５２に予め記録された限度時間（３０×１０００ｍｓｅｃ）を設定する。
【０１７７】
ＣＰＵ５１はステップＳ３００でタイマＭＴ１の値を設定すると、ステップＳ３０１でフラグ格納部１１３の確変フラグをオフ状態に設定することで確率変動モードをオフし、ステップＳ３０２でフラグ格納部１１３の電チューサポートフラグをオフ状態に設定することで電チューサポートモードをオフする。そして、ステップＳ３０３で演出制御回路７０に電チューサポート停止コマンドを送信することで電チューサポートモードをオフ状態に設定したことを通知し、ステップＳ３０４で演出制御回路７０に大当り遊技開始コマンドを送信することで大当り遊技を開始することを通知する。次にステップＳ３０５で特別入賞口ソレノイド３９をオフ状態からオン状態に切換えることで特別入賞口３５を閉鎖状態から開放状態に切換え、ステップＳ３０６でフラグ格納部１１３の特別図柄プロセスフラグの値に（３）を設定する。
［２−６−４］大当り遊技処理
図６３はステップＳ１７４の大当り遊技処理である。この大当り遊技処理はフラグ格納部１１３の特別図柄プロセスフラグの値が（３）に設定されている場合に実行されるものであり、ＣＰＵ５１はステップＳ３１１でタイマ格納部１１５のタイマＭＴ１の値から一定値（４ｍｓｅｃ）を減算し、ステップＳ３１２でタイマＭＴ１の値の減算結果が限度値（０）に到達したか否かを判断する。ここでタイマＭＴ１の値の減算結果が限度値（０）に到達したと判断した場合にはステップＳ３１６へ移行し、特別入賞口ソレイド３９をオン状態からオフ状態に切換えることで特別入賞口３５を開放状態から閉鎖状態に戻す。
【０１７８】
ＣＰＵ５１はステップＳ３１２でタイマＭＴ１の値の減算結果が限度値（０）に到達していないと判断すると、ステップＳ３１３で特別入賞口センサ３６から特別入賞信号が出力されているか否かを判断する。ここで特別入賞口センサ３６から特別入賞信号が出力されていると判断した場合にはステップＳ３１４へ移行し、カウンタ格納部１１４のカウンタＭＮ２の値から一定値（１）を減算し、ステップＳ３１５でカウンタＭＮ２の値の減算結果が限度値（０）に到達したか否かを判断する。ここでカウンタＭＮ２の値の減算結果が限度値（０）に到達したと判断した場合にはステップＳ３１６へ移行し、特別入賞口３５を開放状態から閉鎖状態に戻す。
【０１７９】
ＣＰＵ５１はステップＳ３１６で特別入賞口３５を閉鎖状態にすると、ステップＳ３１７でカウンタ格納部１１４のカウンタＭＮ１の値から一定値（１）を減算し、ステップＳ３１８でカウンタＭＮ１の値の減算結果が限度値（０）に到達したか否かを判断する。ここでカウンタＭＮ１の値の減算結果が限度値（０）に到達していないと判断した場合にはステップＳ３１９でタイマ格納部１１５のタイマＭＴ１の値に限度時間（３０×１０００ｍｓｅｃ）を再び設定し、ステップＳ３２０でカウンタ格納部１１４のカウンタＭＮ２の値に限度個数（１０個）を再び設定し、ステップＳ３２１で特別入賞口３５を再び閉鎖状態から開放状態に切換える。
【０１８０】
ＣＰＵ５１はステップＳ３１８でカウンタＭＮ１の値の減算結果が限度値（０）に到達したと判断すると、ステップＳ３２２で特別図柄格納部１１２から特別図柄の選択結果を検出し、ステップＳ３２３で特別図柄の検出結果が確変大当り図柄であるか否かを判断する。ここで特別図柄の検出結果が通常大当り図柄であると判断した場合にはステップＳ３２７へ移行し、特別図柄の検出結果が確変大当り図柄であると判断した場合にはステップＳ３２４でフラグ格納部１１３の確変フラグをオン状態に設定することで確率変動モードをオン状態に設定する。そして、ステップＳ３２５でフラグ格納部１１３の電チューサポートフラグをオン状態に設定することで電チューサポートモードをオン状態に設定し、ステップＳ３２６で演出制御回路７０に電チューサポート開始コマンドを送信することで電チューサポートモードをオン状態に設定したことを通知し、ステップＳ３２７へ移行する。
【０１８１】
ＣＰＵ５１はステップＳ３２７へ移行すると、特別図柄格納部１１２から特別図柄の選択結果を消去する。そして、ステップＳ３２８で演出制御回路７０に大当り遊技停止コマンドを送信することで大当り遊技が停止することを通知し、ステップＳ３２９でフラグ格納部１１３の特別図柄プロセスフラグの値に（０）を設定する。この特別図柄プロセスフラグに（０）を設定した場合には次回の特別図柄プロセス処理で図５７のステップＳ１８１へ移行し、保留番号０の第２特図保留データ格納部１１８を保留番号０の第１特図保留データ格納部１１７に比べて優先的に処理する。
［３］メイン処理
図６４は演出制御回路７０のＣＰＵ７１が実行するメイン処理であり、ＣＰＵ７１は電源が投入された場合にはステップＳ４０１でレジスタおよびＰＩＯ（パラレル入出力ポート）のそれぞれを初期設定する。そして、ステップＳ４０２でＲＡＭ７３のコマンド格納部１２１とカウンタ格納部１２２とタイマ格納部１２３とフラグ格納部１２４と確定図柄格納部１２５と保留番号０〜４の大当り先読み結果格納部１２６と保留番号０〜４の外れリーチ先読みコマンド格納部１２７と保留番号０〜４のリーチ先読み結果格納部１２８と保留番号０〜４のリーチ確定データ格納部１２９の全てを初期設定し、ステップＳ４０３で１０ｍｓｅｃ毎にタイマ割込みが発生するようにＣＴＣ（カウンタ／タイマ）を設定する。
【０１８２】
ＣＰＵ７１はステップＳ４０３でＣＴＣを初期設定すると、ステップＳ４０４のカウンタ更新処理でカウンタ格納部１２２のカウンタＳＲ１とＳＲ２とＳＲ３とＳＲ４のそれぞれの値にＲＯＭ７２に予め記録された一定値（１）を加算する。これらカウンタＳＲ１〜ＳＲ４のそれぞれの値はステップＳ４０２で下限値（０）に初期設定されるものであり、カウンタＳＲ１の値はステップＳ４０４で下限値（０）から上限値（２４９）に加算された後に下限値（０）に戻して循環的に加算され、カウンタＳＲ２の値はステップＳ４０４で下限値（０）から上限値（１６２）に加算された後に下限値（０）に戻して循環的に加算され、カウンタＳＲ３の値はステップＳ４０４で下限値（０）から上限値（７２）に加算された後に下限値（０）に戻して循環的に加算され、カウンタＳＲ４の値はステップＳ４０４で下限値（０）から上限値（３２）に加算された後に下限値（０）に戻して循環的に加算される。これら下限値（０）と上限値（２４９）と上限値（１６２）と上限値（７２）と上限値（３２）のそれぞれはＲＯＭ７２に予め記録されたものである。
［４］外部割込み処理
メイン制御回路５０から図９の特図変動開始コマンド〜電チューサポート停止コマンドのそれぞれが送信された場合にはＣＰＵ７１が外部割込み処理を起動する。このＣＰＵ７１は外部割込み処理を起動することで割込み禁止状態となり、図９の特図変動開始コマンド〜電チューサポート停止コマンドのそれぞれを外部割込み処理で受信コマンドバッファに格納した後に割込み禁止状態を解除する。
［５］タイマ割込み処理
図６５はＣＰＵ７１がタイマ割込みの発生する１０ｍｓｅｃ毎に実行するタイマ割込み処理であり、ＣＰＵ７１はタイマ割込みが発生する毎にステップＳ４１１のコマンド処理とステップＳ４１２の遊技モード処理とステップＳ４１３の普通図保留処理とステップＳ４１４の特図保留処理とステップＳ４１５の先読み処理とステップＳ４１６の装飾図柄遊技処理とステップＳ４１７の大当り遊技演出処理を順に実行する。
［５−１］コマンド処理
図６５のステップＳ４１１のコマンド処理は受信コマンドバッファに図９の特図変動開始コマンド〜電チューサポート停止コマンドのそれぞれが記録されているか否かを判断するものであり、受信コマンドバッファに特図変動開始コマンドが記録されていると判断した場合には特図変動開始コマンドを受信コマンドバッファからコマンド格納部１２１にシフトし、受信コマンドバッファに特図変動停止コマンドが記録されていると判断した場合には特図変動停止コマンドを受信コマンドバッファからコマンド格納部１２１にシフトし、受信コマンドバッファに普通図変動開始コマンドが記録されていると判断した場合には普通図変動開始コマンドを受信コマンドバッファからコマンド格納部１２１にシフトし、受信コマンドバッファに普通図変動停止コマンドが記録されていると判断した場合には普通図変動停止コマンドを受信コマンドバッファからコマンド格納部１２１にシフトし、受信コマンドバッファに第１特図遊技コマンドが記録されていると判断した場合には第１特図遊技コマンドを受信コマンドバッファからコマンド格納部１２１にシフトし、受信コマンドバッファに図柄情報コマンドが記録されていると判断した場合には図柄情報コマンドを受信コマンドバッファからコマンド格納部１２１にシフトし、受信コマンドバッファに普通図保留コマンドが記録されていると判断した場合には普通図保留コマンドを受信コマンドバッファからコマンド格納部１２１にシフトし、受信コマンドバッファに第１特図保留コマンドが記録されていると判断した場合には第１特図保留コマンドを受信コマンドバッファからコマンド格納部１２１にシフトし、受信コマンドバッファに第２特図保留コマンドが記録されていると判断した場合には第２特図保留コマンドを受信コマンドバッファからコマンド格納部１２１にシフトし、受信コマンドバッファに大当り遊技開始コマンドが記録されていると判断した場合には大当り遊技開始コマンドを受信コマンドバッファからコマンド格納部１２１にシフトし、受信コマンドバッファに大当り遊技停止コマンドが記録されていると判断した場合には大当り遊技停止コマンドを受信コマンドバッファからコマンド格納部１２１にシフトし、受信コマンドバッファに大当り先読みコマンドが記録されていると判断した場合には大当り先読みコマンドを受信コマンドバッファからコマンド格納部１２１にシフトし、受信コマンドバッファに外れリーチ先読みコマンドが記録されていると判断した場合には外れリーチ先読みコマンドを受信コマンドバッファからコマンド格納部１２１にシフトし、受信コマンドバッファに電チューサポート開始コマンドが記録されていると判断した場合には電チューサポート開始コマンドを受信コマンドバッファからコマンド格納部１２１にシフトし、受信コマンドバッファに電チューサポート停止コマンドが記録されていると判断した場合には電チューサポート停止コマンドを受信コマンドバッファからコマンド格納部１２１にシフトする。
［５−２］遊技モード処理
図６６はステップＳ４１２の遊技モード処理であり、ＣＰＵ７１はステップＳ４２１でコマンド格納部１２１に電チューサポート開始コマンドが記録されているか否かを判断する。ここでコマンド格納部１２１に電チューサポート開始コマンドが記録されていないと判断した場合にはステップＳ４２４へ移行し、コマンド格納部１２１に電チューサポート開始コマンドが記録されていると判断した場合にはステップＳ４２２でフラグ格納部１２４の予告禁止フラグをオン状態に設定する。このフラグ格納部１２４の予告禁止フラグはステップＳ４０２でオフ状態に初期設定されるものであり、ＣＰＵ７１はステップＳ４２２でフラグ格納部１２４の予告禁止フラグをオン状態に設定した場合にはステップＳ４２３でコマンド格納部１２１から電チューサポート開始コマンドを消去し、ステップＳ４２４へ移行する。
【０１８３】
ＣＰＵ７１はステップＳ４２４へ移行すると、コマンド格納部１２１に電チューサポート停止コマンドが記録されているか否かを判断する。ここでコマンド格納部１２１に電チューサポート停止コマンドが記録されていると判断した場合にはステップＳ４２５でフラグ格納部１２４の予告禁止フラグをオフ状態に設定し、ステップＳ４２６でコマンド格納部１２１から電チューサポート停止コマンドを消去する。即ち、予告禁止フラグは電チューサポートモードのオフ状態でオフ状態に設定されるものであり、電チューサポートモードのオン状態ではオン状態に設定される。
［５−３］普通図保留処理
図６７はステップＳ４１３の普通図保留処理であり、ＣＰＵ７１はステップＳ４３１でコマンド格納部１２１に普通図保留コマンドが記録されているか否かを判断する。ここでコマンド格納部１２１に普通図保留コマンドが記録されていないと判断した場合にはステップＳ４３７へ移行し、コマンド格納部１２１に普通図保留コマンドが記録されていると判断した場合にはステップＳ４３２でコマンド格納部１２１から普通図保留コマンドを検出する。
【０１８４】
ＣＰＵ７１はステップＳ４３２で普通図保留コマンドを検出すると、ステップＳ４３３で普通図保留コマンドの検出結果を普通図保留コマンド１と普通図保留コマンド２と普通図保留コマンド３と普通図保留コマンド４のそれぞれと比較する。ここで普通図保留コマンドの検出結果が普通図保留コマンド０であると判断した場合にはステップＳ４３６でコマンド格納部から普通図保留コマンドを消去し、ステップＳ４３７へ移行する。
【０１８５】
ＣＰＵ７１はステップＳ４３３で普通図保留コマンドの検出結果が普通図保留コマンド１〜４のいずれかであると判断すると、ステップＳ４３４で普通図保留コマンドの検出結果に応じて普通図保留表示コマンドを設定する。そして、ステップＳ４３５で表示制御回路８０に普通図保留表示コマンドの設定結果を送信し、ステップＳ４３６でコマンド格納部から普通図保留コマンドを消去し、ステップＳ４３７へ移行する。
【０１８６】
ＣＰＵ７１はステップＳ４３７へ移行すると、コマンド格納部１２１に普通図変動開始コマンドが記録されているか否かを判断する。ここでコマンド格納部１２１に普通図変動開始コマンドが記録されていないと判断した場合にはステップＳ４４０へ移行し、コマンド格納部１２１に普通図変動開始コマンドが記録されていると判断した場合にはステップＳ４３８でコマンド格納部１２１から普通図変動開始コマンドを消去する。そして、ステップＳ４３９で表示制御回路８０に普通図保留消去コマンドを送信し、ステップＳ４４０へ移行する。
【０１８７】
ＣＰＵ７１はステップＳ４４０へ移行すると、コマンド格納部１２１に普通図変動停止コマンドが記録されているか否かを判断する。ここでコマンド格納部１２１に普通図変動停止コマンドが記録されていると判断した場合にはステップＳ４４１へ移行し、コマンド格納部１２１から普通図変動停止コマンドを消去する。
【０１８８】
表示制御回路８０は普通図保留表示コマンドを受信した場合にはＶＲＯＭから普通図保留表示コマンドの受信結果に応じた画像データを検出し、装飾図柄表示器４５の普通図保留領域４６内に画像データの検出結果に基づいて普通図保留絵柄４７を表示する。この普通図保留図柄４７は保留表示コマンドの種類に応じた個数だけ表示されるものであり、普通図保留表示コマンド１の受信時には１個の普通図保留図柄４７が表示され、普通図保留表示コマンド２の受信時には２個の普通図保留図柄４７が表示され、普通図保留表示コマンド３の受信時には３個の普通図保留図柄４７が表示され、普通図保留表示コマンド４の受信時には４個の普通図保留図柄４７が表示される。この表示制御回路８０は普通図保留消去コマンドを受信した場合には装飾図柄表示器４５の普通図保留領域４６内から１個の普通図保留絵柄４７を消去する。
［５−４］特図保留処理
図６８はステップＳ４１４の特図保留処理であり、ＣＰＵ７１はステップＳ４５１でコマンド格納部１２１に第１特図保留コマンドが記録されているか否かを判断する。ここでコマンド格納部１２１に第１特図保留コマンドが記録されていると判断した場合にはステップＳ４５２へ移行し、コマンド格納部１２１の第１特図保留コマンドから第１特図保留回数を検出する。この第１特図保留回数はコマンド格納部１２１に第１特図保留コマンド０が記録されている場合に０回であると判定され、第１特図保留コマンド１が記録されている場合に１回であると判定されるものであり、第１特図保留コマンド２が記録されている場合には２回であると判定され、第１特図保留コマンド３が記録されている場合には３回であると判定され、第１特図保留コマンド４が記録されている場合には４回であると判定される。
【０１８９】
ＣＰＵ７１はステップＳ４５２で第１特図保留回数を検出すると、ステップＳ４５３でカウンタ格納部１２２のカウンタＳＮ１の値に第１特図保留回数の検出結果を設定する。このカウンタ格納部１２２のカウンタＳＮ１の値はステップＳ４０２で（０）（１）（２）（３）（４）のいずれとも異なるＲＯＭ７２に予め記録された初期値に設定されるものであり、ＣＰＵ７１はステップＳ４５３でカウンタ格納部１２２のカウンタＳＮ１の値を設定した場合にはステップＳ４５４でコマンド格納部１２１から第１特図保留コマンドを消去し、ステップＳ４５９へ移行する。
【０１９０】
ＣＰＵ７１はステップＳ４５１でコマンド格納部１２１に第１特図保留コマンドが記録されていないと判断すると、ステップＳ４５５でコマンド格納部１２１に第２特図保留コマンドが記録されているか否かを判断する。ここでコマンド格納部１２１に第２特図保留コマンドが記録されていると判断した場合にはステップＳ４５６へ移行し、コマンド格納部１２１の第２特図保留コマンドから第２特図保留回数を検出する。この第２特図保留回数はコマンド格納部１２１に第２特図保留コマンド０が記録されている場合に０回であると判定され、第２特図保留コマンド１が記録されている場合に１回であると判定されるものであり、第２特図保留コマンド２が記録されている場合には２回であると判定され、第２特図保留コマンド３が記録されている場合には３回であると判定され、第２特図保留コマンド４が記録されている場合には４回であると判定される。
【０１９１】
ＣＰＵ７１はステップＳ４５６で第２特図保留回数を検出すると、ステップＳ４５７でカウンタ格納部１２２のカウンタＳＮ２の値に第２特図保留回数の検出結果を設定する。このカウンタ格納部１２２のカウンタＳＮ２の値はステップＳ４０２でカウンタＳＮ１の値と同一の初期値に設定されるものであり、ＣＰＵ７１はステップＳ４５７でカウンタ格納部１２２のカウンタＳＮ２の値を設定した場合にはステップＳ４５８でコマンド格納部１２１から第２特図保留コマンドを消去し、ステップＳ４５９へ移行する。
【０１９２】
ＣＰＵ７１はステップＳ４５９へ移行すると、カウンタ格納部１２２からカウンタＳＮ１の値およびカウンタＳＮ２の値のそれぞれを検出し、カウンタ格納部１２２のカウンタＳＮ３の値にカウンタＳＮ１の値の検出結果およびカウンタＳＮ２の値の検出結果相互間の加算結果を設定する。このカウンタ格納部１２２のカウンタＳＮ３の値はステップＳ４０２で（０）に初期設定されるものであり、ＣＰＵ７１はステップＳ４５９でカウンタＳＮ３の値を設定した場合にはステップＳ４６０でカウンタＳＮ３の値の設定結果に応じて特図保留表示コマンドを設定し、ステップＳ４６１で表示制御回路８０に特図保留表示コマンドの設定結果を送信する。
【０１９３】
表示制御回路８０は特図保留表示コマンドを受信した場合にはＶＲＯＭから特図保留表示コマンドの受信結果に応じた画像データを検出し、装飾図柄表示器４５の特図保留領域４８内に画像データの検出結果に基づいて特図保留絵柄４９を表示する。この特図保留絵柄４９は特図保留表示コマンドの種類に応じた個数だけ表示されるものであり、第１特図保留回数ＳＮ１および第２特図保留回数ＳＮ２の合計ＳＮ３が１回である場合には１個の特図保留図柄４９が表示され、合計ＳＮ３が２回である場合には２個の特図保留図柄４９が表示され、合計ＳＮ３が３回である場合には３個の特図保留図柄４９が表示され、合計ＳＮ４が４回である場合には４個の特図保留図柄４９が表示され、合計ＳＮ５が５回である場合には５個の特図保留図柄４９が表示され、合計ＳＮ３が６回である場合には６個の特図保留図柄４９が表示され、合計ＳＮ３が７回である場合には７個の特図保留図柄４９が表示され、合計ＳＮ３が８回である場合には８個の特図保留図柄４９が表示される。
［５−５］先読み処理
図６９はステップＳ４１５の先読み処理であり、ＣＰＵ７１はステップＳ４７１でコマンド格納部１２１に大当り先読みコマンドが記録されているか否かを判断する。ここでコマンド格納部１２１に大当り先読みコマンドが記録されていると判断した場合にはステップＳ４７２でコマンド格納部１２１から大当り先読みコマンドを検出し、ステップＳ４７３でＲＯＭ７２から図２８の大当り先読みテーブルを検出する。そして、ステップＳ４７４で大当り先読みテーブルから大当り先読みコマンドの検出結果に応じた１つの先読み結果を選択し、ステップＳ４７５でコマンド格納部１２１から大当り先読みコマンドを消去する。
【０１９４】
ＣＰＵ７１はステップＳ４７５でコマンド格納部１２１から大当り先読みコマンドを消去すると、ステップＳ４７６でカウンタ格納部１２２からカウンタＳＮ１の値を検出し、ステップＳ４７７で先読み結果が外れであるか否かを判断する。ここで先読み結果が外れであると判断した場合にはステップＳ４７８で外れの先読み結果を大当り先読み結果格納部１２６に記録し、ステップＳ４８１の外れリーチ先読み処理へ移行する。この外れの先読み結果はカウンタＳＮ１の値の検出結果が（０）である場合に保留番号０の大当り先読み結果格納部１２６に記録され、カウンタＳＮ１の値の検出結果が（１）である場合に保留番号１の大当り先読み結果格納部１２６に記録されるものであり、カウンタＳＮ１の値の検出結果が（２）である場合には保留番号２の大当り先読み結果格納部１２６に記録され、カウンタＳＮ１の値の検出結果が（３）である場合には保留番号３の大当り先読み結果格納部１２６に記録され、カウンタＳＮ１の値の検出結果が（４）である場合には保留番号４の大当り先読み結果格納部１２６に記録される。
【０１９５】
ＣＰＵ７１はステップＳ４７７で先読み結果が大当りであると判断すると、ステップＳ４７９で大当りの先読み結果を大当り先読み結果格納部１２６に記録する。この大当りの先読み結果はカウンタＳＮ１の値の検出結果が（０）である場合に保留番号０の大当り先読み結果格納部１２６に記録され、カウンタＳＮ１の値の検出結果が（１）である場合に保留番号１の大当り先読み結果格納部１２６に記録されるものであり、カウンタＳＮ１の値の検出結果が（２）である場合には保留番号２の大当り先読み結果格納部１２６に記録され、カウンタＳＮ１の値の検出結果が（３）である場合には保留番号３の大当り先読み結果格納部１２６に記録され、カウンタＳＮ１の値の検出結果が（４）である場合には保留番号４の大当り先読み結果格納部１２６に記録される。
【０１９６】
ＣＰＵ７１はステップＳ４７９で大当りの先読み結果を大当り先読み結果格納部１２６に記録すると、ステップＳ４８０でリーチの先読み結果をリーチ先読み結果記録部１２８に記録し、ステップＳ４８１の外れリーチ先読み処理へ移行する。このリーチの先読み結果はカウンタＳＮ１の値の検出結果が（０）である場合に保留番号０のリーチ先読み結果格納部１２８に記録され、カウンタＳＮ１の値の検出結果が（１）である場合に保留番号１のリーチ先読み結果格納部１２８に記録されるものであり、カウンタＳＮ１の値の検出結果が（２）である場合には保留番号２のリーチ先読み結果格納部１２８に記録され、カウンタＳＮ１の値の検出結果が（３）である場合には保留番号３のリーチ先読み結果格納部１２８に記録され、カウンタＳＮ１の値の検出結果が（４）である場合には保留番号４のリーチ先読み結果格納部１２８に記録される。
【０１９７】
ＣＰＵ７１はステップＳ４８１の外れリーチ先読み処理を終えると、ステップＳ４８２でカウンタ格納部１２２のカウンタＳＮ１の値が（１）であるか否かを判断する。ここでカウンタ格納部１２２のカウンタＳＮ１の値が（１）であると判断した場合にはステップＳ４８３の先読み結果確認処理１およびステップＳ４９０のリーチ確定処理のそれぞれへ移行し、カウンタ格納部１２２のカウンタＳＮ１の値が（１）でないと判断した場合にはステップＳ４８４でカウンタ格納部１２２のカウンタＳＮ１の値が（２）であるか否かを判断する。
【０１９８】
ＣＰＵ７１はステップＳ４８４でカウンタ格納部１２２のカウンタＳＮ１の値が（２）であると判断した場合にはステップＳ４８５の先読み結果確認処理２およびステップＳ４９０のリーチ確定処理のそれぞれへ移行し、カウンタ格納部１２２のカウンタＳＮ１の値が（２）でないと判断した場合にはステップＳ４８６でカウンタ格納部１２２のカウンタＳＮ１の値が（３）であるか否かを判断する。ここでカウンタ格納部１２２のカウンタＳＮ１の値が（３）であると判断した場合にはステップＳ４８７の先読み結果確認処理３およびステップＳ４９０のリーチ確定処理のそれぞれへ移行し、カウンタ格納部１２２のカウンタＳＮ１の値が（３）でないと判断した場合にはステップＳ４８８でカウンタ格納部１２２のカウンタＳＮ１の値が（４）であるか否かを判断する。ここでカウンタ格納部１２２のカウンタＳＮ１の値が（４）であると判断した場合にはステップＳ４８９の先読み結果確認処理４およびステップＳ４９０のリーチ確定処理のそれぞれへ移行し、カウンタ格納部１２２のカウンタＳＮ１の値が（０）であると判断した場合にはステップＳ４９０のリーチ確定処理へ移行する。
【０１９９】
図７０はステップＳ４８１の外れリーチ先読み処理であり、ＣＰＵ７１はステップＳ４９１で保留番号０〜４のうちカウンタＳＮ１の値の検出結果に応じた大当り先読み結果格納部１２６から先読み結果を検出し、ステップＳ４９２で先読み結果が外れであるか否かを判断する。ここで先読み結果が大当りであると判断した場合にはステップＳ４９９へ移行し、コマンド格納部１２１の外れリーチ先読みコマンドを外れリーチ先読みコマンド格納部１２７にシフトする。この外れリーチ先読みコマンドはカウンタＳＮ１の値の検出結果が（０）である場合に保留番号０の外れリーチ先読みコマンド格納部１２７にシフトされ、カウンタＳＮ１の値の検出結果が（１）である場合に保留番号１の外れリーチ先読みコマンド格納部１２７にシフトされるものであり、カウンタＳＮ１の値の検出結果が（２）である場合には保留番号２の外れリーチ先読みコマンド格納部１２７にシフトされ、カウンタＳＮ１の値の検出結果が（３）である場合には保留番号３の外れリーチ先読みコマンド格納部１２７にシフトされ、カウンタＳＮ１の値の検出結果が（４）である場合には保留番号４の外れリーチ先読みコマンド格納部１２７にシフトされる。
【０２００】
ＣＰＵ７１はステップＳ４９２で先読み結果が外れであると判断すると、ステップＳ４９３でコマンド格納部１２１から外れリーチ先読みコマンドを検出する。そして、ステップＳ４９４でＲＯＭ７２から図３１の（ａ）の外れリーチ先読みテーブル０を検出し、ステップＳ４９５で外れリーチ先読みテーブル０から外れリーチ先読みコマンドの検出結果に応じた１つの先読み結果を選択する。即ち、外れリーチ先読みテーブル０は第１特図保留回数が０回の状態（ＳＮ１＝０）での保留番号０のカウンタＭＲ４の値（図３２のａ参照）と第１特図保留回数が１回の状態（ＳＮ１＝１）での保留番号１のカウンタＭＲ４の値（図３２のｂ参照）と第１特図保留回数が２回の状態（ＳＮ１＝２）での保留番号２のカウンタＭＲ４の値（図３２のｃ参照）と第１特図保留回数が３回の状態（ＳＮ１＝３）での保留番号３のカウンタＭＲ４の値（図３３のａ参照）と第１特図保留回数が４回の状態（ＳＮ１＝４）での保留番号４のカウンタＭＲ４の値（図３３のｂ参照）のそれぞれに対して外れリーチであると判定されるか否かを先読みするためのものであり、最新の外れリーチ先読みコマンドに応じて外れリーチであると判定されるか否かを判定するものである。
【０２０１】
ＣＰＵ７１はステップＳ４９５で外れリーチ先読みテーブル０から先読み結果を選択すると、ステップＳ４９６で先読み結果の選択結果が外れリーチであるか否かを判断する。ここで先読み結果が外れリーチであると判断した場合にはステップＳ４９７でリーチ先読み結果格納部１２８にリーチの先読み結果を記録し、先読み結果が完全外れであると判断した場合にはステップＳ４９８でリーチ先読み結果格納部１２８に非リーチの先読み結果を記録し、いずれの場合にもステップＳ４９９でコマンド格納部１２１の外れリーチ先読みコマンドを保留番号０〜４のうちカウンタＳＮ１の値の検出結果に応じた外れリーチ先読みコマンド格納部１２７にシフトする。これらリーチおよび非リーチのそれぞれの先読み結果はカウンタＳＮ１の値の検出結果が（０）である場合に保留番号０のリーチ先読み結果格納部１２８に記録され、カウンタＳＮ１の値の検出結果が（１）である場合に保留番号１のリーチ先読み結果格納部１２８に記録されるものであり、カウンタＳＮ１の値の検出結果が（２）である場合には保留番号２のリーチ先読み結果格納部１２８に記録され、カウンタＳＮ１の値の検出結果が（３）である場合には保留番号３のリーチ先読み結果格納部１２８に記録され、カウンタＳＮ１の値の検出結果が（４）である場合には保留番号４のリーチ先読み結果格納部１２８に記録される。
【０２０２】
図７１はステップＳ４８３の先読み結果確認処理１であり、ＣＰＵ７１はステップＳ５００で保留番号０の大当り先読み結果格納部１２６の先読み結果が外れであるか否かを判断する。ここで保留番号０の大当り先読み結果格納部１２６の先読み結果が大当りであると判断した場合には先読み結果確認処理１を終え、保留番号０の大当り先読み結果格納部１２６の先読み結果が外れであると判断した場合にはステップＳ５０１で保留番号０の外れリーチ先読みコマンド格納部１２７から外れリーチ先読みコマンドを検出する。そして、ステップＳ５０２でＲＯＭ７２から図３１の（ｂ）の外れリーチ先読みテーブル１を検出し、ステップＳ５０３で外れリーチ先読みテーブル１から外れリーチ先読みコマンドの検出結果に応じた１つの先読み結果を選択する。即ち、先読み結果確認処理１は第１特図保留回数が１回の状態で保留番号０の大当り先読み結果格納部１２６に外れの先読み結果が記録されている場合に保留番号０の外れリーチ先読みコマンド格納部１２７の外れリーチ先読みコマンド（図３４のａ参照）に対する外れリーチであるか否かの先読み結果を確認するものである。
【０２０３】
ＣＰＵ７１はステップＳ５０３で外れリーチ先読みテーブル１から先読み結果を選択すると、ステップＳ５０４で先読み結果の選択結果が外れリーチであるか否かを判断する。ここで先読み結果の選択結果が外れリーチであると判断した場合にはステップＳ５０５で保留番号０のリーチ先読み結果格納部１２８にリーチの先読み結果を上書きし、先読み結果の選択結果が完全外れであると判断した場合にはステップＳ５０６で保留番号０のリーチ先読み結果格納部１２８に非リーチの先読み結果を上書きする。即ち、先読み結果確認処理１は保留番号０〜１のそれぞれの第１特図保留データ格納部１１７にデータが記録されているものとして行われるものであり、保留番号０のリーチ先読み結果格納部１２８の先読み結果は先読み結果確認処理１での先読み結果が図７０の外れリーチ先読み処理での先読み結果と異なる場合に先読み結果確認処理１での先読み結果に変更される。
【０２０４】
図７２はステップＳ４８５の先読み結果確認処理２であり、ＣＰＵ７１はステップＳ５１０で保留番号１の大当り先読み結果格納部１２６の先読み結果が外れであるか否かを判断する。ここで保留番号１の大当り先読み結果格納部１２６の先読み結果が大当りであると判断した場合にはステップＳ５１７へ移行し、保留番号１の大当り先読み結果格納部１２６の先読み結果が外れであると判断した場合にはステップＳ５１１で保留番号１の外れリーチ先読みコマンド格納部１２７から外れリーチ先読みコマンドを検出する。そして、ステップＳ５１２でＲＯＭ７２から図３１の（ｂ）の外れリーチ先読みテーブル１を検出し、ステップＳ５１３で外れリーチ先読みテーブル１から外れリーチ先読みコマンドの検出結果に応じた１つの先読み結果を選択する。即ち、先読み結果確認処理２は第１特図保留回数が２回の状態で保留番号１の大当り先読み結果格納部１２６に外れの先読み結果が記録されている場合に保留番号１の外れリーチ先読みコマンド格納部１２７の外れリーチ先読みコマンド（図３４のｂ参照）に対する外れリーチであるか否かの先読み結果を確認するものである。
【０２０５】
ＣＰＵ７１はステップＳ５１３で外れリーチ先読みテーブル１から先読み結果を選択すると、ステップＳ５１４で先読み結果の選択結果が外れリーチであるか否かを判断する。ここで先読み結果の選択結果が外れリーチであると判断した場合にはステップＳ５１５で保留番号１のリーチ先読み結果格納部１２８にリーチの先読み結果を上書きし、先読み結果の選択結果が完全外れであると判断した場合にはステップＳ５１６で保留番号１のリーチ先読み結果格納部１２８に非リーチの先読み結果を上書きし、いずれの場合にもステップＳ５１７へ移行する。
【０２０６】
ＣＰＵ７１はステップＳ５１７へ移行すると、保留番号０の大当り先読み結果格納部１２６の先読み結果が外れであるか否かを判断する。ここで保留番号０の大当り先読み結果格納部１２６の先読み結果が大当りであると判断した場合には先読み結果確認処理２を終え、保留番号０の大当り先読み結果格納部１２６の先読み結果が外れであると判断した場合にはステップＳ５１８で保留番号０の外れリーチ先読みコマンド格納部１２７から外れリーチ先読みコマンドを検出する。そして、ステップＳ５１９でＲＯＭ７２から図３１の（ｃ）の外れリーチ先読みテーブル２を検出し、ステップＳ５２０で外れリーチ先読みテーブル２から外れリーチ先読みコマンドの検出結果に応じた１つの先読み結果を選択する。即ち、先読み結果確認処理２は第１特図保留回数が２回の状態で保留番号０の大当り先読み結果格納部１２６に外れの先読み結果が記録されている場合に保留番号０の外れリーチ先読みコマンド格納部１２７の外れリーチ先読みコマンド（図３６のａ参照）に対する外れリーチであるか否かの先読み結果を確認するものである。
【０２０７】
ＣＰＵ７１はステップＳ５２０で外れリーチ先読みテーブル２から先読み結果を選択すると、ステップＳ５２１で先読み結果の選択結果が外れリーチであるか否かを判断する。ここで先読み結果の選択結果が外れリーチであると判断した場合にはステップＳ５２２で保留番号０のリーチ先読み結果格納部１２８にリーチの先読み結果を上書きし、先読み結果の選択結果が完全外れであると判断した場合にはステップＳ５２３で保留番号０のリーチ先読み結果格納部１２８に非リーチの先読み結果を上書きする。即ち、先読み結果確認処理２は保留番号０〜２のそれぞれの第１特図保留データ格納部１１７にデータが記録されているものとして行われるものであり、保留番号０〜１のそれぞれのリーチ先読み結果格納部１２８の先読み結果は先読み結果確認処理２での先読み結果が図７０の外れリーチ先読み処理での先読み結果と異なる場合に先読み結果確認処理２での先読み結果に変更される。
【０２０８】
図７３はステップＳ４８７の先読み結果確認処理３であり、ＣＰＵ７１はステップＳ５３０で保留番号２の大当り先読み結果格納部１２６の先読み結果が外れであるか否かを判断する。ここで保留番号２の大当り先読み結果格納部１２６の先読み結果が大当りであると判断した場合にはステップＳ５３７へ移行し、保留番号２の大当り先読み結果格納部１２６の先読み結果が外れであると判断した場合にはステップＳ５３１で保留番号２の外れリーチ先読みコマンド格納部１２７から外れリーチ先読みコマンドを検出する。そして、ステップＳ５３２でＲＯＭ７２から図３１の（ｂ）の外れリーチ先読みテーブル１を検出し、ステップＳ５３３で外れリーチ先読みテーブル１から外れリーチ先読みコマンドの検出結果に応じた１つの先読み結果を選択する。即ち、先読み結果確認処理３は第１特図保留回数が３回の状態で保留番号２の大当り先読み結果格納部１２６に外れの先読み結果が記録されている場合に保留番号２の外れリーチ先読みコマンド格納部１２７の外れリーチ先読みコマンド（図３５のａ参照）に対する外れリーチであるか否かの先読み結果を確認するものである。
【０２０９】
ＣＰＵ７１はステップＳ５３３で外れリーチ先読みテーブル１から先読み結果を選択すると、ステップＳ５３４で先読み結果の選択結果が外れリーチであるか否かを判断する。ここで先読み結果の選択結果が外れリーチであると判断した場合にはステップＳ５３５で保留番号２のリーチ先読み結果格納部１２８にリーチの先読み結果を上書きし、先読み結果の選択結果が完全外れであると判断した場合にはステップＳ５３６で保留番号２のリーチ先読み結果格納部１２８に非リーチの先読み結果を上書きし、いずれの場合にもステップＳ５３７へ移行する。
【０２１０】
ＣＰＵ７１はステップＳ５３７へ移行すると、保留番号１の大当り先読み結果格納部１２６の先読み結果が外れであるか否かを判断する。ここで保留番号１の大当り先読み結果格納部１２６の先読み結果が大当りであると判断した場合にはステップＳ５４４へ移行し、保留番号１の大当り先読み結果格納部１２６の先読み結果が外れであると判断した場合にはステップＳ５３８で保留番号１の外れリーチ先読みコマンド格納部１２７から外れリーチ先読みコマンドを検出する。そして、ステップＳ５３９でＲＯＭ７２から図３１の（ｃ）の外れリーチ先読みテーブル２を検出し、ステップＳ５４０で外れリーチ先読みテーブル２から外れリーチ先読みコマンドの検出結果に応じた１つの先読み結果を選択する。即ち、先読み結果確認処理３は第１特図保留回数が３回の状態で保留番号１の大当り先読み結果格納部１２６に外れの先読み結果が記録されている場合に保留番号１の外れリーチ先読みコマンド格納部１２７の外れリーチ先読みコマンド（図３６のｂ参照）に対する外れリーチであるか否かの先読み結果を確認するものである。
【０２１１】
ＣＰＵ７１はステップＳ５４０で外れリーチ先読みテーブル２から先読み結果を選択すると、ステップＳ５４１で先読み結果の選択結果が外れリーチであるか否かを判断する。ここで先読み結果の選択結果が外れリーチであると判断した場合にはステップＳ５４２で保留番号１のリーチ先読み結果格納部１２８にリーチの先読み結果を上書きし、先読み結果の選択結果が完全外れであると判断した場合にはステップＳ５４３で保留番号１のリーチ先読み結果格納部１２８に非リーチの先読み結果を上書きし、いずれの場合にもステップＳ５４４へ移行する。
【０２１２】
ＣＰＵ７１はステップＳ５４４へ移行すると、保留番号０の大当り先読み結果格納部１２６の先読み結果が外れであるか否かを判断する。ここで保留番号０の大当り先読み結果格納部１２６の先読み結果が大当りであると判断した場合には先読み結果確認処理３を終え、保留番号０の大当り先読み結果格納部１２６の先読み結果が外れであると判断した場合にはステップＳ５４５で保留番号０の外れリーチ先読みコマンド格納部１２７から外れリーチ先読みコマンドを検出する。そして、ステップＳ５４６でＲＯＭ７２から図３１の（ｄ）の外れリーチ先読みテーブル３を検出し、ステップＳ５４７で外れリーチ先読みテーブル３から外れリーチ先読みコマンドの検出結果に応じた１つの先読み結果を選択する。即ち、先読み結果確認処理３は第１特図保留回数が３回の状態で保留番号０の大当り先読み結果格納部１２６に外れの先読み結果が記録されている場合に保留番号０の外れリーチ先読みコマンド格納部１２７の外れリーチ先読みコマンド（図３７のａ参照）に対する外れリーチであるか否かの先読み結果を確認するものである。
【０２１３】
ＣＰＵ７１はステップＳ５４７で外れリーチ先読みテーブル３から先読み結果を選択すると、ステップＳ５４８で先読み結果の選択結果が外れリーチであるか否かを判断する。ここで先読み結果の選択結果が外れリーチであると判断した場合にはステップＳ５４９で保留番号０のリーチ先読み結果格納部１２８にリーチの先読み結果を上書きし、先読み結果の選択結果が完全外れであると判断した場合にはステップＳ５５０で保留番号０のリーチ先読み結果格納部１２８に非リーチの先読み結果を上書きする。即ち、先読み結果確認処理３は保留番号０〜３のそれぞれの第１特図保留データ格納部１１７にデータが記録されているものとして行われるものであり、保留番号０〜２のそれぞれのリーチ先読み結果格納部１２８の先読み結果は先読み結果確認処理３での先読み結果が図７０の外れリーチ先読み処理での先読み結果と異なる場合に先読み結果確認処理３での先読み結果に変更される。
【０２１４】
図７４はステップＳ４８９の先読み結果確認処理４であり、ＣＰＵ７１はステップＳ５５１で保留番号３の大当り先読み結果格納部１２６の先読み結果が外れであるか否かを判断する。ここで保留番号３の大当り先読み結果格納部１２６の先読み結果が大当りであると判断した場合にはステップＳ５５８へ移行し、保留番号３の大当り先読み結果格納部１２６の先読み結果が外れであると判断した場合にはステップＳ５５２で保留番号３の外れリーチ先読みコマンド格納部１２７から外れリーチ先読みコマンドを検出する。そして、ステップＳ５５３でＲＯＭ７２から図３１の（ｂ）の外れリーチ先読みテーブル１を検出し、ステップＳ５５４で外れリーチ先読みテーブル１から外れリーチ先読みコマンドの検出結果に応じた１つの先読み結果を選択する。即ち、先読み結果確認処理４は第１特図保留回数が４回の状態で保留番号３の大当り先読み結果格納部１２６に外れの先読み結果が記録されている場合に保留番号３の外れリーチ先読みコマンド格納部１２７の外れリーチ先読みコマンド（図３５のｂ参照）に対する外れリーチであるか否かの先読み結果を確認するものである。
【０２１５】
ＣＰＵ７１はステップＳ５５４で外れリーチ先読みテーブル１から先読み結果を選択すると、ステップＳ５５５で先読み結果の選択結果が外れリーチであるか否かを判断する。ここで先読み結果の選択結果が外れリーチであると判断した場合にはステップＳ５５６で保留番号３のリーチ先読み結果格納部１２８にリーチの先読み結果を上書きし、先読み結果の選択結果が完全外れであると判断した場合にはステップＳ５５７で保留番号３のリーチ先読み結果格納部１２８に非リーチの先読み結果を上書きし、いずれの場合にもステップＳ５５８へ移行する。
【０２１６】
ＣＰＵ７１はステップＳ５５８へ移行すると、保留番号２の大当り先読み結果格納部１２６の先読み結果が外れであるか否かを判断する。ここで保留番号２の大当り先読み結果格納部１２６の先読み結果が大当りであると判断した場合にはステップＳ５６５へ移行し、保留番号２の大当り先読み結果格納部１２６の先読み結果が外れであると判断した場合にはステップＳ５５９で保留番号２の外れリーチ先読みコマンド格納部１２７から外れリーチ先読みコマンドを検出する。そして、ステップＳ５６０でＲＯＭ７２から図３１の（ｃ）の外れリーチ先読みテーブル２を検出し、ステップＳ５６１で外れリーチ先読みテーブル２から外れリーチ先読みコマンドの検出結果に応じた１つの先読み結果を選択する。即ち、先読み結果確認処理４は第１特図保留回数が４回の状態で保留番号２の大当り先読み結果格納部１２６に外れの先読み結果が記録されている場合に保留番号２の外れリーチ先読みコマンド格納部１２７の外れリーチ先読みコマンド（図３６のｃ参照）に対する外れリーチであるか否かの先読み結果を確認するものである。
【０２１７】
ＣＰＵ７１はステップＳ５６１で外れリーチ先読みテーブル２から先読み結果を選択すると、ステップＳ５６２で先読み結果の選択結果が外れリーチであるか否かを判断する。ここで先読み結果の選択結果が外れリーチであると判断した場合にはステップＳ５６３で保留番号２のリーチ先読み結果格納部１２８にリーチの先読み結果を上書きし、先読み結果の選択結果が完全外れであると判断した場合にはステップＳ５６４で保留番号２のリーチ先読み結果格納部１２８に非リーチの先読み結果を上書きし、いずれの場合にもステップＳ５６５へ移行する。
【０２１８】
ＣＰＵ７１はステップＳ５６５へ移行すると、保留番号１の大当り先読み結果格納部１２６の先読み結果が外れであるか否かを判断する。ここで保留番号１の大当り先読み結果格納部１２６の先読み結果が大当りであると判断した場合にはステップＳ５７２へ移行し、保留番号１の大当り先読み結果格納部１２６の先読み結果が外れであると判断した場合にはステップＳ５６６で保留番号１の外れリーチ先読みコマンド格納部１２７から外れリーチ先読みコマンドを検出する。そして、ステップＳ５６７でＲＯＭ７２から図３１の（ｄ）の外れリーチ先読みテーブル３を検出し、ステップＳ５６８で外れリーチ先読みテーブル３から外れリーチ先読みコマンドの検出結果に応じた１つの先読み結果を選択する。即ち、先読み結果確認処理４は第１特図保留回数が４回の状態で保留番号１の大当り先読み結果格納部１２６に外れの先読み結果が記録されている場合に保留番号１の外れリーチ先読みコマンド格納部１２７の外れリーチ先読みコマンド（図３７のｂ参照）に対する外れリーチであるか否かの先読み結果を確認するものである。
【０２１９】
ＣＰＵ７１はステップＳ５６８で外れリーチ先読みテーブル３から先読み結果を選択すると、ステップＳ５６９で先読み結果の選択結果が外れリーチであるか否かを判断する。ここで先読み結果の選択結果が外れリーチであると判断した場合にはステップＳ５７０で保留番号１のリーチ先読み結果格納部１２８にリーチの先読み結果を上書きし、先読み結果の選択結果が完全外れであると判断した場合にはステップＳ５７１で保留番号１のリーチ先読み結果格納部１２８に非リーチの先読み結果を上書きし、いずれの場合にもステップＳ５７２へ移行する。
【０２２０】
ＣＰＵ７１はステップＳ５７２へ移行すると、保留番号０の大当り先読み結果格納部１２６の先読み結果が外れであるか否かを判断する。ここで保留番号０の大当り先読み結果格納部１２６の先読み結果が大当りであると判断した場合には先読み結果確認処理４を終え、保留番号０の大当り先読み結果格納部１２６の先読み結果が外れであると判断した場合にはステップＳ５７３で保留番号０の外れリーチ先読みコマンド格納部１２７から外れリーチ先読みコマンドを検出する。そして、ステップＳ５７４でＲＯＭ７２から図３１の（ｅ）の外れリーチ先読みテーブル４を検出し、ステップＳ５７５で外れリーチ先読みテーブル４から外れリーチ先読みコマンドの検出結果に応じた１つの先読み結果を選択する。即ち、先読み結果確認処理４は第１特図保留回数が４回の状態で保留番号０の大当り先読み結果格納部１２６に外れの先読み結果が記録されている場合に保留番号０の外れリーチ先読みコマンド格納部１２７の外れリーチ先読みコマンド（図３８参照）に対する外れリーチであるか否かの先読み結果を確認するものである。
【０２２１】
ＣＰＵ７１はステップＳ５７５で外れリーチ先読みテーブル４から先読み結果を選択すると、ステップＳ５７６で先読み結果の選択結果が外れリーチであるか否かを判断する。ここで先読み結果の選択結果が外れリーチであると判断した場合にはステップＳ５７７で保留番号０のリーチ先読み結果格納部１２８にリーチの先読み結果を上書きし、先読み結果の選択結果が完全外れであると判断した場合にはステップＳ５７８で保留番号０のリーチ先読み結果格納部１２８に非リーチの先読み結果を上書きする。即ち、先読み結果確認処理４は保留番号０〜４のそれぞれの第１特図保留データ格納部１１７にデータが記録されているものとして行われるものであり、保留番号０〜３のそれぞれのリーチ先読み結果格納部１２８の先読み結果は先読み結果確認処理４での先読み結果が図７０の外れリーチ先読み処理での先読み結果と異なる場合に先読み結果確認処理４での先読み結果に変更される。
【０２２２】
図７５はステップＳ４９０のリーチ確定処理であり、ＣＰＵ７１はステップＳ５８１の保留０処理とステップＳ５８２の保留１処理とステップＳ５８３の保留２処理とステップＳ５８４の保留３処理とステップＳ５８５の保留４処理のそれぞれへ順に移行する。
【０２２３】
図７６はステップＳ５８１の保留０処理であり、ＣＰＵ７１はステップＳ５９１で保留番号０の大当り先読み結果格納部１２６に大当りの先読み結果が記録されているか否かを判断する。ここで保留番号０の大当り先読み結果格納部１２６に大当りの先読み結果が記録されていると判断した場合にはステップＳ６０１で保留番号０のリーチ確定データ格納部１２９にリーチ確定データを記録し（図３９のａ参照）、保留番号０の大当り先読み結果格納部１２６に大当りの先読み結果が記録されていないと判断した場合にはステップＳ５９２へ移行する。
【０２２４】
ＣＰＵ７１はステップＳ５９２へ移行すると、保留番号０の外れリーチ先読みコマンド格納部１２７に外れリーチ先読みコマンド０が記録されているか否かを判断する。ここで保留番号０の外れリーチ先読みコマンド格納部１２７に外れリーチ先読みコマンド０が記録されていると判断した場合にはステップＳ６０１で保留番号０のリーチ確定データ格納部１２９にリーチ確定データを記録し（図４０のａ参照）、保留番号０の外れリーチ先読みコマンド格納部１２７に外れリーチ先読みコマンド０が記録されていないと判断した場合にはステップＳ５９３へ移行する。
【０２２５】
ＣＰＵ７１はステップＳ５９３へ移行すると、保留番号０の外れリーチ先読みコマンド格納部１２７に外れリーチ先読みコマンド１が記録されているか否かを判断する。ここで保留番号０の外れリーチ先読みコマンド格納部１２７に外れリーチ先読みコマンド１が記録されていないと判断した場合にはステップＳ５９５へ移行し、保留番号０の外れリーチ先読みコマンド格納部１２７に外れリーチ先読みコマンド１が記録されていると判断した場合にはステップＳ５９４で保留番号１の外れリーチ先読みコマンド格納部１２７に外れリーチ先読みコマンドが記録されているか否かを判断する。ここで保留番号１の外れリーチ先読みコマンド格納部１２７に外れリーチ先読みコマンドが記録されていると判断した場合にはステップＳ６０１で保留番号０のリーチ確定データ格納部１２９にリーチ確定データを記録し（図４１のａ参照）、保留番号１の外れリーチ先読みコマンド格納部１２７に外れリーチ先読みコマンドが記録されていないと判断した場合には保留０処理を終える。
【０２２６】
ＣＰＵ７１はステップＳ５９５へ移行すると、保留番号０の外れリーチ先読みコマンド格納部１２７に外れリーチ先読みコマンド２が記録されているか否かを判断する。ここで保留番号０の外れリーチ先読みコマンド格納部１２７に外れリーチ先読みコマンド２が記録されていないと判断した場合にはステップＳ５９７へ移行し、保留番号０の外れリーチ先読みコマンド格納部１２７に外れリーチ先読みコマンド２が記録されていると判断した場合にはステップＳ５９６で保留番号１〜２のそれぞれの外れリーチ先読みコマンド格納部１２７に外れリーチ先読みコマンドが記録されているか否かを判断する。ここで保留番号１〜２のそれぞれの外れリーチ先読みコマンド格納部１２７に外れリーチ先読みコマンドが記録されていると判断した場合にはステップＳ６０１で保留番号０のリーチ確定データ格納部１２９にリーチ確定データを記録し（図４２のａ参照）、保留番号１または２の外れリーチ先読みコマンド格納部１２７に外れリーチ先読みコマンドが記録されていないと判断した場合には保留０処理を終える。
【０２２７】
ＣＰＵ７１はステップＳ５９７へ移行すると、保留番号０の外れリーチ先読みコマンド格納部１２７に外れリーチ先読みコマンド３が記録されているか否かを判断する。ここで保留番号０の外れリーチ先読みコマンド格納部１２７に外れリーチ先読みコマンド３が記録されていないと判断した場合にはステップＳ５９９へ移行し、保留番号０の外れリーチ先読みコマンド格納部１２７に外れリーチ先読みコマンド３が記録されていると判断した場合にはステップＳ５９８で保留番号１〜３のそれぞれの外れリーチ先読みコマンド格納部１２７に外れリーチ先読みコマンドが記録されているか否かを判断する。ここで保留番号１〜３のそれぞれの外れリーチ先読みコマンド格納部１２７に外れリーチ先読みコマンドが記録されていると判断した場合にはステップＳ６０１で保留番号０のリーチ確定データ格納部１２９にリーチ確定データを記録し（図４３のａ参照）、保留番号１または２または３の外れリーチ先読みコマンド格納部１２７に外れリーチ先読みコマンドが記録されていないと判断した場合には保留０処理を終える。
【０２２８】
ＣＰＵ７１はステップＳ５９９へ移行すると、保留番号０の外れリーチ先読みコマンド格納部１２７に外れリーチ先読みコマンド４が記録されているか否かを判断する。ここで保留番号０の外れリーチ先読みコマンド格納部１２７に外れリーチ先読みコマンド４が記録されていないと判断した場合には保留０処理を終え、保留番号０の外れリーチ先読みコマンド格納部１２７に外れリーチ先読みコマンド４が記録されていると判断した場合にはステップＳ６００で保留番号１〜４のそれぞれの外れリーチ先読みコマンド格納部１２７に外れリーチ先読みコマンドが記録されているか否かを判断する。ここで保留番号１〜４のそれぞれの外れリーチ先読みコマンド格納部１２７に外れリーチ先読みコマンドが記録されていると判断した場合にはステップＳ６０１で保留番号０のリーチ確定データ格納部１２９にリーチ確定データを記録し（図４４参照）、保留番号１または２または３または４の外れリーチ先読みコマンド格納部１２７に外れリーチ先読みコマンドが記録されていないと判断した場合には保留０処理を終える。
【０２２９】
図７７はステップＳ５８２の保留１処理であり、ＣＰＵ７１はステップＳ６１１で保留番号１の大当り先読み結果格納部１２６に大当りの先読み結果が記録されているか否かを判断する。ここで保留番号１の大当り先読み結果格納部１２６に大当りの先読み結果が記録されていると判断した場合にはステップＳ６１９で保留番号１のリーチ確定データ格納部１２９にリーチ確定データを記録し（図３９のｂ参照）、保留番号１の大当り先読み結果格納部１２６に大当りの先読み結果が記録されていないと判断した場合にはステップＳ６１２へ移行する。
【０２３０】
ＣＰＵ７１はステップＳ６１２へ移行すると、保留番号１の外れリーチ先読みコマンド格納部１２７に外れリーチ先読みコマンド０が記録されているか否かを判断する。ここで保留番号１の外れリーチ先読みコマンド格納部１２７に外れリーチ先読みコマンド０が記録されていると判断した場合にはステップＳ６１９で保留番号１のリーチ確定データ格納部１２９にリーチ確定データを記録し（図４０のｂ参照）、保留番号１の外れリーチ先読みコマンド格納部１２７に外れリーチ先読みコマンド０が記録されていないと判断した場合にはステップＳ６１３へ移行する。
【０２３１】
ＣＰＵ７１はステップＳ６１３へ移行すると、保留番号１の外れリーチ先読みコマンド格納部１２７に外れリーチ先読みコマンド１が記録されているか否かを判断する。ここで保留番号１の外れリーチ先読みコマンド格納部１２７に外れリーチ先読みコマンド１が記録されていないと判断した場合にはステップＳ６１５へ移行し、保留番号１の外れリーチ先読みコマンド格納部１２７に外れリーチ先読みコマンド１が記録されていると判断した場合にはステップＳ６１４で保留番号２の外れリーチ先読みコマンド格納部１２７に外れリーチ先読みコマンドが記録されているか否かを判断する。ここで保留番号２の外れリーチ先読みコマンド格納部１２７に外れリーチ先読みコマンドが記録されていると判断した場合にはステップＳ６１９で保留番号１のリーチ確定データ格納部１２９にリーチ確定データを記録し（図４１のｂ参照）、保留番号２の外れリーチ先読みコマンド格納部１２７に外れリーチ先読みコマンドが記録されていないと判断した場合には保留１処理を終える。
【０２３２】
ＣＰＵ７１はステップＳ６１５へ移行すると、保留番号１の外れリーチ先読みコマンド格納部１２７に外れリーチ先読みコマンド２が記録されているか否かを判断する。ここで保留番号１の外れリーチ先読みコマンド格納部１２７に外れリーチ先読みコマンド２が記録されていないと判断した場合にはステップＳ６１７へ移行し、保留番号１の外れリーチ先読みコマンド格納部１２７に外れリーチ先読みコマンド２が記録されていると判断した場合にはステップＳ６１６で保留番号２〜３のそれぞれの外れリーチ先読みコマンド格納部１２７に外れリーチ先読みコマンドが記録されているか否かを判断する。ここで保留番号２〜３のそれぞれの外れリーチ先読みコマンド格納部１２７に外れリーチ先読みコマンドが記録されていると判断した場合にはステップＳ６１９で保留番号１のリーチ確定データ格納部１２９にリーチ確定データを記録し（図４２のｂ参照）、保留番号２または３の外れリーチ先読みコマンド格納部１２７に外れリーチ先読みコマンドが記録されていないと判断した場合には保留１処理を終える。
【０２３３】
ＣＰＵ７１はステップＳ６１７へ移行すると、保留番号１の外れリーチ先読みコマンド格納部１２７に外れリーチ先読みコマンド３が記録されているか否かを判断する。ここで保留番号１の外れリーチ先読みコマンド格納部１２７に外れリーチ先読みコマンド３が記録されていないと判断した場合には保留１処理を終え、保留番号１の外れリーチ先読みコマンド格納部１２７に外れリーチ先読みコマンド３が記録されていると判断した場合にはステップＳ６１８で保留番号２〜４のそれぞれの外れリーチ先読みコマンド格納部１２７に外れリーチ先読みコマンドが記録されているか否かを判断する。ここで保留番号２〜４のそれぞれの外れリーチ先読みコマンド格納部１２７に外れリーチ先読みコマンドが記録されていると判断した場合にはステップＳ６１９で保留番号１のリーチ確定データ格納部１２９にリーチ確定データを記録し（図４３のｂ参照）、保留番号２または３または４の外れリーチ先読みコマンド格納部１２７に外れリーチ先読みコマンドが記録されていないと判断した場合には保留１処理を終える。
【０２３４】
図７８はステップＳ５８３の保留２処理であり、ＣＰＵ７１はステップＳ６２１で保留番号２の大当り先読み結果格納部１２６に大当りの先読み結果が記録されているか否かを判断する。ここで保留番号２の大当り先読み結果格納部１２６に大当りの先読み結果が記録されていると判断した場合にはステップＳ６２７で保留番号２のリーチ確定データ格納部１２９にリーチ確定データを記録し（図３９のｃ参照）、保留番号２の大当り先読み結果格納部１２６に大当りの先読み結果が記録されていないと判断した場合にはステップＳ６２２へ移行する。
【０２３５】
ＣＰＵ７１はステップＳ６２２へ移行すると、保留番号２の外れリーチ先読みコマンド格納部１２７に外れリーチ先読みコマンド０が記録されているか否かを判断する。ここで保留番号２の外れリーチ先読みコマンド格納部１２７に外れリーチ先読みコマンド０が記録されていると判断した場合にはステップＳ６２７で保留番号２のリーチ確定データ格納部１２９にリーチ確定データを記録し（図４０のｃ参照）、保留番号２の外れリーチ先読みコマンド格納部１２７に外れリーチ先読みコマンド０が記録されていないと判断した場合にはステップＳ６２３へ移行する。
【０２３６】
ＣＰＵ７１はステップＳ６２３へ移行すると、保留番号２の外れリーチ先読みコマンド格納部１２７に外れリーチ先読みコマンド１が記録されているか否かを判断する。ここで保留番号２の外れリーチ先読みコマンド格納部１２７に外れリーチ先読みコマンド１が記録されていないと判断した場合にはステップＳ６２５へ移行し、保留番号２の外れリーチ先読みコマンド格納部１２７に外れリーチ先読みコマンド１が記録されていると判断した場合にはステップＳ６２４で保留番号３の外れリーチ先読みコマンド格納部１２７に外れリーチ先読みコマンドが記録されているか否かを判断する。ここで保留番号３の外れリーチ先読みコマンド格納部１２７に外れリーチ先読みコマンドが記録されていると判断した場合にはステップＳ６２７で保留番号２のリーチ確定データ格納部１２９にリーチ確定データを記録し（図４１のｃ参照）、保留番号３の外れリーチ先読みコマンド格納部１２７に外れリーチ先読みコマンドが記録されていないと判断した場合には保留２処理を終える。
【０２３７】
ＣＰＵ７１はステップＳ６２５へ移行すると、保留番号２の外れリーチ先読みコマンド格納部１２７に外れリーチ先読みコマンド２が記録されているか否かを判断する。ここで保留番号２の外れリーチ先読みコマンド格納部１２７に外れリーチ先読みコマンド２が記録されていないと判断した場合には保留２処理を終え、保留番号２の外れリーチ先読みコマンド格納部１２７に外れリーチ先読みコマンド２が記録されていると判断した場合にはステップＳ６２６で保留番号３〜４のそれぞれの外れリーチ先読みコマンド格納部１２７に外れリーチ先読みコマンドが記録されているか否かを判断する。ここで保留番号３〜４のそれぞれの外れリーチ先読みコマンド格納部１２７に外れリーチ先読みコマンドが記録されていると判断した場合にはステップＳ６２７で保留番号２のリーチ確定データ格納部１２９にリーチ確定データを記録し（図４２のｃ参照）、保留番号３または４の外れリーチ先読みコマンド格納部１２７に外れリーチ先読みコマンドが記録されていないと判断した場合には保留２処理を終える。
【０２３８】
図７９はステップＳ５８４の保留３処理であり、ＣＰＵ７１はステップＳ６３１で保留番号３の大当り先読み結果格納部１２６に大当りの先読み結果が記録されているか否かを判断する。ここで保留番号３の大当り先読み結果格納部１２６に大当りの先読み結果が記録されていると判断した場合にはステップＳ６３５で保留番号３のリーチ確定データ格納部１２９にリーチ確定データを記録し（図３９のｄ参照）、保留番号３の大当り先読み結果格納部１２６に大当りの先読み結果が記録されていないと判断した場合にはステップＳ６３２へ移行する。
【０２３９】
ＣＰＵ７１はステップＳ６３２へ移行すると、保留番号３の外れリーチ先読みコマンド格納部１２７に外れリーチ先読みコマンド０が記録されているか否かを判断する。ここで保留番号３の外れリーチ先読みコマンド格納部１２７に外れリーチ先読みコマンド０が記録されていると判断した場合にはステップＳ６３５で保留番号３のリーチ確定データ格納部１２９にリーチ確定データを記録し（図４０のｄ参照）、保留番号３の外れリーチ先読みコマンド格納部１２７に外れリーチ先読みコマンド０が記録されていないと判断した場合にはステップＳ６３３へ移行する。
【０２４０】
ＣＰＵ７１はステップＳ６３３へ移行すると、保留番号３の外れリーチ先読みコマンド格納部１２７に外れリーチ先読みコマンド１が記録されているか否かを判断する。ここで保留番号３の外れリーチ先読みコマンド格納部１２７に外れリーチ先読みコマンド１が記録されていないと判断した場合には保留３処理を終え、保留番号３の外れリーチ先読みコマンド格納部１２７に外れリーチ先読みコマンド１が記録されていると判断した場合にはステップＳ６３４で保留番号４の外れリーチ先読みコマンド格納部１２７に外れリーチ先読みコマンドが記録されているか否かを判断する。ここで保留番号４の外れリーチ先読みコマンド格納部１２７に外れリーチ先読みコマンドが記録されていると判断した場合にはステップＳ６３５で保留番号３のリーチ確定データ格納部１２９にリーチ確定データを記録し（図４１のｄ参照）、保留番号４の外れリーチ先読みコマンド格納部１２７に外れリーチ先読みコマンドが記録されていないと判断した場合には保留３処理を終える。
【０２４１】
図８０はステップＳ５８５の保留４処理であり、ＣＰＵ７１はステップＳ６４１で保留番号４の大当り先読み結果格納部１２６に大当りの先読み結果が記録されているか否かを判断する。ここで保留番号４の大当り先読み結果格納部１２６に大当りの先読み結果が記録されていると判断した場合にはステップＳ６４３で保留番号４のリーチ確定データ格納部１２９にリーチ確定データを記録し（図３９のｅ参照）、保留番号４の大当り先読み結果格納部１２６に大当りの先読み結果が記録されていないと判断した場合にはステップＳ６４２へ移行する。
【０２４２】
ＣＰＵ７１はステップＳ６４２へ移行すると、保留番号４の外れリーチ先読みコマンド格納部１２７に外れリーチ先読みコマンド０が記録されているか否かを判断する。ここで保留番号４の外れリーチ先読みコマンド格納部１２７に外れリーチ先読みコマンド０が記録されていると判断した場合にはステップＳ６４３で保留番号４のリーチ確定データ格納部１２９にリーチ確定データを記録し（図４０のｅ参照）、保留番号４の外れリーチ先読みコマンド格納部１２７に外れリーチ先読みコマンド０が記録されていないと判断した場合には保留４処理を終える。即ち、保留０処理〜保留４処理のそれぞれは第１特図保留データ格納部１１７のデータの総数が変動した場合でも外れリーチ先読みコマンド格納部１２７の外れリーチ先読みコマンドに応じてリーチであると先読みされる条件が成立した場合にリーチ先読み結果格納部１２８のリーチの先読み結果を確定するものである。
［５−６］装飾図柄遊技処理
図８１はステップＳ４１６の装飾図柄遊技処理であり、ＣＰＵ７１はステップＳ６５１でコマンド格納部１２１に特図変動開始コマンドが記録されているか否かを判断する。ここでコマンド格納部１２１に特図変動開始コマンドが記録されていないと判断した場合にはステップＳ６６２へ移行し、コマンド格納部１２１に特図変動開始コマンドが記録されていると判断した場合にはステップＳ６５２でフラグ格納部１２４の装飾図柄遊技フラグをオン状態に設定する。このフラグ格納部１２４の装飾図柄遊技フラグはステップＳ４０２でオフ状態に初期設定されるものであり、ＣＰＵ７１はステップＳ６５２でフラグ格納部１２４の装飾図柄遊技フラグをオン状態に設定した場合にはステップＳ６５３でコマンド格納部１２１に第１特図遊技コマンドが記録されているか否かを判断する。
【０２４３】
ＣＰＵ７１はステップＳ６５３でコマンド格納部１２１に第１特図遊技コマンドが記録されていないと判断した場合にはステップＳ６５８の特図変動開始コマンド処理へ移行し、コマンド格納部１２１に第１特図遊技コマンドが記録されていると判断した場合にはステップＳ６５４でコマンド格納部１２１から第１特図遊技コマンドを消去し、ステップＳ６５５でフラグ格納部１２４の予告禁止フラグがオフ状態に設定されているか否かを判断する。ここでフラグ格納部１２４の予告禁止フラグがオン状態に設定されていると判断した場合にはステップＳ６５７の先読みデータ処理へ移行し、フラグ格納部１２４の予告禁止フラグがオフ状態に設定されていると判断した場合にはステップＳ６５６のステップアップ予告処理を経てステップＳ６５７の先読みデータ処理へ移行する。即ち、ステップアップ予告処理は電チューサポートモードのオフ状態で第１特図保留データ１１７のデータに応じて処理が行われる場合のみに実行されるものである。
【０２４４】
ＣＰＵ７１はステップＳ６５７の先読みデータ処理を終えると、ステップＳ６５８の特図変動開始コマンド処理へ移行する。このステップＳ６５８の特図変動開始コマンド処理を終えた場合にはステップＳ６５９でタイマ格納部１２３のタイマＳＴ１の値にＲＯＭ７２に予め記録された初期値（０）を設定し、ステップＳ６６０でコマンド格納部１２１から特図変動開始コマンドを消去し、ステップＳ６６１でコマンド格納部１２１から図柄情報コマンドを消去する。
【０２４５】
ＣＰＵ７１はステップＳ６６２へ移行すると、フラグ格納部１２４の装飾図柄遊技フラグがオン状態に設定されているか否かを判断する。ここでフラグ格納部１２４の装飾図柄遊技フラグがオン状態に設定されていると判断した場合にはステップＳ６６３へ移行し、タイマ格納部１２３のタイマＳＴ１の値にＲＯＭ７２に予め記録された一定値（１０ｍｓｅｃ）を加算する。そして、ステップＳ６６４の演出制御処理およびステップＳ６６５の予告演出処理のそれぞれへ移行し、ステップＳ６６６でコマンド格納部１２４に特図変動停止コマンドが記録されているか否かを判断する。
【０２４６】
ＣＰＵ７１はステップＳ６６６でコマンド格納部１２４に特図変動停止コマンドが記録されていないと判断した場合には装飾図柄遊技処理を終え、コマンド格納部１２４に特図変動停止コマンドが記録されていると判断した場合にはステップＳ６６７でフラグ格納部１２４の装飾図柄遊技フラグをオフ状態に設定する。そして、ステップＳ６６８でコマンド格納部１２１から特図変動停止コマンドを消去し、ステップＳ６６９で表示制御回路８０に再生停止コマンド１を送信する。この再生停止コマンド１が送信される直前には表示制御回路８０がビデオデータを再生することで装飾図柄表示器４５に装飾図柄遊技の背景映像を表示しており、表示制御回路８０は再生停止コマンド１を受信することでビデオデータの再生処理を停止する。
［５−６−１］ステップアップ予告処理
図８２はステップＳ６５６のステップアップ予告処理であり、ＣＰＵ７１はステップＳ６７１でフラグ格納部１２４のステップアップ予告フラグがオン状態に設定されているか否かを判断する。このフラグ格納部１２４のステップアップ予告フラグはステップＳ４０２でオフ状態に初期設定されるものであり、ＣＰＵ７１はステップＳ６７１でフラグ格納部１２４のステップアップ予告フラグがオン状態に設定されていると判断した場合にはステップアップ予告処理を終え、フラグ格納部１２４のステップアップ予告フラグがオフ状態に設定されていると判断した場合にはステップＳ６７２へ移行する。
【０２４７】
ＣＰＵ７１はステップＳ６７２へ移行すると、保留番号０のリーチ確定データ格納部１２９にリーチ確定データが記録されているか否かを判断する。ここで保留番号０のリーチ確定データ格納部１２９にリーチ確定データが記録されていないと判断した場合にはステップＳ６８０へ移行し、保留番号０のリーチ確定データ格納部１２９にリーチ確定データが記録されていると判断した場合にはステップＳ６７３でカウンタ格納部１２２からカウンタＳＲ４の値の更新結果を検出し、ステップＳ６７４で保留番号０の大当り先読み結果格納部１２６に大当りの先読み結果が記録されているか否かを判断する。ここで保留番号０の大当り先読み結果格納部１２６に大当りの先読み結果が記録されていると判断した場合にはステップＳ６７５でＲＯＭ７２から図３０の（ａ）の予告判定テーブル０−１を検出し、保留番号０の大当り先読み結果格納部１２６に外れの先読み結果が記録されていると判断した場合にはステップＳ６７６でＲＯＭ７２から図３０の（ｂ）の予告判定テーブル０−２を検出する。
【０２４８】
ＣＰＵ７１はステップＳ６７５またはステップＳ６７６で予告判定テーブルを検出すると、ステップＳ６７７で予告判定テーブルの検出結果からカウンタＳＲ４の値の検出結果に応じた１つの判定結果を選択し、ステップＳ６７８で判定結果が予告有りであるか否かを判断する。ここで判定結果が予告無しであると判断した場合にはステップＳ６８０へ移行し、判定結果が予告有りであると判断した場合にはステップＳ６７９でカウンタＳＮ４の値に（０）を設定し、ステップＳ６９６でフラグ格納部１２４のステップアップ予告フラグをオン状態に設定する。このカウンタＳＮ４の値はステップＳ４０２で（０）（１）（２）のいずれとも異なる初期値に設定されるものであり、ＣＰＵ７１はステップＳ６７９でカウンタＳＮ４の値を設定した場合にはステップＳ６９６でフラグ格納部１２４のステップアップ予告フラグをオン状態に設定する。
【０２４９】
ＣＰＵ７１はステップＳ６８０へ移行すると、保留番号１のリーチ確定データ格納部１２９にリーチ確定データが記録されているか否かを判断する。ここで保留番号１のリーチ確定データ格納部１２９にリーチ確定データが記録されていないと判断した場合にはステップＳ６８８へ移行し、保留番号１のリーチ確定データ格納部１２９にリーチ確定データが記録されていると判断した場合にはステップＳ６８１でカウンタ格納部１２２からカウンタＳＲ４の値の更新結果を検出し、ステップＳ６８２で保留番号１の大当り先読み結果格納部１２６に大当りの先読み結果が記録されているか否かを判断する。ここで保留番号１の大当り先読み結果格納部１２６に大当りの先読み結果が記録されていると判断した場合にはステップＳ６８３でＲＯＭ７２から図３０の（ｃ）の予告判定テーブル１−１を検出し、保留番号１の大当り先読み結果格納部１２６に外れの先読み結果が記録されていると判断した場合にはステップＳ６８４でＲＯＭ７２から図３０の（ｄ）の予告判定テーブル１−２を検出する。
【０２５０】
ＣＰＵ７１はステップＳ６８３またはステップＳ６８４で予告判定テーブルを検出すると、ステップＳ６８５で予告判定テーブルの検出結果からカウンタＳＲ４の値の検出結果に応じた１つの判定結果を選択し、ステップＳ６８６で判定結果が予告有りであるか否かを判断する。ここで判定結果が予告無しであると判断した場合にはステップＳ６８８へ移行し、判定結果が予告有りであると判断した場合にはステップＳ６８７へ移行する。ここでカウンタＳＮ４の値に（１）を設定し、ステップＳ６９６でフラグ格納部１２４のステップアップ予告フラグをオン状態に設定する。
【０２５１】
ＣＰＵ７１はステップＳ６８８へ移行すると、保留番号２のリーチ確定データ格納部１２９にリーチ確定データが記録されているか否かを判断する。ここで保留番号２のリーチ確定データ格納部１２９にリーチ確定データが記録されていないと判断した場合にはステップアップ予告処理を終え、保留番号２のリーチ確定データ格納部１２９にリーチ確定データが記録されていると判断した場合にはステップＳ６８９でカウンタ格納部１２２からカウンタＳＲ４の値の更新結果を検出し、ステップＳ６９０で保留番号２の大当り先読み結果格納部１２６に大当りの先読み結果が記録されているか否かを判断する。ここで保留番号２の大当り先読み結果格納部１２６に大当りの先読み結果が記録されていると判断した場合にはステップＳ６９１でＲＯＭ７２から図３０の（ｅ）の予告判定テーブル２−１を検出し、保留番号２の大当り先読み結果格納部１２６に外れの先読み結果が記録されていると判断した場合にはステップＳ６９２でＲＯＭ７２から図３０の（ｆ）の予告判定テーブル２−２を検出する。
【０２５２】
ＣＰＵ７１はステップＳ６９１またはステップＳ６９２で予告判定テーブルを検出すると、ステップＳ６９３で予告判定テーブルの検出結果からカウンタＳＲ４の値の検出結果に応じた１つの判定結果を選択し、ステップＳ６９４で判定結果が予告有りであるか否かを判断する。ここで判定結果が予告無しであると判断した場合にはステップアップ予告処理を終え、判定結果が予告有りであると判断した場合にはステップＳ６９５へ移行する。ここでカウンタＳＮ４の値に（２）を設定し、ステップＳ６９６でフラグ格納部１２４のステップアップ予告フラグをオン状態に設定する。
【０２５３】
即ち、電チューサポートモードのオフ状態で第１特図保留データ格納部１１７のデータに応じて特別図柄遊技が行われる場合には保留番号０のリーチ確定データ格納部１２９にリーチ確定データが記録されていることを条件に１段階のステップアップ予告を行うと一定の確率で判定され、保留番号１のリーチ確定データ格納部１２９にリーチ確定データが記録されていることを条件に２段階のステップアップ予告を行うと一定の確率で判定され、保留番号２のリーチ確定データ格納部１２９にリーチ確定データが記録されていることを条件に３段階のステップアップ予告を行うと一定の確率で判定される。
［５−６−２］先読みデータ処理
図８３はステップＳ６５７の先読みデータ処理であり、ＣＰＵ７１はステップＳ７０１で保留番号０の大当り先読み結果格納部１２６から大当りであるか否かの先読み結果を消去し、保留番号０の外れリーチ先読みコマンド格納部１２７から外れリーチ先読みコマンドを消去し、保留番号０のリーチ先読み結果格納部１２８からリーチであるか否かの先読み結果を消去し、保留番号０のリーチ確定データ格納部１２９にリーチ確定データが記録されている場合には保留番号０のリーチ確定データ格納部１２９からリーチ確定データを消去する。
【０２５４】
ＣＰＵ７１はステップＳ７０１を終えると、ステップＳ７０２でカウンタ格納部１２２のカウンタＳＮ１の値が（４）であるか否かを判断する。ここでカウンタ格納部１２２のカウンタＳＮ１の値が（４）でないと判断した場合にはステップＳ７０７へ移行し、カウンタ格納部１２２のカウンタＳＮ１の値が（４）であると判断した場合にはステップＳ７０３のシフト処理１０とステップＳ７０４のシフト処理２１とステップＳ７０５のシフト処理３２とステップＳ７０６のシフト処理４３のそれぞれへ移行する。
【０２５５】
ステップＳ７０３のシフト処理１０は保留番号１の大当り先読み結果格納部１２６の大当りであるか否かの先読み結果を保留番号０の大当り先読み結果格納部１２６にシフトし、保留番号１の外れリーチ先読みコマンド格納部１２７の外れリーチ先読みコマンドを保留番号０の外れリーチ先読みコマンド格納部１２７にシフトし、保留番号１のリーチ先読み結果格納部１２８のリーチであるか否かの先読み結果を保留番号０のリーチ先読み結果格納部１２８にシフトするものであり、保留番号１のリーチ確定データ格納部１２９にリーチ確定データが記録されている場合には保留番号１のリーチ確定データ格納部１２９のリーチ確定データが保留番号０のリーチ確定データ格納部１２９にシフトされる。
【０２５６】
ステップＳ７０４のシフト処理２１は保留番号２の大当り先読み結果格納部１２６の大当りであるか否かの先読み結果を保留番号１の大当り先読み結果格納部１２６にシフトし、保留番号２の外れリーチ先読みコマンド格納部１２７の外れリーチ先読みコマンドを保留番号１の外れリーチ先読みコマンド格納部１２７にシフトし、保留番号２のリーチ先読み結果格納部１２８のリーチであるか否かの先読み結果を保留番号１のリーチ先読み結果格納部１２８にシフトするものであり、保留番号２のリーチ確定データ格納部１２９にリーチ確定データが記録されている場合には保留番号２のリーチ確定データ格納部１２９のリーチ確定データが保留番号１のリーチ確定データ格納部１２９にシフトされる。
【０２５７】
ステップＳ７０５のシフト処理３２は保留番号３の大当り先読み結果格納部１２６の大当りであるか否かの先読み結果を保留番号２の大当り先読み結果格納部１２６にシフトし、保留番号３の外れリーチ先読みコマンド格納部１２７の外れリーチ先読みコマンドを保留番号２の外れリーチ先読みコマンド格納部１２７にシフトし、保留番号３のリーチ先読み結果格納部１２８のリーチであるか否かの先読み結果を保留番号２のリーチ先読み結果格納部１２８にシフトするものであり、保留番号３のリーチ確定データ格納部１２９にリーチ確定データが記録されている場合には保留番号３のリーチ確定データ格納部１２９のリーチ確定データが保留番号２のリーチ確定データ格納部１２９にシフトされる。
【０２５８】
ステップＳ７０６のシフト処理４３は保留番号４の大当り先読み結果格納部１２６の大当りであるか否かの先読み結果を保留番号３の大当り先読み結果格納部１２６にシフトし、保留番号４の外れリーチ先読みコマンド格納部１２７の外れリーチ先読みコマンドを保留番号３の外れリーチ先読みコマンド格納部１２７にシフトし、保留番号４のリーチ先読み結果格納部１２８のリーチであるか否かの先読み結果を保留番号３のリーチ先読み結果格納部１２８にシフトするものであり、保留番号４のリーチ確定データ格納部１２９にリーチ確定データが記録されている場合には保留番号４のリーチ確定データ格納部１２９のリーチ確定データが保留番号３のリーチ確定データ格納部１２９にシフトされる。
【０２５９】
ＣＰＵ７１はステップＳ７０７へ移行すると、カウンタ格納部１２２のカウンタＳＮ１の値が（３）であるか否かを判断する。ここでカウンタ格納部１２２のカウンタＳＮ１の値が（３）でないと判断した場合にはステップＳ７１１へ移行し、カウンタ格納部１２２のカウンタＳＮ１の値が（３）であると判断した場合にはステップＳ７０８のシフト処理１０とステップＳ７０９のシフト処理２１とステップＳ７１０のシフト処理３２のそれぞれへ移行する。ステップＳ７０８のシフト処理１０はステップＳ７０３のシフト処理１０と同一内容のものであり、ステップＳ７０９のシフト処理２１はステップＳ７０４のシフト処理２１と同一内容のものであり、ステップＳ７１０のシフト処理３２はステップＳ７０５のシフト処理３２と同一内容のものである。
【０２６０】
ＣＰＵ７１はステップＳ７１１へ移行すると、カウンタ格納部１２２のカウンタＳＮ１の値が（２）であるか否かを判断する。ここでカウンタ格納部１２２のカウンタＳＮ１の値が（２）でないと判断した場合にはステップＳ７１４へ移行し、カウンタ格納部１２２のカウンタＳＮ１の値が（２）であると判断した場合にはステップＳ７１２のシフト処理１０およびステップＳ７１３のシフト処理２１のそれぞれへ移行する。ステップＳ７１２のシフト処理１０はステップＳ７０３のシフト処理１０と同一内容のものであり、ステップＳ７１３のシフト処理２１はステップＳ７０４のシフト処理２１と同一内容のものである。
【０２６１】
ＣＰＵ７１はステップＳ７１４へ移行すると、カウンタ格納部１２２のカウンタＳＮ１の値が（１）であるか否かを判断する。ここでカウンタ格納部１２２のカウンタＳＮ１の値が（１）でないと判断した場合には先読みデータ処理を終え、カウンタ格納部１２２のカウンタＳＮ１の値が（１）であると判断した場合にはステップＳ７１５のシフト処理１０へ移行する。このステップＳ７１５のシフト処理１０はステップＳ７０３のシフト処理１０と同一内容のものである。
［５−６−３］特図変動開始コマンド処理
図８４はステップＳ６５８の特図変動開始コマンド処理であり、ＣＰＵ７１はステップＳ７２１でコマンド格納部１２１から特図変動開始コマンドを検出する。そして、ステップＳ７２２でＲＯＭ７２から図２２のプロセスデータテーブルを検出し、ステップＳ７２３でプロセスデータテーブルから特図変動開始コマンドの検出結果に応じた１つのプロセスデータを選択する。
【０２６２】
ＣＰＵ７１はステップＳ７２３でプロセスデータを選択すると、ステップＳ７２４でＲＯＭ７２から図２４のビデオコマンドテーブルを検出する。そして、ステップＳ７２５でビデオコマンドテーブルからプロセスデータの選択結果に応じた１つのビデオコマンドを選択し、ステップＳ７２６でビデオコマンドの選択結果を表示制御回路８０に送信する。この表示制御回路８０はビデオコマンドの選択結果を受信した場合にはＶＲＯＭからビデオコマンドの受信結果に応じたビデオデータを選択し（図２５参照）、ビデオデータの選択結果をＶＲＡＭに展開する。
【０２６３】
ＣＰＵ７１はステップＳ７２６でビデオコマンドの選択結果を送信すると、ステップＳ７２７でコマンド格納部１２１から図柄情報コマンドを検出し、ステップＳ７２８の装飾図柄設定処理で装飾図柄の組合せを設定する。そして、ステップＳ７２９で装飾図柄の組合せの設定結果を確定図柄格納部１２５に記録し、ステップＳ７３０で表示制御回路８０に再生開始コマンド１を送信し、ステップＳ７３１で表示制御回路８０に保留消去コマンドを送信する。この表示制御回路８０は再生開始コマンド１を受信した場合にはＶＲＡＭのビデオデータの選択結果を再生開始し、装飾図柄表示器４５にビデオデータの選択結果に応じた装飾図柄遊技の背景映像を表示開始する。この表示制御回路８０は保留消去コマンドを受信した場合には装飾図柄表示器４５の特図保留領域４８内から１個の特図保留絵柄４９を消去する。
【０２６４】
図８５はステップＳ７２８の装飾図柄設定処理であり、ＣＰＵ７１はステップＳ７４１で図柄情報コマンドの検出結果が図柄情報コマンド０２であるか否かを判断する。ここで図柄情報コマンドの検出結果が図柄情報コマンド０２であると判断した場合にはステップＳ７４２の大当り図柄設定処理１で装飾図柄を偶数の大当りの組合せに設定し、図柄情報コマンドの検出結果が図柄情報コマンド０２でないと判断した場合にはステップＳ７４３で図柄情報コマンドの検出結果が図柄情報コマンド０３であるか否かを判断する。
【０２６５】
ＣＰＵ７１はステップＳ７４３で図柄情報コマンドの検出結果が図柄情報コマンド０３であると判断した場合にはステップＳ７４４の大当り図柄設定処理２で装飾図柄を奇数の大当りの組合せに設定し、図柄情報コマンドの検出結果が図柄情報コマンド０３でないと判断した場合にはステップＳ７４５で特図変動開始コマンドの検出結果が特図変動開始コマンド１０であるか否かを判断する。ここで特図変動開始コマンドの検出結果が特図変動開始コマンド１０であると判断した場合にはステップＳ７４６の完全外れ図柄設定処理で装飾図柄を完全外れの組合せに設定し、特図変動開始コマンドの検出結果が特図変動開始コマンド１１〜１２のいずれかであると判断した場合にはステップＳ７４７の外れリーチ図柄設定処理で装飾図柄を外れリーチの組合せに設定する。
【０２６６】
図８６はステップＳ７４２の大当り図柄設定処理１であり、ＣＰＵ７１はステップＳ７５１でＲＯＭ７２から図２７の（ａ）の図柄テーブル１を検出する。そして、ステップＳ７５２でカウンタ格納部１２２からカウンタＳＲ１の値の更新結果を検出し、ステップＳ７５３で図柄テーブル１からカウンタＳＲ１の値の検出結果に応じた１つの図柄要素を選択する。次にステップＳ７５４で左列の図柄要素を図柄要素の選択結果に設定し、ステップＳ７５５で中列の図柄要素を図柄要素の選択結果に設定し、ステップＳ７５６で右列の図柄要素を図柄要素の選択結果に設定する。この図柄テーブル１には図柄要素として（２）（４）（６）（８）の４種類が設定されており、メイン制御回路５０が通常大当り図柄を選択することで図柄情報コマンド０２を送信した場合には大当り図柄設定処理１で装飾図柄が偶数の大当りの組合せに設定される。
【０２６７】
図８７はステップＳ７４４の大当り図柄設定処理２であり、ＣＰＵ７１はステップＳ７６１でＲＯＭ７２から図２７の（ｂ）の図柄テーブル２を検出する。そして、ステップＳ７６２でカウンタ格納部１２２からカウンタＳＲ１の値の更新結果を検出し、ステップＳ７６３で図柄テーブル２からカウンタＳＲ１の値の検出結果に応じた１つの図柄要素を選択する。次にステップＳ７６４で左列の図柄要素を図柄要素の選択結果に設定し、ステップＳ７６５で中列の図柄要素を図柄要素の選択結果に設定し、ステップＳ７６６で右列の図柄要素を図柄要素の選択結果に設定する。この図柄テーブル２には図柄要素として（１）（３）（５）（７）の４種類が設定されており、メイン制御回路５０が確変大当り図柄を選択することで図柄情報コマンド０３を送信した場合には大当り図柄設定処理２で装飾図柄が奇数の大当りの組合せに設定される。
【０２６８】
図８８はステップＳ７４６の完全外れ図柄設定処理であり、ＣＰＵ７１はステップＳ７７１でＲＯＭ７２から図２７の（ｂ）の図柄テーブル２を検出し、ステップＳ７７２でカウンタ格納部１２２からカウンタＳＲ１の値の更新結果を検出する。そして、ステップＳ７７３で図柄テーブル２からカウンタＳＲ１の値の検出結果に応じた１つの図柄要素を選択し、ステップＳ７７４で左列の図柄要素を図柄要素の選択結果に設定する。
【０２６９】
ＣＰＵ７１はステップＳ７７４で左列の図柄要素を設定すると、ステップＳ７７５でＲＯＭ７２から図２７の（ｃ）の図柄テーブル３を検出する。そして、ステップＳ７７６でカウンタ格納部１２２からカウンタＳＲ２の値の更新結果を検出し、ステップＳ７７７で図柄テーブル３からカウンタＳＲ２の値の検出結果に応じた１つの図柄要素を選択し、ステップＳ７７８で図柄要素の選択結果を左列の図柄要素の設定結果と比較する。ここで図柄要素の選択結果が左列の図柄要素の設定結果と同一でないと判断した場合にはステップＳ７８０で図柄要素の選択結果を右列の図柄要素に設定し、図柄要素の選択結果が左列の図柄要素の設定結果と同一であると判断した場合にはステップＳ７７９で図柄要素の選択結果を変動順序が次の図柄要素に変更し、ステップＳ７８０で図柄要素の変更結果を右列の図柄要素に設定する。
【０２７０】
ＣＰＵ７１はステップＳ７８０で右列の図柄要素を設定すると、ステップＳ７８１でＲＯＭ７２から図２７の（ｄ）の図柄テーブル４を検出し、ステップＳ７８２でカウンタ格納部１２２からカウンタＳＲ３の値の更新結果を検出する。そして、ステップＳ７８３で図柄テーブル４からカウンタＳＲ３の値の検出結果に応じた１つの図柄要素を選択し、ステップＳ７８４で中列の図柄要素を図柄要素の選択結果に設定する。即ち、メイン制御回路５０が外れ図柄を選択することで特図変動開始コマンド１０を選択した場合には装飾図柄が完全外れの組合せに設定される。
【０２７１】
図８９はステップＳ７４７の外れリーチ図柄設定処理であり、ＣＰＵ７１はステップＳ７９１でＲＯＭ７２から図２７の（ｃ）の図柄テーブル３を検出し、ステップＳ７９２でカウンタ格納部１２２からカウンタＳＲ２の値の更新結果を検出する。そして、ステップＳ７９３で図柄テーブル３からカウンタＳＲ２の値の検出結果に応じた１つの図柄要素を選択し、ステップＳ７９４で左列の図柄要素を図柄要素の選択結果に設定し、ステップＳ７９５で右列の図柄要素を図柄要素の選択結果に設定する。
【０２７２】
ＣＰＵ７１はステップＳ７９５で右列の図柄要素を設定すると、ステップＳ７９６でＲＯＭ７２から図２７の（ｄ）の図柄テーブル４を検出する。そして、ステップＳ７９７でカウンタ格納部１２２からカウンタＳＲ３の値の更新結果を検出し、ステップＳ７９８で図柄テーブル４からカウンタＳＲ３の値の検出結果に応じた１つの図柄要素を選択し、ステップＳ７９９で図柄要素の選択結果を左列の図柄要素の設定結果と比較する。ここで図柄要素の選択結果が左列の図柄要素の設定結果と同一でないと判断した場合にはステップＳ８０１で図柄要素の選択結果を中列の図柄要素に設定し、図柄要素の選択結果が左列の図柄要素の設定結果と同一であると判断した場合にはステップＳ８００で図柄要素の選択結果を変動順序が次の図柄要素に変更し、ステップＳ８０１で図柄要素の変更結果を中列の図柄要素に設定する。即ち、メイン制御回路５０が外れ図柄を選択することで特図変動開始コマンド１１および特図変動開始コマンド１２のいずれかを選択した場合には装飾図柄が外れリーチの組合せに設定される。
［５−６−４］演出制御処理
図８１のステップＳ６６４の演出制御処理はタイマ格納部１２３のタイマＳＴ１の値の加算結果がプロセスデータの選択結果に応じた複数のタイマ設定値のいずれかに一致しているか否かを判断し、タイマＳＴ１の値の加算結果が複数のタイマ設定値のいずれかに一致していると判断した場合にプロセスデータの選択結果からタイマＳＴ１の値の加算結果に応じた表示制御コマンドまたは音制御コマンドまたは電飾制御コマンドを検出し、表示制御回路８０に表示制御コマンドの検出結果を送信または音制御回路９０に音制御コマンドの検出結果を送信または電飾制御回路１００に電飾制御コマンドの検出結果を送信するものであり、表示制御回路８０は表示制御コマンドの送信結果を受信した場合には装飾図柄表示器４５の表示内容を表示制御コマンドの受信結果に応じて制御し、音制御回路９０は音制御コマンドの送信結果を受信した場合には両スピーカ１５のそれぞれを音制御コマンドの受信結果に応じて制御し、電飾制御回路１００は電飾制御コマンドの送信結果を受信した場合には複数の電飾ＬＥＤ１７のそれぞれを電飾制御コマンドの受信結果に応じて制御する。
【０２７３】
演出制御回路７０のＣＰＵ７１はプロセスデータ０１が選択されている場合とプロセスデータ０２が選択されている場合とプロセスデータ０３が選択されている場合のいずれであっても全図変動開始コマンドと左列の変動停止コマンドと右列の変動停止コマンドと中列の変動停止コマンドを順に表示制御回路８０に送信する。このＣＰＵ７１は左列の変動停止コマンドを送信する場合には確定図柄格納部１２５から左列の図柄要素の設定結果を検出し、表示制御回路８０に左列の図柄要素の検出結果を送信する。このＣＰＵ７１は右列の変動停止コマンドを送信する場合には確定図柄格納部１２５から右列の図柄要素の設定結果を検出し、表示制御回路８０に右列の図柄要素の検出結果を送信する。このＣＰＵ７１は中列の変動停止コマンドを送信する場合には確定図柄格納部１２５から中列の図柄要素の設定結果を検出し、表示制御回路８０に中列の図柄要素の検出結果を送信する。
【０２７４】
表示制御回路８０は全図変動開始コマンドを受信した場合にはＶＲＯＭから全図柄変動開始コマンドに応じた画像データを検出し、装飾図柄表示器４５の左変動領域Ｌ内と中変動領域Ｃ内と右変動領域Ｒ内のそれぞれに画像データの検出結果に基づいて図柄要素を変動状態で表示開始する。これら左列の図柄要素と中列の図柄要素と右列の図柄要素のそれぞれは装飾図柄遊技の背景映像の前方に重ねて表示されるものであり、装飾図柄遊技の背景映像の前方で変動状態および変動停止状態になる。
【０２７５】
表示制御回路８０は左列の変動停止コマンドを受信した場合には左列の図柄要素の送信結果を検出し、左列の図柄要素の変動表示を検出結果で停止する。この表示制御回路８０は右列の変動停止コマンドを受信した場合には右列の図柄要素の送信結果を検出し、右列の図柄要素の変動表示を検出結果で停止する。この表示制御回路８０は中列の変動停止コマンドを受信した場合には中列の図柄要素の送信結果を検出し、中列の図柄要素の変動表示を検出結果で停止する。
【０２７６】
演出制御処理は、図９０に示すように、左列の図柄要素と中列の図柄要素と右列の図柄要素のそれぞれを変動状態で表示開始した後に１番目が左列の図柄要素で２番目が右列の図柄要素で３番目が中列の図柄要素の順序で変動停止状態にするものであり、メイン制御回路５０が大当りであると判定することで通常大当り図柄を選択した場合には装飾図柄がリーチの組合せを経て偶数の大当りの組合せとなり、メイン制御回路５０が大当りであると判定することで確変大当り図柄を選択した場合には装飾図柄がリーチの組合せを経て奇数の大当りの組合せとなり、メイン制御回路５０が外れリーチであると判定した場合には装飾図柄がリーチの組合せを経て外れリーチの組合せとなり、メイン制御回路５０が完全外れであると判定した場合には装飾図柄が完全外れの組合せとなる。
［５−６−５］予告演出処理
図９１はステップＳ６６５の予告演出処理であり、ＣＰＵ７１はステップＳ８１１でフラグ格納部１２４のステップアップ予告フラグがオン状態に設定されているか否かを判断する。ここでフラグ格納部１２４のステップアップ予告フラグがオン状態に設定されていると判断した場合にはステップＳ８１２へ移行し、タイマ格納部１２３のタイマＳＴ１の値がＲＯＭ７２に予め記録された予告開始値に到達しているか否かを判断する。この予告開始値はプロセスデータ０２およびプロセスデータ０３のそれぞれで左列の図柄要素が変動停止状態になった後から右列の図柄要素が変動停止状態になる前までの期間内の値に設定されたものであり、ＣＰＵ７１はステップＳ８１２でタイマ格納部１２３のタイマＳＴ１の値が予告開始値に到達したと判断した場合にはステップＳ８１３でカウンタ格納部１２３のカウンタＳＮ４の値が（２）であるか否かを判断する。
【０２７７】
ＣＰＵ７１はステップＳ８１３でカウンタ格納部１２３のカウンタＳＮ４の値が（２）でないと判断した場合にはステップＳ８１６へ移行し、カウンタ格納部１２３のカウンタＳＮ４の値が（２）であると判断した場合にはステップＳ８１４へ移行する。ここで表示制御回路８０に予告開始コマンド２を送信し、ステップＳ８１５でカウンタ格納部１２２のカウンタＳＮ４の値に（１）を設定する。
【０２７８】
ＣＰＵ７１はステップＳ８１６へ移行すると、カウンタ格納部１２３のカウンタＳＮ４の値が（１）であるか否かを判断する。ここでカウンタ格納部１２３のカウンタＳＮ４の値が（１）でないと判断した場合にはステップＳ８１９へ移行し、カウンタ格納部１２３のカウンタＳＮ４の値が（１）であると判断した場合にはステップＳ８１７へ移行する。ここで表示制御回路８０に予告開始コマンド１を送信し、ステップＳ８１８でカウンタ格納部１２２のカウンタＳＮ４の値に（０）を設定する。
【０２７９】
ＣＰＵ７１はステップＳ８１９へ移行すると、カウンタ格納部１２３のカウンタＳＮ４の値が（０）であるか否かを判断する。ここでカウンタ格納部１２３のカウンタＳＮ４の値が（０）でないと判断した場合には予告演出処理を終え、カウンタ格納部１２３のカウンタＳＮ４の値が（０）であると判断した場合にはステップＳ８２０で表示制御回路８０に予告開始コマンド０を送信する。そして、ステップＳ８２１でカウンタ格納部１２２のカウンタＳＮ４の値にステップＳ４０２の初期値を設定し、ステップＳ８２２でフラグ格納部１２４のステップアップ予告フラグをオフ状態に設定する。
【０２８０】
表示制御回路８０は予告開始コマンド２を受信した場合にはＶＲＯＭから予告開始コマンド２に応じた画像データを検出し、画像データの検出結果を再生することで装飾図柄表示器４５に図７の（ｂ）の予告絵柄１を予め決められた一定時間だけ表示する。この表示制御回路８０は予告開始コマンド１を受信した場合にはＶＲＯＭから予告開始コマンド１に応じた画像データを検出し、画像データの検出結果を再生することで装飾図柄表示器４５に図７の（ｃ）の予告絵柄２を予め決められた一定時間だけ表示する。この表示制御回路８０は予告開始コマンド０を受信した場合にはＶＲＯＭから予告開始コマンド０に応じた画像データを検出し、画像データの検出結果を再生することで装飾図柄表示器４５に図７の（ｄ）の予告絵柄３を予め決められた一定時間だけ表示する。即ち、予告絵柄１〜３のそれぞれはリーチ確定データ格納部１２９にリーチ確定データが記録された場合に装飾図柄遊技の映像の表示中に表示されるものであり、予告絵柄３は装飾図柄がリーチの組合せとなる今回の装飾図柄遊技の映像で装飾図柄がリーチの組合せとなる前に表示され、予告絵柄２は１回前の装飾図柄遊技の映像で表示され、予告絵柄１は２回前の装飾図柄遊技の映像で表示される。
［５−７］大当り遊技演出処理
図９２はステップＳ４１７の大当り遊技演出処理であり、ＣＰＵ７１はステップＳ８３１でコマンド格納部１２１に大当り遊技開始コマンドが記録されているか否かを判断する。ここでコマンド格納部１２１に大当り遊技開始コマンドが記録されていないと判断した場合にはステップＳ８３４へ移行し、コマンド格納部１２１に大当り遊技開始コマンドが記録されていると判断した場合にはステップＳ８３２へ移行する。ここで表示制御回路８０に再生開始コマンド２を送信し、ステップＳ８３３でコマンド格納部１２１から大当り遊技開始コマンドを消去する。
【０２８１】
ＣＰＵ７１はステップＳ８３４へ移行すると、コマンド格納部１２１に大当り遊技停止コマンドが記録されているか否かを判断する。ここでコマンド格納部１２１に大当り遊技停止コマンドが記録されていないと判断した場合には大当り遊技演出処理を終え、コマンド格納部１２１に大当り遊技停止コマンドが記録されていると判断した場合にはステップＳ８３５へ移行する。ここで表示制御回路８０に再生停止コマンド２を送信し、ステップＳ８３６でコマンド格納部１２１から大当り遊技停止コマンドを消去する。
【０２８２】
表示制御回路８０は再生開始コマンド２を受信した場合にはＶＲＯＭから再生開始コマンド２に応じたビデオデータを検出し、ビデオデータの検出結果を再生開始することで装飾図柄表示器４５に大当り遊技演出の映像を表示開始する。この表示制御回路８０は再生停止コマンド２を受信した場合にはビデオデータの再生処理を停止し、大当り遊技演出の映像の表示を終える。
【０２８３】
上記実施例１によれば次の効果を奏する。
第１特図保留データ格納部１１７にカウンタＭＲ４の値が追加される毎に先読み結果確認処理１〜４のいずれかを行い、リーチ先読み結果格納部１２８の先読み結果がリーチであるか否かの新たな先読み結果に対して異なる場合にリーチ先読み結果格納部１２８の先読み結果を新たな先読み結果に変更した。このため、リーチ先読み結果格納部１２８の先読み結果が装飾図柄遊技が開始される時点での外れリーチであるか否かの判定結果に高い確率で整合するようになるので、遊技者の目線でステップアップ予告が発生したにも拘らず装飾図柄遊技の映像で装飾図柄がリーチの組合せとならない矛盾が発生する頻度が低く抑えられる。
【０２８４】
上記実施例１においては、電チューサポートのモードのオン状態であっても演出制御回路７０のリーチ確定データ格納部１２９にリーチ確定データが記録されている場合には図８１のステップＳ６５６でカウンタＳＮ４の値を設定し、図８１のステップＳ６６５の予告演出処理でカウンタＳＮ４の値に応じて予告絵柄１〜３のいずれかを表示しても良い。この構成の場合には電チューサポートのモードのオン状態であっても第２特図保留データ格納部１１８にカウンタＭＲ１〜ＭＲ５の値が記録されていないこと（遊技球が第１特別図柄始動口２８に入賞したことに応じて複数回の装飾図柄遊技の映像が連続的に表示されること）を条件にカウンタＳＮ４の値を設定し、予告絵柄１〜３のいずれかを表示すると良い。
【０２８５】
上記実施例１には特許請求の範囲に記載された発明に加えて次の［発明１］が記載されている。
［発明１］
前記先読み結果確定手段は、前記保留メモリの表示情報カウンタの値の総数が増加した場合であっても前記先読みメモリの先読み情報が特定の先読み結果であると先読みされる条件が成立した場合に当該先読み結果を確定することを特徴とする請求項１に記載のパチンコ遊技機。
【実施例２】
【０２８６】
電チューサポートモードのオン状態で普通図柄遊技が保留されている場合には今回の当り遊技が停止してから次回の当り遊技が始まるまでのインターバル期間内に遊技球が第２特別図柄始動口３０内に入賞不能になり、次回を含む以後の装飾図柄遊技の開始タイミングが当り遊技のインターバル期間内にある場合にはリーチであるか否かの先読み結果が確定する。実施例２は遊技球が第２特別図柄始動口３０内に入賞した場合に先読みを行うことを前提に次回を含む以後の装飾図柄遊技の開始タイミングが当り遊技のインターバル期間内にある場合にリーチの先読み結果を確定させるものであり、実施例２を実施例１をベースに説明する。
【０２８７】
図９３はメイン制御回路５０から演出制御回路７０に送信される制御コマンドの一覧であり、制御コマンドには特図変動開始コマンド〜電チューサポート停止コマンドに加えて第２特図遊技コマンドと特図変動表示時間先読みコマンドと当り遊技開始コマンドと当り遊技停止コマンドが設定されている。第２特図遊技コマンドは第２特図保留データ格納部１１８のデータに応じて特別図柄遊技を始めることを演出制御回路７０に通知するものであり、特図変動表示時間先読みコマンドは遊技球が第２特別図柄始動口３０内に入賞した場合にカウンタＭＲ５の値の検出結果を演出制御回路７０に通知するものである。当り遊技開始コマンドは当り遊技を開始することを演出制御回路７０に通知するものであり、当り遊技停止コマンドは当り遊技が停止することを演出制御回路７０に通知するものである。図９４は特図変動表示時間先読みコマンドの一覧であり、特図変動表示時間先読みコマンドはカウンタＭＲ５の値に応じて設定される。
【０２８８】
図９５の第２特図データ取得処理はメイン制御回路５０のＣＰＵ５１が図４９の第２特図データ取得処理に換えて行うものであり、ＣＰＵ５１はステップＳ７１で演出制御回路７０に第２特図保留コマンドの検出結果を送信した場合にはステップＳ９０１でステップＳ６２のカウンタＭＲ１の値の検出結果に応じて大当り先読みコマンドを設定し、ステップＳ９０２で演出制御回路７０に大当り先読みコマンドの設定結果を送信する。そして、ステップＳ９０３でステップＳ６２のカウンタＭＲ４の値の検出結果に応じて外れリーチ先読みコマンドを設定し、ステップＳ９０４で外れリーチ先読みコマンドの設定結果を演出制御回路７０に送信する。次にステップＳ９０５でステップＳ６２のカウンタＭＲ５の値の検出結果に応じて特図変動表示時間先読みコマンドを設定し、ステップＳ９０６で特図変動表示時間先読みコマンドの設定結果を演出制御回路７０に送信する。この演出制御回路７０は大当り先読みコマンドと外れリーチ先読みコマンドと特図変動表示時間先読みコマンドのそれぞれを受信した場合には外部割込み処理を起動し、外部割込み処理で大当り先読みコマンド〜特図変動表示時間先読みコマンドのそれぞれを受信コマンドバッファに記録する。
【０２８９】
図９６の普通図柄遊技処理はメイン制御回路５０のＣＰＵ５１が図５４の普通図柄遊技処理に換えて行うものであり、ＣＰＵ５１はステップＳ１５２でフラグ格納部１１３の普通図柄プロセスフラグの値を設定した場合にはステップＳ９１１で演出制御回路７０に当り遊技開始コマンドを送信する。この演出制御回路７０は当り遊技開始コマンドを受信した場合には外部割込み処理を起動し、外部割込み処理で当り遊技開始コマンドを受信コマンドバッファに記録する。
【０２９０】
図９７の当り遊技処理はメイン制御回路５０のＣＰＵ５１が図５５の当り遊技処理に換えて行うものであり、ＣＰＵ５１はステップＳ１６４でフラグ格納部１１３の普通図柄プロセスフラグの値を設定した場合にはステップＳ９２１で演出制御回路７０に当り遊技停止コマンドを送信する。この演出制御回路７０は当り遊技停止コマンドを受信した場合には外部割込み処理を起動し、外部割込み処理で当り遊技停止コマンドを受信コマンドバッファに記録する。
【０２９１】
図９８の大当り判定処理はメイン制御回路５０のＣＰＵ５１が図５９の大当り判定処理に換えて行うものであり、ＣＰＵ５１はステップＳ２１９でフラグ格納部１１３の第１特別図柄遊技フラグがオフ状態に設定されていると判断した場合にはステップＳ９３１でフラグ格納部１１３の第２特別図柄遊技フラグがオン状態に設定されているか否かを判断する。ここでフラグ格納部１１３の第２特別図柄遊技フラグがオン状態に設定されていると判断した場合にはステップＳ９３２でＲＯＭ５２の外れリーチ判定テーブル１−０〜１−４（図１６参照）の５つのうちから１つを検出し、ステップＳ２２２で外れリーチ判定テーブルの検出結果からカウンタＭＲ４の値の検出結果に応じた１つの判定結果を選択する。このステップＳ９３２の処理はカウンタ格納部１１４のカウンタＭＮ５の値に応じて行われるものであり、カウンタＭＮ５の値が（０）である場合には外れリーチ判定テーブル１−０が検出され、カウンタＭＮ５の値が（１）である場合には外れリーチ判定テーブル１−１が検出され、カウンタＭＮ５の値が（２）である場合には外れリーチ判定テーブル１−２が検出され、カウンタＭＮ５の値が（３）である場合には外れリーチ判定テーブル１−３が検出され、カウンタＭＮ５の値が（４）である場合には外れリーチ判定テーブル１−４が検出される。即ち、外れリーチは遊技球が第１特別図柄始動口２８内に入賞することで外れであると判定された場合および遊技球が第２特別図柄始動口３０内に入賞することで外れであると判定された場合のそれぞれに相互に同一の内容で判定される。
【０２９２】
ＣＰＵ５１はステップＳ２３２でフラグ格納部１１３の第１特別図柄遊技フラグがオフ状態に設定されていると判断すると、ステップＳ９３３でフラグ格納部１１３の第２特別図柄遊技フラグがオン状態に設定されているか否かを判断する。ここでフラグ格納部１１３の第２特別図柄遊技フラグがオン状態に設定されていると判断した場合にはステップＳ９３４へ移行し、演出制御回路７０に第２特図遊技コマンドを送信する。この演出制御回路７０は第２特図遊技コマンドを受信した場合には外部割込み処理を起動し、外部割込み処理で第２特図遊技コマンドを受信コマンドバッファに記録する。
【０２９３】
図９９の（ａ）は演出制御回路７０のＲＡＭ７３に設定された大当り先読み結果格納部１３１である。この大当り先読み結果格納部１３１には保留番号０と保留番号１と保留番号２と保留番号３と保留番号４の５つの領域が設定されており、遊技球が第２特別図柄始動口３０内に入賞することでメイン制御回路５０から大当り先読みコマンドが送信された場合には大当り先読みコマンドの送信結果に基づいて大当りであるか否かが先読みされ、大当りであるか否かの先読み結果が保留番号０〜保留番号４のいずれか１つの大当り先読み結果格納部１３１に記録される。
【０２９４】
図９９の（ｂ）は演出制御回路７０のＲＡＭ７３に設定された外れリーチ先読みコマンド格納部１３２である。この外れリーチ先読みコマンド格納部１３２には保留番号０と保留番号１と保留番号２と保留番号３と保留番号４の５つの領域が設定されており、遊技球が第２特別図柄始動口３０内に入賞することでメイン制御回路５０から外れリーチ先読みコマンドが送信された場合には外れリーチ先読みコマンドの送信結果が保留番号０〜保留番号４のいずれか１つの外れリーチ先読みコマンド格納部１３２に記録される。
【０２９５】
図９９の（ｃ）は演出制御回路７０のＲＡＭ７３に設定されたリーチ先読み結果格納部１３３である。このリーチ先読み結果格納部１３３には保留番号０と保留番号１と保留番号２と保留番号３と保留番号４の５つの領域が設定されており、遊技球が第２特別図柄始動口３０内に入賞することでメイン制御回路５０から大当り先読みコマンドが送信された場合には大当り先読みコマンドの送信結果に基づいてリーチであると先読みされ、遊技球が第２特別図柄始動口３０内に入賞することでメイン制御回路５０から外れリーチ先読みコマンドが送信された場合には外れリーチ先読みコマンドの送信結果に基づいてリーチであるか否かが先読みされ、いずれの場合にもリーチであるか否かの先読み結果が保留番号０〜保留番号４のいずれか１つのリーチ先読み結果格納部１３３に記録される。
【０２９６】
図９９の（ｄ）は演出制御回路７０のＲＡＭ７３に設定された特図変動表示時間先読みコマンド格納部１３４である。この特図変動表示時間先読みコマンド格納部１３４には保留番号０と保留番号１と保留番号２と保留番号３と保留番号４の５つの領域が設定されており、遊技球が第２特別図柄始動口３０内に入賞することでメイン制御回路５０から特図変動表示時間先読みコマンドが送信された場合には特図変動表示時間先読みコマンドの送信結果が保留番号０〜保留番号４のいずれか１つの特図変動表示時間コマンド格納部１３４に記録される。
【０２９７】
図９９の（ｅ）は演出制御回路７０のＲＡＭ７３に設定された特図変動表示時間先読み結果格納部１３５である。この特図変動表示時間先読み結果格納部１３６には保留番号０と保留番号１と保留番号２と保留番号３と保留番号４の５つの領域が設定されており、遊技球が第２特別図柄始動口３０内に入賞することでメイン制御回路５０から特図変動表示時間先読みコマンドが送信された場合には特図変動表示時間先読みコマンドの送信結果に基づいて特図変動表示時間が先読みされ、特図変動表示時間の先読み結果が保留番号０〜保留番号４のいずれか１つの変動表示時間先読み結果格納部１３５に記録される。
【０２９８】
図９９の（ｆ）は演出制御回路７０のＲＡＭ７３に設定されたリーチ確定データ格納部１３６である。このリーチ確定データ格納部１３６には保留番号０〜保留番号４の５つの領域が設定されており、装飾図柄遊技の映像で装飾図柄がリーチの組合せになることが確定したと先読みされた場合には保留番号０〜４のいずれかのリーチ確定データ格納部１３６にリーチ確定データが記録される。
【０２９９】
図１００および図１０１のそれぞれは外れリーチ先読みコマンド格納部１３２に外れリーチ先読みコマンドが記録されている場合の外れリーチ先読みテーブル０の適用例である。保留番号０の１つの外れリーチ先読みコマンド格納部１３２に外れリーチ先読みコマンドが記録されている場合には外れリーチ先読みテーブル０から保留番号０の外れリーチ先読みコマンドに応じた１つの先読み結果が選択されることで保留番号０の第２特図保留データ格納部１１８のカウンタＭＲ４の値に応じて外れリーチが判定されるか否かが先読みされ、外れリーチが判定されるか否かの先読み結果が保留番号０のリーチ先読み結果格納部１３３に記録される（図１００のａ参照）。
【０３００】
保留番号０〜１の２つの外れリーチ先読みコマンド格納部１３２に外れリーチ先読みコマンドが記録されている場合には外れリーチ先読みテーブル０から保留番号１の外れリーチ先読みコマンドに応じた１つの先読み結果が選択されることで保留番号１の第２特図保留データ格納部１１８のカウンタＭＲ４の値に応じて外れリーチが判定されるか否かが先読みされ、外れリーチが判定されるか否かの先読み結果が保留番号１のリーチ先読み結果格納部１３３に記録される（図１００のｂ参照）。
【０３０１】
保留番号０〜２の３つの外れリーチ先読みコマンド格納部１３２に外れリーチ先読みコマンドが記録されている場合には外れリーチ先読みテーブル０から保留番号２の外れリーチ先読みコマンドに応じた１つの先読み結果が選択されることで保留番号２の第２特図保留データ格納部１１８のカウンタＭＲ４の値に応じて外れリーチが判定されるか否かが先読みされ、外れリーチが判定されるか否かの先読み結果が保留番号２のリーチ先読み結果格納部１３３に記録される（図１００のｃ参照）。
【０３０２】
保留番号０〜３の４つの外れリーチ先読みコマンド格納部１３２に外れリーチ先読みコマンドが記録されている場合には外れリーチ先読みテーブル０から保留番号３の外れリーチ先読みコマンドに応じた１つの先読み結果が選択されることで保留番号３の第２特図保留データ格納部１１８のカウンタＭＲ４の値に応じて外れリーチが判定されるか否かが先読みされ、外れリーチが判定されるか否かの先読み結果が保留番号３のリーチ先読み結果格納部１３３に記録される（図１０１のａ参照）。
【０３０３】
保留番号０〜４の５つの外れリーチ先読みコマンド格納部１３２に外れリーチ先読みコマンドが記録されている場合には外れリーチ先読みテーブル０から保留番号４の外れリーチ先読みコマンドに応じた１つの先読み結果が選択されることで保留番号４の第２特図保留データ格納部１１８のカウンタＭＲ４の値に応じて外れリーチが判定されるか否かが先読みされ、外れリーチが判定されるか否かの先読み結果が保留番号４のリーチ先読み結果格納部１３３に記録される（図１０１のｂ参照）。
【０３０４】
図１０２および図１０３のそれぞれは外れリーチ先読みコマンド格納部１３２に外れリーチ先読みコマンドが記録されている場合の外れリーチ先読みテーブル１の適用例であり、保留番号０〜１の２つの外れリーチ先読みコマンド格納部１３２に外れリーチ先読みコマンドが記録されている場合には外れリーチ先読みテーブル１から保留番号０の外れリーチ先読みコマンドに応じた１つの先読み結果が選択されることで保留番号０の第２特図保留データ格納部１１８のカウンタＭＲ４の値に応じて外れリーチが判定されるか否かが先読みされ、外れリーチが判定されるか否かの先読み結果が保留番号０のリーチ先読み結果格納部１３３に記録される（図１０２のａ参照）。
【０３０５】
保留番号０〜２の３つの外れリーチ先読みコマンド格納部１３２に外れリーチ先読みコマンドが記録されている場合には外れリーチ先読みテーブル１から保留番号１の外れリーチ先読みコマンドに応じた１つの先読み結果が選択されることで保留番号１の第２特図保留データ格納部１１８のカウンタＭＲ４の値に応じて外れリーチが判定されるか否かが先読みされ、外れリーチが判定されるか否かの先読み結果が保留番号１のリーチ先読み結果格納部１３３に記録される（図１０２のｂ参照）。
【０３０６】
保留番号０〜３の４つの外れリーチ先読みコマンド格納部１３２に外れリーチ先読みコマンドが記録されている場合には外れリーチ先読みテーブル１から保留番号２の外れリーチ先読みコマンドに応じた１つの先読み結果が選択されることで保留番号２の第２特図保留データ格納部１１８のカウンタＭＲ４の値に応じて外れリーチが判定されるか否かが先読みされ、外れリーチが判定されるか否かの先読み結果が保留番号２のリーチ先読み結果格納部１３３に記録される（図１０３のａ参照）。
【０３０７】
保留番号０〜４の５つの外れリーチ先読みコマンド格納部１３２に外れリーチ先読みコマンドが記録されている場合には外れリーチ先読みテーブル１から保留番号３の外れリーチ先読みコマンドに応じた１つの先読み結果が選択されることで保留番号３の第２特図保留データ格納部１１８のカウンタＭＲ４の値に応じて外れリーチが判定されるか否かが先読みされ、外れリーチが判定されるか否かの先読み結果が保留番号３のリーチ先読み結果格納部１３３に記録される（図１０３のｂ参照）。
【０３０８】
図１０４は外れリーチ先読みコマンド格納部１３２に外れリーチ先読みコマンドが記録されている場合の外れリーチ先読みテーブル２の適用例であり、保留番号０〜２の３つの外れリーチ先読みコマンド格納部１３２に外れリーチ先読みコマンドが記録されている場合には外れリーチ先読みテーブル２から保留番号０の外れリーチ先読みコマンドに応じた１つの先読み結果が選択されることで保留番号０の第２特図保留データ格納部１１８のカウンタＭＲ４の値に応じて外れリーチが判定されるか否かが先読みされ、外れリーチが判定されるか否かの先読み結果が保留番号０のリーチ先読み結果格納部１３３に記録される（図１０４のａ参照）。
【０３０９】
保留番号０〜３の４つの外れリーチ先読みコマンド格納部１３２に外れリーチ先読みコマンドが記録されている場合には外れリーチ先読みテーブル２から保留番号１の外れリーチ先読みコマンドに応じた１つの先読み結果が選択されることで保留番号１の第２特図保留データ格納部１１８のカウンタＭＲ４の値に応じて外れリーチが判定されるか否かが先読みされ、外れリーチが判定されるか否かの先読み結果が保留番号１のリーチ先読み結果格納部１３３に記録される（図１０４のｂ参照）。
【０３１０】
保留番号０〜４の５つの外れリーチ先読みコマンド格納部１３２に外れリーチ先読みコマンドが記録されている場合には外れリーチ先読みテーブル２から保留番号２の外れリーチ先読みコマンドに応じた１つの先読み結果が選択されることで保留番号２の第２特図保留データ格納部１１８のカウンタＭＲ４の値に応じて外れリーチが判定されるか否かが先読みされ、外れリーチが判定されるか否かの先読み結果が保留番号２のリーチ先読み結果格納部１３３に記録される（図１０４のｃ参照）。
【０３１１】
図１０５は外れリーチ先読みコマンド格納部１３２に外れリーチ先読みコマンドが記録されている場合の外れリーチ先読みテーブル３の適用例であり、保留番号０〜３の４つの外れリーチ先読みコマンド格納部１３２に外れリーチ先読みコマンドが記録されている場合には外れリーチ先読みテーブル３から保留番号０の外れリーチ先読みコマンドに応じた１つの先読み結果が選択されることで保留番号０の第２特図保留データ格納部１１８のカウンタＭＲ４の値に応じて外れリーチが判定されるか否かが先読みされ、外れリーチが判定されるか否かの先読み結果が保留番号０のリーチ先読み結果格納部１３３に記録される（図１０５のａ参照）。
【０３１２】
保留番号０〜４の５つの外れリーチ先読みコマンド格納部１３２に外れリーチ先読みコマンドが記録されている場合には外れリーチ先読みテーブル３から保留番号１の外れリーチ先読みコマンドに応じた１つの先読み結果が選択されることで保留番号１の第２特図保留データ格納部１１８のカウンタＭＲ４の値に応じて外れリーチが判定されるか否かが先読みされ、外れリーチが判定されるか否かの先読み結果が保留番号１のリーチ先読み結果格納部１３３に記録される（図１０５のｂ参照）。
【０３１３】
図１０６は外れリーチ先読みコマンド格納部１３２に外れリーチ先読みコマンドが記録されている場合の外れリーチ先読みテーブル４の適用例であり、保留番号０〜４の５つの外れリーチ先読みコマンド格納部１３２に外れリーチ先読みコマンドが記録されている場合には外れリーチ先読みテーブル４から保留番号０の外れリーチ先読みコマンドに応じた１つの先読み結果が選択されることで保留番号０の第２特図保留データ格納部１１８のカウンタＭＲ４の値に応じて外れリーチが判定されるか否かが先読みされ、外れリーチが判定されるか否かの先読み結果が保留番号０のリーチ先読み結果格納部１３３に記録される。
【０３１４】
図１０７は大当り先読み結果格納部１３１に大当りの先読み結果が記録されている場合のリーチ確定データ格納部１３６の記録内容を説明するものであり、保留番号０の大当り先読み結果格納部１３１に大当りの先読み結果が記録されている場合には保留番号０のリーチ確定データ格納部１３６にリーチ確定データが記録され、保留番号１の大当り先読み結果格納部１３１に大当りの先読み結果が記録されている場合には保留番号１のリーチ確定データ格納部１３６にリーチ確定データが記録され、保留番号２の大当り先読み結果格納部１３１に大当りの先読み結果が記録されている場合には保留番号２のリーチ確定データ格納部１３６にリーチ確定データが記録され、保留番号３の大当り先読み結果格納部１３１に大当りの先読み結果が記録されている場合には保留番号３のリーチ確定データ格納部１３６にリーチ確定データが記録され、保留番号４の大当り先読み結果格納部１３１に大当りの先読み結果が記録されている場合には保留番号４のリーチ確定データ格納部１３６にリーチ確定データが記録される。
【０３１５】
図１０８の（ａ）〜（ｅ）のそれぞれは外れリーチ先読みコマンド格納部１３２に外れリーチ先読みコマンド０が記録されている場合のリーチ確定データ格納部１３６の記録内容を説明するものである。この外れリーチ先読みコマンド０はカウンタＭＲ４の値として（０）が選択された場合に送信されるものであり、カウンタＭＲ４の値（０）は第２特図保留回数が０回〜４回のいずれであっても外れリーチであると判定されるものである。図１０８の（ａ）は保留番号０の外れリーチ先読みコマンド格納部１３２に外れリーチ先読みコマンド０が記録されている場合であり、保留番号０のリーチ確定データ格納部１３６には保留番号１〜４の外れリーチ先読みコマンド格納部１３２のそれぞれに外れリーチ先読みコマンドが記録されているか否かに拘らずリーチ確定データが記録される。図１０８の（ｂ）は保留番号１の外れリーチ先読みコマンド格納部１３２に外れリーチ先読みコマンド０が記録されている場合であり、保留番号１のリーチ確定データ格納部１３６には保留番号２〜４のそれぞれの外れリーチ先読みコマンド格納部１３２に外れリーチ先読みコマンドが記録されているか否かに拘らずリーチ確定データが記録される。図１０８の（ｃ）は保留番号２の外れリーチ先読みコマンド格納部１３２に外れリーチ先読みコマンド０が記録されている場合であり、保留番号２のリーチ確定データ格納部１３６には保留番号３〜４のそれぞれの外れリーチ先読みコマンド格納部１３２に外れリーチ先読みコマンドが記録されているか否かに拘らずリーチ確定データが記録される。図１０８の（ｄ）は保留番号３の外れリーチ先読みコマンド格納部１３２に外れリーチ先読みコマンド０が記録されている場合であり、保留番号３のリーチ確定データ格納部１３６には保留番号４の外れリーチ先読みコマンド格納部１３２に外れリーチ先読みコマンドが記録されているか否かに拘らずリーチ確定データが記録される。図１０８の（ｅ）は保留番号４の外れリーチ先読みコマンド格納部１３２に外れリーチ先読みコマンド０が記録されている場合であり、保留番号４のリーチ確定データ格納部１３６にはリーチ確定データが記録される。
【０３１６】
図１０９の（ａ）〜（ｄ）のそれぞれは外れリーチ先読みコマンド格納部１３２に外れリーチ先読みコマンド１が記録されている場合のリーチ確定データ格納部１３６の記録内容を説明するものである。この外れリーチ先読みコマンド１はカウンタＭＲ４の値として（１）が選択された場合に送信されるものであり、カウンタＭＲ４の値（１）は第２特図保留回数が１回と２回と３回と４回のいずれかである場合に外れリーチであると判定されるものである。図１０９の（ａ）は保留番号０の外れリーチ先読みコマンド格納部１３２に外れリーチ先読みコマンド１が記録されている場合であり、保留番号０のリーチ確定データ格納部１３６には保留番号２〜４のそれぞれの外れリーチ先読みコマンド格納部１３２に外れリーチ先読みコマンドが記録されているか否かに拘らず保留番号１の外れリーチ先読みコマンド格納部１３２に外れリーチ先読みコマンドが記録されている場合にリーチ確定データが記録される。図１０９の（ｂ）は保留番号１の外れリーチ先読みコマンド格納部１３２に外れリーチ先読みコマンド１が記録されている場合であり、保留番号１のリーチ確定データ格納部１３６には保留番号３〜４のそれぞれの外れリーチ先読みコマンド格納部１３２に外れリーチ先読みコマンドが記録されているか否かに拘らず保留番号２の外れリーチ先読みコマンド格納部１３２に外れリーチ先読みコマンドが記録されている場合にリーチ確定データが記録される。図１０９の（ｃ）は保留番号２の外れリーチ先読みコマンド格納部１３２に外れリーチ先読みコマンド１が記録されている場合であり、保留番号２のリーチ確定データ格納部１３６には保留番号４の外れリーチ先読みコマンド格納部１３２に外れリーチ先読みコマンドが記録されているか否かに拘らず保留番号３の外れリーチ先読みコマンド格納部１３２に外れリーチ先読みコマンドが記録されている場合にリーチ確定データが記録される。図１０９の（ｄ）は保留番号３の外れリーチ先読みコマンド格納部１３２に外れリーチ先読みコマンド１が記録されている場合であり、保留番号３のリーチ確定データ格納部１３６には保留番号４の外れリーチ先読みコマンド格納部１３２に外れリーチ先読みコマンドが記録されている場合にリーチ確定データが記録される。
【０３１７】
図１１０の（ａ）〜（ｃ）のそれぞれは外れリーチ先読みコマンド格納部１３２に外れリーチ先読みコマンド２が記録されている場合のリーチ確定データ格納部１３６の記録内容を説明するものである。この外れリーチ先読みコマンド２はカウンタＭＲ４の値として（２）が選択された場合に送信されるものであり、カウンタＭＲ４の値（２）は第２特図保留回数が２回と３回と４回のいずれかである場合に外れリーチであると判定されるものである。図１１０の（ａ）は保留番号０の外れリーチ先読みコマンド格納部１３２に外れリーチ先読みコマンド２が記録されている場合であり、保留番号０のリーチ確定データ格納部１３６には保留番号３〜４のそれぞれの外れリーチ先読みコマンド格納部１３２に外れリーチ先読みコマンドが記録されているか否かに拘らず保留番号１〜２のそれぞれの外れリーチ先読みコマンド格納部１３２に外れリーチ先読みコマンドが記録されている場合にリーチ確定データが記録される。図１１０の（ｂ）は保留番号１の外れリーチ先読みコマンド格納部１３２に外れリーチ先読みコマンド２が記録されている場合であり、保留番号２のリーチ確定データ格納部１３６には保留番号４の外れリーチ先読みコマンド格納部１３２に外れリーチ先読みコマンドが記録されているか否かに拘らず保留番号２〜３のそれぞれの外れリーチ先読みコマンド格納部１３２に外れリーチ先読みコマンドが記録されている場合にリーチ確定データが記録される。図１１０の（ｃ）は保留番号２の外れリーチ先読みコマンド格納部１３２に外れリーチ先読みコマンド２が記録されている場合であり、保留番号２のリーチ確定データ格納部１３６には保留番号３〜４のそれぞれの外れリーチ先読みコマンド格納部１３２に外れリーチ先読みコマンドが記録されている場合にリーチ確定データが記録される。
【０３１８】
図１１１の（ａ）〜（ｂ）のそれぞれは外れリーチ先読みコマンド格納部１３２に外れリーチ先読みコマンド３が記録されている場合のリーチ確定データ格納部１３６の記録内容を説明するものである。この外れリーチ先読みコマンド３はカウンタＭＲ４の値として（３）が選択された場合に送信されるものであり、カウンタＭＲ４の値（３）は第２特図保留回数が３回および４回のいずれかである場合に外れリーチであると判定されるものである。図１１１の（ａ）は保留番号０の外れリーチ先読みコマンド格納部１３２に外れリーチ先読みコマンド３が記録されている場合であり、保留番号０のリーチ確定データ格納部１３６には保留番号４の外れリーチ先読みコマンド格納部１３２に外れリーチ先読みコマンドが記録されているか否かに拘らず保留番号１〜３のそれぞれの外れリーチ先読みコマンド格納部１３２に外れリーチ先読みコマンドが記録されている場合にリーチ確定データが記録される。図１１１の（ｂ）は保留番号１の外れリーチ先読みコマンド格納部１３２に外れリーチ先読みコマンド３が記録されている場合であり、保留番号１のリーチ確定データ格納部１３６には保留番号２〜４のそれぞれの外れリーチ先読みコマンド格納部１３２に外れリーチ先読みコマンドが記録されている場合にリーチ確定データが記録される。
【０３１９】
図１１２は外れリーチ先読みコマンド格納部１３２に外れリーチ先読みコマンド４が記録されている場合のリーチ確定データ格納部１３６の記録内容を説明するものである。この外れリーチ先読みコマンド４はカウンタＭＲ４の値として（４）が選択された場合に送信されるものであり、カウンタＭＲ４の値（４）は第２特図保留回数が４回である場合に外れリーチであると判定されるものである。図１１２は保留番号０の外れリーチ先読みコマンド格納部１３２に外れリーチ先読みコマンド４が記録されている場合であり、保留番号０のリーチ確定データ格納部１３６には保留番号１〜４のそれぞれの外れリーチ先読みコマンド格納部１３２に外れリーチ先読みコマンドが記録されている場合にリーチ確定データが記録される。
【０３２０】
図１１３の（ａ）は演出制御回路７０のＲＯＭ７２に予め記録された特図変動表示時間先読みコマンドテーブル１である。この特図変動表示時間先読みコマンドテーブル１は３１個の特図変動表示時間先読みコマンド（０）〜（３０）のそれぞれに先読み結果（８×１０００ｍｓｅｃ）を割付け、７０個の特図変動表示時間先読みコマンド（３１）〜（１００）のそれぞれに先読み結果（１０×１０００ｍｓｅｃ）を割付けたものであり、特図変動表示時間先読みコマンド（０）〜（１００）のそれぞれは図１８の（ａ）の特図変動開始コマンドテーブル１のカウンタＭＲ５の値の同番号のものに相当する。この特図変動表示時間先読みコマンドテーブル１は特図変動表示時間を先読みするためのものであり、保留番号０の大当り先読み結果格納部１３１に大当りの先読み結果が記録されている場合には特図変動表示時間先読みコマンドテーブル１から保留番号０の特図変動表示時間先読みコマンド格納部１３４の特図変動表示時間先読みコマンドに応じた１つの先読み結果が選択され、保留番号０の特図変動表示時間先読み結果格納部１３５に特図変動表示時間の先読み結果が記録される。保留番号１の大当り先読み結果格納部１３１に大当りの先読み結果が記録されている場合には特図変動表示時間先読みコマンドテーブル１から保留番号１の特図変動表示時間先読みコマンド格納部１３４の特図変動表示時間先読みコマンドに応じた１つの先読み結果が選択され、保留番号１の特図変動表示時間先読み結果格納部１３５に特図変動表示時間の先読み結果が記録される。保留番号２の大当り先読み結果格納部１３１に大当りの先読み結果が記録されている場合には特図変動表示時間先読みコマンドテーブル１から保留番号２の特図変動表示時間先読みコマンド格納部１３４の特図変動表示時間先読みコマンドに応じた１つの先読み結果が選択され、保留番号２の特図変動表示時間先読み結果格納部１３５に特図変動表示時間の先読み結果が記録される。保留番号３の大当り先読み結果格納部１３１に大当りの先読み結果が記録されている場合には特図変動表示時間先読みコマンドテーブル１から保留番号３の特図変動表示時間先読みコマンド格納部１３４の特図変動表示時間先読みコマンドに応じた１つの先読み結果が選択され、保留番号３の特図変動表示時間先読み結果格納部１３５に特図変動表示時間の先読み結果が記録される。保留番号４の大当り先読み結果格納部１３１に大当りの先読み結果が記録されている場合には特図変動表示時間先読みコマンドテーブル１から保留番号４の特図変動表示時間先読みコマンド格納部１３４の特図変動表示時間先読みコマンドに応じた１つの先読み結果が選択され、保留番号４の特図変動表示時間先読み結果格納部１３５に特図変動表示時間の先読み結果が記録される。
【０３２１】
図１１３の（ｂ）は演出制御回路７０のＲＯＭ７２に予め記録された特図変動表示時間先読みコマンドテーブル２である。この特図変動表示時間先読みコマンドテーブル２は７１個の特図変動表示時間先読みコマンド（０）〜（７０）のそれぞれに先読み結果（８×１０００ｍｓｅｃ）を割付け、３０個の特図変動表示時間先読みコマンド（７１）〜（１００）のそれぞれに先読み結果（１０×１０００ｍｓｅｃ）を割付けたものであり、特図変動表示時間先読みコマンド（０）〜（１００）のそれぞれは図１８の（ｂ）の特図変動開始コマンドテーブル２のカウンタＭＲ５の値の同番号のものに相当する。この特図変動表示時間先読みコマンドテーブル２は特図変動表示時間を先読みするためのものであり、保留番号０の大当り先読み結果格納部１３１に外れの先読み結果が記録されていると共に保留番号０のリーチ先読み結果格納部１３３にリーチの先読み結果が記録されている場合には特図変動表示時間先読みコマンドテーブル２から保留番号０の特図変動表示時間先読みコマンド格納部１３４の特図変動表示時間先読みコマンドに応じた１つの先読み結果が選択され、保留番号０の特図変動表示時間先読み結果格納部１３５に特図変動表示時間の先読み結果が記録される。保留番号１の大当り先読み結果格納部１３１に外れの先読み結果が記録されていると共に保留番号１のリーチ先読み結果格納部１３３にリーチの先読み結果が記録されている場合には特図変動表示時間先読みコマンドテーブル２から保留番号１の特図変動表示時間先読みコマンド格納部１３４の特図変動表示時間先読みコマンドに応じた１つの先読み結果が選択され、保留番号１の特図変動表示時間先読み結果格納部１３５に特図変動表示時間の先読み結果が記録される。保留番号２の大当り先読み結果格納部１３１に外れの先読み結果が記録されていると共に保留番号２のリーチ先読み結果格納部１３３にリーチの先読み結果が記録されている場合には特図変動表示時間先読みコマンドテーブル２から保留番号２の特図変動表示時間先読みコマンド格納部１３４の特図変動表示時間先読みコマンドに応じた１つの先読み結果が選択され、保留番号２の特図変動表示時間先読み結果格納部１３５に特図変動表示時間の先読み結果が記録される。保留番号３の大当り先読み結果格納部１３１に外れの先読み結果が記録されていると共に保留番号３のリーチ先読み結果格納部１３３にリーチの先読み結果が記録されている場合には特図変動表示時間先読みコマンドテーブル２から保留番号３の特図変動表示時間先読みコマンド格納部１３４の特図変動表示時間先読みコマンドに応じた１つの先読み結果が選択され、保留番号３の特図変動表示時間先読み結果格納部１３５に特図変動表示時間の先読み結果が記録される。保留番号４の大当り先読み結果格納部１３１に外れの先読み結果が記録されていると共に保留番号４のリーチ先読み結果格納部１３３にリーチの先読み結果が記録されている場合には特図変動表示時間先読みコマンドテーブル２から保留番号４の特図変動表示時間先読みコマンド格納部１３４の特図変動表示時間先読みコマンドに応じた１つの先読み結果が選択され、保留番号４の特図変動表示時間先読み結果格納部１３５に特図変動表示時��の先読み結果が記録される。
【０３２２】
図１１３の（ｃ）は演出制御回路７０のＲＯＭ７２に予め記録された特図変動表示時間先読みコマンドテーブル３である。この特図変動表示時間先読みコマンドテーブル３は１０１個の全ての特図変動表示時間先読みコマンド（０）〜（１００）のそれぞれに先読み結果（４×１０００ｍｓｅｃ）を割付けたものであり、特図変動表示時間先読みコマンド（０）〜（１００）のそれぞれは図１８の（ｃ）の特図変動開始コマンドテーブル３のカウンタＭＲ５の値の同番号のものに相当する。この特図変動表示時間先読みコマンドテーブル３は特図変動表示時間を先読みするためのものであり、保留番号０の大当り先読み結果格納部１３１に外れの先読み結果が記録されていると共に保留番号０のリーチ先読み結果格納部１３３に非リーチの先読み結果が記録されている場合には特図変動表示時間先読みコマンドテーブル３から保留番号０の特図変動表示時間先読みコマンド格納部１３４の特図変動表示時間先読みコマンドに応じた１つの先読み結果が選択され、保留番号０の特図変動表示時間先読み結果格納部１３５に特図変動表示時間の先読み結果が記録される。保留番号１の大当り先読み結果格納部１３１に外れの先読み結果が記録されていると共に保留番号１のリーチ先読み結果格納部１３３に非リーチの先読み結果が記録されている場合には特図変動表示時間先読みコマンドテーブル３から保留番号１の特図変動表示時間先読みコマンド格納部１３４の特図変動表示時間先読みコマンドに応じた１つの先読み結果が選択され、保留番号１の特図変動表示時間先読み結果格納部１３５に特図変動表示時間の先読み結果が記録される。保留番号２の大当り先読み結果格納部１３１に外れの先読み結果が記録されていると共に保留番号２のリーチ先読み結果格納部１３３に非リーチの先読み結果が記録されている場合には特図変動表示時間先読みコマンドテーブル３から保留番号２の特図変動表示時間先読みコマンド格納部１３４の特図変動表示時間先読みコマンドに応じた１つの先読み結果が選択され、保留番号２の特図変動表示時間先読み結果格納部１３５に特図変動表示時間の先読み結果が記録される。保留番号３の大当り先読み結果格納部１３１に外れの先読み結果が記録されていると共に保留番号３のリーチ先読み結果格納部１３３に非リーチの先読み結果が記録されている場合には特図変動表示時間先読みコマンドテーブル３から保留番号３の特図変動表示時間先読みコマンド格納部１３４の特図変動表示時間先読みコマンドに応じた１つの先読み結果が選択され、保留番号３の特図変動表示時間先読み結果格納部１３５に特図変動表示時間の先読み結果が記録される。保留番号４の大当り先読み結果格納部１３１に外れの先読み結果が記録されていると共に保留番号４のリーチ先読み結果格納部１３３に非リーチの先読み結果が記録されている場合には特図変動表示時間先読みコマンドテーブル３から保留番号４の特図変動表示時間先読みコマンド格納部１３４の特図変動表示時間先読みコマンドに応じた１つの先読み結果が選択され、保留番号４の特図変動表示時間先読み結果格納部１３５に特図変動表示時間の先読み結果が記録される。
【０３２３】
図１１３の（ｄ）は演出制御回路７０のＲＯＭ７２に予め記録された大当り先読みテーブルである。この大当り先読みテーブルは大当り判定テーブル１と同一の１１個の値（大当り先読みコマンド０〜１０）のそれぞれに大当りの先読み結果を割付け、大当り判定テーブル１と同一の２９０個の値（大当り先読みコマンド１１〜３００）のそれぞれに外れの先読み結果を割付けたものであり、遊技球が第２特別図柄始動口３０内に入賞することでメイン制御回路５０から大当り先読みコマンドが送信された場合には図１１３の（ｄ）の大当り先読みテーブルから大当り先読みコマンドの送信結果に応じた１つの先読み結果が選択されることで大当りであるか否かが先読みされる。
【０３２４】
図１１４のタイマ割込み処理は演出制御回路７０のＣＰＵ７１が図６５のタイマ割込み処理に換えて行うものであり、ＣＰＵ７１はステップＳ４１１のコマンド処理とステップＳ４１２の遊技モード処理とステップＳ４１３の普通図保留処理とステップＳ４１４の特図保留処理とステップＳ４１６の装飾図柄遊技処理とステップＳ４１７の大当り遊技演出処理を順に実行する。図９３の特図変動開始コマンド〜当り遊技開始コマンドのそれぞれは図１１３のステップＳ４１１のコマンド処理で受信コマンドバッファに記録されているか否かが判断されるものであり、図１１３のステップＳ４１１で受信コマンドバッファに特図変動開始コマンド〜当り遊技開始コマンドのそれぞれが記録されていると判断された場合には第２特図遊技コマンド〜当り遊技開始コマンドのそれぞれが受信コマンドバッファからコマンド格納部１２１にシフトされる。
【０３２５】
図１１５の普通保留処理は演出制御回路７０のＣＰＵ７１が図６７の普通図保留処理に換えて行うものであり、ＣＰＵ７１はステップＳ４３２でコマンド格納部１２１から普通図保留コマンドを検出した場合にはステップＳ９４１で普通図保留コマンドの検出結果に応じて普通図保留回数を検出し、カウンタ格納部１２２のカウンタＳＮ５の値に普通図保留回数の検出結果を設定する。この普通図保留回数とは普通図柄遊技の保留回数であり、普通図保留コマンドの検出結果が普通図保留コマンド０である場合にはカウンタＳＮ５の値に（０）が設定され、普通図保留コマンドの検出結果が普通図保留コマンド１である場合にはカウンタＳＮ５の値に（１）が設定され、普通図保留コマンドの検出結果が普通図保留コマンド２である場合にはカウンタＳＮ５の値に（２）が設定され、普通図保留コマンドの検出結果が普通図保留コマンド３である場合にはカウンタＳＮ５の値に（３）が設定され、普通図保留コマンドの検出結果が普通図保留コマンド４である場合にはカウンタＳＮ５の値に（４）が設定される。このカウンタＳＮ５の値はステップＳ４０２で（０）（１）（２）（３）（４）のいずれとも異なる初期値に設定されるものである。
【０３２６】
ＣＰＵ７１はステップＳ４３７でコマンド格納部１２１に普通図変動開始コマンドが記録されていると判断すると、ステップＳ４３８およびステップＳ４３９を経てステップＳ９４２でカウンタ格納部１２２のカウンタＳＮ５の値が（０）であるか否かを判断する。ここでカウンタ格納部１２２のカウンタＳＮ５の値が（０）であると判断した場合にはステップＳ９４３でカウンタ格納部１２２のカウンタＳＮ５の値にステップＳ４０２の初期値を設定し、カウンタ格納部１２２のカウンタＳＮ５の値が（０）でないと判断した場合にはステップＳ９４４でカウンタ格納部１２２のカウンタＳＮ５の値から一定値（１）を減算する。
【０３２７】
図１１６の遊技モード処理は演出制御回路７０のＣＰＵ７１が図６６の遊技モード処理に換えて行うものであり、ＣＰＵ７１はステップＳ９５１でコマンド格納部１２１に当り遊技停止コマンドが記録されているか否かを判断する。ここでコマンド格納部１２１に当り遊技停止コマンドが記録されていないと判断した場合にはステップＳ９５６へ移行し、コマンド格納部１２１に当り遊技停止コマンドが記録されていると判断した場合にはステップＳ９５２でカウンタ格納部１２２のカウンタＳＮ５の値が初期値であるか否かを判断する。
【０３２８】
ＣＰＵ７１はステップＳ９５２でカウンタ格納部１２２のカウンタＳＮ５の値が初期値であると判断した場合にはステップＳ９５５でコマンド格納部１２１から当り遊技停止コマンドを消去し、カウンタ格納部１２２のカウンタＳＮ５の値が初期値でないと判断した場合にはステップＳ９５３でタイマ格納部１２３のタイマＳＴ２の値にＲＯＭ７２に予め記録された待機時間（２１×１０００ｍｓｅｃ）を設定する。この待機時間は電チューサポートモードのオン状態で普通図柄遊技が保留されている場合に今回の当り遊技が停止してから次回の当り遊技が開始されるまでの時間「インターバル時間（２０×１０００ｍｓｅｃ）＋普通図遊技時間（１×１０００ｍｓｅｃ）」に設定されたものであり、ＣＰＵ７１はステップＳ９５３でタイマ格納部１２３のタイマＳＴ２の値を設定した場合にはステップＳ９５４でフラグ格納部１２４のインターバルフラグをオン状態に設定し、ステップＳ９５５でコマンド格納部１２１から当り遊技停止コマンドを消去する。このフラグ格納部１２４のインターバルフラグは電チューサポートモードのオン状態で普通図柄遊技が保留されている場合に今回の当り遊技が停止してから次回の当り遊技が開始されるまでのインターバル期間であるか否かを示すものであり、ステップＳ４０２でオフ状態に初期設定される。
【０３２９】
ＣＰＵ７１はステップＳ９５６へ移行すると、コマンド格納部１２１に当り遊技開始コマンドが記録されているか否かを判断する。ここでコマンド格納部１２１に当り遊技開始コマンドが記録されていると判断した場合にはステップＳ９５７でフラグ格納部１２４のインターバルフラグをオフ状態に設定し、ステップＳ９５８でコマンド格納部１２１から当り遊技開始コマンドを消去する。
【０３３０】
ＣＰＵ７１はステップＳ９５９へ移行すると、タイマ格納部１２３のタイマＳＴ２の値が限度値（０）に比べて大きいか否かを判断する。ここでタイマ格納部１２３のタイマＳＴ２の値が限度値（０）に比べて大きいと判断した場合にはステップＳ９６０へ移行し、タイマ格納部１２３のタイマＳＴ２の値から一定値（１０ｍｓｅｃ）を減算する。即ち、タイマ格納部１２３のタイマＳＴ２の値は電チューサポートモードのオン状態で普通図柄遊技が保留されている場合のインターバル期間内に次回の当り遊技が開始されるまでの残り時間を計測するものである。
【０３３１】
図１１７は図１１４のステップＳ４１４の特図保留処理である。この特図保留処理は演出制御回路７０のＣＰＵ７１が図６８の特図保留処理に換えて行うものであり、ＣＰＵ７１はステップＳ４５４でコマンド格納部１２１から第１特図保留コマンドを消去した場合にはステップＳ９７１の先読み処理１へ移行する。このステップＳ９７１の先読み処理１は図６５のステップＳ４１５の先読み処理と同一内容のものであり、ＣＰＵ７１はステップＳ９７１の先読み処理１で第１特別図柄始動口２８用の大当り先読み結果格納部１２６と外れリーチ先読みコマンド格納部１２７とリーチ先読み結果格納部１２８とリーチ確定データ格納部１２９のそれぞれを設定する。
【０３３２】
ＣＰＵ７１はステップＳ４５５でコマンド格納部１２１に第２特図保留コマンドが記録されていると判断すると、ステップＳ４５６〜ステップＳ４５８のそれぞれを経てステップＳ９７２の先読み処理２へ移行する。図１１８はステップＳ９７２の先読み処理２であり、ＣＰＵ７１はステップＳ９８１でコマンド格納部１２１から大当り先読みコマンドを検出し、ステップＳ９８２でＲＯＭ７２から図１１３の（ｄ）の大当り先読みテーブルを検出する。そして、ステップＳ９８３で図１１３の（ｄ）の大当り先読みテーブルから大当り先読みコマンドの検出結果に応じた１つの先読み結果を選択し、ステップＳ９８４でコマンド格納部１２１から大当り先読みコマンドを消去する。
【０３３３】
ＣＰＵ７１はステップＳ９８４でコマンド格納部１２１から大当り先読みコマンドを消去すると、ステップＳ９８５でカウンタ格納部１２２からカウンタＳＮ２の値を検出し、ステップＳ９８６で先読み結果が外れであるか否かを判断する。ここで先読み結果が外れであると判断した場合にはステップＳ９８７で外れの先読み結果を大当り先読み結果格納部１３１に記録し、ステップＳ９９０の外れリーチ先読み処理へ移行する。この外れの先読み結果はカウンタＳＮ２の値の検出結果が（０）である場合に保留番号０の大当り先読み結果格納部１３１に記録され、カウンタＳＮ２の値の検出結果が（１）である場合に保留番号１の大当り先読み結果格納部１３１に記録されるものであり、カウンタＳＮ２の値の検出結果が（２）である場合には保留番号２の大当り先読み結果格納部１３１に記録され、カウンタＳＮ２の値の検出結果が（３）である場合には保留番号３の大当り先読み結果格納部１３１に記録され、カウンタＳＮ２の値の検出結果が（４）である場合には保留番号４の大当り先読み結果格納部１３１に記録される。
【０３３４】
ＣＰＵ７１はステップＳ９８６で先読み結果が大当りであると判断すると、ステップＳ９８８で大当りの先読み結果を大当り先読み結果格納部１３１に記録する。この大当りの先読み結果はカウンタＳＮ２の値の検出結果が（０）である場合に保留番号０の大当り先読み結果格納部１３１に記録され、カウンタＳＮ２の値の検出結果が（１）である場合に保留番号１の大当り先読み結果格納部１３１に記録されるものであり、カウンタＳＮ２の値の検出結果が（２）である場合には保留番号２の大当り先読み結果格納部１３１に記録され、カウンタＳＮ２の値の検出結果が（３）である場合には保留番号３の大当り先読み結果格納部１３１に記録され、カウンタＳＮ２の値の検出結果が（４）である場合には保留番号４の大当り先読み結果格納部１３１に記録される。
【０３３５】
ＣＰＵ７１はステップＳ９８８で大当りの先読み結果を大当り先読み結果格納部１３１に記録すると、ステップＳ９８９でリーチの先読み結果をリーチ先読み結果格納部１３３に記録し、ステップＳ９９０の外れリーチ先読み処理へ移行する。このリーチの先読み結果はカウンタＳＮ２の値の検出結果が（０）である場合に保留番号０のリーチ先読み結果格納部１３３に記録され、カウンタＳＮ２の値の検出結果が（１）である場合に保留番号１のリーチ先読み結果格納部１３３に記録されるものであり、カウンタＳＮ２の値の検出結果が（２）である場合には保留番号２のリーチ先読み結果格納部１３３に記録され、カウンタＳＮ２の値の検出結果が（３）である場合には保留番号３のリーチ先読み結果格納部１３３に記録され、カウンタＳＮ２の値の検出結果が（４）である場合には保留番号４のリーチ先読み結果格納部１３３に記録される。
【０３３６】
ＣＰＵ７１はステップＳ９９０の外れリーチ先読み処理を終えると、ステップＳ９９１の特図変動表示時間先読み処理へ移行する。このステップＳ９９１の特図変動表示時間先読み処理を終えた場合にはステップＳ９９２へ移行し、カウンタ格納部１２２のカウンタＳＮ２の値が（１）であるか否かを判断する。ここでカウンタ格納部１２２のカウンタＳＮ２の値が（１）であると判断した場合にはステップＳ９９３の先読み結果確認処理１へ移行し、カウンタ格納部１２２のカウンタＳＮ２の値が（１）でないと判断した場合にはステップＳ９９４でカウンタ格納部１２２のカウンタＳＮ２の値が（２）であるか否かを判断する。
【０３３７】
ＣＰＵ７１はステップＳ９９４でカウンタ格納部１２２のカウンタＳＮ２の値が（２）であると判断した場合にはステップＳ９９５の先読み結果確認処理２へ移行し、カウンタ格納部１２２のカウンタＳＮ２の値が（２）でないと判断した場合にはステップＳ９９６でカウンタ格納部１２２のカウンタＳＮ２の値が（３）であるか否かを判断する。ここでカウンタ格納部１２２のカウンタＳＮ２の値が（３）であると判断した場合にはステップＳ９９７の先読み結果確認処理３へ移行し、カウンタ格納部１２２のカウンタＳＮ２の値が（３）でないと判断した場合にはステップＳ９９８でカウンタ格納部１２２のカウンタＳＮ２の値が（４）であるか否かを判断する。ここでカウンタ格納部１２２のカウンタＳＮ２の値が（４）であると判断した場合にはステップＳ９９９の先読み結果確認処理４へ移行し、カウンタ格納部１２２のカウンタＳＮ２の値が（０）であると判断した場合には先読み処理２を終える。
【０３３８】
図１１９はステップＳ９９０の外れリーチ先読み処理であり、ＣＰＵ７１はステップＳ１０１１で保留番号０〜４のうちカウンタＳＮ２の値の検出結果に応じた大当り先読み結果格納部１３１から先読み結果を検出し、ステップＳ１０１２で先読み結果の検出結果が外れであるか否かを判断する。ここで先読み結果の検出結果が大当りであると判断した場合にはステップＳ１０１９へ移行し、コマンド格納部１２１の外れリーチ先読みコマンドを外れリーチ先読みコマンド格納部１３２にシフトする。この外れリーチ先読みコマンドはカウンタＳＮ２の値の検出結果が（０）である場合に保留番号０の外れリーチ先読みコマンド格納部１３２にシフトされ、カウンタＳＮ２の値の検出結果が（１）である場合に保留番号１の外れリーチ先読みコマンド格納部１３２にシフトされるものであり、カウンタＳＮ２の値の検出結果が（２）である場合には保留番号２の外れリーチ先読みコマンド格納部１３２にシフトされ、カウンタＳＮ２の値の検出結果が（３）である場合には保留番号３の外れリーチ先読みコマンド格納部１３２にシフトされ、カウンタＳＮ２の値の検出結果が（４）である場合には保留番号４の外れリーチ先読みコマンド格納部１３２にシフトされる。
【０３３９】
ＣＰＵ７１はステップＳ１０１２で先読み結果の検出結果が外れであると判断すると、ステップＳ１０１３でコマンド格納部１２１から外れリーチ先読みコマンドを検出する。そして、ステップＳ１０１４でＲＯＭ７２から図３１の（ａ）の外れリーチ先読みテーブル０を検出し、ステップＳ１０１５で外れリーチ先読みテーブル０から外れリーチ先読みコマンドの検出結果に応じた１つの先読み結果を選択する。即ち、外れリーチ先読みテーブル０は第２特図保留回数が０回の状態（ＳＮ２＝０）での保留番号０の第２特図保留データ格納部１１８のカウンタＭＲ４の値（図１００のａ参照）と第２特図保留回数が１回の状態（ＳＮ２＝１）での保留番号１の第２特図保留データ格納部１１８のカウンタＭＲ４の値（図１００のｂ参照）と第２特図保留回数が２回の状態（ＳＮ２＝２）での保留番号２の第２特図保留データ格納部１１８のカウンタＭＲ４の値（図１００のｃ参照）と第２特図保留回数が３回の状態（ＳＮ２＝３）での保留番号３の第２特図保留データ格納部１１８のカウンタＭＲ４の値（図１０１のａ参照）と第２特図保留回数が４回の状態（ＳＮ２＝４）での保留番号４の第２特図保留データ格納部１１８のカウンタＭＲ４の値（図１０１のｂ参照）のそれぞれに対して外れリーチであると判定されるか否かを先読みするものである。
【０３４０】
ＣＰＵ７１はステップＳ１０１５で外れリーチ先読みテーブル０から先読み結果を選択すると、ステップＳ１０１６で先読み結果の選択結果が外れリーチであるか否かを判断する。ここで先読み結果の選択結果が外れリーチであると判断した場合にはステップＳ１０１７でリーチ先読み結果格納部１３３にリーチの先読み結果を記録し、先読み結果の選択結果が完全外れであると判断した場合にはステップＳ１０１８でリーチ先読み結果格納部１３３に非リーチの先読み結果を記録し、いずれの場合にもステップＳ１０１９でコマンド格納部１２１の外れリーチ先読みコマンドを保留番号０〜４のうちカウンタＳＮ２の値の検出結果に応じた外れリーチ先読みコマンド格納部１３２にシフトする。これらリーチおよび非リーチのそれぞれの先読み結果はカウンタＳＮ２の値の検出結果が（０）である場合に保留番号０のリーチ先読み結果格納部１３３に記録され、カウンタＳＮ２の値の検出結果が（１）である場合に保留番号１のリーチ先読み結果格納部１３３に記録されるものであり、カウンタＳＮ２の値の検出結果が（２）である場合には保留番号２のリーチ先読み結果格納部１３３に記録され、カウンタＳＮ２の値の検出結果が（３）である場合には保留番号３のリーチ先読み結果格納部１３３に記録され、カウンタＳＮ２の値の検出結果が（４）である場合には保留番号４のリーチ先読み結果格納部１３３に記録される。
【０３４１】
図１２０はステップＳ９９１の特図変動表示時間先読み処理であり、ＣＰＵ７１はステップＳ１０２１でカウンタＳＮ２の値の検出結果に応じた大当り先読み結果格納部１３１から大当りであるか否かの先読み結果を検出し、ステップＳ１０２２で先読み結果の検出結果が大当りであるか否かを判断する。ここで先読み結果の検出結果が外れであると判断した場合にはステップＳ１０２４へ移行し、先読み結果の検出結果が大当りであると判断した場合にはステップＳ１０２３でＲＯＭ７２から図１１３の（ａ）の特図変動表示時間先読みコマンドテーブル１を検出する。
【０３４２】
ＣＰＵ７１はステップＳ１０２４へ移行すると、カウンタＳＮ２の値の検出結果に応じたリーチ先読み結果格納部１３３からリーチであるか否かの先読み結果を検出する。そして、ステップＳ１０２５で先読み結果の検出結果がリーチであるか否かを判断し、先読み結果の検出結果がリーチであると判断した場合にはステップＳ１０２６でＲＯＭ７２から図１１３の（ｂ）の特図変動表示時間先読みコマンドテーブル２を検出し、先読み結果の検出結果が非リーチであると判断した場合にはステップＳ１０２７でＲＯＭ７２から図１１３の（ｃ）の特図変動表示時間先読みコマンドテーブル３を検出する。
【０３４３】
ＣＰＵ７１は特図変動表示時間先読みコマンドテーブル１または特図変動表示時間先読みコマンドテーブル２または特図変動表示時間先読みコマンドテーブル３を検出すると、ステップＳ１０２８で特図変動表示時間先読みコマンドテーブルの検出結果からコマンド格納部１２１の特図変動表示時間先読みコマンドに応じた１つの先読み結果を検出し、ステップＳ１０２９でカウンタＳＮ２の値の検出結果に応じた特図変動表示時間先読み結果格納部１３５に特図変動表示時間の先読み結果を記録する。この先読み結果はカウンタＳＮ２の値の検出結果が（０）である場合に保留番号０の特図変動表示時間先読み結果格納部１３５に記録され、カウンタＳＮ２の値の検出結果が（１）である場合に保留番号１の特図変動表示時間先読み結果格納部１３５に記録されるものであり、カウンタＳＮ２の値の検出結果が（２）である場合には保留番号２の特図変動表示時間先読み結果格納部１３５に記録され、カウンタＳＮ２の値の検出結果が（３）である場合には保留番号３の特図変動表示時間先読み結果格納部１３５に記録され、カウンタＳＮ２の値の検出結果が（４）である場合には保留番号４の特図変動表示時間先読み結果格納部１３５に記録される。
【０３４４】
ＣＰＵ７１はステップＳ１０２９で特図変動表示時間の先読み結果を特図変動表示時間先読み結果格納部１３５に記録すると、ステップＳ１０３０でコマンド格納部１２１の特図変動表示時間先読みコマンドをカウンタＳＮ２の値の検出結果に応じた特図変動表示時間先読みコマンド格納部１３４にシフトする。このコマンド格納部１２１の特図変動表示時間先読みコマンドはカウンタＳＮ２の値の検出結果が（０）である場合に保留番号０の特図変動表示時間先読みコマンド格納部１３４にシフトされ、カウンタＳＮ２の値の検出結果が（１）である場合に保留番号１の特図変動表示時間先読みコマンド格納部１３４にシフトされるものであり、カウンタＳＮ２の値の検出結果が（２）である場合には保留番号２の特図変動表示時間先読みコマンド格納部１３４にシフトされ、カウンタＳＮ２の値の検出結果が（３）である場合には保留番号３の特図変動表示時間先読みコマンド格納部１３４にシフトされ、カウンタＳＮ２の値の検出結果が（４）である場合には保留番号４の特図変動表示時間先読みコマンド格納部１３４にシフトされる。
【０３４５】
図１２１はステップＳ９９３の先読み結果確認処理１であり、ＣＰＵ７１はステップＳ１０４１で保留番号０の大当り先読み結果格納部１３１の先読み結果が外れであるか否かを判断する。ここで保留番号０の大当り先読み結果格納部１３１の先読み結果が大当りであると判断した場合には先読み結果確認処理１を終え、保留番号０の大当り先読み結果格納部１３１の先読み結果が外れであると判断した場合にはステップＳ１０４２で保留番号０の外れリーチ先読みコマンド格納部１３２から外れリーチ先読みコマンドを検出する。そして、ステップＳ１０４３でＲＯＭ７２から図３１の（ｂ）の外れリーチ先読みテーブル１を検出し、ステップＳ１０４４で外れリーチ先読みテーブル１から外れリーチ先読みコマンドの検出結果に応じた１つの先読み結果を選択する。即ち、先読み結果確認処理１は第２特図保留回数が１回の状態で保留番号０の大当り先読み結果格納部１３１に外れの先読み結果が記録されている場合に保留番号０の外れリーチ先読みコマンド格納部１３２の外れリーチ先読みコマンド（図１０２のａ参照）に対する外れリーチであるか否かの先読み結果を確認するものである。
【０３４６】
ＣＰＵ７１はステップＳ１０４４で外れリーチ先読みテーブル１から先読み結果を選択すると、ステップＳ１０４５で先読み結果の選択結果が外れリーチであるか否かを判断する。ここで先読み結果の選択結果が外れリーチであると判断した場合にはステップＳ１０４６で保留番号０のリーチ先読み結果格納部１３３にリーチの先読み結果を上書きし、先読み結果の選択結果が完全外れであると判断した場合にはステップＳ１０４７で保留番号０のリーチ先読み結果格納部１３３に非リーチの先読み結果を上書きし、いずれの場合にもステップＳ１０４８の特図変動表示時間確認処理０へ移行する。
【０３４７】
図１２２はステップＳ１０４８の特図変動表示時間確認処理０であり、ＣＰＵ７１はステップＳ１０５１で保留番号０のリーチ先読み結果格納部１３３の先読み結果がリーチであるか否かを判断する。ここで保留番号０のリーチ先読み結果格納部１３３の先読み結果がリーチであると判断した場合にはステップＳ１０５２でＲＯＭ７２から図１１３の（ｂ）の特図変動表示時間先読みコマンドテーブル２を検出し、保留番号０のリーチ先読み結果格納部の１３３先読み結果が非リーチであると判断した場合にはステップＳ１０５３でＲＯＭ７２から図１１３の（ｃ）の特図変動表示時間先読みコマンドテーブル３を検出する。
【０３４８】
ＣＰＵ７１はステップＳ１０５２またはステップＳ１０５３で特図変動表示時間先読みコマンドテーブルを検出すると、ステップＳ１０５４で保留番号０の特図変動表示時間先読みコマンド格納部１３４から特図変動表示時間先読みコマンドを検出する。そして、ステップＳ１０５５で特図変動表示時間先読みコマンドテーブルの検出結果から特図変動表示時間先読みコマンドの検出結果に応じた１つの先読み結果を選択し、ステップＳ１０５６で保留番号０の特図変動表示時間先読み結果格納部１３５に先読み結果の選択結果を上書きする。即ち、特図変動表示時間確認処理０は第２特図保留回数が１回の状態で保留番号０の大当り先読み結果格納部１３１に外れの先読み結果が記録されている場合に保留番号０の特図変動表示時間先読みコマンド格納部１３４の特図変動表示時間先読みコマンドに対する特図変動表示時間の先読み結果を確認するものである。
【０３４９】
図１２３はステップＳ９９５の先読み結果確認処理２であり、ＣＰＵ７１はステップＳ１０６１で保留番号１の大当り先読み結果格納部１３１の先読み結果が外れであるか否かを判断する。ここで保留番号１の大当り先読み結果格納部１３１の先読み結果が大当りであると判断した場合にはステップＳ１０６９へ移行し、保留番号１の大当り先読み結果格納部１３１の先読み結果が外れであると判断した場合にはステップＳ１０６２で保留番号１の外れリーチ先読みコマンド格納部１３２から外れリーチ先読みコマンドを検出する。そして、ステップＳ１０６３でＲＯＭ７２から図３１の（ｂ）の外れリーチ先読みテーブル１を検出し、ステップＳ１０６４で外れリーチ先読みテーブル１から外れリーチ先読みコマンドの検出結果に応じた１つの先読み結果を選択する。即ち、先読み結果確認処理２は第２特図保留回数が２回の状態で保留番号１の大当り先読み結果格納部１３１に外れの先読み結果が記録されている場合に保留番号１の外れリーチ先読みコマンド格納部１３２の外れリーチ先読みコマンド（図１０２のｂ参照）に対する外れリーチであるか否かの先読み結果を確認するものである。
【０３５０】
ＣＰＵ７１はステップＳ１０６４で外れリーチ先読みテーブル１から先読み結果を選択すると、ステップＳ１０６５で先読み結果の選択結果が外れリーチであるか否かを判断する。ここで先読み結果の選択結果が外れリーチであると判断した場合にはステップＳ１０６６で保留番号１のリーチ先読み結果格納部１３３にリーチの先読み結果を上書きし、先読み結果の選択結果が完全外れであると判断した場合にはステップＳ１０６７で保留番号１のリーチ先読み結果格納部１３３に非リーチの先読み結果を上書きし、いずれの場合にもステップＳ１０６８の特図変動表示時間確認処理１へ移行する。
【０３５１】
図１２４はステップＳ１０６８の特図変動表示時間確認処理１であり、ＣＰＵ７１はステップＳ１０８１で保留番号１のリーチ先読み結果格納部１３３の先読み結果がリーチであるか否かを判断する。ここで保留番号１のリーチ先読み結果格納部１３３の先読み結果がリーチであると判断した場合にはステップＳ１０８２でＲＯＭ７２から図１１３の（ｂ）の特図変動表示時間先読みコマンドテーブル２を検出し、保留番号１のリーチ先読み結果格納部１３３の先読み結果が非リーチであると判断した場合にはステップＳ１０８３でＲＯＭ７２から図１１３の（ｃ）の特図変動表示時間先読みコマンドテーブル３を検出する。
【０３５２】
ＣＰＵ７１はステップＳ１０８２またはステップＳ１０８３で特図変動表示時間先読みコマンドテーブルを検出すると、ステップＳ１０８４で保留番号１の特図変動表示時間先読みコマンド格納部１３４から特図変動表示時間先読みコマンドを検出する。そして、ステップＳ１０８５で特図変動表示時間先読みコマンドテーブルの検出結果から特図変動表示時間先読みコマンドの検出結果に応じた１つの先読み結果を選択し、ステップＳ１０８６で保留番号１の特図変動表示時間先読み結果格納部１３５に先読み結果の選択結果を上書きし、図１２３のステップＳ１０６９へ移行する。即ち、特図変動表示時間確認処理１は第２特図保留回数が２回の状態で保留番号１の大当り先読み結果格納部１３１に外れの先読み結果が記録されている場合に保留番号１の特図変動表示時間先読みコマンド格納部１３４の特図変動表示時間先読みコマンドに対する特図変動表示時間の先読み結果を確認するものである。
【０３５３】
ＣＰＵ７１はステップＳ１０６９へ移行すると、保留番号０の大当り先読み結果格納部１３１の先読み結果が外れであるか否かを判断する。ここで保留番号０の大当り先読み結果格納部１３１の先読み結果が大当りであると判断した場合には先読み結果確認処理２を終え、保留番号０の大当り先読み結果格納部１３１の先読み結果が外れであると判断した場合にはステップＳ１０７０で保留番号０の外れリーチ先読みコマンド格納部１３２から外れリーチ先読みコマンドを検出する。そして、ステップＳ１０７１でＲＯＭ７２から図３１の（ｃ）の外れリーチ先読みテーブル２を検出し、ステップＳ１０７２で外れリーチ先読みテーブル２から外れリーチ先読みコマンドの検出結果に応じた１つの先読み結果を選択する。即ち、先読み結果確認処理２は第２特図保留回数が２回の状態で保留番号０の大当り先読み結果格納部１３１に外れの先読み結果が記録されている場合に保留番号０の外れリーチ先読みコマンド格納部１３２の外れリーチ先読みコマンド（図１０４のａ参照）に対する外れリーチであるか否かの先読み結果を確認するものである。
【０３５４】
ＣＰＵ７１はステップＳ１０７２で外れリーチ先読みテーブル２から先読み結果を選択すると、ステップＳ１０７３で先読み結果の選択結果が外れリーチであるか否かを判断する。ここで先読み結果の選択結果が外れリーチであると判断した場合にはステップＳ１０７４で保留番号０のリーチ先読み結果格納部１３３にリーチの先読み結果を上書きし、先読み結果の選択結果が完全外れであると判断した場合にはステップＳ１０７５で保留番号０のリーチ先読み結果格納部１３３に非リーチの先読み結果を上書きし、いずれの場合にもステップＳ１０７６の特図変動表示時間確認処理０で図１２２の処理を行う。
【０３５５】
図１２５はステップＳ９９７の先読み結果確認処理３であり、ＣＰＵ７１はステップＳ１０９１で保留番号２の大当り先読み結果格納部１３１の先読み結果が外れであるか否かを判断する。ここで保留番号２の大当り先読み結果格納部１３１の先読み結果が大当りであると判断した場合にはステップＳ１０９９へ移行し、保留番号２の大当り先読み結果格納部１３１の先読み結果が外れであると判断した場合にはステップＳ１０９２で保留番号２の外れリーチ先読みコマンド格納部１３２から外れリーチ先読みコマンドを検出する。そして、ステップＳ１０９３でＲＯＭ７２から図３１の（ｂ）の外れリーチ先読みテーブル１を検出し、ステップＳ１０９４で外れリーチ先読みテーブル１から外れリーチ先読みコマンドの検出結果に応じた１つの先読み結果を選択する。即ち、先読み結果確認処理３は第２特図保留回数が３回の状態で保留番号２の大当り先読み結果格納部１３１に外れの先読み結果が記録されている場合に保留番号２の外れリーチ先読みコマンド格納部１３２の外れリーチ先読みコマンド（図１０３のａ参照）に対する外れリーチであるか否かの先読み結果を確認するものである。
【０３５６】
ＣＰＵ７１はステップＳ１０９４で外れリーチ先読みテーブル１から先読み結果を選択すると、ステップＳ１０９５で先読み結果の選択結果が外れリーチであるか否かを判断する。ここで先読み結果の選択結果が外れリーチであると判断した場合にはステップＳ１０９６で保留番号２のリーチ先読み結果格納部１３３にリーチの先読み結果を上書きし、先読み結果の選択結果が完全外れであると判断した場合にはステップＳ１０９７で保留番号２のリーチ先読み結果格納部１３３に非リーチの先読み結果を上書きし、いずれの場合にもステップＳ１０９８の特図変動表示時間確認処理２へ移行する。
【０３５７】
図１２６はステップＳ１０９８の特図変動表示時間確認処理２であり、ＣＰＵ７１はステップＳ１１２１で保留番号２のリーチ先読み結果格納部１３３の先読み結果がリーチであるか否かを判断する。ここで保留番号２のリーチ先読み結果格納部１３３の先読み結果がリーチであると判断した場合にはステップＳ１１２２でＲＯＭ７２から図１１３の（ｂ）の特図変動表示時間先読みコマンドテーブル２を検出し、保留番号２のリーチ先読み結果格納部１３３の先読み結果が非リーチであると判断した場合にはステップＳ１１２３でＲＯＭ７２から図１１３の（ｃ）の特図変動表示時間先読みコマンドテーブル３を検出する。
【０３５８】
ＣＰＵ７１はステップＳ１１２２またはステップＳ１１２３で特図変動表示時間先読みコマンドテーブルを検出すると、ステップＳ１１２４で保留番号２の特図変動表示時間先読みコマンド格納部１３４から特図変動表示時間先読みコマンドを検出する。そして、ステップＳ１１２５で特図変動表示時間先読みコマンドテーブルの検出結果から特図変動表示時間先読みコマンドの検出結果に応じた１つの先読み結果を選択し、ステップＳ１１２６で保留番号２の特図変動表示時間先読み結果格納部１３５に先読み結果の選択結果を上書きし、図１２５のステップＳ１０９９へ移行する。即ち、特図変動表示時間確認処理２は第２特図保留回数が３回の状態で保留番号２の大当り先読み結果格納部１３１に外れの先読み結果が記録されている場合に保留番号２の特図変動表示時間先読みコマンド格納部１３４の特図変動表示時間先読みコマンドに対する特図変動表示時間の先読み結果を確認するものである。
【０３５９】
ＣＰＵ７１はステップＳ１０９９へ移行すると、保留番号１の大当り先読み結果格納部１３１の先読み結果が外れであるか否かを判断する。ここで保留番号１の大当り先読み結果格納部１３１の先読み結果が大当りであると判断した場合にはステップＳ１１０７へ移行し、保留番号１の大当り先読み結果格納部１３１の先読み結果が外れであると判断した場合にはステップＳ１１００で保留番号１の外れリーチ先読みコマンド格納部１３２から外れリーチ先読みコマンドを検出する。そして、ステップＳ１１０１でＲＯＭ７２から図３１の（ｃ）の外れリーチ先読みテーブル２を検出し、ステップＳ１１０２で外れリーチ先読みテーブル２から外れリーチ先読みコマンドの検出結果に応じた１つの先読み結果を選択する。即ち、先読み結果確認処理３は第２特図保留回数が３回の状態で保留番号１の大当り先読み結果格納部１３１に外れの先読み結果が記録されている場合に保留番号１の外れリーチ先読みコマンド格納部１３２の外れリーチ先読みコマンド（図１０４のｂ参照）に対する外れリーチであるか否かの先読み結果を確認するものである。
【０３６０】
ＣＰＵ７１はステップＳ１１０２で外れリーチ先読みテーブル２から先読み結果を選択すると、ステップＳ１１０３で先読み結果の選択結果が外れリーチであるか否かを判断する。ここで先読み結果の選択結果が外れリーチであると判断した場合にはステップＳ１１０４で保留番号１のリーチ先読み結果格納部１３３にリーチの先読み結果を上書きし、先読み結果の選択結果が完全外れであると判断した場合にはステップＳ１１０５で保留番号１のリーチ先読み結果格納部１３３に非リーチの先読み結果を上書きし、いずれの場合にもステップＳ１１０６の特図変動表示時間確認処理１で図１２４の処理を行い、ステップＳ１１０７へ移行する。
【０３６１】
ＣＰＵ７１はステップＳ１１０７へ移行すると、保留番号０の大当り先読み結果格納部１３１の先読み結果が外れであるか否かを判断する。ここで保留番号０の大当り先読み結果格納部１３１の先読み結果が大当りであると判断した場合には先読み結果確認処理４を終え、保留番号０の大当り先読み結果格納部１３１の先読み結果が外れであると判断した場合にはステップＳ１１０８で保留番号０の外れリーチ先読みコマンド格納部１３２から外れリーチ先読みコマンドを検出する。そして、ステップＳ１１０９でＲＯＭ７２から図３１の（ｄ）の外れリーチ先読みテーブル３を検出し、ステップＳ１１１０で外れリーチ先読みテーブル３から外れリーチ先読みコマンドの検出結果に応じた１つの先読み結果を選択する。即ち、先読み結果確認処理３は第２特図保留回数が３回の状態で保留番号０の大当り先読み結果格納部１３１に外れの先読み結果が記録されている場合に保留番号０の外れリーチ先読みコマンド格納部１３２の外れリーチ先読みコマンド（図１０５のａ参照）に対する外れリーチであるか否かの先読み結果を確認するものである。
【０３６２】
ＣＰＵ７１はステップＳ１１１０で外れリーチ先読みテーブル３から先読み結果を選択すると、ステップＳ１１１１で先読み結果の選択結果が外れリーチであるか否かを判断する。ここで先読み結果の選択結果が外れリーチであると判断した場合にはステップＳ１１１２で保留番号０のリーチ先読み結果格納部１３３にリーチの先読み結果を上書きし、先読み結果の選択結果が完全外れであると判断した場合にはステップＳ１１１３で保留番号０のリーチ先読み結果格納部１３３に非リーチの先読み結果を上書きし、いずれの場合にもステップＳ１１１４の特図変動表示時間確認処理０で図１２２の処理を行う。
【０３６３】
図１２７および図１２８はステップＳ９９９の先読み結果確認処理４であり、ＣＰＵ７１は図１２７のステップＳ１１３１で保留番号３の大当り先読み結果格納部１３１の先読み結果が外れであるか否かを判断する。ここで保留番号３の大当り先読み結果格納部１３１の先読み結果が大当りであると判断した場合にはステップＳ１１３９へ移行し、保留番号３の大当り先読み結果格納部１３１の先読み結果が外れであると判断した場合にはステップＳ１１３２で保留番号３の外れリーチ先読みコマンド格納部１３２から外れリーチ先読みコマンドを検出する。そして、ステップＳ１１３３でＲＯＭ７２から図３１の（ｂ）の外れリーチ先読みテーブル１を検出し、ステップＳ１１３４で外れリーチ先読みテーブル１から外れリーチ先読みコマンドの検出結果に応じた１つの先読み結果を選択する。即ち、先読み結果確認処理４は第２特図保留回数が４回の状態で保留番号３の大当り先読み結果格納部１３１に外れの先読み結果が記録されている場合に保留番号３の外れリーチ先読みコマンド格納部１３２の外れリーチ先読みコマンド（図１０３のｂ参照）に対する外れリーチであるか否かの先読み結果を確認するものである。
【０３６４】
ＣＰＵ７１はステップＳ１１３４で外れリーチ先読みテーブル１から先読み結果を選択すると、ステップＳ１１３５で先読み結果の選択結果が外れリーチであるか否かを判断する。ここで先読み結果の選択結果が外れリーチであると判断した場合にはステップＳ１１３６で保留番号３のリーチ先読み結果格納部１３３にリーチの先読み結果を上書きし、先読み結果の選択結果が完全外れであると判断した場合にはステップＳ１１３７で保留番号３のリーチ先読み結果格納部１３３に非リーチの先読み結果を上書きし、いずれの場合にもステップＳ１１３８の特図変動表示時間確認処理３へ移行する。
【０３６５】
図１２９はステップＳ１１３８の特図変動表示時間確認処理３であり、ＣＰＵ７１はステップＳ１１７１で保留番号３のリーチ先読み結果格納部１３３の先読み結果がリーチであるか否かを判断する。ここで保留番号３のリーチ先読み結果格納部１３３の先読み結果がリーチであると判断した場合にはステップＳ１１７２でＲＯＭ７２から図１１３の（ｂ）の特図変動表示時間先読みコマンドテーブル２を検出し、保留番号２のリーチ先読み結果格納部１３３の先読み結果が非リーチであると判断した場合にはステップＳ１１７３でＲＯＭ７２から図１１３の（ｃ）の特図変動表示時間先読みコマンドテーブル３を検出する。
【０３６６】
ＣＰＵ７１はステップＳ１１７２またはステップＳ１１７３で特図変動表示時間先読みコマンドテーブルを検出すると、ステップＳ１１７４で保留番号３の特図変動表示時間先読みコマンド格納部１３４から特図変動表示時間先読みコマンドを検出する。そして、ステップＳ１１７５で特図変動表示時間先読みコマンドテーブルの検出結果から特図変動表示時間先読みコマンドの検出結果に応じた１つの先読み結果を選択し、ステップＳ１１７６で保留番号３の特図変動表示時間先読み結果格納部１３５に先読み結果の選択結果を上書きし、いずれの場合にも図１２７のステップＳ１１３９へ移行する。即ち、特図変動表示時間確認処理３は第２特図保留回数が４回の状態で保留番号３の大当り先読み結果格納部１３１に外れの先読み結果が記録されている場合に保留番号３の特図変動表示時間先読みコマンド格納部１３４の特図変動表示時間先読みコマンドに対する特図変動表示時間の先読み結果を確認するものである。
【０３６７】
ＣＰＵ７１はステップＳ１１３９へ移行すると、保留番号２の大当り先読み結果格納部１３１の先読み結果が外れであるか否かを判断する。ここで保留番号２の大当り先読み結果格納部１３１の先読み結果が大当りであると判断した場合にはステップＳ１１４７へ移行し、保留番号２の大当り先読み結果格納部１３１の先読み結果が外れであると判断した場合にはステップＳ１１４０で保留番号２の外れリーチ先読みコマンド格納部１３２から外れリーチ先読みコマンドを検出する。そして、ステップＳ１１４１でＲＯＭ７２から図３１の（ｃ）の外れリーチ先読みテーブル２を検出し、ステップＳ１１４２で外れリーチ先読みテーブル２から外れリーチ先読みコマンドの検出結果に応じた１つの先読み結果を選択する。即ち、先読み結果確認処理４は第２特図保留回数が４回の状態で保留番号２の大当り先読み結果格納部１３１に外れの先読み結果が記録されている場合に保留番号２の外れリーチ先読みコマンド格納部１３２の外れリーチ先読みコマンド（図１０４のｃ参照）に対する外れリーチであるか否かの先読み結果を確認するものである。
【０３６８】
ＣＰＵ７１はステップＳ１１４２で外れリーチ先読みテーブル２から先読み結果を選択すると、ステップＳ１１４３で先読み結果の選択結果が外れリーチであるか否かを判断する。ここで先読み結果の選択結果が外れリーチであると判断した場合にはステップＳ１１４４で保留番号２のリーチ先読み結果格納部１３３にリーチの先読み結果を上書きし、先読み結果の選択結果が完全外れであると判断した場合にはステップＳ１１４５で保留番号２のリーチ先読み結果格納部１３３に非リーチの先読み結果を上書きし、いずれの場合にもステップＳ１１４６の特図変動表示時間確認処理２で図１２６の処理を行い、ステップＳ１１４７へ移行する。
【０３６９】
ＣＰＵ７１はステップＳ１１４７へ移行すると、保留番号１の大当り先読み結果格納部１３１の先読み結果が外れであるか否かを判断する。ここで保留番号１の大当り先読み結果格納部１３１の先読み結果が大当りであると判断した場合には図１２８のステップＳ１１５５へ移行し、保留番号１の大当り先読み結果格納部１３１の先読み結果が外れであると判断した場合には図１２７のステップＳ１１４８で保留番号１の外れリーチ先読みコマンド格納部１３２から外れリーチ先読みコマンドを検出する。そして、ステップＳ１１４９でＲＯＭ７２から図３１の（ｄ）の外れリーチ先読みテーブル３を検出し、ステップＳ１１５０で外れリーチ先読みテーブル３から外れリーチ先読みコマンドの検出結果に応じた１つの先読み結果を選択する。即ち、先読み結果確認処理４は第２特図保留回数が４回の状態で保留番号１の大当り先読み結果格納部１３１に外れの先読み結果が記録されている場合に保留番号１の外れリーチ先読みコマンド格納部１３２の外れリーチ先読みコマンド（図１０５のｂ参照）に対する外れリーチであるか否かの先読み結果を確認するものである。
【０３７０】
ＣＰＵ７１はステップＳ１１５０で外れリーチ先読みテーブル３から先読み結果を選択すると、ステップＳ１１５１で先読み結果の選択結果が外れリーチであるか否かを判断する。ここで先読み結果の選択結果が外れリーチであると判断した場合にはステップＳ１１５２で保留番号１のリーチ先読み結果格納部１３３にリーチの先読み結果を上書きし、先読み結果の選択結果が完全外れであると判断した場合にはステップＳ１１５３で保留番号１のリーチ先読み結果格納部１３３に非リーチの先読み結果を上書きし、いずれの場合にもステップＳ１１５４の特図変動表示時間確認処理１で図１２４の処理を行い、図１２８のステップＳ１１５５へ移行する。
【０３７１】
ＣＰＵ７１はステップＳ１１５５へ移行すると、保留番号０の大当り先読み結果格納部１３１の先読み結果が外れであるか否かを判断する。ここで保留番号０の大当り先読み結果格納部１３１の先読み結果が大当りであると判断した場合には先読み結果確認処理４を終え、保留番号０の大当り先読み結果格納部１３１の先読み結果が外れであると判断した場合にはステップＳ１１５６で保留番号０の外れリーチ先読みコマンド格納部１３２から外れリーチ先読みコマンドを検出する。そして、ステップＳ１１５７でＲＯＭ７２から図３１の（ｅ）の外れリーチ先読みテーブル４を検出し、ステップＳ１１５８で外れリーチ先読みテーブル４から外れリーチ先読みコマンドの検出結果に応じた１つの先読み結果を選択する。即ち、先読み結果確認処理４は第２特図保留回数が４回の状態で保留番号０の大当り先読み結果格納部１３１に外れの先読み結果が記録されている場合に保留番号０の外れリーチ先読みコマンド格納部１３２の外れリーチ先読みコマンド（図１０６参照）に対する外れリーチであるか否かの先読み結果を確認するものである。
【０３７２】
ＣＰＵ７１はステップＳ１１５８で外れリーチ先読みテーブル４から先読み結果を選択すると、ステップＳ１１５９で先読み結果の選択結果が外れリーチであるか否かを判断する。ここで先読み結果の選択結果が外れリーチであると判断した場合にはステップＳ１１６０で保留番号０のリーチ先読み結果格納部１３３にリーチの先読み結果を上書きし、先読み結果の選択結果が完全外れであると判断した場合にはステップＳ１１６１で保留番号０のリーチ先読み結果格納部１３３に非リーチの先読み結果を上書きし、いずれの場合にもステップＳ１１６２の特図変動表示時間確認処理０で図１２２の処理を行う。
【０３７３】
図１３０は図１１４のステップＳ４１６の装飾図柄遊技処理であり、ＣＰＵ７１はステップＳ６５３でコマンド格納部１２１に第１特図遊技コマンドが記録されていないと判断した場合にはステップＳ１１８１でコマンド格納部１２１に第２特図遊技コマンドが記録されているか否かを判断する。ここでコマンド格納部１２１に第２特図遊技コマンドが記録されていると判断した場合にはステップＳ１１８２でコマンド格納部１２１から第２特図遊技コマンドを消去し、ステップＳ１１８３でフラグ格納部１２４の予告禁止フラグがオン状態に設定されているか否かを判断する。
【０３７４】
ＣＰＵ７１は電チューサポートモードのオフ状態ではステップＳ１１８３でフラグ格納部１２４の予告禁止フラグがオフ状態に設定されていると判断してステップＳ１１８６の先読みデータ処理およびステップＳ６５８の特図変動開始コマンド処理へ移行し、電チューサポートモードのオン状態ではステップＳ１１８３でフラグ格納部１２４の予告禁止フラグがオン状態に設定されていると判断してステップＳ１１８４のリーチ確定処理へ移行する。このステップＳ１１８４のリーチ確定処理を終えた場合にはステップＳ１１８５のステップアップ予行処理へ移行し、ステップＳ１１８５のステップアップ予行処理を終えた場合にはステップＳ１１８６の先読みデータ処理およびステップＳ６５８の特図変動開始コマンド処理へ移行する。
【０３７５】
図１３１はステップＳ１１８４のリーチ確定処理であり、ＣＰＵ７１はステップＳ１１９１でフラグ格納部１２４のインターバルフラグがオン状態に設定されているか否かを判断する。例えば普通図柄遊技が保留されている状態で今回の当り遊技が停止してから次回の当り遊技が開始されるまでのインターバル期間内ではＣＰＵ７１はステップＳ１１９１でフラグ格納部１２４のインターバルフラグがオン状態に設定されていると判断し、ステップＳ１１９２で保留番号０のリーチ先読み結果格納部１３３にリーチの先読み結果が記録されているか否かを判断する。ここで保留番号０のリーチ先読み結果格納部１３３にリーチの先読み結果が記録されていないと判断した場合にはステップＳ１１９４へ移行し、
保留番号０のリーチ先読み結果格納部１３３にリーチの先読み結果が記録されていると判断した場合にはステップＳ１１９３で保留番号０のリーチ確定データ格納部１３６にリーチ確定データを記録する。
【０３７６】
ＣＰＵ７１はステップＳ１１９４へ移行すると、保留番号１のリーチ先読み結果格納部１３３にリーチの先読み結果が記録されているか否かを判断する。ここで保留番号１のリーチ先読み結果格納部１３３にリーチの先読み結果が記録されていると判断した場合にはステップＳ１１９５の保留１処理へ移行し、保留番号１のリーチ先読み結果格納部１３３にリーチの先読み結果が記録されていないと判断した場合にはステップＳ１１９６で保留番号２のリーチ先読み結果格納部１３３にリーチの先読み結果が記録されているか否かを判断する。ここで保留番号２のリーチ先読み結果格納部１３３にリーチの先読み結果が記録されていると判断した場合にはステップＳ１１９７の保留２処理へ移行し、保留番号２のリーチ先読み結果格納部１３３にリーチの先読み結果が記録されていないと判断した場合にはステップＳ１１９８へ移行する。
【０３７７】
ＣＰＵ７１はステップＳ１１９８へ移行すると、保留番号３のリーチ先読み結果格納部１３３にリーチの先読み結果が記録されているか否かを判断する。ここで保留番号３のリーチ先読み結果格納部１３３にリーチの先読み結果が記録されていると判断した場合にはステップＳ１１９９の保留３処理へ移行し、保留番号３のリーチ先読み結果格納部１３３にリーチの先読み結果が記録されていないと判断した場合にはステップＳ１１２０で保留番号４のリーチ先読み結果格納部１３３にリーチの先読み結果が記録されているか否かを判断する。ここで保留番号４のリーチ先読み結果格納部１３３にリーチの先読み結果が記録されていると判断した場合にはステップＳ１１２１の保留４処理へ移行し、保留番号４のリーチ先読み結果格納部１３３にリーチの先読み結果が記録されていないと判断した場合にはリーチ確定処理を終える。
【０３７８】
図１３２はステップＳ１１９５の保留１処理であり、ＣＰＵ７１はステップＳ１１３１で保留番号１の大当り先読み結果格納部１３１に外れの先読み結果が記録されているか否かを判断する。ここで保留番号１の大当り先読み結果格納部１３１に大当りの先読み結果が記録されていると判断した場合にはステップＳ１１３５で保留番号１のリーチ確定データ格納部１３６にリーチ確定データを記録し、保留番号１の大当り先読み結果格納部１３１に外れの先読み結果が記録されていると判断した場合にはステップＳ１１３２で保留番号０の特図変動表示時間先読み結果格納部１３５から特図変動表示時間の先読み結果を検出する。
【０３７９】
ＣＰＵ７１はステップＳ１１３２で保留番号０の特図変動表示時間先読み結果格納部１３５から特図変動表示時間の先読み結果を検出すると、ステップＳ１１３３で先読み結果の検出結果にＲＯＭ７２に予め記録されたインターバル時間ＩＮＴ（１×１０００ｍｓｅｃ）を加算する。このインターバル時間ＩＮＴは第２特図保留データ格納部１１８にデータが記録されていると判断されてから特別図柄遊技が始まるまでの特図インターバル時間（図５７参照）と同一値に設定されたものであり、ＣＰＵ７１はステップＳ１１３３で先読み結果の検出結果にインターバル時間ＩＮＴを加算した場合にはステップＳ１１３４へ移行する。
【０３８０】
ＣＰＵ７１はステップＳ１１３４へ移行すると、ステップＳ１１３３の加算結果がタイマ格納部１２３のタイマＳＴ２の値に比べて小さいか否かを判断する。ここでステップＳ１１３３の加算結果がタイマ格納部１２３のタイマＳＴ２の値に比べて小さいと判断した場合にはステップＳ１１３４で保留番号１のリーチ確定データ格納部１３６にリーチ確定データを記録し、ステップＳ１１３３の加算結果がタイマ格納部１２３のタイマＳＴ２の値に比べて小さくないと判断した場合には保留１処理を終える。
【０３８１】
図１３３は保留１処理でのタイマＳＴ２の値と特図変動表示時間の先読み結果との関係であり、今回の当り遊技が停止してから次回の当り遊技が開始されるまでのインターバル期間内には第２特別図柄始動口３０が閉鎖状態にされている。このインターバル期間内には遊技球が第２特別図柄始動口３０内に入賞することがなく、第２特図保留データ格納部１１８にデータが追加されない。このインターンバル期間内に保留番号１の第２特図保留データ１１８のデータに応じて特別図柄遊技が開始される場合には保留番号１のリーチ確定データ格納部１３６にリーチ確定データが記録され、次回の当り遊技が開始された後に保留番号１の第２特図保留データ１１８のデータに応じて特別図柄遊技が開始される場合には保留番号１のリーチ確定データ格納部１３６にリーチ確定データが記録されない。
【０３８２】
図１３４はステップＳ１１９７の保留２処理であり、ＣＰＵ７１はステップＳ１１４１で保留番号２の大当り先読み結果格納部１３１に外れの先読み結果が記録されているか否かを判断する。ここで保留番号２の大当り先読み結果格納部１３１に大当りの先読み結果が記録されていると判断した場合にはステップＳ１１４６で保留番号２のリーチ確定データ格納部１３６にリーチ確定データを記録し、保留番号２の大当り先読み結果格納部１３１に外れの先読み結果が記録されていると判断した場合にはステップＳ１１４２で保留番号０および保留番号１のそれぞれの特図変動表示時間先読み結果格納部１３５から特図変動表示時間の先読み結果を検出する。
【０３８３】
ＣＰＵ７１はステップＳ１１４２で保留番号０および保留番号１のそれぞれの特図変動表示時間先読み結果格納部１３５から特図変動表示時間の先読み結果を検出すると、ステップＳ１１４３で保留番号０の特図変動表示時間先読み結果格納部１３５の特図変動表示時間の先読み結果および保留番号１の特図変動表示時間先読み結果格納部１３５の特図変動表示時間の先読み結果を相互に加算し、ステップＳ１１４４でステップＳ１１４３の加算結果に２倍のインターバル時間（２×ＩＮＴ）を加算する。
【０３８４】
ＣＰＵ７１はステップＳ１１４４でステップＳ１１４３の加算結果に２倍のインターバル時間（２×ＩＮＴ）を加算すると、ステップＳ１１４５でステップＳ１１４４の加算結果がタイマ格納部１２３のタイマＳＴ２の値に比べて小さいか否かを判断する。ここでステップＳ１１４４の加算結果がタイマ格納部１２３のタイマＳＴ２の値に比べて小さいと判断した場合にはステップＳ１１４６で保留番号２のリーチ確定データ格納部１３６にリーチ確定データを記録し、ステップＳ１１４４の加算結果がタイマ格納部１２３のタイマＳＴ２の値に比べて小さくないと判断した場合には保留２処理を終える。
【０３８５】
図１３５は保留２処理でのタイマＳＴ２の値と特図変動表示時間の先読み結果との関係であり、今回の当り遊技が停止してから次回の当り遊技が開始されるまでのインターバル期間内に保留番号２の第２特図保留データ１１８のデータに応じて特別図柄遊技が開始される場合には保留番号２のリーチ確定データ格納部１３６にリーチ確定データが記録され、次回の当り遊技が開始された後に保留番号２の第２特図保留データ１１８のデータに応じて特別図柄遊技が開始される場合には保留番号２のリーチ確定データ格納部１３６にリーチ確定データが記録されない。
【０３８６】
図１３６はステップＳ１１９９の保留３処理であり、ＣＰＵ７１はステップＳ１１５１で保留番号３の大当り先読み結果格納部１３１に外れの先読み結果が記録されているか否かを判断する。ここで保留番号３の大当り先読み結果格納部１３１に大当りの先読み結果が記録されていると判断した場合にはステップＳ１１５６で保留番号３のリーチ確定データ格納部１３６にリーチ確定データを記録し、保留番号３の大当り先読み結果格納部１３１に外れの先読み結果が記録されていると判断した場合にはステップＳ１１５２で保留番号０と保留番号１と保留番号２のそれぞれの特図変動表示時間先読み結果格納部１３５から特図変動表示時間の先読み結果を検出する。
【０３８７】
ＣＰＵ７１はステップＳ１１５２で保留番号０〜保留番号２のそれぞれの特図変動表示時間先読み結果格納部１３５から特図変動表示時間の先読み結果を検出すると、ステップＳ１１５３で保留番号０の特図変動表示時間先読み結果格納部１３５の特図変動表示時間の先読み結果と保留番号１の特図変動表示時間先読み結果格納部１３５の特図変動表示時間の先読み結果と保留番号２の特図変動表示時間先読み結果格納部１３５の特図変動表示時間の先読み結果を相互に加算し、ステップＳ１１５４でステップＳ１１５３の加算結果に３倍のインターバル時間（３×ＩＮＴ）を加算する。
【０３８８】
ＣＰＵ７１はステップＳ１１５４でステップＳ１１５３の加算結果に３倍のインターバル時間（３×ＩＮＴ）を加算すると、ステップＳ１１５５でステップＳ１１５４の加算結果がタイマ格納部１２３のタイマＳＴ２の値に比べて小さいか否かを判断する。ここでステップＳ１１５４の加算結果がタイマ格納部１２３のタイマＳＴ２の値に比べて小さいと判断した場合にはステップＳ１１５６で保留番号３のリーチ確定データ格納部１３６にリーチ確定データを記録し、ステップＳ１１５４の加算結果がタイマ格納部１２３のタイマＳＴ２の値に比べて小さくないと判断した場合には保留３処理を終える。
【０３８９】
図１３７は保留３処理でのタイマＳＴ２の値と特図変動表示時間の先読み結果との関係であり、今回の当り遊技が停止してから次回の当り遊技が開始されるまでのインターバル期間内に保留番号３の第２特図保留データ１１８のデータに応じて特別図柄遊技が開始される場合には保留番号３のリーチ確定データ格納部１３６にリーチ確定データが記録され、次回の当り遊技が開始された後に保留番号３の第２特図保留データ１１８のデータに応じて特別図柄遊技が開始される場合には保留番号３のリーチ確定データ格納部１３６にリーチ確定データが記録されない。
【０３９０】
図１３８はステップＳ１１２１の保留４処理であり、ＣＰＵ７１はステップＳ１１６１で保留番号４の大当り先読み結果格納部１３１に外れの先読み結果が記録されているか否かを判断する。ここで保留番号４の大当り先読み結果格納部１３１に大当りの先読み結果が記録されていると判断した場合にはステップＳ１１６６で保留番号４のリーチ確定データ格納部１３６にリーチ確定データを記録し、保留番号４の大当り先読み結果格納部１３１に外れの先読み結果が記録されていると判断した場合にはステップＳ１１６２で保留番号０と保留番号１と保留番号２と保留番号３のそれぞれの特図変動表示時間先読み結果格納部１３５から特図変動表示時間の先読み結果を検出する。
【０３９１】
ＣＰＵ７１はステップＳ１１６２で保留番号０〜保留番号３のそれぞれの特図変動表示時間先読み結果格納部１３５から特図変動表示時間の先読み結果を検出すると、ステップＳ１１６３で保留番号０の特図変動表示時間先読み結果格納部１３５の特図変動表示時間の先読み結果と保留番号１の特図変動表示時間先読み結果格納部１３５の特図変動表示時間の先読み結果と保留番号２の特図変動表示時間先読み結果格納部１３５の特図変動表示時間の先読み結果と保留番号３の特図変動表示時間先読み結果格納部１３５の特図変動表示時間の先読み結果を相互に加算し、ステップＳ１１６４でステップＳ１１６３の加算結果に４倍のインターバル時間（４×ＩＮＴ）を加算する。
【０３９２】
ＣＰＵ７１はステップＳ１１６４でステップＳ１１６３の加算結果に４倍のインターバル時間（４×ＩＮＴ）を加算すると、ステップＳ１１６５でステップＳ１１６４の加算結果がタイマ格納部１２３のタイマＳＴ２の値に比べて小さいか否かを判断する。ここでステップＳ１１６４の加算結果がタイマ格納部１２３のタイマＳＴ２の値に比べて小さいと判断した場合にはステップＳ１１６６で保留番号４のリーチ確定データ格納部１３６にリーチ確定データを記録し、ステップＳ１１６４の加算結果がタイマ格納部１２３のタイマＳＴ２の値に比べて小さくないと判断した場合には保留４処理を終える。
【０３９３】
図１３９は保留４処理でのタイマＳＴ２の値と特図変動表示時間の先読み結果との関係であり、今回の当り遊技が停止してから次回の当り遊技が開始されるまでのインターバル期間内に保留番号４の第２特図保留データ１１８のデータに応じて特別図柄遊技が開始される場合には保留番号４のリーチ確定データ格納部１３６にリーチ確定データが記録され、次回の当り遊技が開始された後に保留番号４の第２特図保留データ１１８のデータに応じて特別図柄遊技が開始される場合には保留番号４のリーチ確定データ格納部１３６にリーチ確定データが記録されない。
【０３９４】
図１４０はテップＳ１１８５のステップアップ予告処理であり、ＣＰＵ７１はステップＳ１１７１でフラグ格納部１２４のステップアップ予告フラグがオン状態に設定されているか否かを判断する。ここでフラグ格納部１２４のステップアップ予告フラグがオフ状態に設定されていると判断した場合にはステップＳ１１７２へ移行し、保留番号０のリーチ確定データ格納部１３６にリーチ確定データが記録されているか否かを判断する。ここで保留番号０のリーチ確定データ格納部１３６にリーチ確定データが記録されていないと判断した場合にはステップＳ１１８０へ移行し、保留番号０のリーチ確定データ格納部１３６にリーチ確定データが記録されていると判断した場合にはステップＳ１１７３でカウンタ格納部１２２からカウンタＳＲ４の値の更新結果を検出する。
【０３９５】
ＣＰＵ７１はステップＳ１１７３でカウンタ格納部１２２からカウンタＳＲ４の値の更新結果を検出すると、ステップＳ１１７４で保留番号０の大当り先読み結果格納部１３１に大当りの先読み結果が記録されているか否かを判断する。ここで保留番号０の大当り先読み結果格納部１３１に大当りの先読み結果が記録されていると判断した場合にはステップＳ１１７５でＲＯＭ７２から図３０の（ａ）の予告判定テーブル０−１を検出し、保留番号０の大当り先読み結果格納部１３１に外れの先読み結果が記録されていると判断した場合にはステップＳ１１７６でＲＯＭ７２から図３０の（ｂ）の予告判定テーブル０−２を検出する。
【０３９６】
ＣＰＵ７１はステップＳ１１７５またはステップＳ１１７６で予告判定テーブルを検出すると、ステップＳ１１７７で予告判定テーブルの検出結果からカウンタＳＲ４の値の検出結果に応じた１つの判定結果を選択し、ステップＳ１１７８で判定結果が予告有りであるか否かを判断する。ここで判定結果が予告無しであると判断した場合にはステップＳ１１８０へ移行し、判定結果が予告有りであると判断した場合にはステップＳ１１７９でカウンタ格納部１２２のカウンタＳＮ４の値に（０）を設定し、ステップＳ１１９６でフラグ格納部１２４のステップアップ予告フラグをオン状態に設定する。このカウンタＳＮ４の値に（０）が設定された場合には図１３０のステップＳ６６５の予告演出処理が行われることで今回の装飾図柄遊技の映像で図７の（ｄ）の予告絵柄３が表示され、今回の装飾図柄遊技の映像で図７の（ｄ）の予告絵柄３が表示された後に装飾図柄がリーチの組合せとなる。
【０３９７】
ＣＰＵ７１はステップＳ１１８０へ移行すると、保留番号１のリーチ確定データ格納部１３６にリーチ確定データが記録されているか否かを判断する。ここで保留番号１のリーチ確定データ格納部１３６にリーチ確定データが記録されていないと判断した場合にはステップＳ１１８８へ移行し、保留番号１のリーチ確定データ格納部１３６にリーチ確定データが記録されていると判断した場合にはステップＳ１１８１でカウンタ格納部１２２からカウンタＳＲ４の値の更新結果を検出し、ステップＳ１１８２で保留番号１の大当り先読み結果格納部１３１に大当りの先読み結果が記録されているか否かを判断する。ここで保留番号１の大当り先読み結果格納部１３１に大当りの先読み結果が記録されていると判断した場合にはステップＳ１１８３でＲＯＭ７２から図３０の（ｃ）の予告判定テーブル１−１を検出し、保留番号１の大当り先読み結果格納部１３１に外れの先読み結果が記録されていると判断した場合にはステップＳ１１８４でＲＯＭ７２から図３０の（ｄ）の予告判定テーブル１−２を検出する。
【０３９８】
ＣＰＵ７１はステップＳ１１８３またはステップＳ１１８４で予告判定テーブルを検出すると、ステップＳ１１８５で予告判定テーブルの検出結果からカウンタＳＲ４の値の検出結果に応じた１つの判定結果を選択し、ステップＳ１１８６で判定結果が予告有りであるか否かを判断する。ここで判定結果が予告無しであると判断した場合にはステップＳ１１８８へ移行し、判定結果が予告有りであると判断した場合にはステップＳ１１８７へ移行する。ここでカウンタ格納部１２２のカウンタＳＮ４の値に（１）を設定し、ステップＳ１１９６でフラグ格納部１２４のステップアップ予告フラグをオン状態に設定する。このカウンタＳＮ４の値に（１）が設定された場合には図１３０のステップＳ６６５の予告演出処理が行われることで今回の装飾図柄遊技の映像で図７の（ｃ）の予告絵柄２が表示され、次回の装飾図柄遊技の映像で図７の（ｄ）の予告絵柄３が表示され、次回の装飾図柄遊技の映像で図７の（ｄ）の予告絵柄３が表示された後に装飾図柄がリーチの組合せとなる。
【０３９９】
ＣＰＵ７１はステップＳ１１８８へ移行すると、保留番号２のリーチ確定データ格納部１３６にリーチ確定データが記録されているか否かを判断する。ここで保留番号２のリーチ確定データ格納部１３６にリーチ確定データが記録されていないと判断した場合にはステップアップ予告処理を終え、保留番号２のリーチ確定データ格納部１３６にリーチ確定データが記録されていると判断した場合にはステップＳ１１８９でカウンタ格納部１２２からカウンタＳＲ４の値の更新結果を検出し、ステップＳ１１９０で保留番号２の大当り先読み結果格納部１３１に大当りの先読み結果が記録されているか否かを判断する。ここで保留番号２の大当り先読み結果格納部１３１に大当りの先読み結果が記録されていると判断した場合にはステップＳ１１９１でＲＯＭ７２から図３０の（ｅ）の予告判定テーブル２−１を検出し、保留番号２の大当り先読み結果格納部１３１に外れの先読み結果が記録されていると判断した場合にはステップＳ１１９２でＲＯＭ７２から図３０の（ｆ）の予告判定テーブル２−２を検出する。
【０４００】
ＣＰＵ７１はステップＳ１１９１またはステップＳ１１９２で予告判定テーブルを検出すると、ステップＳ１１９３で予告判定テーブルの検出結果からカウンタＳＲ４の値の検出結果に応じた１つの判定結果を選択し、ステップＳ１１９４で判定結果が予告有りであるか否かを判断する。ここで判定結果が予告無しであると判断した場合にはステップアップ予告処理を終え、判定結果が予告有りであると判断した場合にはステップＳ１１９５へ移行する。ここでカウンタ格納部１２２のカウンタＳＮ４の値に（２）を設定し、ステップＳ１１９６でフラグ格納部１２４のステップアップ予告フラグをオン状態に設定する。このカウンタＳＮ４の値に（２）が設定された場合には図１３０のステップＳ６６５の予告演出処理が行われることで今回の装飾図柄遊技の映像で図７の（ｂ）の予告絵柄１が表示され、次回の装飾図柄遊技の映像で図７の（ｃ）の予告絵柄２が表示され、次々回の装飾図柄遊技の映像で図７の（ｄ）の予告絵柄３が表示され、次々回の装飾図柄遊技の映像で図７の（ｄ）の予告絵柄３が表示された後に装飾図柄がリーチの組合せとなる。
【０４０１】
図１４１はステップＳ１１８６の先読みデータ処理であり、ＣＰＵ７１はステップＳ１１２１で保留番号０の大当り先読み結果格納部１３１から大当りであるか否かの先読み結果を消去し、保留番号０の外れリーチ先読みコマンド格納部１３２から外れリーチ先読みコマンドを消去し、保留番号０のリーチ先読み結果格納部１３３からリーチであるか否かの先読み結果を消去し、保留番号０の特図変動表示時間先読みコマンド格納部１３４から特図変動表示時間先読みコマンドを消去し、保留番号０の特図変動表示時間先読み結果格納部１３５から特図変動表示時間の先読み結果を消去し、保留番号０のリーチ確定データ格納部１３６にリーチ確定データが記録されている場合には保留番号０のリーチ確定データ格納部１３６からリーチ確定データを消去する。
【０４０２】
ＣＰＵ７１はステップＳ１１２１を終えると、ステップＳ１１２２でカウンタ格納部１２２のカウンタＳＮ２の値が（４）であるか否かを判断する。ここでカウンタ格納部１２２のカウンタＳＮ２の値が（４）でないと判断した場合にはステップＳ１１２７へ移行し、カウンタ格納部１２２のカウンタＳＮ２の値が（４）であると判断した場合にはステップＳ１１２３のシフト処理１０とステップＳ１１２４のシフト処理２１とステップＳ１１２５のシフト処理３２とステップＳ１１２６のシフト処理４３のそれぞれへ移行する。
【０４０３】
ステップＳ１１２３のシフト処理１０は保留番号１の大当り先読み結果格納部１３１の先読み結果を保留番号０の大当り先読み結果格納部１３１にシフトし、保留番号１の外れリーチ先読みコマンド格納部１３２の外れリーチ先読みコマンドを保留番号０の外れリーチ先読みコマンド格納部１３２にシフトし、保留番号１のリーチ先読み結果格納部１３３の先読み結果を保留番号０のリーチ先読み結果格納部１３３にシフトし、保留番号１の特図変動表示時間先読みコマンド格納部１３４の特図変動表示時間先読みコマンドを保留番号０の特図変動表示時間先読みコマンド格納部１３４にシフトし、保留番号１の特図変動表示時間先読み結果格納部１３５の先読み結果を保留番号０の特図変動表示時間先読み結果格納部１３５にシフトするものであり、保留番号１のリーチ確定データ格納部１３６にリーチ確定データが記録されている場合には保留番号１のリーチ確定データ格納部１３６のリーチ確定データが保留番号０のリーチ確定データ格納部１３６にシフトされる。
【０４０４】
ステップＳ１１２４のシフト処理２１は保留番号２の大当り先読み結果格納部１３１の先読み結果を保留番号１の大当り先読み結果格納部１３１にシフトし、保留番号２の外れリーチ先読みコマンド格納部１３２の外れリーチ先読みコマンドを保留番号１の外れリーチ先読みコマンド格納部１３２にシフトし、保留番号２のリーチ先読み結果格納部１３３の先読み結果を保留番号１のリーチ先読み結果格納部１３３にシフトし、保留番号２の特図変動表示時間先読みコマンド格納部１３４の特図変動表示時間先読みコマンドを保留番号１の特図変動表示時間先読みコマンド格納部１３４にシフトし、保留番号２の特図変動表示時間先読み結果格納部１３５の先読み結果を保留番号１の特図変動表示時間先読み結果格納部１３５にシフトするものであり、保留番号２のリーチ確定データ格納部１３６にリーチ確定データが記録されている場合には保留番号２のリーチ確定データ格納部１３６のリーチ確定データが保留番号１のリーチ確定データ格納部１３６にシフトされる。
【０４０５】
ステップＳ１１２５のシフト処理３２は保留番号３の大当り先読み結果格納部１３１の先読み結果を保留番号２の大当り先読み結果格納部１３１にシフトし、保留番号３の外れリーチ先読みコマンド格納部１３２の外れリーチ先読みコマンドを保留番号２の外れリーチ先読みコマンド格納部１３２にシフトし、保留番号３のリーチ先読み結果格納部１３３の先読み結果を保留番号２のリーチ先読み結果格納部１３３にシフトし、保留番号３の特図変動表示時間先読みコマンド格納部１３４の特図変動表示時間先読みコマンドを保留番号２の特図変動表示時間先読みコマンド格納部１３４にシフトし、保留番号３の特図変動表示時間先読み結果格納部１３５の先読み結果を保留番号２の特図変動表示時間先読み結果格納部１３５にシフトするものであり、保留番号３のリーチ確定データ格納部１３６にリーチ確定データが記録されている場合には保留番号３のリーチ確定データ格納部１３６のリーチ確定データが保留番号２のリーチ確定データ格納部１３６にシフトされる。
【０４０６】
ステップＳ１１２６のシフト処理４３は保留番号４の大当り先読み結果格納部１３１の先読み結果を保留番号３の大当り先読み結果格納部１３１にシフトし、保留番号４の外れリーチ先読みコマンド格納部１３２の外れリーチ先読みコマンドを保留番号３の外れリーチ先読みコマンド格納部１３２にシフトし、保留番号４のリーチ先読み結果格納部１３３の先読み結果を保留番号３のリーチ先読み結果格納部１３３にシフトし、保留番号４の特図変動表示時間先読みコマンド格納部１３４の特図変動表示時間先読みコマンドを保留番号３の特図変動表示時間先読みコマンド格納部１３４にシフトし、保留番号４の特図変動表示時間先読み結果格納部１３５の先読み結果を保留番号３の特図変動表示時間先読み結果格納部１３５にシフトするものであり、保留番号４のリーチ確定データ格納部１３６にリーチ確定データが記録されている場合には保留番号４のリーチ確定データ格納部１３６のリーチ確定データが保留番号３のリーチ確定データ格納部１３６にシフトされる。
【０４０７】
ＣＰＵ７１はステップＳ１１２７へ移行すると、カウンタ格納部１２２のカウンタＳＮ２の値が（３）であるか否かを判断する。ここでカウンタ格納部１２２のカウンタＳＮ２の値が（３）でないと判断した場合にはステップＳ１１３１へ移行し、カウンタ格納部１２２のカウンタＳＮ２の値が（３）であると判断した場合にはステップＳ１１２８のシフト処理１０でステップＳ１１２３と同一の処理を行い、ステップＳ１１２９のシフト処理２１でステップＳ１１２４と同一の処理を行い、ステップＳ１１３０のシフト処理３２でステップＳ１１２５と同一の処理を行う。
【０４０８】
ＣＰＵ７１はステップＳ１１３１へ移行すると、カウンタ格納部１２２のカウンタＳＮ２の値が（２）であるか否かを判断する。ここでカウンタ格納部１２２のカウンタＳＮ２の値が（２）でないと判断した場合にはステップＳ１１３４へ移行し、カウンタ格納部１２２のカウンタＳＮ２の値が（２）であると判断した場合にはステップＳ１１３２のシフト処理１０でステップＳ１１２３と同一の処理を行い、ステップＳ１１３３のシフト処理２１でステップＳ１１２４と同一の処理を行う。
【０４０９】
ＣＰＵ７１はステップＳ１１３４へ移行すると、カウンタ格納部１２２のカウンタＳＮ２の値が（１）であるか否かを判断する。ここでカウンタ格納部１２２のカウンタＳＮ２の値が（１）でないと判断した場合には先読みデータ処理を終え、カウンタ格納部１２２のカウンタＳＮ２の値が（１）であると判断した場合にはステップＳ１１３５のシフト処理１０でステップＳ１１２３と同一の処理を行う。
【０４１０】
上記実施例２によれば次の効果を奏する。
第２特図保留データ格納部１１８にカウンタＭＲ４の値が追加される毎に先読み結果確認処理１〜４のいずれかを行い、リーチ先読み結果格納部１３３の先読み結果がリーチであるか否かの新たな先読み結果に対して異なる場合にリーチ先読み結果格納部１２２の先読み結果を新たな先読み結果に変更した。このため、リーチ先読み結果格納部１３３の先読み結果が装飾図柄遊技が開始される時点での外れリーチであるか否かの判定結果に高い確率で整合するようになるので、遊技者の目線でステップアップ予告が発生したにも拘らず装飾図柄遊技の映像で装飾図柄がリーチの組合せとならない矛盾が発生する頻度が低く抑えられる。
【０４１１】
上記実施例２においては、メイン制御回路５０が保留番号０の第２特図保留データ格納部１１８のカウンタＭＲ４の値を図１７の外れリーチ判定テーブル２−０〜２−４のいずれかに応じて処理することで第２特図保留回数が多くなることに応じて外れリーチであると低い確率で判定しても良い。この構成の場合には演出制御回路７０のＲＯＭ７２に図１７の外れリーチ判定テーブル２−０〜２−４のそれぞれに応じた外れリーチ先読みテーブルを予め記録しておき、演出制御回路７０が外れリーチ先読みコマンドを外れリーチ先読みテーブルに応じて処理することでメイン制御回路５０と同一内容で外れリーチであるか否かを先読みするすると良い。
【実施例３】
【０４１２】
打球槌９の駆動状態では遊技球が一定の時間間隔で遊技盤１８の遊技領域２３内に発射され、遊技球が今回に第１特別図柄始動口２８内に入賞してから次回に入賞するまでの入賞待ち期間が発生する。この入賞待ち期間内には遊技球が第１特別図柄始動口２８内に入賞不能となり、装飾図柄遊技の開始タイミングが入賞待ち期間内にある場合にはリーチであるか否かの先読み結果が確定する。実施例３は遊技球が第１特別図柄始動口２８内に入賞した場合に先読みを行うことを前提に装飾図柄遊技の開始タイミングが入賞待ち期間内にある場合にリーチの先読み結果を確定させるものであり、実施例３を実施例１をベースに説明する。
【０４１３】
図１４２はメイン制御回路５０から演出制御回路７０に送信される制御コマンドの一覧であり、制御コマンドには特図変動開始コマンド〜電チューサポート停止コマンドに加えて特図変動表示時間先読みコマンドが設定されている。この特図変動表示時間先読みコマンドは遊技球が第１特別図柄始動口２８内に入賞した場合にカウンタＭＲ５の値の検出結果を演出制御回路７０に通知するものであり、カウンタＭＲ５の値に応じて設定される（図９４参照）。
【０４１４】
図１４３の第１特図データ取得処理はメイン制御回路５０のＣＰＵ５１が図４８の第１特図データ取得処理に換えて行うものであり、ＣＰＵ５１はステップＳ５６で演出制御回路７０に外れリーチ先読みコマンドを送信した場合にはステップＳ１２０１でカウンタＭＲ５の値の検出結果に応じて特図変動表示時間先読みコマンドを設定し、ステップＳ１２０２で演出制御回路７０に特図変動表示時間先読みコマンドの設定結果を送信する。この演出制御回路７０は特図変動表示時間先読みコマンドを受信した場合には外部割込み処理を起動し、外部割込み処理で特図変動表示時間先読みコマンドを受信コマンドバッファに記録する。この演出制御回路７０は図６５のステップＳ４１１のコマンド処理で受信コマンドバッファに特図変動表示時間先読みコマンドが記録されているか否かを判断し、受信コマンドバッファに特図変動表示時間先読みコマンドが記録されていると判断した場合には特図変動表示時間先読みコマンドを受信コマンドバッファからコマンド格納部１２１にシフトする。
【０４１５】
図１４４の（ｅ）は演出制御回路７０のＲＡＭ７３に設定された特図変動表示時間先読みコマンド格納部１４１である。この特図変動表示時間先読みコマンド格納部１４１には保留番号０と保留番号１と保留番号２と保留番号３と保留番号４の５つの領域が設定されており、遊技球が第１特別図柄始動口２８内に入賞することでメイン制御回路５０から特図変動表示時間先読みコマンドが送信された場合には特図変動表示時間先読みコマンドの送信結果が保留番号０〜保留番号４のいずれか１つの特図変動表示時間コマンド格納部１４１に記録される。
【０４１６】
図１４４の（ｆ）は演出制御回路７０のＲＡＭ７３に設定された特図変動表示時間先読み結果格納部１４２である。この特図変動表示時間先読み結果格納部１４２には保留番号０と保留番号１と保留番号２と保留番号３と保留番号４の５つの領域が設定されており、遊技球が第１特別図柄始動口２８内に入賞することでメイン制御回路５０から特図変動表示時間先読みコマンドが送信された場合には特図変動表示時間先読みコマンドの送信結果に応じて特図変動表示時間が先読みされ、特図変動表示時間の先読み結果が保留番号０〜保留番号４のいずれか１つの変動表示時間先読み結果格納部１４２に記録される。この演出制御回路７０のＲＯＭ７２には図１１３の（ａ）の特図変動表示時間先読みコマンドテーブル１と図１１３の（ｂ）の特図変動表示時間先読みコマンドテーブル２と図１１３の（ｃ）の特図変動表示時間先読みコマンドテーブル３が予め記録されており、特図変動表示時間は特図変動表示時間先読みコマンドテーブル１〜特図変動表示時間先読みコマンドテーブル３のいずれかから先読みされる。
【０４１７】
図１４４の（ｇ）は演出制御回路７０のＲＡＭ７３に設定されたリーチ確定データ格納部１４３である。このリーチ確定データ格納部１４３には保留番号０の１つの領域が設定されており、保留番号０の外れリーチ先読みコマンド格納部１２７の外れリーチ先読みコマンドに応じて外れリーチであると判定されることが確定した場合にはリーチ確定データ格納部１４３にリーチ確定データが記録される。
【０４１８】
図１４５の先読み処理は演出制御回路７０のＣＰＵ７１が図６９の先読み処理に換えて行うものであり、ＣＰＵ７１はステップＳ４８１の外れリーチ先読み処理を終えた場合にはステップＳ１２１１の特図変動表示時間先読み処理へ移行する。図１４６はステップＳ１２１１の特図変動表示時間先読み処理であり、ＣＰＵ７１はステップＳ１２２１でカウンタＳＮ１の値の検出結果に応じた大当り先読み結果格納部１２６から大当りであるか否かの先読み結果を検出し、ステップＳ１２２２で先読み結果の検出結果が大当りであるか否かを判断する。ここで先読み結果の検出結果が外れであると判断した場合にはステップＳ１２２４へ移行し、先読み結果の検出結果が大当りであると判断した場合にはステップＳ１２２３でＲＯＭ７２から図１１３の（ａ）の特図変動表示時間先読みコマンドテーブル１を検出する。
【０４１９】
ＣＰＵ７１はステップＳ１２２４へ移行すると、カウンタＳＮ１の値の検出結果に応じたリーチ先読み結果格納部１２８からリーチであるか否かの先読み結果を検出する。そして、ステップＳ１２２５で先読み結果の検出結果がリーチであるか否かを判断し、先読み結果の検出結果がリーチであると判断した場合にはステップＳ１２２６でＲＯＭ７２から図１１３の（ｂ）の特図変動表示時間先読みコマンドテーブル２を検出し、先読み結果の検出結果が非リーチであると判断した場合にはステップＳ１２２７でＲＯＭ７２から図１１３の（ｃ）の特図変動表示時間先読みコマンドテーブル３を検出する。
【０４２０】
ＣＰＵ７１は特図変動表示時間先読みコマンドテーブル１または特図変動表示時間先読みコマンドテーブル２または特図変動表示時間先読みコマンドテーブル３を検出すると、ステップＳ１２２８で特図変動表示時間先読みコマンドテーブルの検出結果からコマンド格納部１２１の特図変動表示時間先読みコマンドに応じた１つの先読み結果を検出し、ステップＳ１２２９でカウンタＳＮ１の値の検出結果に応じた特図変動表示時間先読み結果格納部１４２に特図変動表示時間の先読み結果を記録する。この先読み結果はカウンタＳＮ１の値の検出結果が（０）である場合に保留番号０の特図変動表示時間先読み結果格納部１４２に記録され、カウンタＳＮ１の値の検出結果が（１）である場合に保留番号１の特図変動表示時間先読み結果格納部１４２に記録されるものであり、カウンタＳＮ１の値の検出結果が（２）である場合には保留番号２の特図変動表示時間先読み結果格納部１４２に記録され、カウンタＳＮ１の値の検出結果が（３）である場合には保留番号３の特図変動表示時間先読み結果格納部１４２に記録され、カウンタＳＮ１の値の検出結果が（４）である場合には保留番号４の特図変動表示時間先読み結果格納部１４２に記録される。
【０４２１】
ＣＰＵ７１はステップＳ１２２９で特図変動表示時間の先読み結果を特図変動表示時間先読み結果格納部１４２に記録すると、ステップＳ１２３０でコマンド格納部１２１の特図変動表示時間先読みコマンドをカウンタＳＮ１の値の検出結果に応じた特図変動表示時間先読みコマンド格納部１４１にシフトする。このコマンド格納部１２１の特図変動表示時間先読みコマンドはカウンタＳＮ１の値の検出結果が（０）である場合に保留番号０の特図変動表示時間先読みコマンド格納部１４１にシフトされ、カウンタＳＮ１の値の検出結果が（１）である場合に保留番号１の特図変動表示時間先読みコマンド格納部１４１にシフトされるものであり、カウンタＳＮ１の値の検出結果が（２）である場合には保留番号２の特図変動表示時間先読みコマンド格納部１４１にシフトされ、カウンタＳＮ１の値の検出結果が（３）である場合には保留番号３の特図変動表示時間先読みコマンド格納部１４１にシフトされ、カウンタＳＮ１の値の検出結果が（４）である場合には保留番号４の特図変動表示時間先読みコマンド格納部１４１にシフトされる。
【０４２２】
ＣＰＵ７１は図１４５のステップＳ１２１１の特図変動表示時間先読み処理を終えると、ステップＳ１２１２でカウンタ格納部１２２のカウンタＳＮ１の値が（１）であるか否かを判断する。ここでカウンタ格納部１２２のカウンタＳＮ１の値が（１）であると判断した場合にはステップＳ１２１３の先読み結果確認処理１へ移行し、カウンタ格納部１２２のカウンタＳＮ１の値が（１）でないと判断した場合にはステップＳ１２１４でカウンタ格納部１２２のカウンタＳＮ１の値が（２）であるか否かを判断する。
【０４２３】
ＣＰＵ７１はステップＳ１２１４でカウンタ格納部１２２のカウンタＳＮ１の値が（２）であると判断した場合にはステップＳ１２１５の先読み結果確認処理２へ移行し、カウンタ格納部１２２のカウンタＳＮ１の値が（２）でないと判断した場合にはステップＳ１２１６でカウンタ格納部１２２のカウンタＳＮ１の値が（３）であるか否かを判断する。ここでカウンタ格納部１２２のカウンタＳＮ１の値が（３）であると判断した場合にはステップＳ１２１７の先読み結果確認処理３へ移行し、カウンタ格納部１２２のカウンタＳＮ１の値が（３）でないと判断した場合にはステップＳ１２１８でカウンタ格納部１２２のカウンタＳＮ１の値が（４）であるか否かを判断する。ここでカウンタ格納部１２２のカウンタＳＮ１の値が（４）であると判断した場合にはステップＳ１２１９の先読み結果確認処理４へ移行し、カウンタ格納部１２２のカウンタＳＮ１の値が（０）であると判断した場合には先読み処理を終える。
【０４２４】
図１４７はステップＳ１２１３の先読み結果確認処理１であり、ＣＰＵ７１はステップＳ５０５またはステップＳ５０６で保留番号０のリーチ先読み結果格納部１２８を再設定した場合にはステップＳ１２４１の特図変動表示時間確認処理０へ移行する。図１４８はステップＳ１２４１の特図変動表示時間確認処理０であり、ＣＰＵ７１はステップＳ１２５１で保留番号０のリーチ先読み結果格納部１２８の先読み結果がリーチであるか否かを判断する。ここで保留番号０のリーチ先読み結果格納部１２８の先読み結果がリーチであると判断した場合にはステップＳ１２５２でＲＯＭ７２から図１１３の（ｂ）の特図変動表示時間先読みコマンドテーブル２を検出し、保留番号０のリーチ先読み結果格納部１２８の先読み結果が非リーチであると判断した場合にはステップＳ１２５３でＲＯＭ７２から図１１３の（ｃ）の特図変動表示時間先読みコマンドテーブル３を検出する。
【０４２５】
ＣＰＵ７１はステップＳ１２５２またはステップＳ１２５３で特図変動表示時間先読みコマンドテーブルを検出すると、ステップＳ１２５４で保留番号０の特図変動表示時間先読みコマンド格納部１４１から特図変動表示時間先読みコマンドを検出する。そして、ステップＳ１２５５で特図変動表示時間先読みコマンドテーブルの検出結果から特図変動表示時間先読みコマンドの検出結果に応じた１つの先読み結果を選択し、ステップＳ１２５６で保留番号０の特図変動表示時間先読み結果格納部１４２に先読み結果の選択結果を上書きする。
【０４２６】
図１４９はステップＳ１２１５の先読み結果確認処理２であり、ＣＰＵ７１はステップＳ５１５またはステップＳ５１６で保留番号１のリーチ先読み結果格納部１２８を再設定した場合にはステップＳ１２６１の特図変動表示時間確認処理１へ移行し、ステップＳ５２２またはステップＳ５２３で保留番号０のリーチ先読み結果格納部１２８を再設定した場合にはステップＳ１２６２の特図変動表示時間確認処理０でステップＳ１２４１の特図変動表示時間確認処理０と同一の処理を行う。
【０４２７】
図１５０はステップＳ１２６１の特図変動表示時間確認処理１であり、ＣＰＵ７１はステップＳ１２７１で保留番号１のリーチ先読み結果格納部１２８の先読み結果がリーチであるか否かを判断する。ここで保留番号１のリーチ先読み結果格納部１２８の先読み結果がリーチであると判断した場合にはステップＳ１２７２でＲＯＭ７２から図１１３の（ｂ）の特図変動表示時間先読みコマンドテーブル２を検出し、保留番号１のリーチ先読み結果格納部１２８の先読み結果が非リーチであると判断した場合にはステップＳ１２７３でＲＯＭ７２から図１１３の（ｃ）の特図変動表示時間先読みコマンドテーブル３を検出する。
【０４２８】
ＣＰＵ７１はステップＳ１２７２またはステップＳ１２７３で特図変動表示時間先読みコマンドテーブルを検出すると、ステップＳ１２７４で保留番号１の特図変動表示時間先読みコマンド格納部１４１から特図変動表示時間先読みコマンドを検出する。そして、ステップＳ１２７５で特図変動表示時間先読みコマンドテーブルの検出結果から特図変動表示時間先読みコマンドの検出結果に応じた１つの先読み結果を選択し、ステップＳ１２７６で保留番号１の特図変動表示時間先読み結果格納部１４２に先読み結果の選択結果を上書きする。
【０４２９】
図１５１はステップＳ１２１７の先読み結果確認処理３であり、ＣＰＵ７１はステップＳ５３５またはステップＳ５３６で保留番号２のリーチ先読み結果格納部１２８を再設定した場合にはステップＳ１２８１の特図変動表示時間確認処理２へ移行し、ステップＳ５４２またはステップＳ５４３で保留番号１のリーチ先読み結果格納部１２８を再設定した場合にはステップＳ１２８２の特図変動表示時間確認処理１でステップＳ１２６１の特図変動表示時間確認処理１と同一の処理を行い、ステップＳ５４９またはステップＳ５５０で保留番号０のリーチ先読み結果格納部１２８を再設定した場合にはステップＳ１２８３の特図変動表示時間確認処理０でステップＳ１２４１の特図変動表示時間確認処理０と同一の処理を行う。
【０４３０】
図１５２はステップＳ１２８１の特図変動表示時間確認処理２であり、ＣＰＵ７１はステップＳ１２９１で保留番号２のリーチ先読み結果格納部１２８の先読み結果がリーチであるか否かを判断する。ここで保留番号２のリーチ先読み結果格納部１２８の先読み結果がリーチであると判断した場合にはステップＳ１２９２でＲＯＭ７２から図１１３の（ｂ）の特図変動表示時間先読みコマンドテーブル２を検出し、保留番号２のリーチ先読み結果格納部１２８の先読み結果が非リーチであると判断した場合にはステップＳ１２９３でＲＯＭ７２から図１１３の（ｃ）の特図変動表示時間先読みコマンドテーブル３を検出する。
【０４３１】
ＣＰＵ７１はステップＳ１２９２またはステップＳ１２９３で特図変動表示時間先読みコマンドテーブルを検出すると、ステップＳ１２９４で保留番号２の特図変動表示時間先読みコマンド格納部１４１から特図変動表示時間先読みコマンドを検出する。そして、ステップＳ１２９５で特図変動表示時間先読みコマンドテーブルの検出結果から特図変動表示時間先読みコマンドの検出結果に応じた１つの先読み結果を選択し、ステップＳ１２９６で保留番号２の特図変動表示時間先読み結果格納部１４２に先読み結果の選択結果を上書きする。
【０４３２】
図１５３および図１５４はステップＳ１２１９の先読み結果確認処理４であり、ＣＰＵ７１はステップＳ５５６またはステップＳ５５７で保留番号３のリーチ先読み結果格納部１２８を再設定した場合にはステップＳ１３０１の特図変動表示時間確認処理３へ移行し、ステップＳ５６３またはステップＳ５６４で保留番号２のリーチ先読み結果格納部１２８を再設定した場合にはステップＳ１３０２の特図変動表示時間確認処理２でステップＳ１２８１の特図変動表示時間確認処理２と同一の処理を行い、ステップＳ５７０またはステップＳ５７１で保留番号１のリーチ先読み結果格納部１２８を再設定した場合にはステップＳ１３０３の特図変動表示時間確認処理１でステップＳ１２６１の特図変動表示時間確認処理１と同一の処理を行い、ステップＳ５７７またはステップＳ５７８で保留番号０のリーチ先読み結果格納部１２８を再設定した場合にはステップＳ１３０４の特図変動表示時間確認処理０でステップＳ１２４１の特図変動表示時間確認処理０と同一の処理を行う。
【０４３３】
図１５５はステップＳ１３０１の特図変動表示時間確認処理３であり、ＣＰＵ７１はステップＳ１３１１で保留番号３のリーチ先読み結果格納部１２８の先読み結果がリーチであるか否かを判断する。ここで保留番号３のリーチ先読み結果格納部１２８の先読み結果がリーチであると判断した場合にはステップＳ１３１２でＲＯＭ７２から図１１３の（ｂ）の特図変動表示時間先読みコマンドテーブル２を検出し、保留番号３のリーチ先読み結果格納部１２８の先読み結果が非リーチであると判断した場合にはステップＳ１３１３でＲＯＭ７２から図１１３の（ｃ）の特図変動表示時間先読みコマンドテーブル３を検出する。
【０４３４】
ＣＰＵ７１はステップＳ１３１２またはステップＳ１３１３で特図変動表示時間先読みコマンドテーブルを検出すると、ステップＳ１３１４で保留番号３の特図変動表示時間先読みコマンド格納部１４１から特図変動表示時間先読みコマンドを検出する。そして、ステップＳ１３１５で特図変動表示時間先読みコマンドテーブルの検出結果から特図変動表示時間先読みコマンドの検出結果に応じた１つの先読み結果を選択し、ステップＳ１３１６で保留番号３の特図変動表示時間先読み結果格納部１４２に先読み結果の選択結果を上書きする。
【０４３５】
図１５６の装飾図柄遊技処理は演出制御回路７０のＣＰＵ７１が図８１の装飾図柄遊技処理に換えて行うものであり、ＣＰＵ７１はステップＳ６５３でコマンド格納部１２１に第１特図遊技コマンドが記録されていると判断した場合にはステップＳ１３２１でフラグ格納部１２４の予告済フラグをオフ状態に設定する。この予告済フラグはステップＳ４０２でオフ状態に初期設定されるものであり、ＣＰＵ７１はステップＳ１３２１でフラグ格納部１２４の予告済フラグをオフ状態に設定した場合にはステップＳ１３２２の先読みデータ処理へ移行する。
【０４３６】
図１５７はステップＳ１３２２の先読みデータ処理であり、ＣＰＵ７１はステップＳ１３３１で保留番号０の特図変動表示時間先読み結果格納部１４２から特図変動表示時間の先読み結果を検出し、ステップＳ１３３２でタイマ格納部１２３のタイマＳＴ３の値に特図変動表示時間の先読み結果の検出結果を設定する。そして、ステップＳ１３３３で保留番号０の大当り先読み結果格納部１２６から大当りであるか否かの先読み結果を消去し、保留番号０の外れリーチ先読みコマンド格納部１２７から外れリーチ先読みコマンドを消去し、保留番号０のリーチ先読み結果格納部１２８からリーチであるか否かの先読み結果を消去し、保留番号０の特図変動表示時間先読みコマンド格納部１４１から特図変動表示時間先読みコマンドを消去し、保留番号０の特図変動表示時間先読み結果格納部１４２から特図変動表示時間の先読み結果を消去し、リーチ確定データ格納部１４３にリーチ確定データが記録されている場合にはリーチ確定データ格納部１４３からリーチ確定データを消去する。
【０４３７】
ＣＰＵ７１はステップＳ１３３３を終えると、ステップＳ１３３４でカウンタ格納部１２２のカウンタＳＮ１の値が（４）であるか否かを判断する。ここでカウンタ格納部１２２のカウンタＳＮ１の値が（４）でないと判断した場合にはステップＳ１３３９へ移行し、カウンタ格納部１２２のカウンタＳＮ１の値が（４）であると判断した場合にはステップＳ１３３５のシフト処理１０とステップＳ１３３６のシフト処理２１とステップＳ１３３７のシフト処理３２とステップＳ１３３８のシフト処理４３のそれぞれへ移行する。
【０４３８】
ステップＳ１３３５のシフト処理１０は保留番号１の大当り先読み結果格納部１２６の先読み結果を保留番号０の大当り先読み結果格納部１２６にシフトし、保留番号１の外れリーチ先読みコマンド格納部１２７の外れリーチ先読みコマンドを保留番号０の外れリーチ先読みコマンド格納部１２７にシフトし、保留番号１のリーチ先読み結果格納部１２８の先読み結果を保留番号０のリーチ先読み結果格納部１２８にシフトし、保留番号１の特図変動表示時間先読みコマンド格納部１４１の特図変動表示時間先読みコマンドを保留番号０の特図変動表示時間先読みコマンド格納部１４１にシフトし、保留番号１の特図変動表示時間先読み結果格納部１４２の先読み結果を保留番号０の特図変動表示時間先読み結果格納部１４２にシフトするものである。
【０４３９】
ステップＳ１３３６のシフト処理２１は保留番号２の大当り先読み結果格納部１２６の先読み結果を保留番号１の大当り先読み結果格納部１２６にシフトし、保留番号２の外れリーチ先読みコマンド格納部１２７の外れリーチ先読みコマンドを保留番号１の外れリーチ先読みコマンド格納部１２７にシフトし、保留番号２のリーチ先読み結果格納部１２８の先読み結果を保留番号１のリーチ先読み結果格納部１２８にシフトし、保留番号２の特図変動表示時間先読みコマンド格納部１４１の特図変動表示時間先読みコマンドを保留番号１の特図変動表示時間先読みコマンド格納部１４１にシフトし、保留番号２の特図変動表示時間先読み結果格納部１４２の先読み結果を保留番号１の特図変動表示時間先読み結果格納部１４２にシフトするものである。
【０４４０】
ステップＳ１３３７のシフト処理３２は保留番号３の大当り先読み結果格納部１２６の先読み結果を保留番号２の大当り先読み結果格納部１２６にシフトし、保留番号３の外れリーチ先読みコマンド格納部１２７の外れリーチ先読みコマンドを保留番号２の外れリーチ先読みコマンド格納部１２７にシフトし、保留番号３のリーチ先読み結果格納部１２８の先読み結果を保留番号２のリーチ先読み結果格納部１２８にシフトし、保留番号３の特図変動表示時間先読みコマンド格納部１４１の特図変動表示時間先読みコマンドを保留番号２の特図変動表示時間先読みコマンド格納部１４１にシフトし、保留番号３の特図変動表示時間先読み結果格納部１４２の先読み結果を保留番号２の特図変動表示時間先読み結果格納部１４２にシフトするものである。
【０４４１】
ステップＳ１３３８のシフト処理４３は保留番号４の大当り先読み結果格納部１２６の先読み結果を保留番号３の大当り先読み結果格納部１２６にシフトし、保留番号４の外れリーチ先読みコマンド格納部１２７の外れリーチ先読みコマンドを保留番号３の外れリーチ先読みコマンド格納部１２７にシフトし、保留番号４のリーチ先読み結果格納部１２８の先読み結果を保留番号３のリーチ先読み結果格納部１２８にシフトし、保留番号４の特図変動表示時間先読みコマンド格納部１４１の特図変動表示時間先読みコマンドを保留番号３の特図変動表示時間先読みコマンド格納部１４１にシフトし、保留番号４の特図変動表示時間先読み結果格納部１４２の先読み結果を保留番号３の特図変動表示時間先読み結果格納部１４２にシフトするものである。
【０４４２】
ＣＰＵ７１はステップＳ１３３９へ移行すると、カウンタ格納部１２２のカウンタＳＮ１の値が（３）であるか否かを判断する。ここでカウンタ格納部１２２のカウンタＳＮ１の値が（３）でないと判断した場合にはステップＳ１３４３へ移行し、カウンタ格納部１２２のカウンタＳＮ１の値が（３）であると判断した場合にはステップＳ１３４０のシフト処理１０でステップＳ１３３５のシフト処理１０と同一の処理を行い、ステップＳ１３４１のシフト処理２１でステップＳ１３３６のシフト処理２１と同一の処理を行い、ステップＳ１３４２のシフト処理３２でステップＳ１３３７のシフト処理３２と同一の処理を行う。
【０４４３】
ＣＰＵ７１はステップＳ１３４３へ移行すると、カウンタ格納部１２２のカウンタＳＮ１の値が（２）であるか否かを判断する。ここでカウンタ格納部１２２のカウンタＳＮ１の値が（２）でないと判断した場合にはステップＳ１３４６へ移行し、カウンタ格納部１２２のカウンタＳＮ１の値が（２）であると判断した場合にはステップＳ１３４４のシフト処理１０でステップＳ１３３５のシフト処理１０と同一の処理を行い、ステップＳ１３４５のシフト処理２１でステップＳ１３３６のシフト処理２１と同一の処理を行う。
【０４４４】
ＣＰＵ７１はステップＳ１３４６へ移行すると、カウンタ格納部１２２のカウンタＳＮ１の値が（１）であるか否かを判断する。ここでカウンタ格納部１２２のカウンタＳＮ１の値が（１）でないと判断した場合には先読みデータ処理を終え、カウンタ格納部１２２のカウンタＳＮ１の値が（１）であると判断した場合にはステップＳ１３４７のシフト処理１０でステップＳ１３３５のシフト処理１０と同一の処理を行う。
【０４４５】
ＣＰＵ７１は図１５６のステップＳ６６２でフラグ格納部１２４の装飾図柄遊技フラグがオン状態に設定されていると判断すると、ステップＳ６６３およびステップＳ６６４を経てステップＳ１３２３でフラグ格納部１２４の予告禁止フラグがオフ状態に設定されているか否かを判断する。例えば電チューサポートモードのオフ状態ではステップＳ１３２３でフラグ格納部１２４の予告禁止フラグがオフ状態に設定されていると判断し、ステップＳ１３２４でコマンド格納部１２１に第１特図遊技コマンドが記録されているか否かを判断する。
【０４４６】
ＣＰＵ７１はステップＳ１３２４でコマンド格納部１２１に第１特図遊技コマンドが記録されていると判断すると、ステップＳ１３２５でフラグ格納部１２４の予告済フラグがオフ状態に設定されているか否かを判断する。ここでフラグ格納部１２４の予告済フラグがオフ状態に設定されていると判断した場合にはステップＳ１３２６のリーチ確定処理へ移行し、ステップＳ１３２６のリーチ確定処理を終えた場合にはステップＳ１３２７の予告演出処理へ移行する。
【０４４７】
ＣＰＵ７１はステップＳ６６６でコマンド格納部１２１に特図変動停止コマンドが記録されていると判断すると、ステップＳ６６７〜Ｓ６６９を経てステップＳ１３２８へ移行する。ここでコマンド格納部１２１に第１特図遊技コマンドが記録されているか否かを判断し、コマンド格納部１２１に第１特図遊技コマンドが記録されていると判断した場合にはステップＳ１３２９でコマンド格納部１２１から第１特図遊技コマンドを消去する。
【０４４８】
図１５８はステップＳ１３２６のリーチ確定処理であり、ＣＰＵ７１はステップＳ１３５１でタイマ格納部１２３のタイマＳＴ３の値から一定値（１０ｍｓｅｃ）を減算することで今回の特別図柄遊技の残り時間（＝装飾図柄遊技の残り時間）を更新する。そして、ステップＳ１３５２でタイマ格納部１２３からタイマＳＴ３の値の減算結果を検出し、ステップＳ１３５３でタイマＳＴ３の値の検出結果にＲＯＭ７２に予め記録されたインターバル時間ＩＮＴ（１×１０００ｍｓｅｃ）を加算する。このインターバル時間は今回の特別図柄遊技が停止してから次回の特別図柄遊技が始まるまでの特図インターバル時間（図５７参照）と同一値に設定されたものであり、ＣＰＵ７１はステップＳ１３５３でタイマＳＴ３の値の検出結果にインターバル時間を加算した場合にはステップＳ１３５４でステップＳ１３５３の加算結果がＲＯＭ７２に予め記録された入賞待ち時間（２×１０００ｍｓｅｃ）に比べて小さいか否かを判断する。
【０４４９】
打球槌９は発射ハンドル１１の時計回り方向への操作量の多少に拘らず遊技球を一定の時間的な間隔で発射するものであり、遊技球は遊技盤１８の障害釘２４に衝突しながら転動することで第１特別図柄始動口２８内に予め決められた複数の経路のいずれかで入賞する。この遊技球が第１特別図柄始動口２８内に入賞する時間的な間隔は経路の長短に応じて決まるものであり、入賞待ち時間は遊技球の第１特別図柄始動口２８に対する今回の入賞から次回の入賞までの最短値（２×１０００ｍｓｅｃ）に設定されている。
【０４５０】
ＣＰＵ７１はステップＳ１３５４でステップＳ１３５３の加算結果が入賞待ち時間に比べて小さいと判断すると、ステップＳ１３５５で保留番号０の大当り先読み結果格納部１２６の先読み結果が外れであるか否かを判断する。ここで保留番号０の大当り先読み結果格納部１２６の先読み結果が大当りであると判断した場合にはステップＳ１３５７でリーチ確定データ格納部１４３にリーチ確定データを記録し、保留番号０の大当り先読み結果格納部１２６の先読み結果が外れであると判断した場合にはステップＳ１３５６へ移行する。
【０４５１】
ＣＰＵ７１はステップＳ１３６へ移行すると、保留番号０のリーチ先読み結果格納部１２８の先読み結果がリーチであるか否かを判断する。ここで保留番号０のリーチ先読み結果格納部１２８の先読み結果がリーチであると判断した場合にはステップＳ１３５７へ移行し、リーチ確定データ格納部１４３にリーチ確定データを記録する。
【０４５２】
図１５９はリーチ確定データ格納部１４３にリーチ確定データが記録される時間的なタイミングであり、今回の装飾図柄遊技の残り時間ＳＴ３にインターバル時間ＩＮＴを加算した加算結果は保留番号０の第１特図保留データ格納部１１７のデータに応じて特別図柄遊技および装飾図柄遊技のそれぞれが開始されるまでの残り時間に相当する。この残り時間が入賞待ち時間に比べて小さくない状態（ａ参照）では第１特別図柄始動口２８内に遊技球が入賞することで第１特図保留データ格納部１１７にカウンタＭＲ１〜ＭＲ５のそれぞれの値が追加される可能性がある。従って、保留番号０の第１特図保留データ格納部１１７のカウンタＭＲ４の値に応じて外れリーチであると判定されるか否かが確定しないので、リーチ確定データ記録部１４３にリーチ確定データが記録されない。この残り時間が入賞待ち時間に比べて小さい状態（ｂ参照）では第１特別図柄始動口２８内に遊技球が入賞することで第１特図保留データ格納部１１７にカウンタＭＲ１〜ＭＲ５のそれぞれの値が追加される可能性がない。従って、保留番号０の第１特図保留データ格納部１１７のカウンタＭＲ４の値に応じて外れリーチであると判定されるか否かが確定するので、リーチ確定データ記録部１４３にリーチ確定データが記録される。
【０４５３】
図１６０はステップＳ１３２７の予告演出処理であり、ＣＰＵ７１はステップＳ１３６１でリーチ確定データ格納部１４３にリーチ確定データが記録されているか否かを判断する。ここでリーチ確定データ格納部１４３にリーチ確定データが記録されていると判断した場合にはステップＳ１３６２でカウンタ格納部１２２からカウンタＳＲ４の値の更新結果を検出し、ステップＳ１３６３で保留番号０の大当り先読み結果格納部１２６に大当りの先読み結果が記録されているか否かを判断する。ここで保留番号０の大当り先読み結果格納部１２６に大当りの先読み結果が記録されていると判断した場合にはステップＳ１３６４でＲＯＭ７２から図３０の（ａ）の予告判定テーブル０−１を検出し、保留番号０の大当り先読み結果格納部１２６に外れの先読み結果が記録されていると判断した場合にはステップＳ１３６５でＲＯＭ７２から図３０の（ｂ）の予告判定テーブル０−２を検出する。
【０４５４】
ＣＰＵ７１はステップＳ１３６４またはステップＳ１３６５で予告判定テーブルを検出すると、ステップＳ１３６６で予告判定テーブルの検出結果からカウンタＳＲ４の値の検出結果に応じた１つの判定結果を選択し、ステップＳ１３６７で判定結果が予告有りであるか否かを判断する。ここで判定結果が予告無しであると判断した場合にはステップＳ１３６９でフラグ格納部１２４の予告済フラグをオン状態に設定し、判定結果が予告有りであると判断した場合にはステップＳ１３６８へ移行する。ここで音制御回路９０に予告音コマンドを送信し、ステップＳ１３６９でフラグ格納部１２４の予告済フラグをオン状態に設定する。この音制御回路９０は予告音コマンドを受信した場合には予告音コマンドに応じた音データを設定する。そして、両スピーカ１５のそれぞれを音データの設定結果に応じて制御することで両スピーカ１５のそれぞれから予告音を報知し、遊技者に次回の装飾図柄遊技の映像で装飾図柄がリーチの組合せとなることを予告する。
【０４５５】
上記実施例３によれば次の効果を奏する。
第１特図保留データ格納部１１７にカウンタＭＲ４の値が追加される毎に先読み結果確認処理１〜４のいずれかを行い、リーチ先読み結果格納部１２８の先読み結果がリーチであるか否かの新たな先読み結果に対して異なる場合にリーチ先読み結果格納部１２８の先読み結果を新たな先読み結果に変更した。このため、リーチ先読み結果格納部１２８の先読み結果が装飾図柄遊技が開始される時点での外れリーチであるか否かの判定結果に高い確率で整合するようになるので、遊技者の目線で予告音が出力されたにも拘らず次回の装飾図柄遊技の映像で装飾図柄がリーチの組合せとならない矛盾が発生する頻度が低く抑えられる。
【実施例４】
【０４５６】
遊技球が発射されていない遊技停止状態から遊技球が発射されている遊技状態に変化した場合には遊技球が最初に発射されてから第１特別図柄始動口センサ２９の検出領域内に到達するまでの始動口到達期間が発生する。この始動口到達期間内には遊技球が第１特別図柄始動口センサ２９の検出領域内に進入不能となり、装飾図柄遊技の開始タイミングが始動口到達期間内にある場合にはリーチであるか否かの先読み結果が確定する。実施例４は遊技球が第１特別図柄始動口２８内に入賞した場合に先読みを行うことを前提に装飾図柄遊技の開始タイミングが始動口到達期間内にある場合にリーチの先読み結果を確定させるものであり、実施例４を実施例３をベースに説明する。
【０４５７】
図１６１の発射状態検出処理は演出制御回路７０のＣＰＵ７１が一定時間（１０ｍｓｅｃ）の経過毎に図６５のタイマ割込み処理で行うものであり、ＣＰＵ７１はステップＳ１４０１で発射センサから発射信号が出力されているか否かを判断する。この発射センサは発射通路２２の入口に検出領域を有する光センサからなるものである。この発射センサは遊技球が発射通路２２の入口に進入する場合に遊技球を発射通路２２の入口で検出して発射信号を出力するものであり、遊技状態では発射センサから発射信号が出力され、遊技停止状態では発射センサから発射信号が出力されない。
【０４５８】
ＣＰＵ７１は遊技停止状態ではステップＳ１４０１で発射センサから発射信号が出力されていないと判断し、ステップＳ１４０２でフラグ格納部１２４の発射フラグがオン状態に設定されているか否かを判断する。このフラグ格納部１２４の発射フラグはステップＳ４０２でオフ状態に初期設定されるものであり、ＣＰＵ７１は遊技停止状態ではステップＳ１４０２でフラグ格納部１２４の発射フラグがオフ状態に設定されていると判断して発射状態検出処理を終える。
【０４５９】
ＣＰＵ７１は遊技停止状態から遊技状態になった場合にはステップＳ１４０１で発射センサから発射信号が出力されていると判断し、ステップＳ１４０６でフラグ格納部１２４の発射フラグがオフ状態に設定されているか否かを判断する。ここでフラグ格納部１２４の発射フラグがオフ状態に設定されていると判断し、ステップＳ１４０７でフラグ格納部１２４の発射フラグをオン状態に設定する。
【０４６０】
ＣＰＵ７１はステップＳ１４０７でフラグ格納部１２４の発射フラグをオン状態に設定すると、ステップＳ１４０８でタイマ格納部１２３のタイマＳＴ５の値にＲＯＭ７２に予め記録された始動口到達値（４×１０００ｍｓｅｃ）を設定する。この始動口到達値（４×１０００ｍｓｅｃ）は遊技球が発射センサの検出領域内に進入してから第１特別図柄始動口センサ２９の検出領域内に進入するまでの最短の所要時間であり、遊技停止状態から遊技状態になってから一定時間（４×１０００ｍｓｅｃ）が経過するまでは遊技球が第１特別図柄始動口センサ２９の検出領域内に進入することがなく、第１特図保留データ格納部１１７にカウンタＭＲ１〜ＭＲ５のそれぞれの値が追加されることがない。
【０４６１】
ＣＰＵ７１はステップＳ１４０８でタイマＳＴ５の値を設定すると、ステップＳ１４０９でフラグ格納部１２４の計時フラグがオン状態に設定されているか否かを判断する。このフラグ格納部１２４の計時フラグはステップＳ４０２でオフ状態に初期設定されるものであり、ＣＰＵ７１は遊技停止状態から遊技状態になった場合にはステップＳ１４０９でフラグ格納部１２４の計時フラグがオフ状態に設定されていると判断して発射状態検出処理を終える。
【０４６２】
ＣＰＵ７１は遊技状態から遊技停止状態になった場合にはステップＳ１４０１で発射センサから発射信号が出力されていないと判断し、ステップＳ１４０２でフラグ格納部１２４の発射フラグがオン状態に設定されていると判断し、ステップＳ１４０３でフラグ格納部１２４の計時フラグがオフ状態に設定されているか否かを判断する。ここでフラグ格納部１２４の計時フラグがオフ状態に設定されていると判断し、ステップＳ１４０４でタイマ格納部１２３のタイマＳＴ４の値にＲＯＭ７２に予め記録された遊技停止判定値（１２×１０００ｍｓｅｃ）を設定し、ステップＳ１４０５でフラグ格納部１２４の計時フラグをオン状態に設定する。
【０４６３】
ＣＰＵ７１は遊技停止状態でフラグ格納部１２４の計時フラグがオン状態に設定されている場合にはステップＳ１４０３でフラグ格納部１２４の計時フラグがオン状態に設定されていると判断し、ステップＳ１４１１でタイマ格納部１２３のタイマＳＴ４の値から一定値（１０ｍｓｅｃ）を減算し、ステップＳ１４１２でタイマ格納部１２３のタイマＳＴ４の値の減算結果が限度値（０）に到達したか否かを判断する。例えば遊技停止状態が一定時間（１２×１０００ｍｓｅｃ）だけ継続した場合にはステップＳ１４１２でタイマ格納部１２３のタイマＳＴ４の値の減算結果が限度値（０）に到達したと判断し、ステップＳ１４１３でフラグ格納部１２４の発射フラグをオフ状態に設定し、ステップＳ１４１４でフラグ格納部１２４の計時フラグをオフ状態に設定する。
【０４６４】
発射フラグは遊技者が遊技停止状態で発射ハンドル１１を操作し、遊技球の発射を開始した場合にオン状態に設定されるものであり、遊技者が遊技球の発射を開始した場合にはタイマＳＴ５の値に始動口到達値が設定される。この発射フラグは遊技者が遊技状態で発射ハンドル１１から手指を離し、遊技停止状態を一定時間（１２×１０００ｍｓｅｃ）だけ継続させた場合にオフ状態に設定されるものである。即ち、タイマＳＴ５の値は遊技者が遊技停止状態を一定時間だけ継続させた完全な遊技停止状態の後に遊技球の発射を開始した場合に始動口到達値が設定されるものであり、遊技者が一定時間（１２×１０００ｍｓｅｃ）の経過前に遊技球の発射を再開した場合にはステップＳ１４０１で発射センサから発射信号が出力されていると判断され、ステップＳ１４０６でフラグ格納部１２４の発射フラグがオン状態に設定されていると判断される。そして、ステップＳ１４０８でフラグ格納部１２３の計時フラグがオン状態に設定されていると判断され、ステップＳ１４０９でフラグ格納部１２３の計時フラグがオフ状態に設定される。
【０４６５】
図１６２のタイマ減算処理は演出制御回路７０のＣＰＵ７１が一定時間（１０ｍｓｅｃ）の経過毎に図６５のタイマ割込み処理で行うものであり、ＣＰＵ７１はステップＳ１４２１でタイマ格納部１２３のタイマＳＴ５の値が限度値（０）に比べて大きいか否かを判断する。ここでタイマ格納部１２３のタイマＳＴ５の値が限度値（０）に比べて大きいと判断した場合にはステップＳ１４２２でタイマ格納部１２３のタイマＳＴ５の値から一定値（１０ｍｓｅｃ）を減算し、完全な遊技停止状態から遊技状態に変化してから最初の遊技球が第１特別図柄始動口センサ２９の検出領域内に進入するまでに必要な残り時間を更新する。
【０４６６】
図１６３のリーチ確定処理は演出制御回路７０のＣＰＵ７１が図１５８のリーチ確定処理に換えて行うものであり、ＣＰＵ７１はステップＳ１３５１でタイマ格納部１２３のタイマＳＴ３の値を減算した場合にはステップＳ１４３１でタイマ格納部１２３のＳＴ５の値が限度値（０）に比べて大きいか否かを判断する。例えば完全な遊技停止状態から遊技状態に変化した場合の始動口到達期間内ではＣＰＵ７１はステップＳ１４３１でタイマ格納部１２３のＳＴ５の値が限度値に比べて大きいと判断し、ステップＳ１３５２およびステップＳ１３５３を経てステップＳ１４３２へ移行する。
【０４６７】
ＣＰＵ７１はステップＳ１４３２へ移行すると、ステップＳ１３５３でのタイマＳＴ３の値およびインターバル時間ＩＮＴ相互間の加算結果がタイマ格納部１２３のタイマＳＴ５の値に比べて小さいか否かを判断する。ここでステップＳ１３５３での加算結果がタイマ格納部１２３のタイマＳＴ５の値に比べて小さいと判断した場合には保留番号０の大当り先読み結果格納部１２６に大当りの先読み結果が記録（ステップＳ１３５５）または保留番号０のリーチ先読み結果格納部１２８にリーチの先読み結果が記録（ステップＳ１３５６）されていることでステップＳ１３５７へ移行し、リーチ確定データ格納部１４３にリーチ確定データを記録する。
【０４６８】
図１６３のリーチ確定処理でリーチ確定データ格納部１４３にリーチ確定データが記録された場合には図１６０の予告演出処理で予告判定テーブル０−１または予告判定テーブル０−２からカウンタＳＲ４の値の検出結果に応じた１つの判定結果が選択され、予告有りの判定結果が選択された場合には音制御回路９０に予告音コマンドが送信され、次回の装飾図柄遊技の映像で装飾図柄がリーチの組合せとなることが音で予告される。
【０４６９】
図１６４はリーチ確定データ格納部１４３にリーチ確定データが記録される時間的なタイミングであり、タイマＳＴ５の値は完全な遊技停止状態から遊技状態に変化することで最初に発射された遊技球が第１特別図柄始動口センサ２９の検出領域に到達するまでの残り到達時間に相当し、タイマＳＴ３の値にインターバル時間ＩＮＴを加算した加算結果は保留番号０の第１特図保留データ格納部１１７のデータに応じて特別図柄遊技および装飾図柄遊技のそれぞれが開始されるまでの残り待ち時間に相当する。この残り待ち時間が残り到達時間に比べて小さくない状態（ａ参照）では第１特別図柄始動口２８内に遊技球が入賞することで第１特図保留データ格納部１１７にカウンタＭＲ１〜ＭＲ５のそれぞれの値が追加される可能性がある。従って、保留番号０の第１特図保留データ格納部１１７のカウンタＭＲ４の値に応じて外れリーチであると判定されるか否かが確定しないので、リーチ確定データ記録部１４３にリーチ確定データが記録されない。この残り待ち時間が残り到達時間に比べて小さい状態（ｂ参照）では第１特別図柄始動口２８内に遊技球が入賞することで第１特図保留データ格納部１１７にカウンタＭＲ１〜ＭＲ５のそれぞれの値が追加される可能性がない。従って、保留番号０の第１特図保留データ格納部１１７のカウンタＭＲ４の値に応じて外れリーチであると判定されるか否かが確定するので、リーチ確定データ記録部１４３にリーチ確定データが記録される。
【０４７０】
上記実施例４によれば次の効果を奏する。
第１特図保留データ格納部１１７にカウンタＭＲ４の値が追加される毎に先読み結果確認処理１〜４のいずれかを行い、リーチ先読み結果格納部１２８の先読み結果がリーチであるか否かの新たな先読み結果に対して異なる場合にリーチ先読み結果格納部１２８の先読み結果を新たな先読み結果に変更した。このため、リーチ先読み結果格納部１２８の先読み結果が装飾図柄遊技が開始される時点での外れリーチであるか否かの判定結果に高い確率で整合するようになるので、遊技者の目線で予告音が出力されたにも拘らず次回の装飾図柄遊技の映像で装飾図柄がリーチの組合せとならない矛盾が発生する頻度が低く抑えられる。
【０４７１】
上記実施例３〜４のそれぞれにおいては、演出制御回路７０がメイン制御回路５０の第２特図保留データ格納部１１８のデータを先読みする構成としても良い。即ち、今回の装飾図柄遊技中に第２特図遊技コマンドを検出した場合には今回の装飾図柄遊技の残り時間ＳＴ３を検出し、残り時間ＳＴ３の検出結果にインターバル時間ＩＮＴを加算した加算結果が第２特別図柄始動口３０用の入賞待ち期間または第２特別図柄始動口センサ３３用の始動口到達期間に比べて小さいか否かを判断する。この加算結果が第２特別図柄始動口３０用の入賞待ち期間または第２特別図柄始動口センサ３３用の始動口到達期間に比べて小さいと判断した場合には第２特図保留データ格納部１１８用の保留番号０のリーチ先読み結果格納部１３３にリーチの先読み結果が記録されていることを条件に保留番号０のリーチ確定データ格納部１３６にリーチ確定データを記録する。第２特別図柄始動口３０の開放状態では遊技球が羽根板３１に沿って転動することで第２特別図柄始動口３０内に入賞するので、遊技球が今回に第２特別図柄始動口３０内に入賞してから次回に入賞するまでの入賞待ち期間または始動口到達期間として第１特別図柄始動口２８に比べて長い期間が発生する。この入賞待ち期間または始動口到達期間内には第２特別図柄始動口３０の開放状態であっても遊技球が第２特別図柄始動口３０内に入賞不能になるので、次回の装飾図柄遊技の開始タイミングが入賞待ち期間内にある場合にはリーチであるか否かの先読み結果が確定する。
【実施例５】
【０４７２】
電チューサポートモードのオフ状態では第２特別図柄始動口３０が開放状態にされないので、遊技球が第２特別図柄始動口３０内に入賞することなく第１特別図柄始動口２８内に入賞する。電チューサポートモードがオフ状態からオン状態に変更された場合には遊技者が第２特別図柄始動口３０を狙って遊技球を右打ち状態で発射するので、遊技球が第１特別図柄始動口２８内に入賞することなく第２特別図柄始動口３０内に入賞する。第１特図保留データ格納部１１７および第２特図保留データ格納部１１８はデータが記録された順序で処理されるものであり、電チューサポートモードがオフ状態からオン状態に変更された直後に第１特図保留データ格納部１１７にデータが記録されている場合には第１特図保留データ格納部１１７のデータが先に処理される。この第１特図保留データ格納部１１７のデータが先に処理されている特定期間内には第１特図保留データ格納部１１７にデータが追加されることがなく、第１特図保留データ格納部１１７のデータに対するリーチであるか否かの先読み結果が確定する。実施例５は電チューサポートモードがオフ状態からオン状態に変更された直後の特定期間内にリーチの先読み結果を確定させるものであり、実施例５を実施例１をベースに説明する。
【０４７３】
図１６５はメイン制御回路５０のＲＡＭ５３に設定された使用順序格納部１５１である。この使用順序格納部１５１には使用順序１〜１０の１０個の領域が設定されており、使用順序１〜１０の使用順序格納部１５１のそれぞれには第１特図保留データ格納部１１７および第２特図保留データ格納部１１８のいずれからデータを検出するかの使用データが記録される。
【０４７４】
図１６６の第１特図データ取得処理はメイン制御回路５０のＣＰＵ５１が図４８の第１特図データ取得処理に換えて行うものであり、ＣＰＵ５１はステップＳ５６で演出制御回路７０に外れリーチ先読みコマンドを送信した場合にはステップＳ１５０１の使用順序設定処理１で使用順序格納部１５１を設定する。この処理はカウンタ格納部１１４からカウンタＭＮ４の値およびカウンタＭＮ５の値のそれぞれを検出し、カウンタＭＮ４の値の検出結果およびカウンタＭＮ５の値の検出結果の双方に応じて行われるものである。図１６７の（ａ）はメイン制御回路５０のＲＯＭ５２に予め記録された使用順序テーブル１−０であり、カウンタＭＮ４の値の検出結果が（０）である場合にはステップＳ１５０１の使用順序設定処理１で使用順序テーブル１−０からカウンタＭＮ５の値の検出結果に応じた１つの使用順序が選択され、使用順序の選択結果に応じた使用順序格納部１５１に使用データ１が記録される。この使用データ１は第１特図保留データ格納部１１７のデータを使用することを示すものである。
【０４７５】
図１６７の（ｂ）はメイン制御回路５０のＲＯＭ５２に予め記録された使用順序テーブル１−１であり、カウンタＭＮ４の値の検出結果が（１）である場合にはステップＳ１５０１の使用順序設定処理１で使用順序テーブル１−１からカウンタＭＮ５の値の検出結果に応じた１つの使用順序が選択され、使用順序の選択結果に応じた使用順序格納部１５１に使用データ１が記録される。図１６７の（ｃ）はメイン制御回路５０のＲＯＭ５２に予め記録された使用順序テーブル１−２であり、カウンタＭＮ４の値の検出結果が（２）である場合にはステップＳ１５０１の使用順序設定処理１で使用順序テーブル１−２からカウンタＭＮ５の値の検出結果に応じた１つの使用順序が選択され、使用順序の選択結果に応じた使用順序格納部１５１に使用データ１が記録される。図１６７の（ｄ）はメイン制御回路５０のＲＯＭ５２に予め記録された使用順序テーブル１−３であり、カウンタＭＮ４の値の検出結果が（３）である場合にはステップＳ１５０１の使用順序設定処理１で使用順序テーブル１−３からカウンタＭＮ５の値の検出結果に応じた１つの使用順序が選択され、使用順序の選択結果に応じた使用順序格納部１５１に使用データ１が記録される。図１６７の（ｅ）はメイン制御回路５０のＲＯＭ５２に予め記録された使用順序テーブル１−４であり、カウンタＭＮ４の値の検出結果が（４）である場合にはステップＳ１５０１の使用順序設定処理１で使用順序テーブル１−４からカウンタＭＮ５の値の検出結果に応じた１つの使用順序が選択され、使用順序の選択結果に応じた使用順序格納部１５１に使用データ１が記録される。
【０４７６】
図１６８の第２特図データ取得処理はメイン制御回路５０のＣＰＵ５１が図４９の第２特図データ取得処理に換えて行うものであり、ＣＰＵ５１はステップＳ７１で演出制御回路７０に第２特図保留コマンドを送信した場合にはステップＳ１５０２の使用順序設定処理２で使用順序格納部１５１を設定する。この処理はカウンタ格納部１１４からカウンタＭＮ４の値およびカウンタＭＮ５の値のそれぞれを検出し、カウンタＭＮ４の値の検出結果およびカウンタＭＮ５の値の検出結果の双方に応じて行われるものである。図１６９の（ａ）はメイン制御回路５０のＲＯＭ５２に予め記録された使用順序テーブル２−０であり、カウンタＭＮ５の値の検出結果が（０）である場合にはステップＳ１５０２の使用順序設定処理２で使用順序テーブル２−０からカウンタＭＮ４の値の検出結果に応じた１つの使用順序が選択され、使用順序の選択結果に応じた使用順序格納部１５１に使用データ２が記録される。この使用データ２は第２特図保留データ格納部１１８のデータを使用することを示すものである。
【０４７７】
図１６９の（ｂ）はメイン制御回路５０のＲＯＭ５２に予め記録された使用順序テーブル２−１であり、カウンタＭＮ５の値の検出結果が（１）である場合にはステップＳ１５０２の使用順序設定処理２で使用順序テーブル２−１からカウンタＭＮ４の値の検出結果に応じた１つの使用順序が選択され、使用順序の選択結果に応じた使用順序格納部１５１に使用データ２が記録される。図１６９の（ｃ）はメイン制御回路５０のＲＯＭ５２に予め記録された使用順序テーブル２−２であり、カウンタＭＮ５の値の検出結果が（２）である場合にはステップＳ１５０２の使用順序設定処理２で使用順序テーブル２−２からカウンタＭＮ４の値の検出結果に応じた１つの使用順序が選択され、使用順序の選択結果に応じた使用順序格納部１５１に使用データ２が記録される。図１６９の（ｄ）はメイン制御回路５０のＲＯＭ５２に予め記録された使用順序テーブル２−３であり、カウンタＭＮ５の値の検出結果が（３）である場合にはステップＳ１５０２の使用順序設定処理２で使用順序テーブル２−３からカウンタＭＮ４の値の検出結果に応じた１つの使用順序が選択され、使用順序の選択結果に応じた使用順序格納部１５１に使用データ２が記録される。図１６９の（ｅ）はメイン制御回路５０のＲＯＭ５２に予め記録された使用順序テーブル２−４であり、カウンタＭＮ５の値の検出結果が（４）である場合にはステップＳ１５０２の使用順序設定処理２で使用順序テーブル２−４からカウンタＭＮ４の値の検出結果に応じた１つの使用順序が選択され、使用順序の選択結果に応じた使用順序格納部１５１に使用データ２が記録される。
【０４７８】
図１７０のインターバル処理はメイン制御回路５０のＣＰＵ５１が図５７のインターバル処理に換えて行うものであり、ＣＰＵ５１はステップＳ１５１１で使用順序１の使用順序格納部１５１に使用データが記録されているか否かを判断する。ここで使用順序１の使用順序格納部１５１に使用データが記録されていると判断した場合にはステップＳ１５１２で使用順序１の使用順序格納部１５１から使用データを検出し、ステップＳ１５１３で使用データの検出結果が使用データ１であるか否かを判断する。ここで使用データの検出結果が使用データ１であると判断した場合にはステップＳ１５１４でフラグ格納部１１３の第１特別図柄遊技フラグをオン状態に設定し、ステップＳ１５１５でフラグ格納部１１３の第２特別図柄遊技フラグをオフ状態に設定する。そして、ステップＳ１５１９でタイマ格納部１１５のタイマＭＴ１の値に特図インターバル時間（１×１０００ｍｓｅｃ）を設定し、ステップＳ１５２０で特別図柄プロセスフラグの値に（１）を設定する。
【０４７９】
ＣＰＵ５１はステップＳ１５１３で使用データの検出結果が使用データ１でないと判断すると、ステップＳ１５１６で使用データの検出結果が使用データ２であるか否かを判断する。ここで使用データの検出結果が使用データ２であると判断した場合にはステップＳ１５１７でフラグ格納部１１３の第２特別図柄遊技フラグをオン状態に設定し、ステップＳ１５１８でフラグ格納部１１３の第１特別図柄遊技フラグをオフ状態に設定する。そして、ステップＳ１５１９でタイマ格納部１１５のタイマＭＴ１の値に特図インターバル時間（１×１０００ｍｓｅｃ）を設定し、ステップＳ１５２０で特別図柄プロセスフラグの値に（１）を設定する。即ち、図５８の大当り判定処理では保留番号０の第１特図保留データ格納部１１７および保留番号０の第２特図保留データ格納部１１８のうち使用順序１の使用順序格納部１５１の使用データに応じたものからカウンタＭＲ１〜ＭＲ５のそれぞれの値が検出され、カウンタＭＲ１〜ＭＲ５のそれぞれの値の検出結果に応じて処理が進行する。
【０４８０】
図１７１の大当り判定処理はメイン制御回路５０のＣＰＵ５１が図５９の大当り判定処理に換えて行うものであり、ＣＰＵ７１はステップＳ２３６の第１特図保留データ処理またはステップＳ２３７の第２特図保留データ処理を終えた場合にはステップＳ１５２１の使用データ処理へ移行する。このステップＳ１５２１の使用データ処理は使用順序１の使用順序格納部１５１から使用データを消去するものであり、使用順序Ｎ（Ｎは２〜１０のそれぞれの整数）の使用順序格納部１５１に使用データが記録されている場合には使用順序Ｎの使用順序格納部１５１の使用データが使用順序Ｎ−１の使用順序格納部１５１にシフトされる。例えば使用順序２の使用順序格納部１５１に使用データが記録されている場合には使用順序２の使用順序格納部１５１の使用データが使用順序１の使用順序格納部１５１にシフトされる。
【０４８１】
図１７２の（ａ）は電チューサポートモードのオフ状態での第１特図保留データ格納部１１７の記録状態であり、図１７２の（ｂ）は電チューサポートモードのオフ状態での第２特図保留データ格納部１１８の記録状態である。この電チューサポートモードのオフ状態では第２特別図柄始動口３０が開放状態になることがなく、遊技球が第１特別図柄始動口２８内のみに入賞する。図１７２の（ｃ）は電チューサポートモードのオフ状態での使用順序格納部１５１の記録状態であり、使用順序格納部１５１には使用データ１のみが記録される。即ち、電チューサポートモードのオフ状態では第１特図保留データ１１７のカウンタＭＲ１〜ＭＲ５のそれぞれの値に応じて特別図柄遊技が行われる。
【０４８２】
図１７３の（ａ）は電チューサポートモードのオン状態での第１特図保留データ格納部１１７の記録状態であり、図１７３の（ｂ）は電チューサポートモードのオン状態での第２特図保留データ格納部１１８の記録状態である。この電チューサポートモードのオン状態では第２特別図柄始動口３０が開放状態になる。従って、遊技者が第２特別図柄始動口３０を狙って遊技球を右打ち状態で発射するので、遊技球が第１特別図柄始動口２８内に入賞することなく第２特別図柄始動口３０内に入賞する。図１７３の（ｃ）は電チューサポートモードのオン状態での使用順序格納部１５１の記録状態であり、使用順序格納部１５１には使用データ２のみが記録される。即ち、電チューサポートモードのオン状態では第２特図保留データ１１８のカウンタＭＲ１〜ＭＲ５のそれぞれの値に応じて特別図柄遊技が行われる。
【０４８３】
図１７４の（ａ）は電チューサポートモードがオフ状態からオン状態に切換えられた直後の第１特図保留データ格納部１１７の記録状態であり、図１７４の（ｂ）は電チューサポートモードがオフ状態からオン状態に切換えられた直後の第２特図保留データ格納部１１８の記録状態である。この場合には電チューサポートモードがオン状態に設定される前に遊技球が第１特別図柄始動口２８内に入賞することで第１特図保留データ格納部１１７にカウンタＭＲ１〜ＭＲ５のそれぞれの値が記録されており、遊技者が電チューサポートモードのオン状態で遊技球を右打ち状態で発射することで第２特別図柄始動口３０内のみに入賞させているにも拘らず第１特図保留データ格納部１１７のカウンタＭＲ１〜ＭＲ５のそれぞれの値に応じて処理が進行し、第１特図保留データ格納部１１７からカウンタＭＲ１〜ＭＲ５のそれぞれの値が全て消去された後に第２特図保留データ格納部１１８のカウンタＭＲ１〜ＭＲ５のそれぞれの値に応じて処理が始まる。即ち、電チューサポートモードがオフ状態からオン状態に切換わった直後には遊技球が右打ち状態で発射されている限りは遊技球が第１特別図柄始動口２８内に入賞することがなく、第１特図保留データ格納部１１７にカウンタＭＲ１〜ＭＲ５のそれぞれの値が追加されることがない。
【０４８４】
図１７５の遊技モード処理は演出制御回路７０のＣＰＵ７１が図６６の遊技モード処理に換えて行うものであり、ＣＰＵ７１はステップＳ１５３１でコマンド格納部１２１に図柄情報コマンドが記録されているか否かを判断する。ここでコマンド格納部１２１に図柄情報コマンドが記録されていないと判断した場合にはステップＳ１５３５へ移行し、コマンド格納部１２１に図柄情報コマンドが記録されていると判断した場合にはステップＳ１５３２へ移行する。
【０４８５】
ＣＰＵ７１はステップＳ１５３２へ移行すると、コマンド格納部１２１から図柄情報コマンドを検出し、ステップＳ１５３３で図柄情報コマンドの検出結果が図柄情報コマンド２（通常大当り図柄）であるか否かを判断する。ここで図柄情報コマンドの検出結果が図柄情報コマンド２でないと判断した場合には遊技モード処理を終え、図柄情報コマンドの検出結果が図柄情報コマンド２であると判断した場合にはステップＳ１５３４でフラグ格納部１２４の通常大当り図柄フラグをオン状態に設定する。このフラグ格納部１２４の通常大当り図柄フラグはステップＳ４０２でオン状態に初期設定されるものである。
【０４８６】
ＣＰＵ７１はステップＳ１５３５へ移行すると、コマンド格納部１２１に電チューサポート開始コマンドが記録されているか否かを判断する。ここでコマンド格納部１２１に電チューサポート開始コマンドが記録されていないと判断した場合にはステップＳ１５４０へ移行し、コマンド格納部１２１に電チューサポート停止コマンドが記録されているか否かを判断する。ここでコマンド格納部１２１に電チューサポート停止コマンドが記録されていないと判断した場合には遊技モード処理を終え、コマンド格納部１２１に電チューサポート停止コマンドが記録されていると判断した場合にはステップＳ１５４１でコマンド格納部１２１から電チューサポート停止コマンドを消去する。
【０４８７】
ＣＰＵ７１はステップＳ１５３５でコマンド格納部１２１に電チューサポート開始コマンドが記録されていると判断すると、ステップＳ１５３６でフラグ格納部１２４の通常大当り図柄フラグがオン状態に設定されているか否かを判断する。ここでフラグ格納部１２４の通常大当り図柄フラグがオフ状態に設定されていると判断した場合にはステップＳ１５３９でコマンド格納部１２１から電チューサポート開始コマンドを消去し、フラグ格納部１２４の通常大当り図柄フラグがオン状態に設定されていると判断した場合にはステップＳ１５３７へ移行する。
【０４８８】
ＣＰＵ７１はステップＳ１５３７へ移行すると、フラグ格納部１２４の通常大当り図柄フラグをオフ状態に設定する。そして、ステップＳ１５３８のリーチ確定処理を経てステップＳ１５３９へ移行し、コマンド格納部１２１から電チューサポート開始コマンドを消去する。図１７６は通常大当り図柄フラグの設定状態であり、通常大当り図柄フラグは電チューサポートモードのオフ状態で特別図柄遊技の映像で確変大当り図柄が停止表示された場合に直後の大当り遊技の終了時に電チューサポートモードがオン状態に設定されることでオン状態からオフ状態に設定され、ステップＳ１５３８のリーチ確定処理は電チューサポートモードがオフ状態からオン状態に設定されることで行われる。
【０４８９】
図１７７はステップＳ１５３８のリーチ確定処理であり、ＣＰＵ７１はステップＳ１５５１で保留番号０のリーチ先読み結果格納部１２８にリーチの先読み結果が記録されているか否かを判断する。ここで保留番号０のリーチ先読み結果格納部１２８にリーチの先読み結果が記録されていないと判断した場合にはステップＳ１５５３へ移行し、保留番号０のリーチ先読み結果格納部１２８にリーチの先読み結果が記録されていると判断した場合にはステップＳ１５５２で保留番号０のリーチ確定データ格納部１２９にリーチ確定データを記録してステップＳ１５５３へ移行する。
【０４９０】
ＣＰＵ７１はステップＳ１５５３へ移行すると、保留番号１のリーチ先読み結果格納部１２８にリーチの先読み結果が記録されているか否かを判断する。ここで保留番号１のリーチ先読み結果格納部１２８にリーチの先読み結果が記録されていないと判断した場合にはステップＳ１５５５へ移行し、保留番号１のリーチ先読み結果格納部１２８にリーチの先読み結果が記録されていると判断した場合にはステップＳ１５５４で保留番号１のリーチ確定データ格納部１２９にリーチ確定データを記録してステップＳ１５５５へ移行する。
【０４９１】
ＣＰＵ７１はステップＳ１５５５へ移行すると、保留番号２のリーチ先読み結果格納部１２８にリーチの先読み結果が記録されているか否かを判断する。ここで保留番号２のリーチ先読み結果格納部１２８にリーチの先読み結果が記録されていないと判断した場合にはステップＳ１５５７へ移行し、保留番号２のリーチ先読み結果格納部１２８にリーチの先読み結果が記録されていると判断した場合にはステップＳ１５５６で保留番号２のリーチ確定データ格納部１２９にリーチ確定データを記録してステップＳ１５５７へ移行する。
【０４９２】
ＣＰＵ７１はステップＳ１５５７へ移行すると、保留番号３のリーチ先読み結果格納部１２８にリーチの先読み結果が記録されているか否かを判断する。ここで保留番号３のリーチ先読み結果格納部１２８にリーチの先読み結果が記録されていないと判断した場合にはステップＳ１５５９へ移行し、保留番号３のリーチ先読み結果格納部１２８にリーチの先読み結果が記録されていると判断した場合にはステップＳ１５５８で保留番号３のリーチ確定データ格納部１２９にリーチ確定データを記録してステップＳ１５５９へ移行する。
【０４９３】
ＣＰＵ７１はステップＳ１５５９へ移行すると、保留番号４のリーチ先読み結果格納部１２８にリーチの先読み結果が記録されているか否かを判断する。ここで保留番号４のリーチ先読み結果格納部１２８にリーチの先読み結果が記録されていないと判断した場合にはリーチ確定処理を終え、保留番号４のリーチ先読み結果格納部１２８にリーチの先読み結果が記録されていると判断した場合にはステップＳ１５６０で保留番号４のリーチ確定データ格納部１２９にリーチ確定データを記録してリーチ確定処理を終える。
【０４９４】
図１７８の先読み処理は演出制御回路７０のＣＰＵ７１が図６９の先読み処理に換えて行うものであり、ＣＰＵ７１は図１７８の先読み処理ではリーチ確定処理を行わない。
図１７９の装飾図柄遊技処理は演出制御回路７０のＣＰＵ７１が図８１の装飾図柄遊技処理に換えて行うものであり、ＣＰＵ７１はステップＳ６５３でフラグ格納部１２４に第１特図遊技コマンドが記録されていると判断した場合にはステップＳ６５４を経てステップＳ６５６のステップアップ予告処理へ移行する。ここで保留番号０のリーチ確定データ格納部１２９にリーチ確定データが記録されている場合にはカウンタ格納部１２２のカウンタＳＮ４の値に（０）を設定し、保留番号１のリーチ確定データ格納部１２９にリーチ確定データが記録されている場合にはカウンタ格納部１２２のカウンタＳＮ４の値に（１）を設定し、保留番号２のリーチ確定データ格納部１２９にリーチ確定データが記録されている場合にはカウンタ格納部１２２のカウンタＳＮ４の値に（２）を設定し、カウンタ格納部１２２のカウンタＳＮ４の値に（０）〜（２）のいずれかを設定した場合にはステップアップ予告フラグをオン状態に設定する（図８２参照）。このステップアップ予告フラグをオン状態に設定した場合にはステップＳ６６５の予告演出処理でカウンタ格納部１２２のカウンタＳＮ４の値に応じて予告絵柄を表示し（図９１参照）、装飾図柄遊技の映像で装飾図柄がリーチの組合せになることを予告する。
【０４９５】
上記実施例５によれば次の効果を奏する。
第１特図保留データ格納部１１７にカウンタＭＲ４の値が追加される毎に先読み結果確認処理１〜４のいずれかを行い、リーチ先読み結果格納部１２８の先読み結果がリーチであるか否かの新たな先読み結果に対して異なる場合にリーチ先読み結果格納部１２８の先読み結果を新たな先読み結果に変更した。このため、リーチ先読み結果格納部１２８の先読み結果が装飾図柄遊技が開始される時点での外れリーチであるか否かの判定結果に高い確率で整合するようになるので、遊技者の目線で予告音が出力されたにも拘らず次回の装飾図柄遊技の映像で装飾図柄がリーチの組合せとならない矛盾が発生する頻度が低く抑えられる。
【０４９６】
上記実施例２〜５のそれぞれには特許請求の範囲に記載された発明に加えて次の［発明２］が記載されている。
［発明２］
前記先読み結果確定手段は、前記始動口に遊技球が入球することで前記保留メモリに表示情報カウンタの値が追加されることがない特定期間内に特定の遊技映像が表示開始される場合に前記先読みメモリの先読み結果のうち当該遊技映像に対応する特定の先読み結果を確定することを特徴とする請求項１に記載のパチンコ遊技機。
【０４９７】
上記実施例３〜５のそれぞれにおいては、メイン制御回路５０が保留番号０の第１特図保留データ格納部１１７のカウンタＭＲ４の値を図１７の外れリーチ判定テーブル２−０〜２−４のいずれかに応じて処理することで第１特図保留回数が多くなることに応じて外れリーチであると低い確率で判定しても良い。この構成の場合には演出制御回路７０のＲＯＭ７２に図１７の外れリーチ判定テーブル２−０〜２−４のそれぞれに応じた外れリーチ先読みテーブルを予め記録しておき、演出制御回路７０が外れリーチ先読みコマンドを外れリーチ先読みテーブルに応じて処理することでメイン制御回路５０と同一内容で外れリーチであるか否かを先読みするすると良い。
【０４９８】
上記実施例１と実施例２と実施例３と実施例４と実施例５のそれぞれにおいては、図５０のステップＳ８１のインターバル処理で保留番号０の普通図保留データ格納部１１６にカウンタＭＲ２の値が記録されていると判断された場合にはタイマＭＴ２の値に２０ｓｅｃに比べて短いインターバル時間（例えば１ｓｅｃ）を設定しても良い。
【０４９９】
上記実施例１と実施例３と実施例４と実施例５のそれぞれにおいては、図５０のステップＳ８１のインターバル処理で保留番号０の普通図保留データ格納部１１６にカウンタＭＲ２の値が記録されていると判断された場合にはタイマＭＴ２の値を設定することなくステップＳ８２の当り判定処理で当りであるか否かを判定しても良い。即ち、普通図柄遊技用のインターバル時間を廃止しても良い。
【０５００】
上記実施例１と実施例２と実施例３と実施例４と実施例５のそれぞれにおいては、図５６のステップＳ１７１のインターバル処理で保留番号０の第１特図保留データ格納部１１７または第２特図保留データ格納部１１８にカウンタＭＲ１の値が記録されていると判断された場合にはタイマＭＴ１の値を設定することなくステップＳ１７２の大当り判定処理で大当りであるか否かを判定しても良い。即ち、特別図柄遊技用のインターバル時間を廃止しても良い。
【符号の説明】
【０５０１】
１８は遊技盤、２８は第１特別図柄始動口（始動口）、３０は第２特別図柄始動口（始動口）、４５は装飾図柄表示器（表示器）、５０はメイン制御回路（カウンタ更新手段，カウンタ検出手段，保留メモリ，カウンタ記録手段，カウンタ検出手段，情報設定手段，  カウンタ消去手段，先読み情報送信手段）、７０は演出制御回路（先読みメモリ，先読み情報記録手段，先読み情報消去手段，第１の先読み手段，第１の先読み結果記録手段，第２の先読み手段，先読み結果変更手段，先読み結果確定手段）、８０は表示制御回路（映像表示手段，予告演出手段）、９０は音制御回路（予告演出手段）である。
【図１】
0005545184.tif 000002
【図２】
0005545184.tif 000003
【図３】
0005545184.tif 000004
【図４】
0005545184.tif 000005
【図５】
0005545184.tif 000006
【図６】
0005545184.tif 000007
【図７】
0005545184.tif 000008
【図８】
0005545184.tif 000009
【図９】
0005545184.tif 000010
【図１０】
0005545184.tif 000011
【図１１】
0005545184.tif 000012
【図１２】
0005545184.tif 000013
【図１３】
0005545184.tif 000014
【図１４】
0005545184.tif 000015
【図１５】
0005545184.tif 000016
【図１６】
0005545184.tif 000017
【図１７】
0005545184.tif 000018
【図１８】
0005545184.tif 000019
【図１９】
0005545184.tif 000020
【図２０】
0005545184.tif 000021
【図２１】
0005545184.tif 000022
【図２２】
0005545184.tif 000023
【図２３】
0005545184.tif 000024
【図２４】
0005545184.tif 000025
【図２５】
0005545184.tif 000026
【図２６】
0005545184.tif 000027
【図２７】
0005545184.tif 000028
【図２８】
0005545184.tif 000029
【図２９】
0005545184.tif 000030
【図３０】
0005545184.tif 000031
【図３１】
0005545184.tif 000032
【図３２】
0005545184.tif 000033
【図３３】
0005545184.tif 000034
【図３４】
0005545184.tif 000035
【図３５】
0005545184.tif 000036
【図３６】
0005545184.tif 000037
【図３７】
0005545184.tif 000038
【図３８】
0005545184.tif 000039
【図３９】
0005545184.tif 000040
【図４０】
0005545184.tif 000041
【図４１】
0005545184.tif 000042
【図４２】
0005545184.tif 000043
【図４３】
0005545184.tif 000044
【図４４】
0005545184.tif 000045
【図４５】
0005545184.tif 000046
【図４６】
0005545184.tif 000047
【図４７】
0005545184.tif 000048
【図４８】
0005545184.tif 000049
【図４９】
0005545184.tif 000050
【図５０】
0005545184.tif 000051
【図５１】
0005545184.tif 000052
【図５２】
0005545184.tif 000053
【図５３】
0005545184.tif 000054
【図５４】
0005545184.tif 000055
【図５５】
0005545184.tif 000056
【図５６】
0005545184.tif 000057
【図５７】
0005545184.tif 000058
【図５８】
0005545184.tif 000059
【図５９】
0005545184.tif 000060
【図６０】
0005545184.tif 000061
【図６１】
0005545184.tif 000062
【図６２】
0005545184.tif 000063
【図６３】
0005545184.tif 000064
【図６４】
0005545184.tif 000065
【図６５】
0005545184.tif 000066
【図６６】
0005545184.tif 000067
【図６７】
0005545184.tif 000068
【図６８】
0005545184.tif 000069
【図６９】
0005545184.tif 000070
【図７０】
0005545184.tif 000071
【図７１】
0005545184.tif 000072
【図７２】
0005545184.tif 000073
【図７３】
0005545184.tif 000074
【図７４】
0005545184.tif 000075
【図７５】
0005545184.tif 000076
【図７６】
0005545184.tif 000077
【図７７】
0005545184.tif 000078
【図７８】
0005545184.tif 000079
【図７９】
0005545184.tif 000080
【図８０】
0005545184.tif 000081
【図８１】
0005545184.tif 000082
【図８２】
0005545184.tif 000083
【図８３】
0005545184.tif 000084
【図８４】
0005545184.tif 000085
【図８５】
0005545184.tif 000086
【図８６】
0005545184.tif 000087
【図８７】
0005545184.tif 000088
【図８８】
0005545184.tif 000089
【図８９】
0005545184.tif 000090
【図９０】
0005545184.tif 000091
【図９１】
0005545184.tif 000092
【図９２】
0005545184.tif 000093
【図９３】
0005545184.tif 000094
【図９４】
0005545184.tif 000095
【図９５】
0005545184.tif 000096
【図９６】
0005545184.tif 000097
【図９７】
0005545184.tif 000098
【図９８】
0005545184.tif 000099
【図９９】
0005545184.tif 000100
【図１００】
0005545184.tif 000101
【図１０１】
0005545184.tif 000102
【図１０２】
0005545184.tif 000103
【図１０３】
0005545184.tif 000104
【図１０４】
0005545184.tif 000105
【図１０５】
0005545184.tif 000106
【図１０６】
0005545184.tif 000107
【図１０７】
0005545184.tif 000108
【図１０８】
0005545184.tif 000109
【図１０９】
0005545184.tif 000110
【図１１０】
0005545184.tif 000111
【図１１１】
0005545184.tif 000112
【図１１２】
0005545184.tif 000113
【図１１３】
0005545184.tif 000114
【図１１４】
0005545184.tif 000115
【図１１５】
0005545184.tif 000116
【図１１６】
0005545184.tif 000117
【図１１７】
0005545184.tif 000118
【図１１８】
0005545184.tif 000119
【図１１９】
0005545184.tif 000120
【図１２０】
0005545184.tif 000121
【図１２１】
0005545184.tif 000122
【図１２２】
0005545184.tif 000123
【図１２３】
0005545184.tif 000124
【図１２４】
0005545184.tif 000125
【図１２５】
0005545184.tif 000126
【図１２６】
0005545184.tif 000127
【図１２７】
0005545184.tif 000128
【図１２８】
0005545184.tif 000129
【図１２９】
0005545184.tif 000130
【図１３０】
0005545184.tif 000131
【図１３１】
0005545184.tif 000132
【図１３２】
0005545184.tif 000133
【図１３３】
0005545184.tif 000134
【図１３４】
0005545184.tif 000135
【図１３５】
0005545184.tif 000136
【図１３６】
0005545184.tif 000137
【図１３７】
0005545184.tif 000138
【図１３８】
0005545184.tif 000139
【図１３９】
0005545184.tif 000140
【図１４０】
0005545184.tif 000141
【図１４１】
0005545184.tif 000142
【図１４２】
0005545184.tif 000143
【図１４３】
0005545184.tif 000144
【図１４４】
0005545184.tif 000145
【図１４５】
0005545184.tif 000146
【図１４６】
0005545184.tif 000147
【図１４７】
0005545184.tif 000148
【図１４８】
0005545184.tif 000149
【図１４９】
0005545184.tif 000150
【図１５０】
0005545184.tif 000151
【図１５１】
0005545184.tif 000152
【図１５２】
0005545184.tif 000153
【図１５３】
0005545184.tif 000154
【図１５４】
0005545184.tif 000155
【図１５５】
0005545184.tif 000156
【図１５６】
0005545184.tif 000157
【図１５７】
0005545184.tif 000158
【図１５８】
0005545184.tif 000159
【図１５９】
0005545184.tif 000160
【図１６０】
0005545184.tif 000161
【図１６１】
0005545184.tif 000162
【図１６２】
0005545184.tif 000163
【図１６３】
0005545184.tif 000164
【図１６４】
0005545184.tif 000165
【図１６５】
0005545184.tif 000166
【図１６６】
0005545184.tif 000167
【図１６７】
0005545184.tif 000168
【図１６８】
0005545184.tif 000169
【図１６９】
0005545184.tif 000170
【図１７０】
0005545184.tif 000171
【図１７１】
0005545184.tif 000172
【図１７２】
0005545184.tif 000173
【図１７３】
0005545184.tif 000174
【図１７４】
0005545184.tif 000175
【図１７５】
0005545184.tif 000176
【図１７６】
0005545184.tif 000177
【図１７７】
0005545184.tif 000178
【図１７８】
0005545184.tif 000179
【図１７９】
0005545184.tif 000180